(57)【要約】  本発明は、商品及びサービスのためのインタラクティブな搬送業界において、より効率的なシステムに対する長年の要望があることを認識している。本発明の第１の態様は、一般に、搬送業界およびその他の業界におけるインタラクティブリアルタイムシステムに関する。本発明の第２の態様は、一般に、本発明のインタラクティブシステムのリアルタイム使用方法に関する。
2020530174.tif 000002
【特許請求の範囲】
【請求項１】
搬送業界内で、少なくとも１つの視覚的表現を使用して、少なくとも１つの代理人の少なくとも１つの選好および少なくとも１つのリアルタイムまたはほぼリアルタイムの地理的位置に関連する少なくとも１つの好ましい搬送サービス要求を確保または取得する少なくとも１つのプロセスにおいて少なくとも１つの代理人を支援するための、リアルタイムまたはほぼリアルタイムのシステムであって、
ａ）少なくとも１つの外部サーバであって、
ｉ）少なくとも１つのコンピュータプロセッサと、
ｉｉ）少なくとも１つのコンピュータ可読メモリと
ｉｉｉ）少なくとも１つのネットワークインターフェースと、
ｉｖ）複数の搬送サービス要求の少なくとも１つのリアルタイムまたはほぼリアルタイムのソースと
を備える少なくとも１つの外部サーバと、
ｂ）少なくとも１つの中央サーバであって、
ｉ）少なくとも１つのコンピュータプロセッサと、
ｉｉ）少なくとも１つのコンピュータ可読メモリと、
ｉｉｉ）少なくとも１つのネットワークインターフェースと
を備える少なくとも１つの中央サーバと、
ｃ）少なくとも１つの端末であって、
少なくとも１つの電子計算装置であって、
（ｉ）少なくとも１つのコンピュータプロセッサと、
（ｉｉ）少なくとも１つのコンピュータ可読メモリと、
（ｉｉｉ）少なくとも１つの入力ソースと、
（ｉｖ）少なくとも１つのディスプレイと、
（ｖ）少なくとも１つの地理的位置モジュールと、
（ｖｉ）少なくとも１つのネットワークインターフェースと、
を備える少なくとも１つの電子計算装置
を備える少なくとも１つの端末と、
ｄ）少なくとも１つのアプリケーションであって、
ｉ）前記少なくとも１つの視覚的表現を表示するように動作可能な少なくとも１つのコンピュータプログラム、
ｉｉ）前記少なくとも１つの好ましい搬送サービス要求を確保または取得するように動作可能な前記少なくとも１つのコンピュータプログラム、
ｉｉｉ）またはそれらの組み合わせ
を含む少なくとも１つのアプリケーションと、
ｅ）少なくとも１つのリンクであって、
ｉ）少なくとも１つの電子通信ネットワークチャネル、
ｉｉ）少なくとも１つのソフトウェア機能または少なくとも１つのソフトウェアコンポーネントとの少なくとも１つの接続または少なくとも１つの関連付け、
ｉｉｉ）またはそれらの組み合わせ
を含む少なくとも１つのリンクと、
ｆ）複数の搬送サービス要求であって、
少なくとも１つの個々の搬送サービス要求であって、
（ｉ）少なくとも１つの地理的位置から少なくとも１つの他の地理的位置へ少なくとも１人の人、少なくとも１つの商品、少なくとも１つの物、またはそれらの組み合わせを輸送するための少なくとも１つの要求と、
（ｉｉ）リアルタイムまたはほぼリアルタイムで更新される前記個々の搬送サービス要求と、
（ｉｉｉ）前記個々の搬送サービス要求に対応する定性的及び定量的搬送データと、
を含む少なくとも１つの個々の搬送サービス要求
を含む複数の搬送サービス要求と、
ｇ）複数のフィルタリングされた搬送サービス要求であって、
ｉ）前記少なくとも１つの代理人選好および前記少なくとも１つの代理人の前記少なくとも１つのリアルタイムまたはほぼリアルタイムの地理的位置を使用して前記複数の搬送サービス要求の全部または一部をフィルタリングした少なくとも１つの結果である、前記複数の搬送サービス要求の全部または一部の少なくとも１つのサブセットと、
ｉｉ）リアルタイムまたはほぼリアルタイムで更新される前記複数のフィルタリングされた搬送サービス要求の全部または一部と、
ｉｉｉ）個々のフィルタリングされた搬送サービス要求に対応する定性的および定量的搬送データと、
を含む複数のフィルタリングされた搬送サービス要求と、
ｈ）少なくとも１つの好ましい搬送サービス要求であって、
ｉ）前記少なくとも１人の人、前記少なくとも１つの商品、前記少なくとも１つの物、またはそれらの組合せを、少なくとも１つの地理的位置から、前記複数のフィルタリングされた搬送サービス要求の全部または一部から識別される少なくとも１つの他の地理的位置に輸送するための前記少なくとも１つの要求と、
ｉｉ）リアルタイムまたはほぼリアルタイムで更新される前記少なくとも１つの好ましい搬送サービス要求と、
ｉｉｉ）個々の好ましい搬送サービス要求に対応する定性的および定量的搬送データと、
を含む少なくとも１つの好ましい搬送サービス要求と、
ｉ）少なくとも１つの代理人であって、
ｉ）前記少なくとも１つの視覚的表現を分析または評価し、次いで、前記少なくとも１つの好ましい搬送サービス要求を確保または取得する、少なくとも１人の人、少なくとも１つの機械、またはそれらの組合せを含み、
ｉｉ）前記少なくとも１つの代理人は、少なくとも１つの搬送サービスを実行する、
少なくとも１つの代理人と、
ｊ）少なくとも１つの代理人選好であって、
ｉ）前記複数の搬送サービス要求の全部または一部を前記複数のフィルタリングされた搬送サービス要求の全部または一部にフィルタリングするために使用される、前記少なくとも１つの代理人によって選択または提供される少なくとも１つのオプションを含み、
ｉｉ）前記少なくとも１つの代理人選好が、前記少なくとも１つの好ましい搬送サービス要求を識別するために使用される、
代理人選好と、
ｋ）少なくとも１つの視覚的表現であって、
対応する搬送データが関連付けられた前記複数のフィルタリングされた搬送サービス要求、対応する搬送データが関連付けられた前記少なくとも１つの好ましい搬送サービス要求、前記少なくとも１つの代理人選好、またはそれらの組合せの全部または一部を表示する少なくとも１つの地理的マップ
を含む少なくとも１つの視覚的表現と、
を含み、
前記複数の搬送サービス要求の全部または一部が、前記少なくとも１つの外部サーバと前記少なくとも１つの中央サーバとの間の少なくとも１つのリンクを介して、前記少なくとも１つの外部サーバと前記少なくとも１つの中央サーバとの間でリアルタイムまたはほぼリアルタイムで送信され、
さらに、対応する搬送データが関連付けられた前記複数のフィルタリングされた搬送サービス要求、対応する搬送データが関連付けられた前記少なくとも１つの好ましい搬送サービス要求、前記少なくとも１つの代理人選好、前記少なくとも１つの代理人の前記少なくとも１つのリアルタイムまたはほぼリアルタイムの地理的位置、またはそれらの組合せが、前記少なくとも１つの中央サーバと前記少なくとも１つのアプリケーションとの間の少なくとも１つのリンクを介して、前記少なくとも１つの中央サーバと前記少なくとも１つのアプリケーションとの間でリアルタイムまたはほぼリアルタイムで送信され、
さらに、前記少なくとも１つのアプリケーションは前記少なくとも１つの端末上で動作し、前記少なくとも１つの代理人は、前記少なくとも１つのアプリケーションを使用して、対応する搬送データが関連付けられた前記複数のフィルタリングされた搬送サービス要求、対応する搬送データが関連付けられた前記少なくとも１つの好ましい搬送サービス要求、前記少なくとも１つの代理人選好、またはそれらの組合せの全部または一部の前記少なくとも１つの視覚的表現を分析または評価し、
さらに、前記少なくとも１つの代理人は、前記少なくとも１つのアプリケーションを使用して、前記少なくとも１つの視覚的表現を分析または評価し、次いで、前記少なくとも１つの好ましい搬送サービス要求を確保または取得し、
さらに、前記少なくとも１つの外部サーバは、前記少なくとも１つの外部サーバと前記少なくとも１つの中央サーバとの間の少なくとも１つのリンクを介して前記少なくとも１つの外部サーバから前記少なくとも１つの中央サーバにリアルタイムまたはほぼリアルタイムで送信される前記複数の搬送サービス要求の全部または一部の、少なくとも１つのリアルタイムまたはほぼリアルタイムのソースであり、
さらに、前記複数の搬送サービス要求の全部または一部は、リアルタイムまたはほぼリアルタイムで更新され、
さらに、前記少なくとも１つの中央サーバは、リアルタイムまたはほぼリアルタイムで、前記複数の搬送サービス要求の全部または一部の標準化、集約、またはそれらの組合せを実行し、
さらに、前記少なくとも１つの中央サーバは、リアルタイムまたはほぼリアルタイムで、前記少なくとも１つの代理人選好と、前記少なくとも１つの代理人の前記少なくとも１つのリアルタイムまたはほぼリアルタイムの地理的位置とを使用することによって、前記複数の搬送サービス要求の全部または一部をフィルタリングして、前記複数のフィルタリングされた搬送サービス要求の全部または一部を識別し、
さらに、前記複数のフィルタリングされた搬送サービス要求の全部または一部は、リアルタイムまたはほぼリアルタイムで更新され、
さらに、前記少なくとも１つの中央サーバは、前記少なくとも１つの代理人選好に関連する前記複数のフィルタリングされた搬送サービス要求の全部または一部から、前記少なくとも１つの好ましい搬送サービス要求をリアルタイムまたはほぼリアルタイムで識別し、
さらに、前記少なくとも１つの好ましい搬送サービス要求は、リアルタイムまたはほぼリアルタイムで更新され、
さらに、前記少なくとも１つの中央サーバは、対応する搬送データが関連付けられた前記複数のフィルタリングされた搬送サービス要求の全部または一部、対応する搬送データが関連付けられた前記少なくとも１つの好ましい搬送サービス要求、前記少なくとも１つの代理人選好、またはそれらの組合せを、前記少なくとも１つの中央サーバと前記少なくとも１つのアプリケーションとの間の少なくとも１つのリンクを介して、前記少なくとも１つのアプリケーションにリアルタイムまたはほぼリアルタイムで送信し、
さらに、前記少なくとも１つの端末は、前記少なくとも１つのアプリケーションの少なくとも１つの入力機能、少なくとも１つの表示機能、および操作を容易にするか、または提供し、前記少なくとも１つのアプリケーションとインターフェースをとるために前記少なくとも１つの代理人によって使用され、
さらに、前記少なくとも１つの端末、前記少なくとも１つのアプリケーション、前記少なくとも１つの中央サーバ、前記少なくとも１つの外部サーバ、少なくとも１つのリンク、またはそれらの組合せが結合または統合され、
さらに、前記少なくとも１つのアプリケーションは、対応する搬送データが関連付けられた前記複数のフィルタリングされた搬送サービス要求、対応する搬送データが関連付けられた前記少なくとも１つの好ましい搬送サービス要求、前記少なくとも１つの代理人選好、またはそれらの組合せの全部または一部の前記少なくとも１つの視覚的表現をリアルタイムまたはほぼリアルタイムでコンパイルし、
さらに、前記少なくとも１つのアプリケーションは、リアルタイムまたはほぼリアルタイムで更新される前記少なくとも１つの視覚的表現を表示し、
さらに、前記少なくとも１つの代理人は、前記少なくとも１つのアプリケーションを使用して、前記少なくとも１つの視覚的表現を分析または評価し、次いで、前記少なくとも１つの好ましい搬送サービス要求を確保または取得し、
さらに、前記少なくとも１つの代理人は、前記少なくとも１つの搬送サービスを実行する、
システム。
【請求項２】
前記少なくとも１つの中央サーバまたは前記少なくとも１つの外部サーバの少なくとも１つの機能が、前記少なくとも１つのアプリケーションによって実行される、
請求項１に記載のシステム。
【請求項３】
前記少なくとも１つの中央サーバが、前記少なくとも１つの端末上に位置するか、または前記少なくとも１つの端末に関連付けられている、
請求項１に記載のシステム。
【請求項４】
少なくとも１つの異なるフォーマットで構造化された前記複数の搬送サービス要求の全部または一部が、少なくとも１つの一様なフォーマットに標準化または変換される、
請求項１に記載のシステム。
【請求項５】
前記複数の搬送サービス要求の全部または一部が、前記少なくとも１つの外部サーバと前記少なくとも１つの中央サーバとの間の少なくとも１つのリンクを介して前記少なくとも１つの外部サーバから前記少なくとも１つの中央サーバに送信される前に、少なくとも１つの一様なフォーマットで構造化されるが標準化されない、
請求項１に記載のシステム。
【請求項６】
前記少なくとも１つのアプリケーションが、前記少なくとも１つの中央サーバ上で動作する、
請求項１に記載のシステム。
【請求項７】
前記少なくとも１つのアプリケーションの少なくとも１つの機能が、前記少なくとも１つの中央サーバまたは前記少なくとも１つの外部サーバによって実行される、
請求項１に記載のシステム。
【請求項８】
対応する搬送データが関連付けられた前記複数の搬送サービス要求の全部または一部が、少なくとも１つの搬送業界セグメントで活動する少なくとも１つのサービスプロバイダまたは少なくとも１つの商品サプライヤによって供給または提供される、
請求項１に記載のシステム。
【請求項９】
前記複数の搬送サービス要求の全部または一部が、少なくとも１つのライドヘイルサービス要求、少なくとも１つのライドシェアサービス要求、少なくとも１つのカーシェアサービス要求、少なくとも１つのピアツーピア搬送サービス要求、少なくとも１つの輸送サービス要求、少なくとも１つの人物配達サービス要求、少なくとも１つのタクシーサービス要求、少なくとも１つのシャトルサービス要求、少なくとも１つの商品配達サービス要求、少なくとも１つのアイテム配達サービス要求、少なくとも１つの医療サービスおよび配達要求、少なくとも１つの食品配達サービス要求、少なくとも１つの宅配便配達サービス要求、少なくとも１つの貨物配達サービス要求、少なくとも１つの動物配達サービス要求、少なくとも１つの配達サービス要求、またはそれらの組合せを含む、
請求項１に記載のシステム。
【請求項１０】
前記複数の搬送サービス要求が、１つの搬送サービス要求である、
請求項１に記載のシステム。
【請求項１１】
搬送データが、少なくとも１つのサービス開始地理的位置、少なくとも１つのサービス終了地理的位置、価格設定情報、高価格設定情報、少なくとも１つの代理人選好、少なくとも１つの距離パラメータ、少なくとも１つの推定到着時間、少なくとも１つの目的地までの時間、少なくとも１つの搬送クライアント地理的位置、少なくとも１つの搬送クライアント評価、少なくとも１つの搬送クライアント格付け、少なくとも１つの搬送クライアント詳細、少なくとも１つの搬送サービス詳細、少なくとも１つの搬送サービスルート、少なくとも１つの好ましい搬送クライアント、少なくとも１つのセンサデータ、少なくとも１つの代理人地理的位置、少なくとも１つの代理人評価、少なくとも１つの代理人格付け、少なくとも１つの代理人詳細、少なくとも１つの自律車両地理的位置、少なくとも１つの自律車両評価、少なくとも１つの自律車両格付け、少なくとも１つの自律車両詳細、少なくとも１つの好ましい自律車両、少なくとも１つのルート計画選好、少なくとも１つの燃費選好、少なくとも１つのバッテリ寿命選好、少なくとも１つの車両容量選好、少なくとも１つの車両診断選好、少なくとも１つの搬送データ選好、少なくとも１つのサービスプロバイダ地理的位置、少なくとも１つのサービスプロバイダ評価、少なくとも１つのサービスプロバイダ格付け、少なくとも１つのサービスプロバイダ詳細、少なくとも１つの好ましいサービスプロバイダ、少なくとも１つの商品サプライヤ地理的位置、少なくとも１つの商品サプライヤ評価、少なくとも１つの商品サプライヤ格付け、少なくとも１つの商品サプライヤ詳細、少なくとも１つの好ましい商品サプライヤ、少なくとも１つの自律車両の少なくとも１つのオーナまたは少なくとも１つのコントローラの地理的位置、少なくとも１つの自律車両評価の少なくとも１つのオーナまたは少なくとも１つのコントローラ、少なくとも１つの自律車両格付けの少なくとも１つのオーナまたは少なくとも１つのコントローラ、少なくとも１つの自動車詳細の少なくとも１つのオーナまたは少なくとも１つのコントローラ、少なくとも１つの自律車両の少なくとも１つの好ましいオーナまたは少なくとも１つの好ましいコントローラ、少なくとも１つのフリートマネージャ地理的位置、少なくとも１つのフリートマネージャ評価、少なくとも１つのフリートマネージャ格付け、少なくとも１つのフリートマネージャ詳細、少なくとも１つの好ましいフリートマネージャ、少なくとも１つのロジスティクスプロバイダ地理的位置、少なくとも１つのロジスティクスプロバイダ評価、少なくとも１つのロジスティクスプロバイダ格付け、少なくとも１つのロジスティクスプロバイダ詳細、少なくとも１つの好ましいロジスティクスプロバイダ、少なくとも１つのロジスティクスサプライヤ地理的位置、少なくとも１つのロジスティクスサプライヤ評価、少なくとも１つのロジスティクスサプライヤ格付け、少なくとも１つのロジスティクスサプライヤ詳細、少なくとも１つの好ましいロジスティクスサプライヤ、少なくとも１つの搬送業界セグメント詳細、少なくとも１つの好ましい搬送業界セグメント、少なくとも１つの商品詳細、少なくとも１つのアイテム詳細、少なくとも１つのタイプの車両詳細、少なくとも１つの車両詳細、少なくとも１つの統計変数の少なくとも１つの測定値、少なくとも１つのサービスレベル詳細、少なくとも１つの燃料消費、少なくとも１つのバッテリレベル、少なくとも１つの車両診断、少なくとも１つの車両容量、またはそれらの組合せを含む、
請求項１に記載のシステム。
【請求項１２】
前記複数の搬送サービス要求の全部または一部が、前記少なくとも１つの代理人選好および前記少なくとも１つの代理人の前記少なくとも１つのリアルタイムまたはほぼリアルタイムの地理的位置に関してフィルタリングされ、前記複数のフィルタリングされた搬送サービス要求の全部または一部が、分類、フィルタリング、特徴付け、スクリーニング、選択、分離、識別、指定、区別、命名、番号付け、順序付け、体系化、タグ付け、ラベル付け、認識、配置、ブラケット付け、ランキング、整理、分類、隔離、分離、グループ化、比較、またはそれらの組合せの少なくとも１つのプロセスによって識別される、
請求項１に記載のシステム。
【請求項１３】
前記少なくとも１つの好ましい搬送サービス要求が、前記少なくとも１つの代理人選好の少なくとも１つの加重平均に関連する前記複数のフィルタリングされた搬送サービス要求の全部または一部から識別される、
請求項１２に記載のシステム。
【請求項１４】
前記複数の搬送サービス要求の全部または一部をフィルタリングする際に、前記少なくとも１つの代理人の前記少なくとも１つのリアルタイムまたはほぼリアルタイムの地理的位置以外の少なくとも１つの異なる地理的位置が使用される、
請求項１２に記載のシステム。
【請求項１５】
前記複数のフィルタリングされた搬送サービス要求が、１つのフィルタリングされた搬送サービス要求である、
請求項１に記載のシステム。
【請求項１６】
前記少なくとも１つの代理人が、前記少なくとも１つの好ましい搬送サービス要求以外の少なくとも１つの前記フィルタリングされた搬送サービス要求を確保または取得する、
請求項１に記載のシステム。
【請求項１７】
前記少なくとも１つの代理人選好が、少なくとも１つの価格設定選好、少なくとも１つの高価格設定選好、少なくとも１つの地理的位置選好、少なくとも１つの距離選好、少なくとも１つのルート選好、少なくとも１つのサービス所要時間選好、少なくとも１つのサービス開始地理的位置選好、少なくとも１つのサービス終了地理的位置選好、少なくとも１つの時間選好、少なくとも１つの予測選好、少なくとも１つの過去選好、少なくとも１つの効率選好、少なくとも１つのセンサ選好、少なくとも１つのイベント選好、少なくとも１つの交通量基準選好、少なくとも１つの道路条件選好、少なくとも１つの気象条件選好、少なくとも１つの輸送選好、少なくとも１つのルート計画選好、少なくとも１つの燃費選好、少なくとも１つのバッテリ寿命選好、少なくとも１つの車両容量選好、少なくとも１つの車両診断選好、少なくとも１つの搬送データ選好、少なくとも１つの搬送サービス所要時間選好、少なくとも１つの搬送サービス要求密度選好、少なくとも１つの搬送クライアント密度選好、少なくとも１つの搬送クライアント詳細選好、少なくとも１つの搬送クライアント格付け選好、少なくとも１つの代理人密度選好、少なくとも１つの自律車両密度選好、少なくとも１つのサービスプロバイダ選好、少なくとも１つのサービスプロバイダ密度選好、少なくとも１つのサービスレベル選好、少なくとも１つの商品サプライヤ選好、少なくとも１つの商品サプライヤ密度選好、少なくとも１つの自律車両の少なくとも１つのオーナまたは少なくとも１つのコントローラ選好、少なくとも１つの自律車両密度の少なくとも１つのオーナまたは少なくとも１つのコントローラ選好、少なくとも１つのフリートマネージャ選好、少なくとも１つのフリートマネージャ密度選好、少なくとも１つのロジスティクスプロバイダ選好、少なくとも１つのロジスティクスプロバイダ密度選好、少なくとも１つのロジスティクスサプライヤ選好、少なくとも１つのロジスティクスサプライヤ密度選好、少なくとも１つの商品詳細選好、少なくとも１つの搬送業界セグメント選好、少なくとも１つの貨物選好、少なくとも１つのウェイポイント選好、少なくとも１つの配達サービス選好、少なくとも１つの最古未解決要求選好、またはそれらの組み合わせを含む、
請求項１に記載のシステム。
【請求項１８】
前記少なくとも１つの視覚的表現が、前記少なくとも１つの中央サーバ上でコンパイルされ、前記少なくとも１つの中央サーバと前記少なくとも１つのアプリケーションとの間の少なくとも１つのリンクを介して前記少なくとも１つのアプリケーションに送信される、
請求項１に記載のシステム。
【請求項１９】
前記少なくとも１つの視覚的表現が、少なくとも１つの動的マップ、少なくとも１つのヒートマップ、またはそれらの組み合わせを含む、
請求項１に記載のシステム。
【請求項２０】
前記少なくとも１つの好ましい搬送サービス要求が、前記複数のフィルタリングされた搬送サービス要求の全部または一部と比較して視覚的に識別可能な少なくとも１つのフォーマットで表示される、
請求項１９に記載のシステム。
【請求項２１】
前記少なくとも１つの動的マップが、リアルタイムまたはほぼリアルタイムで、対応する搬送データが関連付けられた前記複数のフィルタリングされた搬送サービス要求の全部または一部、対応する搬送データが関連付けられた前記少なくとも１つの好ましい搬送サービス要求、前記少なくとも１つの代理人選好、またはそれらの組合せを表示する前記少なくとも１つの地理的マップを含む、
請求項１９に記載のシステム。
【請求項２２】
前記複数のフィルタリングされた搬送サービス要求、前記少なくとも１つの好ましい搬送サービス要求、前記少なくとも１つの代理人選好、またはそれらの組み合わせの全部または一部が、少なくとも１つの移動型アイコンまたは一時アイコン、または少なくとも１つの移動型ビジュアルまたは一時ビジュアルとして個別に表示され、リアルタイムまたはほぼリアルタイムで更新または変更される、
請求項２１に記載のシステム。
【請求項２３】
少なくとも１つの個々のサービスプロバイダに関連する、前記複数のフィルタリングされた搬送サービス要求、前記少なくとも１つの好ましい搬送サービス要求、前記少なくとも１つの代理人選好、またはそれらの組み合わせの全部または一部が、少なくとも１つの区別可能なアイコンまたは少なくとも１つの区別可能なビジュアルとして表示され、リアルタイムまたはほぼリアルタイムで更新または変更される、
請求項２１に記載のシステム。
【請求項２４】
前記少なくとも１つのヒートマップが、
対応する搬送データが関連付けられた前記複数の搬送サービス要求の全部または一部、
対応する搬送データが関連付けられた前記複数のフィルタリングされた搬送サービス要求の全部または一部、
対応する搬送データが関連付けられた前記少なくとも１つの好ましい搬送サービス要求の全部または一部、
前記少なくとも１つの代理人選好、または
それらの組み合わせ
の少なくとも１つの統計変数の少なくとも１つの視覚的描写を表示する前記少なくとも１つの地理的マップを含む、
請求項１９に記載のシステム。
【請求項２５】
前記少なくとも１つの統計変数が、搬送サービスの利用可能性、価格設定、高価格設定、搬送サービス要求密度、フィルタリングされた搬送サービス要求密度、好ましい搬送サービス要求密度、サービスレベル密度、少なくとも１つの搬送サービス距離、少なくとも１つの推定到着時間、好ましい搬送クライアント密度、好ましい商品サプライヤ密度、少なくとも１つの好ましい搬送業界セグメント、搬送業界セグメント密度、代理人密度、搬送クライアント密度、サービスプロバイダ密度、商品サプライヤ密度、またはそれらの組合せの少なくとも１つの測定値を含む、
請求項２４に記載のシステム。
【請求項２６】
前記少なくとも１つのヒートマップの少なくとも１つのエリアが、前記少なくとも１つの統計変数の少なくとも１つの測定値に比例して区別され、少なくとも１つの区別可能な色相、少なくとも１つの区別可能な色調、少なくとも１つの区別可能な飽和度、少なくとも１つの区別可能な不透明度、少なくとも１つの区別可能な色、少なくとも１つの区別可能な色の値、少なくとも１つの区別可能なパターン、少なくとも１つの区別可能なハッチング、少なくとも１つの区別可能な形状、少なくとも１つの区別可能な画像、少なくとも１つの区別可能なアニメーション、またはそれらの組合せを有するものとして表示される、
請求項２５に記載のシステム。
【請求項２７】
前記少なくとも１つの好ましい搬送サービス要求が、前記少なくとも１つのヒートマップ、少なくとも１つのリアルタイムまたはほぼリアルタイムのヒートマップ、少なくとも１つの履歴ヒートマップ、少なくとも１つの予測ヒートマップ、またはそれらの組合せをコンパイルする前に識別されない、
請求項２６に記載のシステム。
【請求項２８】
少なくとも１つのリアルタイムまたはほぼリアルタイムのヒートマップが、対応する搬送データが関連付けられた前記複数の搬送サービス要求の全部または一部、対応する搬送データが関連付けられた前記複数のフィルタリングされた搬送サービス要求の全部または一部、対応する搬送データが関連付けられた前記少なくとも１つの好ましい搬送サービス要求の全部または一部、前記少なくとも１つの代理人選好、またはそれらの組合せの前記少なくとも１つの統計変数からコンパイルされる、
請求項２６に記載のシステム。
【請求項２９】
少なくとも１つの履歴ヒートマップが、対応する搬送データが関連付けられた過去の前記複数の搬送サービス要求の全部または一部、対応する搬送データが関連付けられた過去の前記複数のフィルタリングされた搬送サービス要求の全部または一部、対応する搬送データが関連付けられた過去の前記少なくとも１つの好ましい搬送サービス要求の全部または一部、前記少なくとも１つの代理人選好、またはそれらの組合せの前記少なくとも１つの統計変数からコンパイルされる、
請求項２６に記載のシステム。
【請求項３０】
少なくとも１つの予測ヒートマップが、対応する搬送データが関連付けられた過去の前記複数の搬送サービス要求の全部または一部、対応する搬送データが関連付けられた過去の前記複数のフィルタリングされた搬送サービス要求の全部または一部、対応する搬送データが関連付けられた過去の前記少なくとも１つの好ましい搬送サービス要求の全部または一部、対応する搬送データが関連付けられた前記複数の搬送サービス要求の全部または一部、対応する搬送データが関連付けられた前記複数のフィルタリングされた搬送サービス要求の全部または一部、対応する搬送データが関連付けられた前記少なくとも１つの好ましい搬送サービス要求の全部または一部、前記少なくとも１つの代理人選好、またはそれらの組合せの前記少なくとも１つの統計変数からコンパイルされる、
請求項２６に記載のシステム。
【請求項３１】
前記少なくとも１つの予測ヒートマップが、将来の搬送サービス利用可能性、将来の価格設定、将来の高価格設定、将来の搬送サービス要求密度、将来のフィルタリングされた搬送サービス要求密度、将来の好ましい搬送サービス要求密度、将来のサービスレベル密度、将来の搬送業界セグメント密度、将来の代理人密度、将来の搬送クライアント密度、将来のサービスプロバイダ密度、将来の商品サプライヤ密度、将来のサービスレベル需要、将来の搬送業界セグメント需要、将来の搬送サービス需要、将来のービスプロバイダ需要、将来の商品サプライヤ需要、将来の搬送サービス供給、将来の代理人供給、またはそれらの組合せの少なくとも１つを識別または推定する、
請求項３０に記載のシステム。
【請求項３２】
前記少なくとも１つの予測ヒートマップが、少なくとも１つの視覚的通知または少なくとも１つの音声通知を生成して、前記少なくとも１つの統計変数、前記少なくとも１つの統計変数の前記少なくとも１つの測定値、またはそれらの組合せの少なくとも１つの将来の変化または更新を前記少なくとも１つの代理人に通知する、
請求項３０に記載のシステム。
【請求項３３】
前記少なくとも１つの代理人、前記少なくとも１つの中央サーバ、前記少なくとも１つのアプリケーション、またはそれらの組合せが、少なくとも１つの搬送業界セグメントにおいて前記少なくとも１つの好ましい搬送サービス要求を確保または取得する、
請求項１に記載のシステム。
【請求項３４】
前記少なくとも１人の代理人が、２つ以上の前記好ましい搬送サービス要求を同時に確保または取得する、
請求項１に記載のシステム。
【請求項３５】
前記少なくとも１つの代理人の前記少なくとも１つのリアルタイムまたはほぼリアルタイムの地理的位置が更新または変更されると、または交通情報が更新または変更されると、対応する搬送データが関連付けられた前記少なくとも１つの好ましい搬送サービス要求、対応する搬送データが関連付けられた前記複数のフィルタリングされた搬送サービス要求の全部または一部、またはそれらの組合せが、リアルタイムまたはほぼリアルタイムで識別または更新される、
請求項１に記載のシステム。
【請求項３６】
前記少なくとも１つの視覚的表現が、少なくとも１つのリモートディスプレイ上に表示される、
請求項１に記載のシステム。
【請求項３７】
前記少なくとも１つの代理人が、前記少なくとも１つの視覚的表現の少なくとも１つのエリアをブラウズまたはナビゲートして、前記少なくとも１つの好ましい搬送サービス要求、少なくとも１つの前記フィルタリングされた搬送サービス要求、前記少なくとも１つの代理人選好、またはそれらの組合せを選択または受諾することによって、前記少なくとも１つの好ましい搬送サービス要求または少なくとも１つの前記フィルタリングされた搬送サービス要求を識別し、次いで、確保または取得する、
請求項１に記載のシステム。
【請求項３８】
前記少なくとも１つのアプリケーション、前記少なくとも１つの端末、前記少なくとも１つの中央サーバ、前記少なくとも１つの外部サーバ、少なくとも１つのリンク、またはそれらの組合せが結合または統合された、
請求項１に記載のシステム。
【請求項３９】
搬送業界内で、少なくとも１つの視覚的表現を使用して、少なくとも１つの代理人選好および少なくとも１つの代理人の少なくとも１つのリアルタイムまたはほぼリアルタイムの地理的位置に関連する少なくとも１つの好ましい搬送サービス要求を確保または取得する少なくとも１つのプロセスにおいて少なくとも１つの代理人を支援するための、リアルタイムまたはほぼリアルタイムの方法であって、
ａ）請求項１に記載のシステムを提供するステップと、
ｂ）前記少なくとも１つの中央サーバにおいて、前記少なくとも１つの中央サーバと前記少なくとも１つの外部サーバとの間の少なくとも１つのリンクを介して、前記少なくとも１つの外部サーバから前記複数の搬送サービス要求の全部または一部をリアルタイムまたはほぼリアルタイムで受信するステップと、
ｃ）前記少なくとも１つの中央サーバの前記少なくとも１つのコンピュータ可読メモリに、前記複数の搬送サービス要求の全部または一部をリアルタイムまたはほぼリアルタイムで格納するステップと、
ｄ）前記少なくとも１つの中央サーバを使用して、前記複数の搬送サービス要求の全部または一部をリアルタイムまたはほぼリアルタイムで標準化するステップと、
ｅ）前記少なくとも１つの中央サーバを使用して、前記複数の搬送サービス要求の全部または一部をリアルタイムまたはほぼリアルタイムで集約するステップと、
ｆ）前記少なくとも１つのアプリケーションと前記少なくとも１つの中央サーバとの間の少なくとも１つのリンクを介して、前記少なくとも１つのアプリケーションから前記少なくとも１つの中央サーバに前記少なくとも１つの代理人選好および前記少なくとも１つの代理人の前記少なくとも１つのリアルタイムまたはほぼリアルタイムの地理的位置をリアルタイムまたはほぼリアルタイムで送信するステップであって、
ｉ）前記少なくとも１つの代理人が、前記少なくとも１つの端末の前記少なくとも１つの入力ソースを使用して、前記少なくとも１つのアプリケーションに前記少なくとも１つの代理人選好を入力または提供し、
ｉｉ）前記少なくとも１つのアプリケーションが、前記少なくとも１つの端末の前記少なくとも１つの地理的位置モジュールを使用して前記少なくとも１つの代理人の前記少なくとも１つのリアルタイムまたはほぼリアルタイムの地理的位置を提供する
ステップと、
ｇ）前記少なくとも１つの中央サーバと前記少なくとも１つのアプリケーションとの間の少なくとも１つのリンクを介して、前記少なくとも１つの中央サーバにおいて、前記少なくとも１つの代理人選好および前記少なくとも１つのアプリケーションから前記少なくとも１つの代理人の前記少なくとも１つのリアルタイムまたはほぼリアルタイムの地理的位置をリアルタイムまたはほぼリアルタイムで受信するステップと、
ｈ）前記少なくとも１つの中央サーバにおいて、前記少なくとも１つの代理人選好および前記少なくとも１つの代理人の少なくとも１つのリアルタイムまたはほぼリアルタイムの地理的位置を使用して前記複数の搬送サービス要求の全部または一部をリアルタイムまたはほぼリアルタイムでフィルタリングし、前記複数のフィルタリングされた搬送サービス要求の全部または一部を識別するステップと、
ｉ）前記少なくとも１つの中央サーバにおいて、前記少なくとも１つの代理人選好に関連する前記複数のフィルタリングされた搬送サービス要求の全部または一部から、前記少なくとも１つの好ましい搬送サービス要求をリアルタイムまたはほぼリアルタイムで識別するステップと、
ｊ）前記少なくとも１つの中央サーバと前記少なくとも１つのアプリケーションとの間の少なくとも１つのリンクを介して、前記少なくとも１つの中央サーバから前記少なくとも１つのアプリケーションに、対応する搬送データが関連付けられた前記複数のフィルタリングされた搬送サービス要求の全部または一部、対応する搬送データが関連付けられた前記少なくとも１つの好ましい搬送サービス要求、またはそれらの組合せをリアルタイムまたはほぼリアルタイムで送信するステップと、
ｋ）前記少なくとも１つのアプリケーションと前記少なくとも１つの中央サーバとの間の少なくとも１つのリンクを介して、前記少なくとも１つのアプリケーションにおいて、前記少なくとも１つの中央サーバから、対応する搬送データが関連付けられた前記複数のフィルタリングされた搬送サービス要求の全部または一部、対応する搬送データが関連付けられた前記少なくとも１つの好ましい搬送サービス要求、またはそれらの組合せを、リアルタイムまたはほぼリアルタイムで受信するステップと、
ｌ）前記少なくとも１つのアプリケーションにおいて、前記少なくとも１つの視覚的表現をデジタル形式でリアルタイムまたはほぼリアルタイムでコンパイルするステップであって、
ｉ）前記少なくとも１つの代理人の前記少なくとも１つのリアルタイムまたはほぼリアルタイムの地理的位置に関連する前記少なくとも１つの地理的マップが前記少なくとも１つのアプリケーション上で提供され、
ｉｉ）対応する搬送データが関連付けられた前記複数のフィルタリングされた搬送サービス要求の全部または一部、対応する搬送データが関連付けられた前記少なくとも１つの好ましい搬送サービス要求、またはそれらの組み合わせが、それらに含まれる少なくとも１つの対応する地理的位置に関連する前記少なくとも１つの地理的マップ上に配置され、
ｉｉｉ）前記少なくとも１つの視覚的表現が、対応する搬送データが関連付けられた後続のまたは追加の前記複数のフィルタリングされた搬送サービス要求の全部または一部、対応する搬送データが関連付けられた後続のまたは追加の前記少なくとも１つの好ましい搬送サービス要求、またはそれらの組み合わせで、リアルタイムまたはほぼリアルタイムで更新される
ステップと、
ｍ）前記少なくとも１つの端末の前記少なくとも１つのディスプレイを使用して、前記少なくとも１つの視覚的表現を前記少なくとも１つのアプリケーション上にリアルタイムまたはほぼリアルタイムで表示するステップと、
ｎ）前記少なくとも１つの代理人が、前記少なくとも１つの視覚的表現を分析または評価して、前記少なくとも１つの好ましい搬送サービス要求を確保または取得し、次いで、前記少なくとも１つの代理人が、前記少なくとも１つの搬送サービスを実行するステップと、を含む
方法。
【請求項４０】
少なくとも１つの異なるフォーマットで構造化された前記複数の搬送サービス要求の全部または一部が、少なくとも１つの一様なフォーマットに標準化または変換される、
請求項３９に記載の方法。
【請求項４１】
前記複数の搬送サービス要求の全部または一部が、前記少なくとも１つの外部サーバと前記少なくとも１つの中央サーバとの間の少なくとも１つのリンクを介して前記少なくとも１つの外部サーバから前記少なくとも１つの中央サーバに送信される前に、少なくとも１つの一様なフォーマットで構造化されるが標準化されない、
請求項３９に記載の方法。
【請求項４２】
前記複数の搬送サービス要求の全部または一部をフィルタリングする前のステップＣ〜Ｇは任意の順序とすることができる、
請求項３９に記載の方法。
【請求項４３】
前記少なくとも１つの代理人選好が前記少なくとも１つのアプリケーションに入力または提供されると、前記少なくとも１つのアプリケーション、前記少なくとも１つの中央サーバの前記少なくとも１つのコンピュータ可読メモリ、またはそれらの組合せに格納またはキャッシュされ、前記少なくとも１つの代理人選好が、前記少なくとも１つの代理人によって前記少なくとも１つのアプリケーションに再び入力または提供されない、
請求項３９に記載の方法。
【請求項４４】
前記少なくとも１つの代理人選好が、前記少なくとも１つの中央サーバの前記少なくとも１つのコンピュータ可読メモリに格納またはキャッシュされ、前記少なくとも１つの代理人選好が、前記少なくとも１つのアプリケーションから前記少なくとも１つの中央サーバに再び送信されない、
請求項３９に記載の方法。
【請求項４５】
前記少なくとも１つの代理人選好、前記少なくとも１つの代理人の前記少なくとも１つのリアルタイムまたはほぼリアルタイムの地理的位置、またはそれらの組合せが、前記複数の搬送サービス要求の全部または一部をフィルタリングする前の任意の時間に、前記少なくとも１つのアプリケーションから前記少なくとも１つの中央サーバに送信される、
請求項３９に記載の方法。
【請求項４６】
前記複数の搬送サービス要求の全部または一部が、前記少なくとも１つの代理人選好および前記少なくとも１つの代理人の前記少なくとも１つのリアルタイムまたはほぼリアルタイムの地理的位置に関してフィルタリングされ、前記複数のフィルタリングされた搬送サービス要求の全部または一部を、分類、フィルタリング、特徴付け、スクリーニング、選択、分離、識別、指定、識別、命名、番号付け、順序付け、体系化、タグ付け、ラベル付け、認識、配置、ブラケット付け、ランキング、整理、分類、隔離、分離、グループ化、比較、またはそれらの組合せの少なくとも１つのプロセスによって識別する、
請求項３９に記載の方法。
【請求項４７】
前記複数の搬送サービス要求の全部または一部は、前記少なくとも１つのアプリケーション上で、
前記少なくとも１つの中央サーバと前記少なくとも１つのアプリケーションとの間の少なくとも１つのリンクを介して、前記少なくとも１つの中央サーバから前記少なくとも１つのアプリケーションに前記複数の搬送サービス要求の全部または一部をリアルタイムまたはほぼリアルタイムで送信し、
前記少なくとも１つの代理人選好および前記少なくとも１つの代理人の前記少なくとも１つのリアルタイムまたはほぼリアルタイムの地理的位置を使用して前記複数の搬送サービス要求の全部または一部をリアルタイムまたはほぼリアルタイムでフィルタリングすることで、前記複数のフィルタリングされた搬送サービス要求の全部または一部を識別し、
前記少なくとも１つの代理人選好に関連する前記複数のフィルタリングされた搬送サービス要求の全部または一部から、前記少なくとも１つの好ましい搬送サービス要求をリアルタイムまたはほぼリアルタイムで識別する
ことで、リアルタイムまたはほぼリアルタイムでフィルタリングされ、前記少なくとも１つの好ましい搬送サービス要求が、前記複数のフィルタリングされた搬送サービス要求の全部または一部から、リアルタイムまたはほぼリアルタイムで識別される、
請求項４６に記載の方法。
【請求項４８】
前記複数の搬送サービス要求の全部または一部をフィルタリングする際に、前記少なくとも１つの代理人の前記少なくとも１つのリアルタイムまたはほぼリアルタイムの地理的位置以外の少なくとも１つの異なる地理的位置が使用される、
請求項４６に記載の方法。
【請求項４９】
少なくとも１つの分類アルゴリズム、少なくとも１つの選択アルゴリズム、少なくとも１つの検索アルゴリズム、少なくとも１つのマージアルゴリズム、少なくとも１つの最大関数、少なくとも１つの最小関数、少なくとも１つのグラフアルゴリズム、少なくとも１つのグラフ検索アルゴリズム、少なくとも１つのツリーアルゴリズム、少なくとも１つのツリー検索アルゴリズム、少なくとも１つの行列計算、少なくとも１つの行列アルゴリズム、少なくとも１つの比較、またはそれらの組合せを使用することによって、前記少なくとも１つの代理人選好に関連する前記少なくとも１つの好ましい搬送サービス要求が、前記複数のフィルタリングされた搬送サービス要求の全部または一部から識別される、
請求項３９に記載の方法。
【請求項５０】
前記少なくとも１つの好ましい搬送サービス要求が、前記少なくとも１つの代理人選好の少なくとも１つの加重平均に関連する前記複数のフィルタリングされた搬送サービス要求の全部または一部から識別される、
請求項４９に記載の方法。
【請求項５１】
前記少なくとも１つの好ましい搬送サービス要求が、
前記少なくとも１つの中央サーバと前記少なくとも１つのアプリケーションとの間の少なくとも１つのリンクを介して、前記少なくとも１つの中央サーバから前記少なくとも１つのアプリケーションに前記複数のフィルタリングされた搬送サービス要求の全部または一部をリアルタイムまたはほぼリアルタイムで送信し、
前記少なくとも１つの好ましい搬送サービス要求を、前記少なくとも１つの代理人選好に関連する前記複数のフィルタリングされた搬送サービス要求の全部または一部からリアルタイムまたはほぼリアルタイムで識別する
ことで、前記少なくとも１つのアプリケーション上の前記複数のフィルタリングされた搬送サービス要求の全部または一部から、リアルタイムまたはほぼリアルタイムで識別される、
請求項４９に記載の方法。
【請求項５２】
前記少なくとも１つの視覚的表現が、前記少なくとも１つの中央サーバ上でコンパイルされ、前記少なくとも１つの中央サーバと前記少なくとも１つのアプリケーションとの間の少なくとも１つのリンクを介して前記少なくとも１つのアプリケーションに送信される、
請求項３９に記載の方法。
【請求項５３】
前記少なくとも１つの視覚的表現が、少なくとも１つのリモートディスプレイ上に表示される、
請求項３９に記載の方法。
【請求項５４】
前記少なくとも１つの視覚的表現が、少なくとも１つの動的マップ、少なくとも１つのヒートマップ、またはそれらの組合せを含む、
請求項３９に記載の方法。
【請求項５５】
前記少なくとも１つの好ましい搬送サービス要求が、前記複数のフィルタリングされた搬送サービス要求の全部または一部と比較して視覚的に識別可能な少なくとも１つのフォーマットで表示される、
請求項５４に記載の方法。
【請求項５６】
前記少なくとも１つの動的マップは、リアルタイムまたはほぼリアルタイムで、対応する搬送データが関連付けられた前記複数のフィルタリングされた搬送サービス要求の全部または一部、対応する搬送データが関連付けられた前記少なくとも１つの好ましい搬送サービス要求、前記少なくとも１つの代理人選好、またはそれらの組合せを表示する前記少なくとも１つの地理的マップを含む、
請求項５４に記載の方法。
【請求項５７】
前記複数のフィルタリングされた搬送サービス要求、前記少なくとも１つの好ましい搬送サービス要求、前記少なくとも１つの代理人選好、またはそれらの組み合わせの全部または一部が、少なくとも１つの移動型アイコンまたは一時アイコン、または少なくとも１つの移動型ビジュアルまたは一時ビジュアルとして個別に表示され、リアルタイムまたはほぼリアルタイムで更新または変更される、
請求項５６に記載の方法。
【請求項５８】
少なくとも１つの個々のサービスプロバイダに関連する、前記複数のフィルタリングされた搬送サービス要求、前記少なくとも１つの好ましい搬送サービス要求、前記少なくとも１つの代理人選好、またはそれらの組み合わせの全部または一部が、少なくとも１つの区別可能なアイコンまたは少なくとも１つの区別可能なビジュアルとして表示され、リアルタイムまたはほぼリアルタイムで更新または変更される、
請求項５６に記載の方法。
【請求項５９】
前記少なくとも１つのヒートマップが、
対応する搬送データが関連付けられた前記複数の搬送サービス要求の全部または一部、
対応する搬送データが関連付けられた前記複数のフィルタリングされた搬送サービス要求の全部または一部、
対応する搬送データが関連付けられた前記少なくとも１つの好ましい搬送サービス要求の全部または一部、
前記少なくとも１つの代理人選好、または
それらの組み合わせ
の少なくとも１つの統計変数の少なくとも１つの視覚的描写を表示する前記少なくとも１つの地理的マップを含む、
請求項５４に記載の方法。
【請求項６０】
前記少なくとも１つの統計変数が、搬送サービスの利用可能性、価格設定、高価格設定、搬送サービス要求密度、フィルタリングされた搬送サービス要求密度、好ましい搬送サービス要求密度、サービスレベル密度、少なくとも１つの搬送サービス距離、少なくとも１つの推定到着時間、好ましい搬送クライアント密度、好ましい商品サプライヤ密度、少なくとも１つの好ましい搬送業界セグメント、搬送業界セグメント密度、代理人密度、搬送クライアント密度、サービスプロバイダ密度、商品サプライヤ密度、またはそれらの組合せの少なくとも１つの測定値を含む、
請求項５９に記載の方法。
【請求項６１】
前記少なくとも１つのヒートマップの少なくとも１つのエリアが、前記少なくとも１つの統計変数の少なくとも１つの測定値に比例して区別され、少なくとも１つの区別可能な色相、少なくとも１つの区別可能な色調、少なくとも１つの区別可能な飽和度、少なくとも１つの区別可能な不透明度、少なくとも１つの区別可能な色、少なくとも１つの区別可能な色の値、少なくとも１つの区別可能なパターン、少なくとも１つの区別可能なハッチング、少なくとも１つの区別可能な形状、少なくとも１つの区別可能な画像、少なくとも１つの区別可能なアニメーション、またはそれらの組合せを有するものとして表示される、
請求項６０に記載の方法。
【請求項６２】
前記少なくとも１つの好ましい搬送サービス要求が、前記少なくとも１つのヒートマップ、少なくとも１つのリアルタイムまたはほぼリアルタイムのヒートマップ、少なくとも１つの履歴ヒートマップ、少なくとも１つの予測ヒートマップ、またはそれらの組合せをコンパイルする前に識別されない、
請求項６１に記載の方法。
【請求項６３】
少なくとも１つのリアルタイムまたはほぼリアルタイムのヒートマップが、対応する搬送データが関連付けられた前記複数の搬送サービス要求の全部または一部、対応する搬送データが関連付けられた前記複数のフィルタリングされた搬送サービス要求の全部または一部、対応する搬送データが関連付けられた前記少なくとも１つの好ましい搬送サービス要求の全部または一部、前記少なくとも１つの代理人選好、またはそれらの組合せの前記少なくとも１つの統計変数からコンパイルされる、
請求項６１に記載の方法。
【請求項６４】
少なくとも１つの履歴ヒートマップが、対応する搬送データが関連付けられた過去の前記複数の搬送サービス要求の全部または一部、対応する搬送データが関連付けられた過去の前記複数のフィルタリングされた搬送サービス要求の全部または一部、対応する搬送データが関連付けられた過去の前記少なくとも１つの好ましい搬送サービス要求の全部または一部、前記少なくとも１つの代理人選好、またはそれらの組合せの前記少なくとも１つの統計変数からコンパイルされる、
請求項６１に記載の方法。
【請求項６５】
少なくとも１つの予測ヒートマップが、対応する搬送データが関連付けられた過去の前記複数の搬送サービス要求の全部または一部、対応する搬送データが関連付けられた過去の前記複数のフィルタリングされた搬送サービス要求の全部または一部、対応する搬送データが関連付けられた過去の前記少なくとも１つの好ましい搬送サービス要求の全部または一部、対応する搬送データが関連付けられた前記複数の搬送サービス要求の全部または一部、対応する搬送データが関連付けられた前記複数のフィルタリングされた搬送サービス要求の全部または一部、対応する搬送データが関連付けられた前記少なくとも１つの好ましい搬送サービス要求の全部または一部、前記少なくとも１つの代理人選好、またはそれらの組合せの前記少なくとも１つの統計変数からコンパイルされる、
請求項６１に記載の方法。
【請求項６６】
前記少なくとも１つの予測ヒートマップが、将来の搬送サービス利用可能性、将来の価格設定、将来の高価格設定、将来の搬送サービス要求密度、将来のフィルタリングされた搬送サービス要求密度、将来の好ましい搬送サービス要求密度、将来のサービスレベル密度、将来の搬送業界セグメント密度、将来の代理人密度、将来の搬送クライアント密度、将来のサービスプロバイダ密度、将来の商品サプライヤ密度、将来のサービスレベル需要、将来の搬送業界セグメント需要、将来の搬送サービス需要、将来のービスプロバイダ需要、将来の商品サプライヤ需要、将来の搬送サービス供給、将来の代理人供給、またはそれらの組合せの少なくとも１つを識別または推定する、
請求項６５に記載の方法。
【請求項６７】
前記少なくとも１つの予測ヒートマップが、少なくとも１つの視覚的通知または少なくとも１つの音声通知を生成して、前記少なくとも１つの統計変数、前記少なくとも１つの統計変数の前記少なくとも１つの測定値、またはそれらの組合せの少なくとも１つの将来の変化または更新を前記少なくとも１つの代理人に通知する、
請求項６５に記載の方法。
【請求項６８】
前記少なくとも１つの中央サーバまたは前記少なくとも１つの外部サーバの少なくとも１つの機能が、前記少なくとも１つのアプリケーションによって実行される、
請求項３９に記載の方法。
【請求項６９】
前記少なくとも１つのアプリケーションが、前記少なくとも１つの中央サーバ上で動作する、
請求項３９に記載の方法。
【請求項７０】
前記少なくとも１つのアプリケーションの少なくとも１つの機能が、前記少なくとも１つの中央サーバまたは前記少なくとも１つの外部サーバによって実行される、
請求項３９に記載の方法。
【請求項７１】
前記少なくとも１つの代理人、前記少なくとも１つの中央サーバ、前記少なくとも１つのアプリケーション、またはそれらの組合せが、少なくとも１つの搬送業界セグメントにおいて前記少なくとも１つの好ましい搬送サービス要求を確保または取得する、
請求項３９に記載の方法。
【請求項７２】
対応する搬送データが関連付けられた前記複数の搬送サービス要求の全部または一部が、少なくとも１つの搬送業界セグメントで活動する少なくとも１つのサービスプロバイダまたは少なくとも１つの商品サプライヤによって供給または提供される、
請求項３９に記載の方法。
【請求項７３】
前記少なくとも１人の代理人が、２つ以上の前記好ましい搬送サービス要求を同時に確保または取得する、
請求項３９に記載の方法。
【請求項７４】
前記少なくとも１つの代理人が、前記少なくとも１つの好ましい搬送サービス要求以外の少なくとも１つの前記フィルタリングされた搬送サービス要求を確保または取得する、
請求項３９に記載の方法。
【請求項７５】
前記少なくとも１つの代理人の前記少なくとも１つのリアルタイムまたはほぼリアルタイムの地理的位置が更新または変更されると、または交通情報が更新または変更されると、対応する搬送データが関連付けられた前記少なくとも１つの好ましい搬送サービス要求、対応する搬送データが関連付けられた前記複数のフィルタリングされた搬送サービス要求の全部または一部、またはそれらの組合せが、リアルタイムまたはほぼリアルタイムで識別または更新される、
請求項３９に記載の方法。
【請求項７６】
前記複数の搬送サービス要求が、１つの搬送サービス要求である、
請求項３９に記載の方法。
【請求項７７】
前記複数のフィルタリングされた搬送サービス要求が、１つのフィルタリングされた搬送サービス要求である、
請求項３９に記載の方法。
【請求項７８】
前記少なくとも１つの代理人が、前記少なくとも１つの視覚的表現の少なくとも１つのエリアをブラウズまたはナビゲートして、前記少なくとも１つの好ましい搬送サービス要求、少なくとも１つの前記フィルタリングされた搬送サービス要求、前記少なくとも１つの代理人の選好、またはそれらの組合せを選択または受諾することによって、前記少なくとも１つの好ましい搬送サービス要求または少なくとも１つの前記フィルタリングされた搬送サービス要求を識別し、次いで、確保または取得する、
請求項３９に記載の方法。
【請求項７９】
前記少なくとも１つの中央サーバが、前記少なくとも１つの端末上に位置するか、または前記少なくとも１つの端末に関連付けられている、
請求項３９に記載の方法。
【請求項８０】
前記少なくとも１つのアプリケーション、前記少なくとも１つの端末、前記少なくとも１つの中央サーバ、前記少なくとも１つの外部サーバ、少なくとも１つのリンク、またはそれらの組合せが結合または統合された、
請求項３９に記載の方法。
【請求項８１】
搬送業界内で、少なくとも１つの視覚的表現を使用して、少なくとも１つの搬送クライアントの少なくとも１つの搬送クライアント選好および前記少なくとも１つの搬送クライアントの少なくとも１つのリアルタイムまたはほぼリアルタイムの地理的位置に関連する少なくとも１つの好ましい搬送サービス提供を確保または取得する少なくとも１つのプロセスにおいて少なくとも１つの搬送クライアントを支援するための、リアルタイムまたはほぼリアルタイムのシステムであって、
ａ）少なくとも１つの外部サーバであって、
ｉ）少なくとも１つのコンピュータプロセッサと、
ｉｉ）少なくとも１つのコンピュータ可読メモリと
ｉｉｉ）少なくとも１つのネットワークインターフェースと、
ｉｖ）複数の搬送サービス提供の少なくとも１つのリアルタイムまたはほぼリアルタイムのソースと
を備える少なくとも１つの外部サーバと、
ｂ）少なくとも１つの中央サーバであって、
ｉ）少なくとも１つのコンピュータプロセッサと、
ｉｉ）少なくとも１つのコンピュータ可読メモリと、
ｉｉｉ）少なくとも１つのネットワークインターフェースと
を備える少なくとも１つの中央サーバと、
ｃ）少なくとも１つの端末であって、
少なくとも１つの電子計算装置であって、
（ｉ）少なくとも１つのコンピュータプロセッサと、
（ｉｉ）少なくとも１つのコンピュータ可読メモリと、
（ｉｉｉ）少なくとも１つの入力ソースと、
（ｉｖ）少なくとも１つのディスプレイと、
（ｖ）少なくとも１つの地理的位置モジュールと、
（ｖｉ）少なくとも１つのネットワークインターフェースと、
を備える少なくとも１つの電子計算装置
を備える少なくとも１つの端末と、
ｄ）少なくとも１つのアプリケーションであって、
ｉ）前記少なくとも１つの視覚的表現を表示するように動作可能な少なくとも１つのコンピュータプログラム、
ｉｉ）前記少なくとも１つの好ましい搬送サービス提供を確保または取得するように動作可能な前記少なくとも１つのコンピュータプログラム、
ｉｉｉ）またはそれらの組み合わせ
を含む少なくとも１つのアプリケーションと、
ｅ）少なくとも１つのリンクであって、
ｉ）少なくとも１つの電子通信ネットワークチャネル、
ｉｉ）少なくとも１つのソフトウェア機能または少なくとも１つのソフトウェアコンポーネントとの少なくとも１つの接続または少なくとも１つの関連付け、
ｉｉｉ）またはそれらの組み合わせ
を含む少なくとも１つのリンクと、
ｆ）複数の搬送サービス提供であって、
少なくとも１つの個々の搬送サービス提供であって、
（ｉ）少なくとも１つの地理的位置から少なくとも１つの他の地理的位置へ少なくとも１人の人、少なくとも１つの商品、少なくとも１つの物、またはそれらの組み合わせを輸送するための少なくとも１つの提供と、
（ｉｉ）リアルタイムまたはほぼリアルタイムで更新される前記個々の搬送サービス提供と、
（ｉｉｉ）前記個々の搬送サービス提供に対応する定性的及び定量的搬送データと、
を含む少なくとも１つの個々の搬送サービス提供
を含む複数の搬送サービス提供と、
ｇ）複数のフィルタリングされた搬送サービス提供であって、
ｉ）前記少なくとも１つの搬送クライアント選好、および前記少なくとも１つの搬送クライアントの前記少なくとも１つのリアルタイムまたはほぼリアルタイムの地理的位置を使用して、前記複数の搬送サービス提供の全部または一部をフィルタリングした少なくとも１つの結果である、前記複数の搬送サービス提供の全部または一部の少なくとも１つのサブセットと、
ｉｉ）リアルタイムまたはほぼリアルタイムで更新される前記複数のフィルタリングされた搬送サービス提供の全部または一部と、
ｉｉｉ）個々のフィルタリングされた搬送サービス提供に対応する定性的および定量的搬送データと、
を含む複数のフィルタリングされた搬送サービス提供と、
ｈ）少なくとも１つの好ましい搬送サービス提供であって、
ｉ）前記少なくとも１人の人、前記少なくとも１つの商品、前記少なくとも１つの物、またはそれらの組合せを、少なくとも１つの地理的位置から、前記複数のフィルタリングされた搬送サービス提供の全部または一部から識別される少なくとも１つの他の地理的位置に輸送するための前記少なくとも１つの提供と、
ｉｉ）リアルタイムまたはほぼリアルタイムで更新される前記少なくとも１つの好ましい搬送サービス提供と、
ｉｉｉ）個々の好ましい搬送サービス提供に対応する定性的および定量的搬送データと、
を含む少なくとも１つの好ましい搬送サービス提供と、
ｉ）少なくとも１つの搬送クライアントであって、
ｉ）前記少なくとも１つの視覚的表現を分析または評価し、次いで、前記少なくとも１つの好ましい搬送サービス提供を確保または取得する、少なくとも１人の人、少なくとも１つの機械、またはそれらの組合せを含み、
ｉｉ）前記少なくとも１つの搬送クライアントは、少なくとも１つの搬送サービスを受ける、
少なくとも１つの搬送クライアントと、
ｊ）少なくとも１つの搬送クライアント選好であって、
ｉ）前記複数の搬送サービス提供の全部または一部を前記複数のフィルタリングされた搬送サービス提供の全部または一部にフィルタリングするために使用される、前記少なくとも１つの搬送クライアントによって選択または提供される少なくとも１つのオプションを含み、
ｉｉ）前記少なくとも１つの搬送クライアント選好が、前記少なくとも１つの好ましい搬送サービス提供を識別するために使用される、
搬送クライアント選好と、
ｋ）少なくとも１つの視覚的表現であって、
対応する搬送データが関連付けられた前記複数のフィルタリングされた搬送サービス提供、対応する搬送データが関連付けられた前記少なくとも１つの好ましい搬送サービス提供、前記少なくとも１つの搬送クライアント選好、またはそれらの組合せの全部または一部を表示する少なくとも１つの地理的マップ
を含む少なくとも１つの視覚的表現と、
を含み、
前記少なくとも１つのアプリケーションと前記少なくとも１つの中央サーバとの間の少なくとも１つのリンクを介して前記少なくとも１つの中央サーバにリアルタイムまたはほぼリアルタイムで送信される、少なくとも１つのサービス開始地理的位置、少なくとも１つのサービス終了地理的位置、前記少なくとも１つの搬送クライアント選好、またはそれらの組み合わせが、前記少なくとも１つのアプリケーションに入力または提供され、
さらに、前記少なくとも１つのサービス開始地理的位置、前記少なくとも１つのサービス終了地理的位置、前記少なくとも１つの搬送クライアント選好、またはそれらの組合せが、前記少なくとも１つの中央サーバと前記少なくとも１つの外部サーバとの間の少なくとも１つのリンクを介して、前記少なくとも１つの中央サーバから前記少なくとも１つの外部サーバにリアルタイムまたはほぼリアルタイムで送信され、
さらに、前記複数の搬送サービス提供の全部または一部が、前記少なくとも１つの外部サーバと前記少なくとも１つの中央サーバとの間の少なくとも１つのリンクを介して、前記少なくとも１つの外部サーバと前記少なくとも１つの中央サーバとの間でリアルタイムまたはほぼリアルタイムで送信され、
さらに、対応する搬送データが関連付けられた前記複数のフィルタリングされた搬送サービス提供、対応する搬送データが関連付けられた前記少なくとも１つの好ましい搬送サービス提供、前記少なくとも１つの搬送クライアント選好、前記少なくとも１つの搬送クライアントの前記少なくとも１つのリアルタイムまたはほぼリアルタイムの地理的位置、またはそれらの組合せが、前記少なくとも１つの中央サーバと前記少なくとも１つのアプリケーションとの間の少なくとも１つのリンクを介して、前記少なくとも１つの中央サーバと前記少なくとも１つのアプリケーションとの間でリアルタイムまたはほぼリアルタイムで送信され、
さらに、前記少なくとも１つのアプリケーションは前記少なくとも１つの端末上で動作し、前記少なくとも１つの搬送クライアントは、前記少なくとも１つのアプリケーションを使用して、対応する搬送データが関連付けられた前記複数のフィルタリングされた搬送サービス提供、対応する搬送データが関連付けられた前記少なくとも１つの好ましい搬送サービス提供、前記少なくとも１つの搬送クライアント選好、またはそれらの組合せの全部または一部の前記少なくとも１つの視覚的表現を分析または評価し、
さらに、前記少なくとも１つの搬送クライアントは、前記少なくとも１つのアプリケーションを使用して、前記少なくとも１つの視覚的表現を分析または評価し、次いで、前記少なくとも１つの好ましい搬送サービス提供を確保または取得し、
さらに、前記少なくとも１つの外部サーバは、前記少なくとも１つの外部サーバと前記少なくとも１つの中央サーバとの間の少なくとも１つのリンクを介して、前記少なくとも１つの外部サーバから前記少なくとも１つの中央サーバにリアルタイムまたはほぼリアルタイムで送信される前記複数の搬送サービス提供の全部または一部の少なくとも１つのリアルタイムまたはほぼリアルタイムのソースであり、
さらに、前記複数の搬送サービス提供の全部または一部は、リアルタイムまたはほぼリアルタイムで更新され、
さらに、前記少なくとも１つの中央サーバは、リアルタイムまたはほぼリアルタイムで、前記複数の搬送サービス提供の全部または一部の標準化、集約、またはそれらの組合せを実行し、
さらに、前記少なくとも１つの中央サーバは、リアルタイムまたはほぼリアルタイムで、前記少なくとも１つの搬送クライアント選好と、前記少なくとも１つの搬送クライアントの前記少なくとも１つのリアルタイムまたはほぼリアルタイムの地理的位置とを使用することによって、前記複数の搬送サービス提供の全部または一部をフィルタリングして、前記複数のフィルタリングされた搬送サービス提供の全部または一部を識別し、
さらに、前記複数のフィルタリングされた搬送サービス提供の全部または一部は、リアルタイムまたはほぼリアルタイムで更新され、
さらに、前記少なくとも１つの中央サーバは、前記少なくとも１つの搬送クライアント選好に関連する前記複数のフィルタリングされた搬送サービス提供の全部または一部から、前記少なくとも１つの好ましい搬送サービス提供をリアルタイムまたはほぼリアルタイムで識別し、
さらに、前記少なくとも１つの好ましい搬送サービス提供は、リアルタイムまたはほぼリアルタイムで更新され、
さらに、前記少なくとも１つの中央サーバは、対応する搬送データが関連付けられた前記複数のフィルタリングされた搬送サービス提供の全部または一部、対応する搬送データが関連付けられた前記少なくとも１つの好ましい搬送サービス提供、前記少なくとも１つの搬送クライアント選好、またはそれらの組合せを、前記少なくとも１つの中央サーバと前記少なくとも１つのアプリケーションとの間の少なくとも１つのリンクを介して、前記少なくとも１つのアプリケーションにリアルタイムまたはほぼリアルタイムで送信し、
さらに、前記少なくとも１つの端末は、前記少なくとも１つのアプリケーションの少なくとも１つの入力機能、少なくとも１つの表示機能、および操作を容易にするか、または提供し、前記少なくとも１つのアプリケーションとインターフェースをとるために前記少なくとも１つの搬送クライアントによって使用され、
さらに、前記少なくとも１つの端末、前記少なくとも１つのアプリケーション、前記少なくとも１つの中央サーバ、前記少なくとも１つの外部サーバ、少なくとも１つのリンク、またはそれらの組合せが結合または統合され、
さらに、前記少なくとも１つのアプリケーションは、対応する搬送データが関連付けられた前記複数のフィルタリングされた搬送サービス提供、対応する搬送データが関連付けられた前記少なくとも１つの好ましい搬送サービス提供、前記少なくとも１つの搬送クライアント選好、またはそれらの組合せの全部または一部の前記少なくとも１つの視覚的表現をリアルタイムまたはほぼリアルタイムでコンパイルし、
さらに、前記少なくとも１つのアプリケーションは、リアルタイムまたはほぼリアルタイムで更新される前記少なくとも１つの視覚的表現を表示し、
さらに、前記少なくとも１つの搬送クライアントは、前記少なくとも１つのアプリケーションを使用して、前記少なくとも１つの視覚的表現を分析または評価し、次いで、前記少なくとも１つの好ましい搬送サービス提供を確保または取得し、
さらに、前記少なくとも１つの搬送クライアントは、前記少なくとも１つの搬送サービスを受ける、
システム。
【請求項８２】
前記少なくとも１つの中央サーバまたは前記少なくとも１つの外部サーバの少なくとも１つの機能が、前記少なくとも１つのアプリケーションによって実行される、
請求項８１に記載のシステム。
【請求項８３】
少なくとも１つの中央サーバが、前記少なくとも１つの端末上に位置するか、または前記少なくとも１つの端末に関連付けられている、
請求項８１に記載のシステム。
【請求項８４】
前記複数の搬送サービス提供の全部または一部、前記少なくとも１つの搬送クライアントの前記少なくとも１つのリアルタイムまたはほぼリアルタイムの地理的位置、またはそれらの組合せが、少なくとも１つの異なるフォーマットで構造化され、少なくとも１つの一様なフォーマットに標準化または変換される、
請求項８１に記載のシステム。
【請求項８５】
前記複数の搬送サービス提供の全部または一部が、前記少なくとも１つの外部サーバと前記少なくとも１つの中央サーバとの間の少なくとも１つのリンクを介して前記少なくとも１つの外部サーバから前記少なくとも１つの中央サーバに送信される前に、少なくとも１つの一様なフォーマットで構造化されるが標準化されない、
請求項８１に記載のシステム。
【請求項８６】
前記少なくとも１つのアプリケーションが、前記少なくとも１つの中央サーバ上で動作する、
請求項８１に記載のシステム。
【請求項８７】
前記少なくとも１つのアプリケーションの少なくとも１つの機能が、前記少なくとも１つの中央サーバまたは前記少なくとも１つの外部サーバによって実行される、
請求項８１に記載のシステム。
【請求項８８】
対応する搬送データが関連付けられた前記複数の搬送サービス提供の全部または一部が、少なくとも１つの搬送業界セグメントで活動する少なくとも１つのサービスプロバイダまたは少なくとも１つの商品サプライヤによって供給または提供される、
請求項８１に記載のシステム。
【請求項８９】
前記複数の搬送サービス提供の全部または一部が、少なくとも１つのライドヘイルサービス提供、少なくとも１つのライドシェアサービス提供、少なくとも１つのカーシェアサービス提供、少なくとも１つのピアツーピア搬送サービス提供、少なくとも１つの輸送サービス提供、少なくとも１つの人物配達サービス提供、少なくとも１つのタクシーサービス提供、少なくとも１つのシャトルサービス提供、少なくとも１つの商品配達サービス提供、少なくとも１つのアイテム配達サービス提供、少なくとも１つの医療サービスおよび配達提供、少なくとも１つの食品配達サービス提供、少なくとも１つの宅配便配達サービス提供、少なくとも１つの貨物配達サービス提供、少なくとも１つの動物配達サービス提供、少なくとも１つの配達サービス提供、またはそれらの組合せを含む、
請求項８１に記載のシステム。
【請求項９０】
前記複数の搬送サービス提供が、１つの搬送サービス提供である、
請求項８１に記載のシステム。
【請求項９１】
搬送データが、少なくとも１つのサービス開始地理的位置、少なくとも１つのサービス終了地理的位置、価格設定情報、高価格設定情報、少なくとも１つの搬送クライアント選好、少なくとも１つの距離パラメータ、少なくとも１つの推定到着時間、少なくとも１つの目的地までの時間、少なくとも１つの搬送クライアント地理的位置、少なくとも１つの搬送クライアント評価、少なくとも１つの搬送クライアント格付け、少なくとも１つの搬送クライアント詳細、少なくとも１つの搬送サービス詳細、少なくとも１つの搬送サービスルート、少なくとも１つの好ましい代理人、少なくとも１つのセンサデータ、少なくとも１つの代理人地理的位置、少なくとも１つの代理人評価、少なくとも１つの代理人格付け、少なくとも１つの代理人詳細、少なくとも１つの自律車両地理的位置、少なくとも１つの自律車両評価、少なくとも１つの自律車両格付け、少なくとも１つの自律車両詳細、少なくとも１つの好ましい自律車両、少なくとも１つのルート計画選好、少なくとも１つの燃費選好、少なくとも１つのバッテリ寿命選好、少なくとも１つの車両容量選好、少なくとも１つの車両診断選好、少なくとも１つの搬送データ選好、少なくとも１つのサービスプロバイダ地理的位置、少なくとも１つのサービスプロバイダ評価、少なくとも１つのサービスプロバイダ格付け、少なくとも１つのサービスプロバイダ詳細、少なくとも１つの好ましいサービスプロバイダ、少なくとも１つの商品サプライヤ地理的位置、少なくとも１つの商品サプライヤ評価、少なくとも１つの商品サプライヤ格付け、少なくとも１つの商品サプライヤ詳細、少なくとも１つの好ましい商品サプライヤ、少なくとも１つの自律車両の少なくとも１つのオーナまたは少なくとも１つのコントローラの地理的位置、少なくとも１つの自律車両評価の少なくとも１つのオーナまたは少なくとも１つのコントローラ、少なくとも１つの自律車両格付けの少なくとも１つのオーナまたは少なくとも１つのコントローラ、少なくとも１つの自動車詳細の少なくとも１つのオーナまたは少なくとも１つのコントローラ、少なくとも１つの自律車両の少なくとも１つの好ましいオーナまたは少なくとも１つの好ましいコントローラ、少なくとも１つのフリートマネージャ地理的位置、少なくとも１つのフリートマネージャ評価、少なくとも１つのフリートマネージャ格付け、少なくとも１つのフリートマネージャ詳細、少なくとも１つの好ましいフリートマネージャ、少なくとも１つのロジスティクスプロバイダ地理的位置、少なくとも１つのロジスティクスプロバイダ評価、少なくとも１つのロジスティクスプロバイダ格付け、少なくとも１つのロジスティクスプロバイダ詳細、少なくとも１つの好ましいロジスティクスプロバイダ、少なくとも１つのロジスティクスサプライヤ地理的位置、少なくとも１つのロジスティクスサプライヤ評価、少なくとも１つのロジスティクスサプライヤ格付け、少なくとも１つのロジスティクスサプライヤ詳細、少なくとも１つの好ましいロジスティクスサプライヤ、少なくとも１つの搬送業界セグメント詳細、少なくとも１つの好ましい搬送業界セグメント、少なくとも１つの商品詳細、少なくとも１つのアイテム詳細、少なくとも１つのタイプの車両詳細、少なくとも１つの車両詳細、少なくとも１つの統計変数の少なくとも１つの測定値、少なくとも１つのサービスレベル詳細、少なくとも１つの燃料消費、少なくとも１つのバッテリレベル、少なくとも１つの車両診断、少なくとも１つの車両容量、またはそれらの組合せを含む、
請求項８１に記載のシステム。
【請求項９２】
前記複数の搬送サービス提供の全部または一部が、前記少なくとも１つの搬送クライアント選好および前記少なくとも１つの搬送クライアントの前記少なくとも１つのリアルタイムまたはほぼリアルタイムの地理的位置に関してフィルタリングされ、前記複数のフィルタリングされた搬送サービス提供の全部または一部が、分類、フィルタリング、特徴付け、スクリーニング、選択、分離、識別、指定、区別、命名、番号付け、順序付け、体系化、タグ付け、ラベル付け、認識、配置、ブラケット付け、ランキング、整理、分類、隔離、分離、グループ化、比較、またはそれらの組合せの少なくとも１つのプロセスによって識別される、
請求項８１に記載のシステム。
【請求項９３】
前記少なくとも１つの好ましい搬送サービス提供が、前記少なくとも１つの搬送クライアント選好の少なくとも１つの加重平均に関連する前記複数のフィルタリングされた搬送サービス提供の全部または一部から識別される、
請求項９２に記載のシステム。
【請求項９４】
前記複数の搬送サービス提供の全部または一部をフィルタリングする際に、前記少なくとも１つの搬送クライアントの前記少なくとも１つのリアルタイムまたはほぼリアルタイムの地理的位置以外の少なくとも１つの異なる地理的位置が使用される、
請求項９２に記載のシステム。
【請求項９５】
前記複数のフィルタリングされた搬送サービス提供が、１つのフィルタリングされた搬送サービス提供である、
請求項８１に記載のシステム。
【請求項９６】
前記少なくとも１つの搬送クライアントが、前記少なくとも１つの好ましい搬送サービス提供以外の少なくとも１つの前記フィルタリングされた搬送サービス提供を確保または取得する、
請求項８１に記載のシステム。
【請求項９７】
前記少なくとも１つの搬送クライアントが、前記少なくとも１つの好ましい搬送サービス提供のために、２つ以上の前記代理人または２つ以上の前記自律車両を確保または取得する、
請求項８１に記載のシステム。
【請求項９８】
前記少なくとも１つの搬送クライアント選好が、少なくとも１つの価格設定選好、少なくとも１つの高価格設定選好、少なくとも１つの地理的位置選好、少なくとも１つの距離選好、少なくとも１つのルート選好、少なくとも１つのサービス所要時間選好、少なくとも１つのサービス開始地理的位置選好、少なくとも１つのサービス終了地理的位置選好、少なくとも１つの時間選好、少なくとも１つの予測選好、少なくとも１つの過去選好、少なくとも１つの効率選好、少なくとも１つのセンサ選好、少なくとも１つのイベント選好、少なくとも１つの交通量基準選好、少なくとも１つの道路条件選好、少なくとも１つの気象条件選好、少なくとも１つの輸送選好、少なくとも１つのルート計画選好、少なくとも１つの燃費選好、少なくとも１つのバッテリ寿命選好、少なくとも１つの車両容量選好、少なくとも１つの車両診断選好、少なくとも１つの搬送データ選好、少なくとも１つの搬送サービス所要時間選好、少なくとも１つの搬送サービス提供密度選好、少なくとも１つの搬送クライアント密度選好、少なくとも１つの搬送クライアント詳細選好、少なくとも１つの搬送クライアント格付け選好、少なくとも１つの代理人密度選好、少なくとも１つの自律車両密度選好、少なくとも１つのサービスプロバイダ選好、少なくとも１つのサービスプロバイダ密度選好、少なくとも１つのサービスレベル選好、少なくとも１つの商品サプライヤ選好、少なくとも１つの商品サプライヤ密度選好、少なくとも１つの自律車両の少なくとも１つのオーナまたは少なくとも１つのコントローラ選好、少なくとも１つの自律車両密度の少なくとも１つのオーナまたは少なくとも１つのコントローラ選好、少なくとも１つのフリートマネージャ選好、少なくとも１つのフリートマネージャ密度選好、少なくとも１つのロジスティクスプロバイダ選好、少なくとも１つのロジスティクスプロバイダ密度選好、少なくとも１つのロジスティクスサプライヤ選好、少なくとも１つのロジスティクスサプライヤ密度選好、少なくとも１つの商品詳細選好、少なくとも１つの搬送業界セグメント選好、少なくとも１つの貨物選好、少なくとも１つのウェイポイント選好、少なくとも１つの配達サービス選好、少なくとも１つの最古未解決提供選好、またはそれらの組み合わせを含む、
請求項８１に記載のシステム。
【請求項９９】
前記少なくとも１つの視覚的表現が、前記少なくとも１つの中央サーバ上でコンパイルされ、前記少なくとも１つの中央サーバと前記少なくとも１つのアプリケーションとの間の少なくとも１つのリンクを介して前記少なくとも１つのアプリケーションに送信される、
請求項８１に記載のシステム。
【請求項１００】
前記少なくとも１つの視覚的表現が、少なくとも１つの動的マップ、少なくとも１つのヒートマップ、またはそれらの組み合わせを含む、
請求項８１に記載のシステム。
【請求項１０１】
前記少なくとも１つの搬送クライアントが、前記少なくとも１つの視覚的表現を利用して、前記少なくとも１つの搬送クライアント選好、前記少なくとも１つの搬送クライアントの前記少なくとも１つのリアルタイムまたはほぼリアルタイムの地理的位置、またはそれらの組合せに関連する前記少なくとも１つの好ましい搬送サービス提供をリアルタイムまたはほぼリアルタイムで確保または取得する、
請求項１００に記載のシステム。
【請求項１０２】
前記少なくとも１つの搬送クライアント選好を、少なくとも１つのアイコンまたは少なくとも１つの視覚的表現として、前記少なくとも１つの視覚的表現とともにまたは前記少なくとも１つの視覚的表現上に表示することで、前記少なくとも１つの搬送クライアントが、対応する搬送データが関連付けられた前記複数のフィルタリングされた搬送サービス提供、対応する搬送データが関連付けられた前記少なくとも１つの好ましい搬送サービス提供、またはそれらの組合せの全部または一部を分析または評価することを可能にし、少なくとも１つの搬送業界セグメントで活動する少なくとも１つのサービスプロバイダまたは少なくとも１つの商品サプライヤに関連する前記少なくとも１つの好ましい搬送サービス提供を確保または取得することを可能にする、
請求項１００に記載のシステム。
【請求項１０３】
前記少なくとも１つの好ましい搬送サービス提供、前記少なくとも１つの搬送クライアント選好、またはそれらの組合せが、少なくとも１つの搬送業界セグメントで活動する少なくとも１つのサービスプロバイダまたは少なくとも１つの商品サプライヤに関連する前記複数のフィルタリングされた搬送サービス提供の全部または一部と比較して視覚的に識別可能な少なくとも１つのフォーマットで表示される、
請求項１００に記載のシステム。
【請求項１０４】
前記少なくとも１つの動的マップが、リアルタイムまたはほぼリアルタイムで、対応する搬送データが関連付けられた前記複数のフィルタリングされた搬送サービス提供の全部または一部、対応する搬送データが関連付けられた前記少なくとも１つの好ましい搬送サービス提供、前記少なくとも１つの搬送クライアント選好、またはそれらの組合せを表示する前記少なくとも１つの地理的マップを含む、
請求項１００に記載のシステム。
【請求項１０５】
少なくとも１つの搬送業界セグメントで活動する少なくとも１つのサービスプロバイダまたは少なくとも１つの商品サプライヤに関連する、前記複数のフィルタリングされた搬送サービス提供、前記少なくとも１つの好ましい搬送サービス提供、前記少なくとも１つの搬送クライアント選好、またはそれらの組み合わせの全部または一部が、少なくとも１つの移動型アイコンまたは一時アイコン、または少なくとも１つの移動型ビジュアルまたは一時ビジュアルとして個別に表示され、リアルタイムまたはほぼリアルタイムで更新または変更される、
請求項１０４に記載のシステム。
【請求項１０６】
少なくとも１つの搬送業界セグメントで活動する少なくとも１つの個々のサービスプロバイダまたは少なくとも１つの個々の商品サプライヤに関連する、前記複数のフィルタリングされた搬送サービス提供、前記少なくとも１つの好ましい搬送サービス提供、前記少なくとも１つの搬送クライアント選好、またはそれらの組み合わせの全部または一部が、少なくとも１つの区別可能なアイコンまたは少なくとも１つの区別可能なビジュアルとして表示され、リアルタイムまたはほぼリアルタイムで更新または変更される、
請求項１０４に記載のシステム。
【請求項１０７】
少なくとも１つの搬送業界セグメントで活動する少なくとも１つの個々のサービスプロバイダまたは少なくとも１つの個々の商品サプライヤに関連する、前記複数のフィルタリングされた搬送サービス提供、前記少なくとも１つの好ましい搬送サービス提供、前記少なくとも１つの搬送クライアント選好、またはそれらの組合せの全部または一部が、少なくとも１つのアイコンまたは少なくとも１つのビジュアルとして表示され、リアルタイムまたはほぼリアルタイムで更新または変更される、
請求項１０４に記載のシステム。
【請求項１０８】
少なくとも１つの個々のサービスプロバイダまたは少なくとも１つの個々の商品サプライヤに関連する、前記複数のフィルタリングされた搬送サービス提供、前記少なくとも１つの好ましい搬送サービス提供、前記少なくとも１つの搬送クライアント選好、またはそれらの組合せの全部または一部が、少なくとも１つの異なるアイコン、少なくとも１つの異なるシンボル、少なくとも１つの異なる色、少なくとも１つの異なるシェーディング、少なくとも１つの異なるパターン、少なくとも１つの異なるビジュアル、またはそれらの組合せとして、またはそれらとともに表示される、
請求項１０４に記載のシステム。
【請求項１０９】
少なくとも１つの個々のサービスプロバイダまたは少なくとも１つの個々の商品サプライヤに関連する、前記複数のフィルタリングされた搬送サービス提供、前記少なくとも１つの好ましい搬送サービス提供、前記少なくとも１つの搬送クライアント選好、またはそれらの組み合わせの全部または一部が、少なくとも１つの類似アイコン、少なくとも１つの類似シンボル、少なくとも１つの類似色、少なくとも１つの類似シェーディング、少なくとも１つの類似パターン、少なくとも１つの類似ビジュアル、またはそれらの組み合わせとして、またはそれらとともに表示される、
請求項１０４に記載のシステム。
【請求項１１０】
前記少なくとも１つの搬送クライアントが前記少なくとも１つの搬送クライアント選好を更新、修正、または変更し、前記少なくとも１つの動的マップが、対応する搬送データが関連付けられた前記複数のフィルタリングされた搬送サービス提供、対応する搬送データが関連付けられた前記少なくとも１つの好ましい搬送サービス提供、前記少なくとも１つの搬送クライアント選好、またはそれらの組合せの全部または一部を、更新、修正、または変更された前記少なくとも１つの搬送クライアント選好に基づいて、リアルタイムまたはほぼリアルタイムで表示する、
請求項１０４に記載のシステム。
【請求項１１１】
前記少なくとも１つのヒートマップが、
対応する搬送データが関連付けられた前記複数の搬送サービス提供の全部または一部、
対応する搬送データが関連付けられた前記複数のフィルタリングされた搬送サービス提供の全部または一部、
対応する搬送データが関連付けられた前記少なくとも１つの好ましい搬送サービス提供の全部または一部、
前記少なくとも１つの搬送クライアント選好、または
それらの組み合わせ
の少なくとも１つの統計変数の少なくとも１つの視覚的描写を表示する前記少なくとも１つの地理的マップを含む、
請求項１００に記載のシステム。
【請求項１１２】
前記少なくとも１つの統計変数が、搬送サービスの利用可能性、価格設定、高価格設定、搬送サービス提供密度、フィルタリングされた搬送サービス提供密度、好ましい搬送サービス提供密度、好ましい商品サプライヤ密度、少なくとも１つの好ましい搬送業界セグメント、搬送業界セグメント密度、サービスレベル密度、少なくとも１つの搬送サービス距離、少なくとも１つの推定到着時間、好ましい代理人密度、代理人密度、搬送クライアント密度、サービスプロバイダ密度、商品サプライヤ密度、またはそれらの組合せの少なくとも１つの測定値を含む、
請求項１１１に記載のシステム。
【請求項１１３】
前記少なくとも１つのヒートマップの少なくとも１つのエリアが、前記少なくとも１つの統計変数の少なくとも１つの測定値に比例して区別され、少なくとも１つの区別可能な色相、少なくとも１つの区別可能な色調、少なくとも１つの区別可能な飽和度、少なくとも１つの区別可能な不透明度、少なくとも１つの区別可能な色、少なくとも１つの区別可能な色の値、少なくとも１つの区別可能なパターン、少なくとも１つの区別可能なハッチング、少なくとも１つの区別可能な形状、少なくとも１つの区別可能な画像、少なくとも１つの区別可能なアニメーション、またはそれらの組合せを有するものとして表示される、
請求項１１２に記載のシステム。
【請求項１１４】
前記少なくとも１つの好ましい搬送サービス提供が、前記少なくとも１つのヒートマップ、少なくとも１つのリアルタイムまたはほぼリアルタイムのヒートマップ、少なくとも１つの履歴ヒートマップ、少なくとも１つの予測ヒートマップ、またはそれらの組合せをコンパイルする前に識別されない、
請求項１１３に記載のシステム。
【請求項１１５】
少なくとも１つのリアルタイムまたはほぼリアルタイムのヒートマップが、対応する搬送データが関連付けられた前記複数の搬送サービス提供の全部または一部、対応する搬送データが関連付けられた前記複数のフィルタリングされた搬送サービス提供の全部または一部、対応する搬送データが関連付けられた前記少なくとも１つの好ましい搬送サービス提供の全部または一部、前記少なくとも１つの搬送クライアント選好、またはそれらの組合せの前記少なくとも１つの統計変数からコンパイルされる、
請求項１１３に記載のシステム。
【請求項１１６】
少なくとも１つの履歴ヒートマップが、対応する搬送データが関連付けられた過去の前記複数の搬送サービス提供の全部または一部、対応する搬送データが関連付けられた過去の前記複数のフィルタリングされた搬送サービス提供の全部または一部、対応する搬送データが関連付けられた過去の前記少なくとも１つの好ましい搬送サービス提供の全部または一部、前記少なくとも１つの搬送クライアント選好、またはそれらの組合せの前記少なくとも１つの統計変数からコンパイルされる、
請求項１１３に記載のシステム。
【請求項１１７】
少なくとも１つの予測ヒートマップが、対応する搬送データが関連付けられた過去の前記複数の搬送サービス提供の全部または一部、対応する搬送データが関連付けられた過去の前記複数のフィルタリングされた搬送サービス提供の全部または一部、対応する搬送データが関連付けられた過去の前記少なくとも１つの好ましい搬送サービス提供の全部または一部、対応する搬送データが関連付けられた前記複数の搬送サービス提供の全部または一部、対応する搬送データが関連付けられた前記複数のフィルタリングされた搬送サービス提供の全部または一部、対応する搬送データが関連付けられた前記少なくとも１つの好ましい搬送サービス提供の全部または一部、前記少なくとも１つの搬送クライアント選好、またはそれらの組合せの前記少なくとも１つの統計変数からコンパイルされる、
請求項１１３に記載のシステム。
【請求項１１８】
前記少なくとも１つの予測ヒートマップが、将来の搬送サービス利用可能性、将来の価格設定、将来の高価格設定、将来の搬送サービス提供密度、将来のフィルタリングされた搬送サービス提供密度、将来の好ましい搬送サービス提供密度、将来のサービスレベル密度、将来の搬送業界セグメント密度、将来の代理人密度、将来の搬送クライアント密度、将来のサービスプロバイダ密度、将来の商品サプライヤ密度、将来のサービスレベル供給、将来の搬送業界セグメント供給、将来の搬送サービス供給、将来のービスプロバイダ供給、将来の商品サプライヤ供給、将来の搬送サービス需要、将来の搬送クライアント需要、またはそれらの組合せの少なくとも１つを識別または推定する、
請求項１１７に記載のシステム。
【請求項１１９】
前記少なくとも１つの予測ヒートマップが、少なくとも１つの視覚的通知または少なくとも１つの音声通知を生成して、前記少なくとも１つの統計変数、前記少なくとも１つの統計変数の前記少なくとも１つの測定値、またはそれらの組合せの少なくとも１つの将来の変化または更新を前記少なくとも１つの搬送クライアントに通知する、
請求項１１７に記載のシステム。
【請求項１２０】
前記少なくとも１つの搬送クライアント、前記少なくとも１つの中央サーバ、前記少なくとも１つのアプリケーション、またはそれらの組合せが、少なくとも１つの搬送業界セグメントにおいて前記少なくとも１つの好ましい搬送サービス提供を確保または取得する、
請求項８１に記載のシステム。
【請求項１２１】
前記少なくとも１つの搬送クライアントの前記少なくとも１つのリアルタイムまたはほぼリアルタイムの地理的位置が更新または変更されると、または交通情報が更新または変更されると、対応する搬送データが関連付けられた前記少なくとも１つの好ましい搬送サービス提供、対応する搬送データが関連付けられた前記複数のフィルタリングされた搬送サービス提供の全部または一部、対応する搬送データが関連付けられた前記複数の搬送サービス提供の全部または一部、対応する搬送データが関連付けられた後続のまたは追加の前記複数のフィルタリングされた搬送サービス提供の全部または一部、対応する搬送データが関連付けられた後続のまたは追加の前記少なくとも１つの好ましい搬送サービス提供の全部または一部、前記少なくとも１つの搬送クライアントの前記少なくとも１つのリアルタイムまたはほぼリアルタイムの地理的位置の全部または一部、前記少なくとも１つの搬送クライアント選好、前記少なくとも１つのサービス開始地理的位置、前記少なくとも１つのサービス終了地理的位置、またはそれらの組合せが、リアルタイムまたはほぼリアルタイムで識別または更新される、
請求項８１に記載のシステム。
【請求項１２２】
前記少なくとも１つの視覚的表現が、少なくとも１つのリモートディスプレイ上に表示される、
請求項８１に記載のシステム。
【請求項１２３】
前記少なくとも１つの搬送クライアントが、前記少なくとも１つの視覚的表現の少なくとも１つのエリアをブラウズまたはナビゲートして、前記少なくとも１つの好ましい搬送サービス提供、少なくとも１つの前記フィルタリングされた搬送サービス提供、前記少なくとも１つの搬送クライアント選好、またはそれらの組合せを選択または受諾することによって、前記少なくとも１つの好ましい搬送サービス提供または少なくとも１つの前記フィルタリングされた搬送サービス提供を識別し、次いで、確保または取得する、
請求項８１に記載のシステム。
【請求項１２４】
前記少なくとも１つのアプリケーション、前記少なくとも１つの端末、前記少なくとも１つの中央サーバ、前記少なくとも１つの外部サーバ、少なくとも１つのリンク、またはそれらの組合せが結合または統合された、
請求項８１に記載のシステム。
【請求項１２５】
対応する搬送データが関連付けられた前記少なくとも１つの好ましい搬送サービス提供、対応する搬送データが関連付けられた前記複数のフィルタリングされた搬送サービス提供の全部または一部、対応する搬送データが関連付けられた前記複数の搬送サービス提供の全部または一部、前記少なくとも１つの搬送クライアントの前記少なくとも１つのリアルタイムまたはほぼリアルタイムの地理的位置の全部または一部、前記少なくとも１つの搬送クライアント選好、対応する搬送データが関連付けられた後続のまたは追加の前記複数のフィルタリングされた搬送サービス提供の全部または一部、対応する搬送データが関連付けられた後続のまたは追加の前記少なくとも１つの好ましい搬送サービス提供の全部または一部、少なくとも１つの確保または取得された好ましい搬送サービス提供、前記少なくとも１つのサービス開始地理的位置、前記少なくとも１つのサービス終了地理的位置、またはそれらの組合せが、前記少なくとも１つのアプリケーションと前記少なくとも１つの中央サーバとの間の少なくとも１つのリンクを介して、前記少なくとも１つのアプリケーションと前記少なくとも１つの中央サーバとの間でリアルタイムまたはほぼリアルタイムで送信され、リアルタイムまたはほぼリアルタイムで更新される、
請求項８１に記載のシステム。
【請求項１２６】
対応する搬送データが関連付けられた前記少なくとも１つの好ましい搬送サービス提供、対応する搬送データが関連付けられた前記複数のフィルタリングされた搬送サービス提供の全部または一部、対応する搬送データが関連付けられた前記複数の搬送サービス提供の全部または一部、前記少なくとも１つの搬送クライアントの前記少なくとも１つのリアルタイムまたはほぼリアルタイムの地理的位置の全部または一部、前記少なくとも１つの搬送クライアント選好、対応する搬送データが関連付けられた後続のまたは追加の前記複数のフィルタリングされた搬送サービス提供の全部または一部、対応する搬送データが関連付けられた後続のまたは追加の前記少なくとも１つの好ましい搬送サービス提供の全部または一部、少なくとも１つの確保または取得された好ましい搬送サービス提供、前記少なくとも１つのサービス開始地理的位置、前記少なくとも１つのサービス終了地理的位置、またはそれらの組合せが、前記少なくとも１つのアプリケーションと前記少なくとも１つの外部サーバとの間の少なくとも１つのリンクを介して、前記少なくとも１つのアプリケーションと前記少なくとも１つの外部サーバとの間でリアルタイムまたはほぼリアルタイムで送信され、リアルタイムまたはほぼリアルタイムで更新される、
請求項８１に記載のシステム。
【請求項１２７】
対応する搬送データが関連付けられた前記少なくとも１つの好ましい搬送サービス提供、対応する搬送データが関連付けられた前記複数のフィルタリングされた搬送サービス提供の全部または一部、対応する搬送データが関連付けられた前記複数の搬送サービス提供の全部または一部、前記少なくとも１つの搬送クライアントの前記少なくとも１つのリアルタイムまたはほぼリアルタイムの地理的位置の全部または一部、前記少なくとも１つの搬送クライアント選好、対応する搬送データが関連付けられた後続のまたは追加の前記複数のフィルタリングされた搬送サービス提供の全部または一部、対応する搬送データが関連付けられた後続のまたは追加の前記少なくとも１つの好ましい搬送サービス提供の全部または一部、少なくとも１つの確保または取得された好ましい搬送サービス提供、前記少なくとも１つのサービス開始地理的位置、前記少なくとも１つのサービス終了地理的位置、またはそれらの組合せが、前記少なくとも１つの中央サーバと前記少なくとも１つの外部サーバとの間の少なくとも１つのリンクを介して、前記少なくとも１つの中央サーバと前記少なくとも１つの外部サーバとの間でリアルタイムまたはほぼリアルタイムで送信され、リアルタイムまたはほぼリアルタイムで更新される、
請求項８１に記載のシステム。
【請求項１２８】
搬送業界内で、少なくとも１つの視覚的表現を使用して、少なくとも１つの搬送クライアント選好および少なくとも１つの搬送クライアントの少なくとも１つのリアルタイムまたはほぼリアルタイムの地理的位置に関連する少なくとも１つの好ましい搬送サービス提供を確保または取得する少なくとも１つのプロセスにおいて少なくとも１つの搬送クライアントを支援するための、リアルタイムまたはほぼリアルタイムの方法であって、
ａ）請求項８１に記載のシステムを提供するステップと、
ｂ）前記少なくとも１つのサービス開始地理的位置、前記少なくとも１つのサービス終了地理的位置、前記少なくとも１つの搬送クライアント選好、またはそれらの組合せを、前記少なくとも１つの端末上の前記少なくとも１つのアプリケーションに提供するステップと、
ｃ）前記少なくとも１つのサービス開始地理的位置、前記少なくとも１つのサービス終了地理的位置、前記少なくとも１つの搬送クライアント選好、またはそれらの組合せを、前記少なくとも１つのアプリケーションと前記少なくとも１つの中央サーバとの間の少なくとも１つのリンクを介して、前記少なくとも１つのアプリケーションから前記少なくとも１つの中央サーバにリアルタイムまたはほぼリアルタイムで送信するステップと、
ｄ）前記少なくとも１つの中央サーバにおいて、前記少なくとも１つのサービス開始地理的位置、前記少なくとも１つのサービス終了地理的位置、前記少なくとも１つの搬送クライアント選好、またはそれらの組合せを、前記少なくとも１つの中央サーバと前記少なくとも１つのアプリケーションとの間の少なくとも１つのリンクを介して、前記少なくとも１つのアプリケーションからリアルタイムまたはほぼリアルタイムで受信するステップと、
ｅ）前記少なくとも１つのサービス開始地理的位置、前記少なくとも１つのサービス終了地理的位置、前記少なくとも１つの搬送クライアント選好、またはそれらの組合せを、前記少なくとも１つの中央サーバと前記少なくとも１つの外部サーバとの間の少なくとも１つのリンクを介して、前記少なくとも１つの中央サーバから前記少なくとも１つの外部サーバにリアルタイムまたはほぼリアルタイムで送信するステップと、
ｆ）前記少なくとも１つの外部サーバにおいて、前記少なくとも１つのサービス開始地理的位置、前記少なくとも１つのサービス終了地理的位置、前記少なくとも１つの搬送クライアント選好、またはそれらの組合せを、前記少なくとも１つの外部サーバと前記少なくとも１つの中央サーバとの間の少なくとも１つのリンクを介して、前記少なくとも１つの中央サーバからリアルタイムまたはほぼリアルタイムで受信するステップと、
ｇ）前記少なくとも１つの中央サーバにおいて、前記少なくとも１つの中央サーバと前記少なくとも１つの外部サーバとの間の少なくとも１つのリンクを介して、前記少なくとも１つの外部サーバから前記複数の搬送サービス提供の全部または一部をリアルタイムまたはほぼリアルタイムで受信するステップと、
ｈ）前記少なくとも１つの中央サーバの前記少なくとも１つのコンピュータ可読メモリに、前記複数の搬送サービス提供の全部または一部をリアルタイムまたはほぼリアルタイムで格納するステップと、
ｉ）前記少なくとも１つの中央サーバを使用して、前記複数の搬送サービス提供の全部または一部をリアルタイムまたはほぼリアルタイムで標準化するステップと、
ｊ）前記少なくとも１つの中央サーバを使用して、前記複数の搬送サービス提供の全部または一部をリアルタイムまたはほぼリアルタイムで集約するステップと、
ｋ）前記少なくとも１つのアプリケーションと前記少なくとも１つの中央サーバとの間の少なくとも１つのリンクを介して、前記少なくとも１つのアプリケーションから前記少なくとも１つの中央サーバに前記少なくとも１つの搬送クライアント選好および前記少なくとも１つの搬送クライアントの前記少なくとも１つのリアルタイムまたはほぼリアルタイムの地理的位置をリアルタイムまたはほぼリアルタイムで送信するステップであって、
ｉ）前記少なくとも１つの搬送クライアントが、前記少なくとも１つの端末の前記少なくとも１つの入力ソースを使用して、前記少なくとも１つのアプリケーションに前記少なくとも１つの搬送クライアント選好を入力または提供し、
ｉｉ）前記少なくとも１つのアプリケーションが、前記少なくとも１つの端末の前記少なくとも１つの地理的位置モジュールを使用して前記少なくとも１つの搬送クライアントの前記少なくとも１つのリアルタイムまたはほぼリアルタイムの地理的位置を提供する
ステップと、
ｌ）前記少なくとも１つの中央サーバと前記少なくとも１つのアプリケーションとの間の少なくとも１つのリンクを介して、前記少なくとも１つの中央サーバにおいて、前記少なくとも１つの搬送クライアント選好および前記少なくとも１つのアプリケーションから前記少なくとも１つの搬送クライアントの前記少なくとも１つのリアルタイムまたはほぼリアルタイムの地理的位置をリアルタイムまたはほぼリアルタイムで受信するステップと、
ｍ）前記少なくとも１つの中央サーバにおいて、前記少なくとも１つの搬送クライアント選好および前記少なくとも１つの搬送クライアントの少なくとも１つのリアルタイムまたはほぼリアルタイムの地理的位置を使用して前記複数の搬送サービス提供の全部または一部をリアルタイムまたはほぼリアルタイムでフィルタリングし、前記複数のフィルタリングされた搬送サービス提供の全部または一部を識別するステップと、
ｎ）前記少なくとも１つの中央サーバにおいて、前記少なくとも１つの搬送クライアント選好に関連する前記複数のフィルタリングされた搬送サービス提供の全部または一部から、前記少なくとも１つの好ましい搬送サービス提供をリアルタイムまたはほぼリアルタイムで識別するステップと、
ｏ）前記少なくとも１つの中央サーバと前記少なくとも１つのアプリケーションとの間の少なくとも１つのリンクを介して、前記少なくとも１つの中央サーバから前記少なくとも１つのアプリケーションに、対応する搬送データが関連付けられた前記複数のフィルタリングされた搬送サービス提供の全部または一部、対応する搬送データが関連付けられた前記少なくとも１つの好ましい搬送サービス提供、またはそれらの組合せをリアルタイムまたはほぼリアルタイムで送信するステップと、
ｐ）前記少なくとも１つのアプリケーションと前記少なくとも１つの中央サーバとの間の少なくとも１つのリンクを介して、前記少なくとも１つのアプリケーションにおいて、前記少なくとも１つの中央サーバから、対応する搬送データが関連付けられた前記複数のフィルタリングされた搬送サービス提供の全部または一部、対応する搬送データが関連付けられた前記少なくとも１つの好ましい搬送サービス提供、またはそれらの組合せを、リアルタイムまたはほぼリアルタイムで受信するステップと、
ｑ）前記少なくとも１つのアプリケーションにおいて、前記少なくとも１つの視覚的表現をデジタル形式でリアルタイムまたはほぼリアルタイムでコンパイルするステップであって、
ｉ）前記少なくとも１つの搬送クライアントの前記少なくとも１つのリアルタイムまたはほぼリアルタイムの地理的位置に関連する前記少なくとも１つの地理的マップが前記少なくとも１つのアプリケーション上で提供され、
ｉｉ）対応する搬送データが関連付けられた前記複数のフィルタリングされた搬送サービス提供の全部または一部、対応する搬送データが関連付けられた前記少なくとも１つの好ましい搬送サービス提供、またはそれらの組み合わせが、それらに含まれる少なくとも１つの対応する地理的位置に関連する前記少なくとも１つの地理的マップ上に配置され、
ｉｉｉ）前記少なくとも１つの視覚的表現が、対応する搬送データが関連付けられた後続のまたは追加の前記複数のフィルタリングされた搬送サービス提供の全部または一部、対応する搬送データが関連付けられた後続のまたは追加の前記少なくとも１つの好ましい搬送サービス提供、またはそれらの組み合わせで、リアルタイムまたはほぼリアルタイムで更新される
ステップと、
ｒ）前記少なくとも１つの端末の前記少なくとも１つのディスプレイを使用して、前記少なくとも１つの視覚的表現を前記少なくとも１つのアプリケーション上にリアルタイムまたはほぼリアルタイムで表示するステップと、
ｓ）前記少なくとも１つの搬送クライアントが、前記少なくとも１つの視覚的表現を分析または評価して、前記少なくとも１つの好ましい搬送サービス提供を確保または取得し、次いで、前記少なくとも１つの搬送クライアントが、前記少なくとも１つの搬送サービスを受けるステップと、を含む
方法。
【請求項１２９】
前記複数の搬送サービス提供の全部または一部、前記少なくとも１つの搬送クライアントの前記少なくとも１つのリアルタイムまたはほぼリアルタイムの地理的位置、またはそれらの組合せが、少なくとも１つの異なるフォーマットで構造化され、少なくとも１つの一様なフォーマットに標準化または変換される、
請求項１２８に記載の方法。
【請求項１３０】
前記複数の搬送サービス提供の全部または一部が、前記少なくとも１つの外部サーバと前記少なくとも１つの中央サーバとの間の少なくとも１つのリンクを介して前記少なくとも１つの外部サーバから前記少なくとも１つの中央サーバに送信される前に、少なくとも１つの一様なフォーマットで構造化されるが標準化されない、
請求項１２８に記載の方法。
【請求項１３１】
前記複数の搬送サービス提供の全部または一部をフィルタリングする前のステップＨ〜Ｌは任意の順序とすることができる、
請求項１２８に記載の方法。
【請求項１３２】
前記少なくとも１つの搬送クライアント選好が前記少なくとも１つのアプリケーションに入力または提供されると、前記少なくとも１つのアプリケーション、前記少なくとも１つの中央サーバの前記少なくとも１つのコンピュータ可読メモリ、またはそれらの組合せに格納またはキャッシュされ、前記少なくとも１つの搬送クライアント選好が、前記少なくとも１つの搬送クライアントによって前記少なくとも１つのアプリケーションに再び入力または提供されない、
請求項１２８に記載の方法。
【請求項１３３】
前記少なくとも１つの搬送クライアント選好が、前記少なくとも１つの中央サーバの前記少なくとも１つのコンピュータ可読メモリに格納またはキャッシュされ、前記少なくとも１つの搬送クライアント選好が、前記少なくとも１つのアプリケーションから前記少なくとも１つの中央サーバに再び送信されない、
請求項１２８に記載の方法。
【請求項１３４】
前記少なくとも１つの搬送クライアント選好、前記少なくとも１つの搬送クライアントの前記少なくとも１つのリアルタイムまたはほぼリアルタイムの地理的位置、またはそれらの組合せが、前記複数の搬送サービス提供の全部または一部をフィルタリングする前の任意の時間に、前記少なくとも１つのアプリケーションから前記少なくとも１つの中央サーバに送信される、
請求項１２８に記載の方法。
【請求項１３５】
前記複数の搬送サービス提供の全部または一部が、前記少なくとも１つの搬送クライアント選好および前記少なくとも１つの搬送クライアントの前記少なくとも１つのリアルタイムまたはほぼリアルタイムの地理的位置に関してフィルタリングされ、前記複数のフィルタリングされた搬送サービス提供の全部または一部が、分類、フィルタリング、特徴付け、スクリーニング、選択、分離、識別、指定、区別、命名、番号付け、順序付け、体系化、タグ付け、ラベル付け、認識、配置、ブラケット付け、ランキング、整理、分類、隔離、分離、グループ化、比較、またはそれらの組合せの少なくとも１つのプロセスによって識別される、
請求項１２８に記載の方法。
【請求項１３６】
前記複数の搬送サービス提供の全部または一部は、前記少なくとも１つのアプリケーション上で、
前記少なくとも１つの中央サーバと前記少なくとも１つのアプリケーションとの間の少なくとも１つのリンクを介して、前記少なくとも１つの中央サーバから前記少なくとも１つのアプリケーションに前記複数の搬送サービス提供の全部または一部をリアルタイムまたはほぼリアルタイムで送信し、
前記少なくとも１つの搬送クライアント選好および前記少なくとも１つの搬送クライアントの前記少なくとも１つのリアルタイムまたはほぼリアルタイムの地理的位置を使用して前記複数の搬送サービス提供の全部または一部をリアルタイムまたはほぼリアルタイムでフィルタリングすることで、前記複数のフィルタリングされた搬送サービス提供の全部または一部を識別し、
前記少なくとも１つの搬送クライアント選好に関連する前記複数のフィルタリングされた搬送サービス提供の全部または一部から、前記少なくとも１つの好ましい搬送サービス提供をリアルタイムまたはほぼリアルタイムで識別する
ことで、リアルタイムまたはほぼリアルタイムでフィルタリングされ、前記少なくとも１つの好ましい搬送サービス提供が、前記複数のフィルタリングされた搬送サービス提供の全部または一部から、リアルタイムまたはほぼリアルタイムで識別される、
請求項１３５に記載の方法。
【請求項１３７】
前記複数の搬送サービス提供の全部または一部をフィルタリングする際に、前記少なくとも１つの搬送クライアントの前記少なくとも１つのリアルタイムまたはほぼリアルタイムの地理的位置以外の少なくとも１つの異なる地理的位置が使用される、
請求項１３５に記載の方法。
【請求項１３８】
少なくとも１つの分類アルゴリズム、少なくとも１つの選択アルゴリズム、少なくとも１つの検索アルゴリズム、少なくとも１つのマージアルゴリズム、少なくとも１つの最大関数、少なくとも１つの最小関数、少なくとも１つのグラフアルゴリズム、少なくとも１つのグラフ検索アルゴリズム、少なくとも１つのツリーアルゴリズム、少なくとも１つのツリー検索アルゴリズム、少なくとも１つの行列計算、少なくとも１つの行列アルゴリズム、少なくとも１つの比較、またはそれらの組合せを使用することによって、前記少なくとも１つの搬送クライアント選好に関連する前記少なくとも１つの好ましい搬送サービス提供が、前記複数のフィルタリングされた搬送サービス提供の全部または一部から識別される、
請求項１２８に記載の方法。
【請求項１３９】
前記少なくとも１つの好ましい搬送サービス提供が、前記少なくとも１つの搬送クライアント選好の少なくとも１つの加重平均に関連する前記複数のフィルタリングされた搬送サービス提供の全部または一部から識別される、
請求項１３８に記載の方法。
【請求項１４０】
前記少なくとも１つの好ましい搬送サービス提供が、
前記少なくとも１つの中央サーバと前記少なくとも１つのアプリケーションとの間の少なくとも１つのリンクを介して、前記少なくとも１つの中央サーバから前記少なくとも１つのアプリケーションに前記複数のフィルタリングされた搬送サービス提供の全部または一部をリアルタイムまたはほぼリアルタイムで送信し、
前記少なくとも１つの好ましい搬送サービス提供を、前記少なくとも１つの搬送クライアント選好に関連する前記複数のフィルタリングされた搬送サービス提供の全部または一部からリアルタイムまたはほぼリアルタイムで識別する
ことで、前記少なくとも１つのアプリケーション上の前記複数のフィルタリングされた搬送サービス提供の全部または一部から、リアルタイムまたはほぼリアルタイムで識別される、
請求項１３８に記載の方法。
【請求項１４１】
前記少なくとも１つの視覚的表現が、前記少なくとも１つの中央サーバ上でコンパイルされ、前記少なくとも１つの中央サーバと前記少なくとも１つのアプリケーションとの間の少なくとも１つのリンクを介して前記少なくとも１つのアプリケーションに送信される、
請求項１２８に記載の方法。
【請求項１４２】
前記少なくとも１つの視覚的表現が、少なくとも１つのリモートディスプレイ上に表示される、
請求項１２８に記載の方法。
【請求項１４３】
前記少なくとも１つの視覚的表現が、少なくとも１つの動的マップ、少なくとも１つのヒートマップ、またはそれらの組合せを含む、
請求項１２８に記載の方法。
【請求項１４４】
前記少なくとも１つの搬送クライアントが、前記少なくとも１つの視覚的表現を利用して、前記少なくとも１つの搬送クライアント選好、前記少なくとも１つの搬送クライアントの前記少なくとも１つのリアルタイムまたはほぼリアルタイムの地理的位置、またはそれらの組合せに関連する前記少なくとも１つの好ましい搬送サービス提供をリアルタイムまたはほぼリアルタイムで確保または取得する、
請求項１４３に記載の方法。
【請求項１４５】
前記少なくとも１つの搬送クライアント選好を、少なくとも１つのアイコンまたは少なくとも１つの視覚的表現として、前記少なくとも１つの視覚的表現とともにまたは前記少なくとも１つの視覚的表現上に表示することで、前記少なくとも１つの搬送クライアントが、対応する搬送データが関連付けられた前記複数のフィルタリングされた搬送サービス提供、対応する搬送データが関連付けられた前記少なくとも１つの好ましい搬送サービス提供、またはそれらの組合せの全部または一部を分析または評価することを可能にし、少なくとも１つの搬送業界セグメントで活動する少なくとも１つのサービスプロバイダまたは少なくとも１つの商品サプライヤに関連する前記少なくとも１つの好ましい搬送サービス提供を確保または取得することを可能にする、
請求項１４３に記載の方法。
【請求項１４６】
前記少なくとも１つの好ましい搬送サービス提供、前記少なくとも１つの搬送クライアント選好、またはそれらの組合せが、少なくとも１つの搬送業界セグメントで活動する少なくとも１つのサービスプロバイダまたは少なくとも１つの商品サプライヤに関連する前記複数のフィルタリングされた搬送サービス提供の全部または一部と比較して視覚的に識別可能な少なくとも１つのフォーマットで表示される、
請求項１４３に記載の方法。
【請求項１４７】
前記少なくとも１つの動的マップが、リアルタイムまたはほぼリアルタイムで、対応する搬送データが関連付けられた前記複数のフィルタリングされた搬送サービス提供の全部または一部、対応する搬送データが関連付けられた前記少なくとも１つの好ましい搬送サービス提供、前記少なくとも１つの搬送クライアント選好、またはそれらの組合せを表示する前記少なくとも１つの地理的マップを含む、
請求項１４３に記載の方法。
【請求項１４８】
少なくとも１つの搬送業界セグメントで活動する少なくとも１つのサービスプロバイダまたは少なくとも１つの商品サプライヤに関連する、前記複数のフィルタリングされた搬送サービス提供、前記少なくとも１つの好ましい搬送サービス提供、前記少なくとも１つの搬送クライアント選好、またはそれらの組み合わせの全部または一部が、少なくとも１つの移動型アイコンまたは一時アイコン、または少なくとも１つの移動型ビジュアルまたは一時ビジュアルとして個別に表示され、リアルタイムまたはほぼリアルタイムで更新または変更される、
請求項１４７に記載の方法。
【請求項１４９】
少なくとも１つの搬送業界セグメントで活動する少なくとも１つの個々のサービスプロバイダまたは少なくとも１つの個々の商品サプライヤに関連する、前記複数のフィルタリングされた搬送サービス提供、前記少なくとも１つの好ましい搬送サービス提供、前記少なくとも１つの搬送クライアント選好、またはそれらの組み合わせの全部または一部が、少なくとも１つの区別可能なアイコンまたは少なくとも１つの区別可能な少なくとも１つのビジュアルとして表示され、リアルタイムまたはほぼリアルタイムで更新または変更される、
請求項１４７に記載の方法。
【請求項１５０】
少なくとも１つの搬送業界セグメントで活動する少なくとも１つの個々のサービスプロバイダまたは少なくとも１つの個々の商品サプライヤに関連する、前記複数のフィルタリングされた搬送サービス提供、前記少なくとも１つの好ましい搬送サービス提供、前記少なくとも１つの搬送クライアント選好、またはそれらの組合せの全部または一部が、少なくとも１つのアイコンまたは少なくとも１つのビジュアルとして表示され、リアルタイムまたはほぼリアルタイムで更新または変更される、
請求項１４７に記載の方法。
【請求項１５１】
少なくとも１つの個々のサービスプロバイダまたは少なくとも１つの個々の商品サプライヤに関連する、前記複数のフィルタリングされた搬送サービス提供、前記少なくとも１つの好ましい搬送サービス提供、前記少なくとも１つの搬送クライアント選好、またはそれらの組合せの全部または一部が、少なくとも１つの異なるアイコン、少なくとも１つの異なるシンボル、少なくとも１つの異なる色、少なくとも１つの異なるシェーディング、少なくとも１つの異なるパターン、少なくとも１つの異なるビジュアル、またはそれらの組合せとして、またはそれらとともに表示される、
請求項１４７に記載の方法。
【請求項１５２】
少なくとも１つの個々のサービスプロバイダまたは少なくとも１つの個々の商品サプライヤに関連する、前記複数のフィルタリングされた搬送サービス提供、前記少なくとも１つの好ましい搬送サービス提供、前記少なくとも１つの搬送クライアント選好、またはそれらの組み合わせの全部または一部が、少なくとも１つの類似アイコン、少なくとも１つの類似シンボル、少なくとも１つの類似色、少なくとも１つの類似シェーディング、少なくとも１つの類似パターン、少なくとも１つの類似ビジュアル、またはそれらの組み合わせとして、またはそれらとともに表示される、
請求項１４７に記載の方法。
【請求項１５３】
前記少なくとも１つの搬送クライアントが前記少なくとも１つの搬送クライアント選好を更新、修正、または変更し、前記少なくとも１つの動的マップが、対応する搬送データが関連付けられた前記複数のフィルタリングされた搬送サービス提供、対応する搬送データが関連付けられた前記少なくとも１つの好ましい搬送サービス提供、前記少なくとも１つの搬送クライアント選好、またはそれらの組合せの全部または一部を、更新、修正、または変更された前記少なくとも１つの搬送クライアント選好に基づいて、リアルタイムまたはほぼリアルタイムで表示する、
請求項１４７に記載の方法。
【請求項１５４】
前記少なくとも１つのヒートマップが、
対応する搬送データが関連付けられた前記複数の搬送サービス提供の全部または一部、
対応する搬送データが関連付けられた前記複数のフィルタリングされた搬送サービス提供の全部または一部、
対応する搬送データが関連付けられた前記少なくとも１つの好ましい搬送サービス提供の全部または一部、
前記少なくとも１つの搬送クライアント選好、または
それらの組み合わせ
の少なくとも１つの統計変数の少なくとも１つの視覚的描写を表示する前記少なくとも１つの地理的マップを含む、
請求項１４３に記載の方法。
【請求項１５５】
前記少なくとも１つの統計変数が、搬送サービスの利用可能性、価格設定、高価格設定、搬送サービス提供密度、フィルタリングされた搬送サービス提供密度、好ましい搬送サービス提供密度、好ましい商品サプライヤ密度、少なくとも１つの好ましい搬送業界セグメント、搬送業界セグメント密度、サービスレベル密度、少なくとも１つの搬送サービス距離、少なくとも１つの推定到着時間、好ましい代理人密度、代理人密度、搬送クライアント密度、サービスプロバイダ密度、商品サプライヤ密度、またはそれらの組合せの少なくとも１つの測定値を含む、
請求項１５４に記載の方法。
【請求項１５６】
前記少なくとも１つのヒートマップの少なくとも１つのエリアが、前記少なくとも１つの統計変数の少なくとも１つの測定値に比例して区別され、少なくとも１つの区別可能な色相、少なくとも１つの区別可能な色調、少なくとも１つの区別可能な飽和度、少なくとも１つの区別可能な不透明度、少なくとも１つの区別可能な色、少なくとも１つの区別可能な色の値、少なくとも１つの区別可能なパターン、少なくとも１つの区別可能なハッチング、少なくとも１つの区別可能な形状、少なくとも１つの区別可能な画像、少なくとも１つの区別可能なアニメーション、またはそれらの組合せを有するものとして表示される、
請求項１５５に記載の方法。
【請求項１５７】
前記少なくとも１つの好ましい輸送サービス提供が、前記少なくとも１つのヒートマップ、少なくとも１つのリアルタイムまたはほぼリアルタイムのヒートマップ、少なくとも１つの履歴ヒートマップ、少なくとも１つの予測ヒートマップ、またはそれらの組合せをコンパイルする前に識別されない、
請求項１５６に記載の方法。
【請求項１５８】
少なくとも１つのリアルタイムまたはほぼリアルタイムのヒートマップが、対応する搬送データが関連付けられた前記複数の搬送サービス提供の全部または一部、対応する搬送データが関連付けられた前記複数のフィルタリングされた搬送サービス提供の全部または一部、対応する搬送データが関連付けられた前記少なくとも１つの好ましい搬送サービス提供の全部または一部、前記少なくとも１つの搬送クライアント選好、またはそれらの組合せの前記少なくとも１つの統計変数からコンパイルされる、
請求項１５６に記載の方法。
【請求項１５９】
少なくとも１つの履歴ヒートマップが、対応する搬送データが関連付けられた過去の前記複数の搬送サービス提供の全部または一部、対応する搬送データが関連付けられた過去の前記複数のフィルタリングされた搬送サービス提供の全部または一部、対応する搬送データが関連付けられた過去の前記少なくとも１つの好ましい搬送サービス提供の全部または一部、前記少なくとも１つの搬送クライアント選好、またはそれらの組合せの前記少なくとも１つの統計変数からコンパイルされる、
請求項１５６に記載の方法。
【請求項１６０】
少なくとも１つの予測ヒートマップが、対応する搬送データが関連付けられた過去の前記複数の搬送サービス提供の全部または一部、対応する搬送データが関連付けられた過去の前記複数のフィルタリングされた搬送サービス提供の全部または一部、対応する搬送データが関連付けられた過去の前記少なくとも１つの好ましい搬送サービス提供の全部または一部、対応する搬送データが関連付けられた前記複数の搬送サービス提供の全部または一部、対応する搬送データが関連付けられた前記複数のフィルタリングされた搬送サービス提供の全部または一部、対応する搬送データが関連付けられた前記少なくとも１つの好ましい搬送サービス提供の全部または一部、前記少なくとも１つの搬送クライアント選好、またはそれらの組合せの前記少なくとも１つの統計変数からコンパイルされる、
請求項１５６に記載の方法。
【請求項１６１】
前記少なくとも１つの予測ヒートマップが、将来の搬送サービス利用可能性、将来の価格設定、将来の高価格設定、将来の搬送サービス提供密度、将来のフィルタリングされた搬送サービス提供密度、将来の好ましい搬送サービス提供密度、将来のサービスレベル密度、将来の搬送業界セグメント密度、将来の代理人密度、将来の搬送クライアント密度、将来のサービスプロバイダ密度、将来の商品サプライヤ密度、将来のサービスレベル供給、将来の搬送業界セグメント供給、将来の搬送サービス供給、将来のービスプロバイダ供給、将来の商品サプライヤ供給、将来の搬送サービス需要、将来の搬送クライアント需要、またはそれらの組合せの少なくとも１つを識別または推定する、
請求項１６０に記載の方法。
【請求項１６２】
前記少なくとも１つの予測ヒートマップが、少なくとも１つの視覚的通知または少なくとも１つの音声通知を生成して、前記少なくとも１つの統計変数、前記少なくとも１つの統計変数の前記少なくとも１つの測定値、またはそれらの組合せの少なくとも１つの将来の変化または更新を前記少なくとも１つの搬送クライアントに通知する、
請求項１６０に記載の方法。
【請求項１６３】
前記少なくとも１つの中央サーバまたは前記少なくとも１つの外部サーバの少なくとも１つの機能が、前記少なくとも１つのアプリケーションによって実行される、
請求項１２８に記載の方法。
【請求項１６４】
前記少なくとも１つのアプリケーションが、前記少なくとも１つの中央サーバ上で動作する、
請求項１２８に記載の方法。
【請求項１６５】
前記少なくとも１つのアプリケーションの少なくとも１つの機能が、前記少なくとも１つの中央サーバまたは前記少なくとも１つの外部サーバによって実行される、
請求項１２８に記載の方法。
【請求項１６６】
前記少なくとも１つの搬送クライアント、前記少なくとも１つの中央サーバ、前記少なくとも１つのアプリケーション、またはそれらの組合せが、少なくとも１つの搬送業界セグメントにおいて前記少なくとも１つの好ましい搬送サービス提供を確保または取得する、
請求項１２８に記載の方法。
【請求項１６７】
対応する搬送データが関連付けられた前記複数の搬送サービス提供の全部または一部が、少なくとも１つの搬送業界セグメントで活動する少なくとも１つのサービスプロバイダまたは少なくとも１つの商品サプライヤによって供給または提供される、
請求項１２８に記載の方法。
【請求項１６８】
前記少なくとも１つの搬送クライアントが、前記少なくとも１つの好ましい搬送サービス提供のために、２つ以上の前記代理人または２つ以上の前記自律車両を確保または取得する、
請求項１２８に記載の方法。
【請求項１６９】
前記少なくとも１つの搬送クライアントが、前記少なくとも１つの好ましい搬送サービス提供以外の少なくとも１つの前記フィルタリングされた搬送サービス提供を確保または取得する、
請求項１２８に記載の方法。
【請求項１７０】
前記少なくとも１つの搬送クライアントの前記少なくとも１つのリアルタイムまたはほぼリアルタイムの地理的位置が更新または変更されると、または交通情報が更新または変更されると、対応する搬送データが関連付けられた前記少なくとも１つの好ましい搬送サービス提供、対応する搬送データが関連付けられた前記複数のフィルタリングされた搬送サービス提供の全部または一部、対応する搬送データが関連付けられた前記複数の搬送サービス提供の全部または一部、対応する搬送データが関連付けられた後続のまたは追加の前記複数のフィルタリングされた搬送サービス提供の全部または一部、対応する搬送データが関連付けられた後続のまたは追加の前記少なくとも１つの好ましい搬送サービス提供の全部または一部、前記少なくとも１つの搬送クライアントの前記少なくとも１つのリアルタイムまたはほぼリアルタイムの地理的位置の全部または一部、前記少なくとも１つの搬送クライアント選好、前記少なくとも１つのサービス開始地理的位置、前記少なくとも１つのサービス終了地理的位置、またはそれらの組合せが、リアルタイムまたはほぼリアルタイムで識別または更新される、
請求項１２８に記載の方法。
【請求項１７１】
前記複数の搬送サービス提供が、１つの搬送サービス提供である、
請求項１２８に記載の方法。
【請求項１７２】
前記複数のフィルタリングされた搬送サービス提供が、１つのフィルタリングされた搬送サービス提供である、
請求項１２８に記載の方法。
【請求項１７３】
前記少なくとも１つの搬送クライアントが、前記少なくとも１つの視覚的表現の少なくとも１つのエリアをブラウズまたはナビゲートして、前記少なくとも１つの好ましい搬送サービス提供、少なくとも１つの前記フィルタリングされた搬送サービス提供、前記少なくとも１つの搬送クライアント選好、またはそれらの組合せを選択または受諾することによって、前記少なくとも１つの好ましい搬送サービス提供または少なくとも１つの前記フィルタリングされた搬送サービス提供を識別し、次いで、確保または取得する、
請求項１２８に記載の方法。
【請求項１７４】
前記少なくとも１つの中央サーバが、前記少なくとも１つの端末上に位置するか、または前記少なくとも１つの端末に関連付けられている、
請求項１２８に記載の方法。
【請求項１７５】
前記少なくとも１つのアプリケーション、前記少なくとも１つの端末、前記少なくとも１つの中央サーバ、前記少なくとも１つの外部サーバ、少なくとも１つのリンク、またはそれらの組合せが結合または統合された、
請求項１２８に記載の方法。
【請求項１７６】
前記少なくとも１つのサービス開始地理的位置、前記少なくとも１つのサービス終了地理的位置、前記少なくとも１つの搬送クライアント選好、またはそれらの組合せが、前記少なくとも１つの中央サーバ上または前記少なくとも１つの中央サーバ上で前記複数の搬送サービス提供の全部または一部を受信する前に提供される、
請求項１２８に記載の方法。
【請求項１７７】
対応する搬送データが関連付けられた前記少なくとも１つの好ましい搬送サービス提供、対応する搬送データが関連付けられた前記複数のフィルタリングされた搬送サービス提供の全部または一部、対応する搬送データが関連付けられた前記複数の搬送サービス提供の全部または一部、前記少なくとも１つの搬送クライアントの前記少なくとも１つのリアルタイムまたはほぼリアルタイムの地理的位置の全部または一部、前記少なくとも１つの搬送クライアント選好、対応する搬送データが関連付けられた後続のまたは追加の前記複数のフィルタリングされた搬送サービス提供の全部または一部、対応する搬送データが関連付けられた後続のまたは追加の前記少なくとも１つの好ましい搬送サービス提供の全部または一部、少なくとも１つの確保または取得された好ましい搬送サービス提供、前記少なくとも１つのサービス開始地理的位置、前記少なくとも１つのサービス終了地理的位置、またはそれらの組合せが、前記少なくとも１つのアプリケーションと前記少なくとも１つの中央サーバとの間の少なくとも１つのリンクを介して、前記少なくとも１つのアプリケーションと前記少なくとも１つの中央サーバとの間でリアルタイムまたはほぼリアルタイムで送信され、リアルタイムまたはほぼリアルタイムで更新される、
請求項１２８に記載の方法。
【請求項１７８】
対応する搬送データが関連付けられた前記少なくとも１つの好ましい搬送サービス提供、対応する搬送データが関連付けられた前記複数のフィルタリングされた搬送サービス提供の全部または一部、対応する搬送データが関連付けられた前記複数の搬送サービス提供の全部または一部、前記少なくとも１つの搬送クライアントの前記少なくとも１つのリアルタイムまたはほぼリアルタイムの地理的位置の全部または一部、前記少なくとも１つの搬送クライアント選好、対応する搬送データが関連付けられた後続のまたは追加の前記複数のフィルタリングされた搬送サービス提供の全部または一部、対応する搬送データが関連付けられた後続のまたは追加の前記少なくとも１つの好ましい搬送サービス提供の全部または一部、少なくとも１つの確保または取得された好ましい搬送サービス提供、前記少なくとも１つのサービス開始地理的位置、前記少なくとも１つのサービス終了地理的位置、またはそれらの組合せが、前記少なくとも１つのアプリケーションと前記少なくとも１つの外部サーバとの間の少なくとも１つのリンクを介して、前記少なくとも１つのアプリケーションと前記少なくとも１つの外部サーバとの間でリアルタイムまたはほぼリアルタイムで送信され、リアルタイムまたはほぼリアルタイムで更新される、
請求項１２８に記載の方法。
【請求項１７９】
対応する搬送データが関連付けられた前記少なくとも１つの好ましい搬送サービス提供、対応する搬送データが関連付けられた前記複数のフィルタリングされた搬送サービス提供の全部または一部、対応する搬送データが関連付けられた前記複数の搬送サービス提供の全部または一部、前記少なくとも１つの搬送クライアントの前記少なくとも１つのリアルタイムまたはほぼリアルタイムの地理的位置の全部または一部、前記少なくとも１つの搬送クライアント選好、対応する搬送データが関連付けられた後続のまたは追加の前記複数のフィルタリングされた搬送サービス提供の全部または一部、対応する搬送データが関連付けられた後続のまたは追加の前記少なくとも１つの好ましい搬送サービス提供の全部または一部、少なくとも１つの確保または取得された好ましい搬送サービス提供、前記少なくとも１つのサービス開始地理的位置、前記少なくとも１つのサービス終了地理的位置、またはそれらの組合せが、前記少なくとも１つの中央サーバと前記少なくとも１つの外部サーバとの間の少なくとも１つのリンクを介して、前記少なくとも１つの中央サーバと前記少なくとも１つの外部サーバとの間でリアルタイムまたはほぼリアルタイムで送信され、リアルタイムまたはほぼリアルタイムで更新される、
請求項１２８に記載の方法。
【発明の詳細な説明】
【技術分野】
【０００１】
＜関連出願および／または優先権の主張＞
本出願は、２０１８年７月１８日に出願された米国実用特許出願第１６／０３８，４８７号、２０１７年８月１８日に出願された米国実用特許出願第１５／６８０，４３９号、２０１７年８月１３日に出願された米国実用特許出願第１５／６７５，７５７号、及び２０１７年８月１日に出願された米国仮特許出願第６２／５３９，７０６号に対する優先権の利益を主張するものであり、これらの出願は、全ての目的のために、その全体が参照により本明細書に組み込まれる。
【０００２】
本発明は、概して、搬送業界セグメントにおけるインタラクティブリアルタイムシステムおよびリアルタイム使用方法の分野に関する。
【背景技術】
【０００３】
どの新しい業界または業界セグメントにおいても、創造した時点では、関連するシステムおよび方法を最適化する方法に関する十分なデータまたは知識が事前に存在しないために、関連するシステムおよび方法には、通常、複数の非効率な点がある。これらの非効率な点は、通常は、試行錯誤によって時間とともに識別され、この分野における技術的進歩につながる。同じことが、搬送業界、ならびに、ライドヘイル（ｒｉｄｅ−ｈａｉｌ）業界セグメント、ライドシェア（ｒｉｄｅ−ｓｈａｒｅ）業界セグメント、商品配達業界セグメントおよび宅配便業界セグメントを含むがこれらに限定されない、多くの新しい搬送業界セグメントについて言える。
【０００４】
搬送業界セグメントで利用可能な現在の非効率的なシステムおよび方法は、搬送クライアントに不利益をもたらす。以下ではサービスプロバイダと呼ぶ企業またはエンティティ自体、ならびにサービスプロバイダのためにサービスを実行する代理人にも不利益をもたらす。
【０００５】
搬送業界セグメントで使用される現在のシステムおよび方法に関連する問題は、コンピュータ技術に根ざしており、近年の搬送業界セグメントがリアルタイムまたはほぼリアルタイムで活動し大幅に変化しているという事実も関係している。搬送業界セグメントは、搬送サービス要求および搬送サービス提供がある瞬間においては存在していても次の瞬間には無くなっているという点で、リアルタイムまたはほぼリアルタイムの環境である。リアルタイムまたはほぼリアルタイムの搬送業界セグメントでは、代理人も搬送クライアントも、十分な情報に基づいた決定を大急ぎで行うために、リアルタイムまたはほぼリアルタイムの情報の全部または大部分を入手し、この情報を正確に分析または評価することができない。現在のところ、この種の分析において代理人および搬送クライアントの両方を支援することができるリアルタイムまたはほぼリアルタイムのシステムやリアルタイムまたはほぼリアルタイムの方法は存在しない。リアルタイムまたはほぼリアルタイムのシステムやリアルタイムまたはほぼリアルタイムの方法が欠如していると、自身の選好を適用することができないため、代理人が、最適でない、汎用的な搬送サービス要求を確保または取得すること、および、搬送クライアントが、最適でない、汎用的な搬送サービス提供を確保または取得することにつながってしまう。
【０００６】
現在のところ、ライドヘイル業界セグメントにおいてライドを要求する搬送クライアントは、所与の搬送サービス提供がどのサービスプロバイダからのものであるか、および搬送サービス提供をいつ確保または取得するかによって、全く異なるライドオプション、価格、待ち時間、および目的地までの時間の搬送サービス提供が確保または取得され得る。しかしながら、搬送クライアントには、１つのサービスプロバイダからしか、受諾または拒否できる搬送サービス提供の選択肢が与えられない。代理人には、任意の搬送業界セグメントにおいて搬送サービスを提供することを望んでいても、搬送サービス要求が１つしか提示されないため、代理人にとってはさらに制限が多い。現在のころ、搬送サービス要求に代理人を派遣または割り当てるため、および搬送クライアントに搬送サービス提供を派遣または割り当てるためのシステムや方法は不十分である。したがって、本発明が取り上げるニーズが存在する。
【０００７】
代理人が受信した搬送サービス要求を分析または評価するための現在のシステムおよび方法は、ペースが速いリアルタイムまたはほぼリアルタイムの搬送業界セグメントの環境においては、非常に難しく時間がかかりすぎる。現在の技術では、代理人は、搬送サービス要求を分析または評価してから代理人の個々の選好に基づいて希望する搬送サービス要求を確保または取得することはできない。現在のところ、代理人には、代案なしで１つの搬送サービス要求が与えられ、代理人は、その特定の搬送サービス要求を受諾するかまたは拒否する選択肢しかない。通常、代理人が確保または取得しようとしている搬送サービス要求の詳細は、事前には提供されず、その搬送サービス要求が確保または取得されて初めて明らかになる。代理人は、提供する搬送サービスの詳細を知らずに、搬送サービス要求を確保または取得するかまたは仕事を受けないかを選択しなければならない。
【０００８】
さらに、代理人は、選択肢が与えられていたらそもそも確保または取得しなかったであろう搬送サービス要求であったとしても、遂行したくない搬送サービス要求をキャンセルすると罰せられる。とりわけ、この欠点が、同時に２以上のサービスプロバイダのために働いている代理人に対してうわべだけの選択肢を与えるという一般的なやり方につながっている。しかしながら、この分析または評価方法は、非常に骨の折れる時間のかかるプロセスであり、搬送業界セグメントのリアルタイムまたはほぼリアルタイムな環境においては有用でも実用的でもない。
【０００９】
搬送サービス要求を分析または評価するために、代理人は、異なるサービスプロバイダからの複数のアプリケーションにログインし、アプリケーションごとに個々の搬送サービス要求を見ながら、これらのアプリケーション間を移動する必要がある。このような方法で搬送サービス要求を分析または評価するには多くの時間を要するため、リアルタイムまたはほぼリアルタイムの環境においては、代理人が好ましいと考える搬送サービス要求を代理人が見逃す可能性がある。現在のところ、代理人がリアルタイムまたはほぼリアルタイムで搬送サービス要求を分析または評価するためのツールとして使用することができるシステムや方法はない。
【００１０】
代理人は、現在のところ、従来のシステムや方法を考慮すると、リアルタイムまたはほぼリアルタイムで２つ以上のサービスプロバイダからの搬送サービス要求を分析または評価することができず、搬送業界セグメントが他のすべての面においてリアルタイムまたはほぼリアルタイムで活動している場合にもどかしいく感じる障害である。現在の技術水準では、代理人の意思決定能力が限定されている。リアルタイムまたはほぼリアルタイムで連続的に搬送サービス要求を分析または評価する方法がないため、代理人は、現在のところ、あまり好ましくない搬送サービス要求を確保または取得せざるを得ないため、代理人が望むほど効率的に彼らの利益や仕事を最大化することができない。代理人には一度に１つの搬送サービス要求しか提供されないため、好ましい搬送サービス要求を確保または取得するために、代理人は、それほど好ましくない搬送サービス要求を断って、より好ましい搬送サービス要求が利用可能になるのを待たなければならない場合がある。このような搬送業界セグメントにおけるシステムや方法の現時点での限界を考慮すると、より効率的に働くことを望む代理人も効率的に働くことができない。
【００１１】
また、現在のところ、２つ以上の搬送業界セグメントにわたってリアルタイムまたはほぼリアルタイムで搬送サービス要求を分析または評価して確保または取得するシステムや方法は存在しない。このようなリアルタイムまたはほぼリアルタイムのシステムやリアルタイムまたはほぼリアルタイムの方法の欠如は、代理人が２つ以上の搬送業界セグメントにおいて搬送サービスを提供することを望む場合に、代理人の搬送業界への進出およびより効率的に活動する能力をさらに制限する。加えて、現時点での制限は、代理人が利用可能な潜在的に好ましい搬送サービス要求の量も減少させる。現在のところ、代理人が、ライドヘイル業界セグメントにおいて乗車を提供し、そして、搬送サービス要求が近接している商品配達業界セグメントにおいて食品を配達したい場合に、代理人は、これらの好ましい搬送サービス要求をリアルタイムまたはほぼリアルタイムで分析または評価して確保または取得する能力を得ることができない。代理人がそうすることを可能にするシステムや方法があれば、代理人はより多くの多様な搬送サービス要求にアクセスすることができるようになり、代理人に搬送業界内で搬送サービスを提供する際の更なる柔軟性を与えることができる。本発明の１つの限定を目的としない態様は、代理人のためにこの問題を解決する。
【００１２】
現在のところ、いくつかのサービスプロバイダは、さまざまな理由で、あるエリアで動的に価格を上げている。より効率的に仕事をしようとするか、より多くのお金を稼ぎたいと考える代理人は、できるだけこれらのエリアで仕事をしようとする。問題は、代理人が高価格設定エリアに到着するまでに、高い価格設定が移動するかまたはなくなることである。代理人は、高価格設定エリアを追いかけるという難題を経験するが、通常は、そこに投資する機会はない。その結果、一部の代理人は、高価格設定エリアを追跡することを断念している。現在のところ、代理人が、収益性を最大化するために、どこが高価格設定エリアになるかを予測するのに使用することができるシステムや方法はない。
【００１３】
現在のところ、代理人には、一度に１つの搬送サービス要求が割り当てられるかまたは提供され、この搬送サービス要求は、いかなる詳細も知らずに無思慮に受諾するか、または拒否することができる。このプロセスは、搬送サービス要求を代理人に提示する有用な方法ではない。既存の技術では、リアルタイムまたはほぼリアルタイムで更新される動的アイコンを用いて、複数のサービスプロバイダからの好ましい搬送サービス要求を地理的マップ上に視覚的に提示する方法が無い。現在のところ、あまり好ましくない搬送サービス要求と比較して視覚的に識別可能な好ましい搬送サービス要求を代理人に表示するシステムや方法は存在しない。
【００１４】
搬送クライアントは、しばしば、代理人と同様の問題または課題に耐えている。現在のところ、搬送クライアントが搬送サービス提供を確保または取得しようとするとき、搬送クライアントには、個々のサービスプロバイダから、最も近い代理人のみが提示される。搬送クライアントが異なるサービスプロバイダからの搬送サービス提供を分析または評価するための唯一の方法は、代理人の場合と同様の、非常に単調で時間のかかるプロセスである。まず、搬送クライアントは、競合他社について知り、次いで競合他社のアプリケーションをダウンロードし、第１のサービスプロバイダについて同じ検索基準を入力しなければならない。このプロセスは、搬送クライアントが評価したい全ての競合他社について繰り返さなければならない。
【００１５】
数秒の違いが好ましい搬送サービス提供の確保または取得の可否に大いに影響する、ペースが速い搬送業界セグメントでは、現在の方法は、搬送サービス提供をリアルタイムまたはほぼリアルタイムで分析または評価するのに実用的または有用でない。搬送クライアント選好があると仮定すると、ほとんどの場合、搬送クライアントがたった２つから３つのサービスプロバイダを分析または評価するステップを経るまでに、好ましい搬送サービス提供がもはや利用可能ではなくなる可能性が高い。その結果、現在のところリアルタイムまたはほぼリアルタイムで複数のサービスプロバイダからの搬送サービス提供を視覚的に分析または評価する方法がないため、搬送クライアントは、しばしば、搬送サービスに必要以上に多く支払ったり、搬送サービスを必要以上に長く待ったりしている。既存の技術では、リアルタイムまたはほぼリアルタイムで更新される動的アイコンを用いて、複数のサービスプロバイダからの好ましい搬送サービス提供を地理的マップ上に視覚的に提示する方法が無い。改良されたシステムおよび方法が必要である。
【００１６】
サービスプロバイダが特定のエリアにおける価格設定を上げる場合、搬送クライアントは、現在のところ、高価格設定となっていない近いエリアが存在するかどうかを判断するためのシステムや方法を有していない。現在のところ、複数のサービスプロバイダの価格情報は言うまでもなく、搬送クライアントが、地理的マップ上の異なるエリアを視覚的に分析または評価して個々のサービスプロバイダの価格情報を見る方法はない。搬送業界セグメントにおいて現在の搬送クライアントに与えられている限られた選択肢を考慮すると、この透明性の欠如の欠点は、搬送クライアントには情報に基づいた購入判断を行う機会がないという点である。本発明の１つの限定を目的としない態様は、搬送クライアントにおけるこの問題を解決する。
【発明の概要】
【００１７】
本発明は、商品及びサービスのためのインタラクティブな搬送業界において、より効率的なシステムに対する長年の要望があることを認識している。
【００１８】
本発明の第１の態様は、一般に、搬送業界およびその他の業界におけるインタラクティブシステムに関する。
【００１９】
本発明の第２の態様は、一般に、本発明のインタラクティブシステムの使用方法に関する。
【図面の簡単な説明】
【００２０】
【図１】図１は、少なくとも１つの代理人２が利益を得ることができる、マクロ的な視点での、リアルタイムまたはほぼリアルタイムの搬送サービスシステムとしての、本発明の１つの限定を目的としない態様の好ましい例に関する。搬送サービス要求１３は、少なくとも１つの外部サーバ１０から供給することができ、少なくとも１つのリンク８を介して中央サーバ９に送信することができる。少なくとも１つのサービスプロバイダ５を、少なくとも１つの外部サーバ１０に関連付けることができる。この限定を目的としない図では、各サービスプロバイダ５は、１つの外部サーバ１０に関連付けられている。中央サーバ９は、少なくとも１つの代理人選好３、および好ましくは少なくとも１つの代理人２のリアルタイムまたはほぼリアルタイムの地理的位置を使用することによって、搬送サービス要求１３をフィルタリングされた搬送サービス要求１４にフィルタリングすることができる。中央サーバ９は、少なくとも１つの代理人選好３の加重平均を計算することができる。中央サーバ９は、好ましくは、少なくとも１つの好ましい搬送サービス要求１５を識別するために、フィルタリングされた搬送サービス要求１４を、対応する加重平均に関連する順序にソートすることができる。少なくとも１つの好ましい搬送サービス要求１５は、最も高い加重平均を有するフィルタリングされた搬送サービス要求１４から、中央サーバ９によって識別することができる。対応する搬送データを有する少なくとも１つの好ましい搬送サービス要求１５と、対応する搬送データを有するフィルタリングされた搬送サービス要求１４とを、少なくとも１つのリンク８を介して中央サーバ９から少なくとも１つのアプリケーション６に送信することができる。少なくとも１つのアプリケーション６は、少なくとも１つの端末７上で動作することができ、限定はしないが、少なくとも１つの動的マップ１１、少なくとも１つのヒートマップ１２、またはそれらの組合せ等の少なくとも１つの視覚的表現を表示することができる。少なくとも１つの代理人２は、少なくとも１つの視覚的表現を分析または評価し、次いで、少なくとも１つの好ましい搬送サービス要求１５を確保または取得することができる。少なくとも１つのリンク８は、少なくとも１つのアプリケーション６、少なくとも１つの端末７、少なくとも１つの中央サーバ９、少なくとも１つの外部サーバ１０、またはそれらの組み合わせに関連する少なくとも１つのソフトウェア機能または少なくとも１つのソフトウェアコンポーネントとの少なくとも１つの接続または少なくとも１つの関連付けであり得る。
【図２】図２は、代理人２が利益を得ることができる、マクロ的な視点での、リアルタイムまたはほぼリアルタイムの搬送サービスシステムとしての、本発明の１つの限定を目的としない態様の好ましい例に関する。個々の搬送サービス要求１３は、各個々の搬送クライアント１Ａ、１Ｂ、１Ｃ、１Ｄ、１Ｅ、および１Ｆによって提出され得る。個々の搬送サービス要求１３は、図中の個々の搬送クライアント１のそれぞれに対応する。搬送サービス要求１３Ａおよび１３Ｂは、搬送クライアント１Ａおよび１Ｂによって、サービスプロバイダ５Ａに関連付けられた外部サーバ１０Ａに提出される。搬送サービス要求１３Ｃおよび１３Ｄは、搬送クライアント１Ｃおよび１Ｄによって、サービスプロバイダ５Ｂに関連付けられた外部サーバ１０Ｂに提出される。搬送サービス要求１３Ｅおよび１３Ｆは、搬送クライアント１Ｅおよび１Ｆによって、サービスプロバイダ５Ｃに関連付けられた外部サーバ１０Ｃに提出される。各サービスプロバイダ５は、少なくとも１つの外部サーバ１０を有することができる。  中央サーバ９は、搬送サービス要求１３を受信し、次いで、少なくとも１つの代理人選好３、および、好ましくは、代理人２のリアルタイムまたはほぼリアルタイムの地理的位置を使用することによって、搬送サービス要求１３をフィルタリングされた搬送サービス要求１４にフィルタリングすることができる。中央サーバ９は、少なくとも１つの代理人選好３の加重平均を計算することができる。中央サーバ９は、好ましくは、少なくとも１つの好ましい搬送サービス要求１５を識別するために、フィルタリングされた搬送サービス要求１４を、対応する加重平均に関連する順序にソートすることができる。少なくとも１つの好ましい搬送サービス要求１５は、中央サーバ９によって、最も高い加重平均を有するフィルタリングされた搬送サービス要求１４から識別することができる。対応する搬送データを有する少なくとも１つの好ましい搬送サービス要求１５と、対応する搬送データを有するフィルタリングされた搬送サービス要求１４とを、少なくとも１つのリンク８を介して中央サーバ９からアプリケーション６に送信することができる。アプリケーション６は、端末７上で動作することができ、少なくとも１つの視覚的表現、例えば動的マップ１１を表示することができる。個々のフィルタリングされた搬送サービス要求１４Ｄ、１４Ｆおよび好ましい搬送サービス要求１５Ａは、動的アイコンまたはビジュアル（ｖｉｓｕａｌ）として動的マップ１１上に示すことができ、任意で搬送データを示すことができる。代理人２は、動的マップ１１を分析または評価し、次いで、好ましい搬送サービス要求１５Ａを確保または取得することができる。少なくとも１つのリンクは、少なくとも１つのアプリケーション６、少なくとも１つの端末７、少なくとも１つの中央サーバ９、少なくとも１つの外部サーバ１０、またはそれらの組合せに関連する少なくとも１つのソフトウェア機能または少なくとも１つのソフトウェアコンポーネントとの少なくとも１つの接続または少なくとも１つの関連付けであり得る。少なくとも１つのリンクは、少なくとも１つの代理人２に関連付けられた少なくとも１つの端末７上の、���なくとも１つのアプリケーション６、少なくとも１つの中央サーバ９、少なくとも１つの外部サーバ１０、またはそれらの組合せとの少なくとも１つの接続または少なくとも１つの関連付けであり得る。
【図３】図３は、代理人２が利益を得ることができる、例示的な方法におけるステップの好ましいが必須ではない順序でのフローチャートとしての、本発明の１つの限定を目的としない態様の好ましい例に関する。このフローチャートは、視覚的表現、この限定を目的としない例では動的マップ１１を分析または評価することによって、代理人２が少なくとも１つの好ましい搬送サービス要求１５をどのように確保または取得することができるかについてのステップを説明するものである。少なくとも１つのリンクは、少なくとも１つのアプリケーション６、少なくとも１つの端末７、少なくとも１つの中央サーバ９、少なくとも１つの外部サーバ１０、またはそれらの組合せに関連する少なくとも１つのソフトウェア機能または少なくとも１つのソフトウェアコンポーネントとの少なくとも１つの接続または少なくとも１つの関連付けであり得る。
【図４】図４は、少なくとも１つの代理人２が利益を得ることができる、動的マップ１１としての、本発明の１つの限定を目的としない態様の好ましい例に関する。動的マップ１１は、好ましい搬送サービス要求１５Ａを分析または評価し、次いで、確保または取得するために、少なくとも１つの代理人２によって使用され得る。フィルタリングされた搬送サービス要求１４Ａ、１４Ｂ、１４Ｃ、および１４Ｄ、ならびに好ましい搬送サービス要求１５Ａは、それぞれ異なるサービスプロバイダ５Ａ、５Ｂ、５Ｃ、および５Ｄに関連付けられている。少なくとも１つのリンクは、少なくとも１つのアプリケーション６、少なくとも１つの端末７、少なくとも１つの中央サーバ９、少なくとも１つの外部サーバ１０、またはそれらの組合せに関連する少なくとも１つのソフトウェア機能または少なくとも１つのソフトウェアコンポーネントとの少なくとも１つの接続または少なくとも１つの関連付けであり得る。  好ましい搬送サービス要求１５Ａは、フィルタリングされた搬送サービス要求１４Ａ、１４Ｂ、１４Ｃ、および１４Ｄと比較して、視覚的に識別可能であり得る。この限定を目的としない図では、好ましい搬送サービス要求１５Ａが視覚的に識別可能であることを示すために、より大きなアイコンに加えて星が使用されている。少なくとも１つの異なるアイコン、記号、色、陰影、またはビジュアルを使用して、異なる搬送業界セグメント、異なるサービスプロバイダ５、またはそれらの組合せからの個々のフィルタリングされた搬送サービス要求１４Ａ、１４Ｂ、１４Ｃ、および１４Ｄ、ならびに好ましい搬送サービス要求１５Ａを識別することができる。例えば、この限定を目的としない図では、人が表示されているアイコンは、ライドヘイル業界セグメントからのライドサービス要求であり、バンが表示されているアイコンは、宅配便業界セグメントからの商品配達サービス要求であり、スプーン及びフォークのアイコンは、食品配達業界セグメントからの食品配達サービス要求である。個々のアイコン、記号、色、陰影、またはビジュアルは、移動型または動的なものとすることができ、アプリケーション６上でリアルタイムまたはほぼリアルタイムで更新することができる。
【図５】図５は、少なくとも１つの代理人２が利益を得ることができる、動的マップ１１とヒートマップ１２の組み合わせとしての本発明の１つの限定を目的としない態様の好ましい例に関する。動的マップ１１とヒートマップ１２の組み合わせは、少なくとも１つの搬送業界セグメントをミクロ的な視点およびマクロ的な視点の両方で分析または評価し、次いで、好ましい搬送サービス要求１５Ａを確保または取得するために、少なくとも１つの代理人２によって使用することができる。フィルタリングされた搬送サービス要求１４Ａ、１４Ｂ、１４Ｃ、および１４Ｄ、ならびに好ましい搬送サービス要求１５Ａは、それぞれ異なるサービスプロバイダ５Ａ、５Ｂ、５Ｃ、および５Ｄに関連付けられている。少なくとも１つのリンクは、少なくとも１つのアプリケーション６、少なくとも１つの端末７、少なくとも１つの中央サーバ９、少なくとも１つの外部サーバ１０、またはそれらの組合せに関連する少なくとも１つのソフトウェア機能または少なくとも１つのソフトウェアコンポーネントとの少なくとも１つの接続または少なくとも１つの関連付けであり得る。  好ましい搬送サービス要求１５Ａは、フィルタリングされた搬送サービス要求１４Ａ、１４Ｂ、１４Ｃ、および１４Ｄと比較して、視覚的に識別可能であり得る。この限定を目的としない図では、好ましい搬送サービス要求１５Ａが視覚的に識別可能であることを示すために、より大きなアイコンに加えて星が使用されている。少なくとも１つの異なるアイコン、記号、色、陰影、またはビジュアルを使用して、異なる搬送業界セグメント、異なるサービスプロバイダ５、またはそれらの組合せからの個々のフィルタリングされた搬送サービス要求１４Ａ、１４Ｂ、１４Ｃ、および１４Ｄ、ならびに好ましい搬送サービス要求１５Ａを識別することができる。例えば、この限定を目的としない図では、人が表示されているアイコンは、ライドヘイル業界セグメントからのライドサービス要求であり、バンが表示されているアイコンは、宅配便業界セグメントからの商品配達サービス要求であり、スプーン及びフォークのアイコンは、食品配達業界セグメントからの食品配達サービス要求である。個々のアイコン、記号、色、陰影、またはビジュアルは、移動型または動的なものとすることができ、アプリケーション６上でリアルタイムまたはほぼリアルタイムで更新することができる。  この限定を目的としない図では、フィルタリングされた搬送サービス要求１４Ａ、１４Ｂ、１４Ｃ、および１４Ｄならびに好ましい搬送サービス要求１５Ａを示す動的マップ１１が、高価格設定エリアを示すヒートマップ１２と組み合わせて表示されている。動的マップ１１とヒートマップ１２の組み合わせのエリアは、地理的マップ上に表示されている高価格設定メトリック（ｍｅｔｒｉｃ）の測定値に比例して、陰影または模様をつけることができる。例えば、より濃い陰影のエリアは、価格設定がより高いエリアを表すことができ、一方、より薄い陰影エリアは、価格設定がより低いエリアまたは潜在的に高価格設定が無いエリアを表すことができる。少なくとも１つの代理人２は、このダイナミックマップ１１とヒートマップ１２の組み合わせを使用して、より濃い陰��の付いたエリアとして示されている高価格設定のエリアを分析して識別し、高価格設定のエリアに近づくことができる。この限定を目的としない図では、少なくとも１つの代理人２は、より濃い陰影の価格設定がより高いエリアに移動し、次いで、好ましい搬送サービス要求１５Ａを確保または取得することができる。
【図６】図６は、少なくとも１つの搬送クライアント１が利益を得ることができる、マクロ的な視点での、リアルタイムまたはほぼリアルタイムの搬送サービスシステムとしての、本発明の１つの限定を目的としない態様の好ましい例に関する。搬送サービス提供１６は、少なくとも１つの外部サーバ１０から供給することができ、少なくとも１つのリンク８を介して中央サーバ９に送信することができる。少なくとも１つのサービスプロバイダ５を、少なくとも１つの外部サーバ１０に関連付けることができる。この限定を目的としない図では、各サービスプロバイダ５は、１つの外部サーバ１０に関連付けられている。中央サーバ９は、少なくとも１つの搬送クライアント選好４、および、好ましくは、少なくとも１つの搬送クライアント１のリアルタイムまたはほぼリアルタイムの地理的位置を使用することによって、搬送サービス提供１６をフィルタリングされた搬送サービス提供１７にフィルタリングすることができる。中央サーバ９は、少なくとも１つの搬送クライアント選好４の加重平均を計算することができる。中央サーバ９は、好ましくは、対応する加重平均に関連する順序でフィルタリングされた搬送サービス提供１７をソートして、少なくとも１つの好ましい搬送サービス提供１８を識別することができる。少なくとも１つの好ましい搬送サービス提供１８は、中央サーバ９によって、最も高い加重平均を有するフィルタリングされた搬送サービス提供１７から識別することができる。対応する搬送データを有する少なくとも１つの好ましい搬送サービス提供１８および対応する搬送データを有するフィルタリングされた搬送サービス提供１７を、少なくとも１つのリンク８を介して中央サーバ９から少なくとも１つのアプリケーション６に送信することができる。少なくとも１つのアプリケーション６は、少なくとも１つの端末７上で動作することができ、限定はしないが、少なくとも１つの動的マップ１１、少なくとも１つのヒートマップ１２、またはそれらの組合せ等の少なくとも１つの視覚的表現を表示することができる。少なくとも１つの搬送クライアント１は、少なくとも１つの視覚的表現を分析または評価し、次いで、少なくとも１つの好ましい搬送サービス提供１８を確保または取得することができる。少なくとも１つのリンク８は、少なくとも１つのアプリケーション６、少なくとも１つの端末７、少なくとも１つの中央サーバ９、少なくとも１つの外部サーバ１０、またはそれらの組み合わせに関連する少なくとも１つのソフトウェア機能または少なくとも１つのソフトウェアコンポーネントとの少なくとも１つの接続または少なくとも１つの関連付けであり得る。
【図７】図７は、搬送クライアント１が利益を得ることができる、マクロ的な視点での、リアルタイムまたはほぼリアルタイムの搬送サービスシステムとしての、本発明の１つの限定を目的としない態様の好ましい例に関する。個々の搬送サービス提供１６は、個々の代理人２Ａ、２Ｂ、２Ｃ、２Ｄ、２Ｅ、および２Ｆによって実行することができる。個々の搬送サービス提供１６は、図中の個々の代理人２のそれぞれに対応する。搬送サービス提供１６Ａおよび１６Ｂは、代理人２Ａおよび２Ｂによって、サービスプロバイダ５Ａに関連付けられた外部サーバ１０Ａに提供される。搬送サービス提供１６Ｃおよび１６Ｄは、代理人２Ｃおよび２Ｄによって、サービスプロバイダ５Ｂに関連付けられた外部サーバ１０Ｂに提供される。搬送サービス提供１６Ｅおよび１６Ｆは、代理人２Ｅおよび２Ｆによって、サービスプロバイダ５Ｃに関連付けられた外部サーバ１０Ｃに提供される。各サービスプロバイダ５は、少なくとも１つの外部サーバ１０を有することができる。  中央サーバ９は、搬送サービス提供１６を受信し、次いで、少なくとも１つの搬送クライアント選好４、および、好ましくは、搬送クライアント１のリアルタイムまたはほぼリアルタイムの地理的位置を使用することによって、搬送サービス提供１６をフィルタリングされた搬送サービス提供１７にフィルタリングすることができる。中央サーバ９は、少なくとも１つの搬送クライアント選好４の加重平均を計算することができる。中央サーバ９は、好ましくは、フィルタリングされた搬送サービス提供１７を対応する加重平均に関連する順序でソートして、少なくとも１つの好ましい搬送サービス提供１８を識別することができる。少なくとも１つの好ましい搬送サービス提供１８は、中央サーバ９によって、最も高い加重平均を有するフィルタリングされた搬送サービス提供１７から識別することができる。対応する搬送データを有する少なくとも１つの好ましい搬送サービス提供１８および対応する搬送データを有するフィルタリングされた搬送サービス提供１７を、少なくとも１つのリンク８を介して中央サーバ９からアプリケーション６に送信することができる。アプリケーション６は、端末７上で動作することができ、少なくとも１つの視覚的表現、例えば動的マップ１１を表示することができる。個々のフィルタリングされた搬送サービス提供１７Ｃ、１７Ｆおよび好ましい搬送サービス提供１８Ｂは、動的アイコンまたはビジュアルとして動的マップ１１上に示すことができ、任意で搬送データを示すことができる。搬送クライアント１は、動的マップ１１を分析または評価し、次いで、好ましい搬送サービス提供１８Ｂを確保または取得することができる。  少なくとも１つのリンクは、少なくとも１つのアプリケーション６、少なくとも１つの端末７、少なくとも１つの中央サーバ９、少なくとも１つの外部サーバ１０、またはそれらの組合せに関連する少なくとも１つのソフトウェア機能または少なくとも１つのソフトウェアコンポーネントとの少なくとも１つの接続または少なくとも１つの関連付けであり得る。少なくとも１つのリンクは、少なくとも１つの搬送クライアント１に関連付けられた少なくとも１つの端末７上の、少なく��も１つのアプリケーション６、少なくとも１つの中央サーバ９、少なくとも１つの外部サーバ１０、またはそれらの組合せとの少なくとも１つの接続または少なくとも１つの関連付けであり得る。
【図８】図８は、搬送クライアント１が利益を得ることができる、例示的な方法のステップの好ましいが必須ではない順序でのフローチャートとしての、本発明の１つの限定を目的としない態様の好ましい例に関する。このフローチャートは、視覚的表現、この限定を目的としない例では、ヒートマップ１２を分析または評価することによって、搬送クライアント１がどのようにして少なくとも１つの好ましい搬送サービス提供１８を確保または取得することができるかについてのステップを説明するものである。少なくとも１つのリンクは、少なくとも１つのアプリケーション６、少なくとも１つの端末７、少なくとも１つの中央サーバ９、少なくとも１つの外部サーバ１０、またはそれらの組合せに関連する少なくとも１つのソフトウェア機能または少なくとも１つのソフトウェアコンポーネントとの少なくとも１つの接続または少なくとも１つの関連付けであり得る。
【図９】図９は、少なくとも１つの搬送サービス要求１３を少なくとも１つの好ましい搬送サービス要求１５に変換するフローチャートとしての、本発明の少なくとも１つの限定を目的としない態様の好ましい例に関する。中央サーバ９が少なくとも１つの外部サーバ１０から少なくとも１つの搬送サービス要求１３を受信すると、中央サーバ９は、少なくとも１つの代理人選好３、および、好ましくは、少なくとも１つの代理人２のリアルタイムまたはほぼリアルタイムの地理的位置を使用して、少なくとも１つの搬送サービス要求１３を少なくとも１つのフィルタリングされた搬送サービス要求１４にフィルタリングすることができる。中央サーバ９は、少なくとも１つの代理人選好３の加重平均を計算することができる。中央サーバ９は、好ましくは、対応する加重平均に関連する順序で少なくとも１つのフィルタリングされた搬送サービス要求１４をソートして、少なくとも１つの好ましい搬送サービス要求１５を識別することができる。少なくとも１つの好ましい搬送サービス要求１５は、中央サーバ９によって、少なくとも１つのフィルタリングされた搬送サービス要求１４から、最も高い加重平均を有する少なくとも１つのフィルタリングされた搬送サービス要求１４として識別することができる。すべての少なくとも１つの搬送サービス要求１３が少なくとも１つのフィルタリングされた搬送サービス要求１４になれるわけではなく、すべての少なくとも１つのフィルタリングされた搬送サービス要求１４が少なくとも１つの好ましい搬送サービス要求１５になれるわけではない。中央サーバ９の少なくとも１つの機能は、アプリケーション６によって実行することができる。少なくとも１つのリンクは、少なくとも１つのアプリケーション６、少なくとも１つの端末７、少なくとも１つの中央サーバ９、少なくとも１つの外部サーバ１０、またはそれらの組合せに関連する少なくとも１つのソフトウェア機能または少なくとも１つのソフトウェアコンポーネントとの少なくとも１つの接続または少なくとも１つの関連付けであり得る。
【図１０】図１０は、少なくとも１つの搬送サービス提供１６を少なくとも１つの好ましい搬送サービス提供１８に変換するフローチャートとしての、本発明の１つの限定を目的としない態様の好ましい例に関する。中央サーバ９が少なくとも１つの外部サーバ１０から少なくとも１つの搬送サービス提供１６を受信すると、中央サーバ９は、少なくとも１つの搬送クライアント選好４、および、好ましくは、少なくとも１つの搬送クライアント１のリアルタイムまたはほぼリアルタイムの地理的位置を使用して、少なくとも１つの搬送サービス提供１６を少なくとも１つのフィルタリングされた搬送サービス提供１７にフィルタリングすることができる。中央サーバ９は、少なくとも１つの搬送クライアント選好４の加重平均を計算することができる。中央サーバ９は、好ましくは、少なくとも１つのフィルタリングされた搬送サービス提供１７を対応する加重平均に関連する順序でソートして、少なくとも１つの好ましい搬送サービス提供１８を識別することができる。少なくとも１つの好ましい搬送サービス提供１８は、中央サーバ９によって、少なくとも１つのフィルタリングされた搬送サービス提供１７から、最も高い加重平均を有する少なくとも１つのフィルタリングされた搬送サービス提供１７として識別することができる。すべての少なくとも１つの搬送サービス提供１６が少なくとも１つのフィルタリングされた搬送サービス提供１７になれるわけではなく、すべての少なくとも１つのフィルタリングされた搬送サービス提供１７が少なくとも１つの好ましい搬送サービス提供１８になれるわけではない。中央サーバ９の少なくとも１つの機能は、アプリケーション６によって実行することができる。少なくとも１つのリンクは、少なくとも１つのアプリケーション６、少なくとも１つの端末７、少なくとも１つの中央サーバ９、少なくとも１つの外部サーバ１０、またはそれらの組合せに関連する少なくとも１つのソフトウェア機能または少なくとも１つのソフトウェアコンポーネントとの少なくとも１つの接続または少なくとも１つの関連付けであり得る。
【図１１】図１１は、少なくとも１つの搬送クライアント１が利益を得ることができる、動的マップ１１としての本発明の１つの限定を目的としない態様の好ましい例に関する。動的マップ１１は、好ましい搬送サービス提供１８Ｂを分析または評価し、次いで、確保または取得するために、少なくとも１つの搬送クライアント１によって使用することができる。フィルタリングされた搬送サービス提供１７Ａ、１７Ｂ、および１７Ｃ、ならびに好ましい搬送サービス提供１８Ｂは、それぞれ異なるサービスプロバイダ５Ａ、５Ｂ、および５Ｃに関連付けられている。少なくとも１つのリンクは、少なくとも１つのアプリケーション６、少なくとも１つの端末７、少なくとも１つの中央サーバ９、少なくとも１つの外部サーバ１０、またはそれらの組合せに関連する少なくとも１つのソフトウェア機能または少なくとも１つのソフトウェアコンポーネントとの少なくとも１つの接続または少なくとも１つの関連付けであり得る。  好ましい搬送サービス提供１８Ｂは、フィルタリングされた搬送サービス提供１７Ａ、１７Ｂ、および１７Ｃと比較して視覚的に識別可能であり得る。この限定を目的としない図では、好ましい搬送サービス提供１８が視覚的に識別可能であることを示すために、より大きなアイコンに加えて星が使用されている。少なくとも１つの異なるアイコン、記号、色、陰影、またはビジュアルを使用して、異なるサービスプロバイダ５からの個々のフィルタリングされた搬送サービス提供１７Ａ、１７Ｂ、および１７Ｃ、ならびに好ましい搬送サービス提供１８Ｂを識別することができる。例えば、この限定を目的としない図では、自動車が表示されているアイコンは、ライドヘイル業界セグメントからのライドサービス提供である。個々のアイコン、記号、色、陰影、またはビジュアルは、移動型または動的なものとすることができ、アプリケーション６上でリアルタイムまたはほぼリアルタイムで更新することができる。
【図１２】図１２は、少なくとも１つの搬送クライアント１が利益を得ることができる、動的マップ１１とヒートマップ１２の組み合わせとしての、本発明の１つの限定を目的としない態様の好ましい例に関する。動的マップ１１とヒートマップ１２の組み合わせは、少なくとも１つの搬送業界セグメントをミクロ的な視点およびマクロ的な視点の両方で分析または評価し、次いで、好ましい搬送サービス提供１８Ｂを確保または取得するために、少なくとも１つの搬送クライアント１によって使用することができる。フィルタリングされた搬送サービス提供１７Ａ、１７Ｂ、および１７Ｃ、ならびに好ましい搬送サービス提供１８Ｂは、それぞれ異なるサービスプロバイダ５Ａ、５Ｂ、および５Ｃに関連付けられている。少なくとも１つのリンクは、少なくとも１つのアプリケーション６、少なくとも１つの端末７、少なくとも１つの中央サーバ９、少なくとも１つの外部サーバ１０、またはそれらの組合せに関連する少なくとも１つのソフトウェア機能または少なくとも１つのソフトウェアコンポーネントとの少なくとも１つの接続または少なくとも１つの関連付けであり得る。  好ましい搬送サービス提供１８Ｂは、フィルタリングされた搬送サービス提供１７Ａ、１７Ｂ、および１７Ｃと比較して視覚的に識別可能であり得る。この限定を目的としない図では、好ましい搬送サービス提供１８が視覚的に識別可能であることを示すために、より大きなアイコンに加えて星が使用されている。少なくとも１つの異なるアイコン、記号、色、陰影、またはビジュアルを使用して、異なるサービスプロバイダ５からの個々のフィルタリングされた搬送サービス提供１７Ａ、１７Ｂ、および１７Ｃ、ならびに好ましい搬送サービス提供１８Ｂを識別することができる。例えば、この限定を目的としない図では、自動車が表示されているアイコンは、ライドヘイル業界セグメントからのライドサービス提供である。個々のアイコン、記号、色、陰影、またはビジュアルは、移動型または動的なものとすることができ、アプリケーション６上でリアルタイムまたはほぼリアルタイムで更新することができる。  この限定を目的としない図では、フィルタリングされた搬送サービス提供１７Ａ、１７Ｂ、および１７Ｃ、ならびに好ましい搬送サービス提供１８Ｂを示す動的マップ１１が、高価格設定エリアを示すヒートマップ１２と組み合わせて表示されている。動的マップ１１とヒートマップ１２の組み合わせのエリアは、地理的マップ上に表示されている高価格設定メトリックの測定値に比例して、陰影または模様をつけることができる。例えば、より濃い陰影エリアは、より高い価格設定のエリアを表すことができ、一方、より薄い陰影エリアは、より低い価格設定のエリアまたは潜在的に高い価格設定が無いエリアを表すことができる。少なくとも１つの搬送クライアント１は、このダイナミックマップ１１とヒートマップ１２の組み合わせを使用して、高価格設定のエリアを分析して識別し、より明るい陰影のエリアとして示されているより低価格設定のエリアに自分自身を配置することができる。この限定を目的としない図では、少なくとも１つの搬送クライアント１は、より明るい陰影の付いたより低い価格設定のエリアへ歩��、次いで、好ましい搬送サービス提供１８Ｂを確保または取得することができる。
【図１３】図１３は、少なくとも１つの搬送クライアント１または少なくとも１つの代理人２が利益を得ることができる、ヒートマップ１２としての、本発明の少なくとも１つの限定を目的としない態様の好ましい例に関する。ヒートマップ１２の少なくとも１つのエリアは、少なくとも１つの統計変数の少なくとも１つの測定値に比例して、陰影または模様を付けることができる。例えば、より濃い陰影のエリアは、統計変数の測定値がより高いエリアを表すことができ、一方、より薄い陰影のエリアは、統計変数の測定値がより低いエリアを表すことができる。例えば、この限定を目的としない図では、統計変数は、高価格設定メトリックであり得、この場合、より濃い陰影のエリアがより高い価格設定のエリアを表し、より薄い陰影のエリアがより低い価格設定のエリアまたは潜在的に高い価格設定が無いエリアを表し得る。少なくとも１つの搬送クライアント１または少なくとも１つの代理人２は、ヒートマップ１２を使用して、好ましい搬送サービスを分析または評価し、次いで確保または取得することができる。少なくとも１つのリンクは、少なくとも１つのアプリケーション６、少なくとも１つの端末７、少なくとも１つの中央サーバ９、少なくとも１つの外部サーバ１０、またはそれらの組合せに関連する少なくとも１つのソフトウェア機能または少なくとも１つのソフトウェアコンポーネントとの少なくとも１つの接続または少なくとも１つの関連付けであり得る。
【図１４】図１４は、ハードウェアとソフトウェアの少なくとも１つの統合に関する、本発明の少なくとも１つの限定を目的としない態様の好ましい例に関する。少なくとも１つのアプリケーション６、少なくとも１つの中央サーバ９、少なくとも１つの外部サーバ１０、少なくとも１つの端末７、少なくとも１つのリンク８、またはそれらの組み合わせは、結合または統合することができる。少なくとも１つのアプリケーション６、少なくとも１つの中央サーバ９、少なくとも１つの外部サーバ１０、少なくとも１つのリンク８、またはそれらの組合せは、少なくとも１つの端末７上で結合または統合することができる。少なくとも１つのアプリケーション６、少なくとも１つの中央サーバ９、少なくとも１つの外部サーバ１０、少なくとも１つのリンク８、またはそれらの組合せは、少なくとも１つの搬送クライアント１または少なくとも１つの代理人２と関連付けられた少なくとも１つの端末７上で結合または統合することができる。この限定を目的としない図では、少なくとも１つのアプリケーション６、少なくとも１つの中央サーバ９、少なくとも１つの外部サーバ１０、少なくとも１つの端末７、少なくとも１つのリンク８、またはそれらの組合せが、少なくとも１つのスマートフォン上で結合または統合することができることは一般的であり得る。この限定を目的としない図では、少なくとも１つの代理人２は、少なくとも１つのアプリケーション６、少なくとも１つの中央サーバ９、少なくとも１つの外部サーバ１０、少なくとも１つの端末７、少なくとも１つのリンク８、またはそれらの組合せを結合または統合することができる少なくとも１つのスマートフォンを利用することができる。この限定を目的としない図では、少なくとも１つの搬送クライアント１は、少なくとも１つのアプリケーション６、少なくとも１つの中央サーバ９、少なくとも１つの外部サーバ１０、少なくとも１つの端末７、少なくとも１つのリンク８、またはそれらの組合せを結合または統合することができる少なくとも１つのスマートフォンを利用することができる。  少なくとも１つのリンク８は、少なくとも１つのアプリケーション６、少なくとも１つの端末７、少なくとも１つの中央サーバ９、少なくとも１つの外部サーバ１０、またはそれらの組み合わせに関連する少なくとも１つのソフトウェア機能または少なくとも１つのソフトウェアコンポーネントとの少なくとも１つの接続または少なくとも１つの関連付けであり得る。
【発明を実施するための形態】
【００２１】
＜定義＞
異なる定義がなされていない限り、ここで使用するすべての技術用語および科学用語は、本発明が属するセグメントの業者が通常理解するものと同じ意味を有する。一般に、本明細書中で使用される命名法および以下に記載される手順は、当該セグメントにおいて周知であり一般的に採用されている。従来の方法、例えば、当技術セグメントおよび種々の一般的な参考文献に提供されているものが、これらの手順に使用される。用語が単数形で記載されている場合、本発明者らはまた、その用語の複数形も考慮しており、用語が複数形で記載されている場合、本発明者らは、その用語の単数形も考慮している。本明細書で使用される命名法および以下に記載される手順は、特に示されていない限り、当技術セグメントにおいて周知であり一般的に採用されているものである。本明細書で使用される他の技術用語は、様々な技術辞書によって例示されるような、それらが使用される当技術セグメントにおける通常の意味を有する。
【００２２】
＜序論＞
本発明は、商品及びサービスのためのインタラクティブな搬送業界において、より効率的なシステムに対する長年の要望があることを認識している。
【００２３】
本発明のわずかの限定を目的としない導入として、本発明は、
１．搬送業界およびその他の業界におけるインタラクティブシステム、及び
２．本発明のインタラクティブシステムの使用方法
を含む、いくつかの一般的かつ有用な態様を含む。
【００２４】
本発明のこれらの態様、ならびに本明細書に記載される他の態様は、本明細書に記載される方法、製品、および組成物を使用することによって達成することができる。本発明の範囲を完全に理解することで、本発明の様々な態様を組み合わせて、本発明の望ましい実施形態を作ることができることがさらに認識されるであろう。
【００２５】
＜発明の概要および解決される課題＞
本発明の１つの限定を目的としない態様は、少なくとも１つのリアルタイムまたはほぼリアルタイムのシステムおよび少なくとも１つのリアルタイムまたはほぼリアルタイムの方法を使用して、本発明の少なくとも１つの視覚的表現を用いて、少なくとも１つの好ましい搬送サービス要求を分析または評価し、次いで確保または取得する少なくとも１つのプロセスにおいて、少なくとも１つの代理人を支援することができる、少なくとも１つの技術ベースの解決策であり得る。
【００２６】
本発明は、少なくとも１つの代理人選好、および、好ましくは、少なくとも１つの代理人の少なくとも１つのリアルタイムまたはほぼリアルタイムの地理的位置に基づいて、少なくとも１つの搬送サービス要求を受信してフィルタリングすることができる。本発明は、少なくとも１つのフィルタリングされた搬送サービス要求から少なくとも１つの好ましい搬送サービス要求を識別することができる。対応する搬送データを有する少なくとも１つのフィルタリングされた搬送サービス要求、対応する搬送データを有する少なくとも１つの好ましい搬送サービス要求、またはそれらの組合せの、本発明の少なくとも１つの視覚的表現は、少なくとも１つのアプリケーション上で少なくとも１つの地理的マップを用いてコンパイルすることができる。本発明は、少なくとも１つの代理人に少なくとも１つの視覚的ツールを提供して、少なくとも１つの好ましい搬送サービス要求を分析または評価し、次いで確保または取得するのを補助することができる。
【００２７】
本発明の少なくとも１つの視覚的表現の１つの限定を目的としない実施形態は、少なくとも１つの動的マップであり得る。本発明の少なくとも１つの動的マップは、限定はしないが、少なくとも１つのサービスプロバイダからの、対応する搬送データを有する少なくとも１つの好ましい搬送サービス要求、対応する搬送データを有する少なくとも１つのフィルタリングされた搬送サービス要求、またはそれらの組合せをリアルタイムまたはほぼリアルタイムで表示することができる少なくとも１つの地理的マップであり得る。本発明の少なくとも１つの動的マップは、限定はしないが、少なくとも１つの搬送クライアントの少なくとも１つのリアルタイムまたはほぼリアルタイムの地理的位置、少なくとも１つのサービス開始地理的位置、少なくとも１つのサービス終了地理的位置、価格設定情報、またはそれらの組合せを表示することができる。少なくとも１つの代理人は、少なくとも１つの好ましい搬送サービス要求を分析または評価し、次いで確保または取得する際に、少なくとも１つの好ましい搬送サービス要求を視覚的に識別して、十分な情報に基づいた少なくとも１つの決定を行うことができる。本発明の少なくとも１つの動的マップを差別化する１つの改善点は、限定はしないが、少なくとも１つの搬送クライアント、少なくとも１つのサービスプロバイダ、少なくとも１つの商品サプライヤ、少なくとも１つの対応する搬送サービス要求、またはそれらの組み合わせを、少なくとも１つの移動型一時アイコン、少なくとも１つの移動型一時ビジュアル、または少なくとも１つの移動型一時シンボルとして個々に表示することができ、リアルタイムまたはほぼリアルタイムで更新することができる点であり得る。
【００２８】
本発明の少なくとも１つの視覚的表現の１つの限定を目的としない実施形態は、少なくとも１つのヒートマップであり得る。本発明の少なくとも１つのヒートマップは、少なくとも１つの地理的マップ上に表示されている少なくとも１つの統計変数の少なくとも１つの測定値に比例して、少なくとも１つのエリアに、限定はしないが、陰影、色、模様、またはそれらの組合せを付けて、少なくとも１つの搬送サービス要求を分析または評価する際に少なくとも１つの代理人を支援することができる、少なくとも１つの地理的マップであり得る。
【００２９】
本発明の少なくとも１つの視覚的表現の１つの限定を目的としない実施形態は、少なくとも１つの予測ヒートマップであり得る。本発明の少なくとも１つの予測ヒートマップは、限定はしないが、対応する搬送データが関連付けられた少なくとも１つのリアルタイムまたはほぼリアルタイムのフィルタリングされた搬送サービス要求、対応する搬送データが関連付けられた少なくとも１つの過去のフィルタリングされた搬送サービス要求、またはそれらの組合せを含む、少なくとも１つの統計変数からコンパイルすることができる、本発明の少なくとも１つのヒートマップの少なくとも１つの変形であり得る。本発明の少なくとも１つの予測ヒートマップは、限定はしないが、将来の供給、将来の需要、少なくとも１つの将来の統計変数、またはそれらの組合せの推定を行うことができる。本発明の少なくとも１つの予測ヒートマップは、機械学習技術を利用することができる。
【００３０】
本発明の少なくとも１つの視覚的表現の１つの限定を目的としない実施形態は、少なくとも１つの履歴ヒートマップであり得る。本発明の少なくとも１つの履歴ヒートマップは、限定はしないが、対応する搬送データが関連付けられた少なくとも１つの過去にフィルタリングされた搬送サービス要求の少なくとも１つの統計変数からコンパイルすることができる、本発明の少なくとも１つのヒートマップの少なくとも１つの変形であり得る。本発明の少なくとも１つの履歴ヒートマップは、過去の供給、過去の需要、少なくとも１つの過去の統計変数、またはそれらの組み合わせを示すことができる。
【００３１】
本発明の少なくとも１つの視覚的表現の１つの限定を目的としない実施形態は、本発明の少なくとも１つの動的マップと本発明の少なくとも１つのヒートマップの少なくとも１つの組合せであり得る。本発明の少なくとも１つの動的マップと本発明の少なくとも１つのヒートマップの少なくとも１つの組み合わせは、少なくとも１つの代理人が、マクロレベルおよびミクロレベルの両方で、少なくとも１つの搬送業界セグメントで活動する少なくとも１つのサービスプロバイダを見ることを可能にすることができる。
【００３２】
本発明の１つの利点は、本発明の少なくとも１つの視覚的表現を使用することによって、少なくとも１つの好ましい搬送サービス要求を分析または評価する少なくとも１つの新しい方法をもたらすことができる、情報を表示する少なくとも１つの改善された技術であり得る。本発明の少なくとも１つの動的マップに関連する少なくとも１つの改善された技術は、少なくとも１つの代理人が、少なくとも１つのフィルタリングされた搬送サービス要求と比較して視覚的に識別可能な少なくとも１つの好ましい搬送サービス要求を、容易に分析または評価することを可能にすることができる。少なくとも１つの代理人は、本発明の少なくとも１つのヒートマップを使用して、少なくとも１つの所与の地理的位置が仕事をする上で少なくとも１つの良好なエリアであるかどうかを分析または評価することができる。１つの利点は、本発明の少なくとも１つの視覚的表現はリアルタイムまたはほぼリアルタイムで連続的に更新することができるため、少なくとも１つの代理人が、少なくとも１つの搬送サービス要求のうちのどれを確保または取得するのが好ましいかを見抜いて知ることができる点であり得る。少なくとも１つの改善された技術は、少なくとも１つの代理人が、少なくとも１つの搬送業界セグメントにおける少なくとも１つのリアルタイムまたはほぼリアルタイムの環境の全体像を視覚的に把握して、少なくとも１つの好ましい搬送サービス要求を識別することを可能にすることができる。
【００３３】
本発明の１つの利点は、少なくとも１つの代理人にとって有用であり得る新しいデータを生成することができる少なくとも１つの新しい技術であり得る。本発明の少なくとも１つの予測ヒートマップの１つの限定を目的としない実施形態は、限定はしないが、対応する搬送データが関連付けられた少なくとも１つのリアルタイムまたはほぼリアルタイムのフィルタリングされた搬送サービス要求、対応する搬送データが関連付けられた少なくとも１つの過去のフィルタリングされた搬送サービス要求、またはそれらの組合せを、少なくとも１つの代理人が目標に従ってより多くの仕事をこなすために分析または評価することができる、本発明の少なくとも１つの予測ヒートマップに変換することができる。本発明の少なくとも１つの予測ヒートマップは、高価格設定の少なくとも１つのエリアを追跡する少なくとも１つの機会の欠落に対する少なくとも１つの解決策を提供することができる。本発明の少なくとも１つの予測ヒートマップの１つの限定を目的としない実施形態は、少なくとも１つの代理人に、限定はしないが、対応する搬送データが関連付けられた少なくとも１つのリアルタイムまたはほぼリアルタイムのフィルタリングされた搬送サービス要求、対応する搬送データが関連付けられた少なくとも１つの過去のフィルタリングされた搬送サービス要求、またはそれらの組合せに基づいた分析または評価のための新しいデータを提供することができ、将来の供給または将来の需要を予測するために機械学習技術を利用することができる。
【００３４】
本発明の１つの利点は、少なくとも１つの搬送業界セグメントに関連する洞察または知識の増加に起因して、少なくとも１つの代理人が、限定はしないが、少なくとも１つの搬送クライアント、少なくとも１つの商品サプライヤ、少なくとも１つのサービスプロバイダ、またはそれらの組合せと対話する少なくとも１つの改善された能力であり得る。本発明は、少なくとも１つの代理人によって分析または評価される、限定はしないが、少なくとも１つの好ましい搬送サービス要求、少なくとも１つのフィルタリングされた搬送サービス要求、搬送データ、またはそれらの組合せを提示するための少なくとも１つのツールであり得る。
【００３５】
本発明の１つの利点は、少なくとも１つの代理人の意思決定能力を改善することができ、少なくとも１つの代理人が少なくとも１つの代理人選好を使用することを可能にし、少なくとも１つの代理人がその時点で利用可能な少なくとも１つの最も好ましい搬送サービス要求を確保または取得する能力を改善することができる点である。
【００３６】
本発明の１つの限定を目的としない態様は、少なくとも１つのリアルタイムまたはほぼリアルタイムのシステムおよび少なくとも１つのリアルタイムまたはほぼリアルタイムの方法を使用して、本発明の少なくとも１つの視覚的表現を用いて、少なくとも１つの好ましい搬送サービス提供を分析または評価し、次いで確保または取得する少なくとも１つのプロセスにおいて、少なくとも１つの搬送クライアントを支援することができる、少なくとも１つの技術ベースの解決策であり得る。
【００３７】
本発明は、少なくとも１つの搬送クライアント選好、および、好ましくは、少なくとも１つの搬送クライアントの少なくとも１つのリアルタイムまたはほぼリアルタイムの地理的位置に基づいて、少なくとも１つの搬送サービス提供を受信してフィルタリングすることができる。本発明は、少なくとも１つのフィルタリングされた搬送サービス提供から少なくとも１つの好ましい搬送サービス提供を識別することができる。対応する搬送データを有する少なくとも１つのフィルタリングされた搬送サービス提供、対応する搬送データを有する少なくとも１つの好ましい搬送サービス提供、またはそれらの組合せの本発明の少なくとも１つの視覚的表現は、少なくとも１つのアプリケーション上で少なくとも１つの地理的マップを用いてコンパイルすることができる。本発明は、少なくとも１つの好ましい搬送サービス提供を分析または評価し、次いで確保または取得するのを補助する少なくとも１つの視覚的ツールを、少なくとも１つの搬送クライアントに提供することができる。
【００３８】
本発明の少なくとも１つの視覚的表現の１つの限定を目的としない実施形態は、少なくとも１つの動的マップであり得る。本発明の少なくとも１つの動的マップは、限定はしないが、少なくとも１つのサービスプロバイダからの、対応する搬送データを有する少なくとも１つの好ましい搬送サービス提供、対応する搬送データを有する少なくとも１つのフィルタリングされた搬送サービス提供、またはそれらの組合せをリアルタイムまたはほぼリアルタイムで表示することができる少なくとも１つの地理的マップであり得る。本発明の少なくとも１つの動的マップは、限定はしないが、少なくとも１つの代理人の少なくとも１つのリアルタイムまたはほぼリアルタイムの地理的位置、少なくとも１つのサービス開始地理的位置、少なくとも１つのサービス終了地理的位置、価格設定情報、またはそれらの組合せを表示することができる。少なくとも１つの搬送クライアントは、少なくとも１つの好ましい搬送サービス提供を分析または評価し、次いで確保または取得する際に、少なくとも１つの好ましい搬送サービス提供を視覚的に識別して、十分な情報に基づいた少なくとも１つの決定を行うことができる。本発明の少なくとも１つの動的マップの１つの差別化可能な改善点は、限定はしないが、少なくとも１つの代理人、少なくとも１つのサービスプロバイダ、少なくとも１つの商品サプライヤ、少なくとも１つの対応する搬送サービス提供、またはそれらの組み合わせを、少なくとも１つの移動型一時アイコン、少なくとも１つの移動型一時ビジュアル、または少なくとも１つの移動型一時シンボルとして個々に表示することができ、リアルタイムまたはほぼリアルタイムで更新することができる点であり得る。
【００３９】
本発明の少なくとも１つの視覚的表現の１つの限定を目的としない実施形態は、少なくとも１つのヒートマップであり得る。本発明の少なくとも１つのヒートマップは、少なくとも１つの地理的マップ上に表示されている少なくとも１つの統計変数の少なくとも１つの測定値に比例して、少なくとも１つのエリアに、限定はしないが、陰影、色、模様、またはそれらの組合せを付けて、少なくとも１つの搬送サービス提供を分析または評価する際に少なくとも１つの搬送クライアントを支援することができる、少なくとも１つの地理的マップであり得る。
【００４０】
本発明の少なくとも１つの視覚的表現の１つの限定を目的としない実施形態は、少なくとも１つの予測ヒートマップであり得る。本発明の少なくとも１つの予測ヒートマップは、限定はしないが、対応する搬送データが関連付けられた少なくとも１つのリアルタイムまたはほぼリアルタイムのフィルタリングされた搬送サービス提供、対応する搬送データが関連付けられた少なくとも１つの過去のフィルタリングされた搬送サービス提供、またはそれらの組合せの少なくとも１つの統計変数からコンパイルすることができる、本発明の少なくとも１つのヒートマップの少なくとも１つの変形であり得る。本発明の少なくとも１つの予測ヒートマップは、限定はしないが、将来の供給、将来の需要、少なくとも１つの将来の統計変数、またはそれらの組合せを推定することができる。本発明の少なくとも１つの予測ヒートマップは、機械学習技術を利用することができる。
【００４１】
本発明の少なくとも１つの視覚的表現の１つの限定を目的としない実施形態は、少なくとも１つの履歴ヒートマップであり得る。本発明の少なくとも１つの履歴ヒートマップは、限定はしないが、対応する搬送データが関連付けられた少なくとも１つの過去のフィルタリングされた搬送サービス提供の少なくとも１つの統計変数からコンパイルすることができる、本発明の少なくとも１つのヒートマップの少なくとも１つの変形であり得る。本発明の少なくとも１つの履歴ヒートマップは、過去の供給、過去の需要、少なくとも１つの過去の統計変数、またはそれらの組み合わせを示すことができる。
【００４２】
本発明の少なくとも１つの視覚的表現の１つの限定を目的としない実施形態は、本発明の少なくとも１つの動的マップと本発明の少なくとも１つのヒートマップの少なくとも１つの組合せであり得る。本発明の少なくとも１つの動的マップと本発明の少なくとも１つのヒートマップの少なくとも１つの組み合わせは、少なくとも１つの搬送クライアントが、マクロレベルおよびミクロレベルの両方で、少なくとも１つの搬送業界セグメントで活動する少なくとも１つのサービスプロバイダを見ることを可能にすることができる。
【００４３】
本発明の１つの利点は、本発明の少なくとも１つの視覚的表現を使用することによって、少なくとも１つの好ましい搬送サービス提供を分析または評価する少なくとも１つの新しい方法をもたらすことができる、情報を表示する少なくとも１つの改善された技術であり得る。本発明の少なくとも１つの動的マップに関連する少なくとも１つの改善された技術は、少なくとも１つの搬送クライアントが、少なくとも１つのフィルタリングされた搬送サービス提供と比較して視覚的に識別可能な少なくとも１つの好ましい搬送サービス提供を、容易に分析または評価することを可能にすることができる。少なくとも１つの搬送クライアントは、本発明の少なくとも１つのヒートマップを使用して、少なくとも１つの搬送クライアントが少なくとも１つの高価格設定エリアにいるかどうかを分析または評価することができる。１つの利点は、本発明の少なくとも１つの視覚的表現はリアルタイムまたはほぼリアルタイムで連続的に更新することができるため、少なくとも１つの搬送クライアントが、少なくとも１つの搬送サービス提供のうちのどれを確保または取得するのが好ましいかを見抜いて知ることができる点であり得る。少なくとも１つの改善された技術は、少なくとも１つの搬送クライアントが、少なくとも１つの搬送業界セグメントにおける少なくとも１つのリアルタイムまたはほぼリアルタイムの環境の全体像を視覚的に把握して、少なくとも１つの好ましい搬送サービス提供を識別することを可能にすることができる。
【００４４】
本発明の１つの利点は、少なくとも１つの搬送クライアントにとって有用であり得る新しいデータを生成することができる少なくとも１つの新しい技術であり得る。本発明の少なくとも１つの予測ヒートマップの１つの限定を目的としない実施形態は、限定はしないが、対応する搬送データが関連付けられた少なくとも１つのリアルタイムまたはほぼリアルタイムのフィルタリングされた搬送サービス提供、対応する搬送データが関連付けられた少なくとも１つの過去のフィルタリングされた搬送サービス提供、またはそれらの組合せを、少なくとも１つの搬送クライアントが分析または評価することができ、少なくとも１つの将来の好ましい搬送サービス提供を識別するのを容易にすることができる、本発明の少なくとも１つの予測ヒートマップに変換することができる。本発明の少なくとも１つの予測ヒートマップは、少なくとも１つの同様の搬送サービスに対してより多く支払うという少なくとも１つの問題に対する少なくとも１つの解決策を提供することができる。本発明の少なくとも１つの予測ヒートマップの１つの限定を目的としない実施形態は、少なくとも１つの搬送クライアントに、限定はしないが、対応する搬送データが関連付けられた少なくとも１つのリアルタイムまたはほぼリアルタイムのフィルタリングされた搬送サービス提供、対応する搬送データが関連付けられた少なくとも１つの過去のフィルタリングされた搬送サービス提供、またはそれらの組合せに基づいた分析または評価のための新しいデータを提供することができ、将来の供給または将来の需要を予測するために機械学習技術を利用することができる。
【００４５】
本発明の１つの利点は、少なくとも１つの搬送業界セグメントに関連する洞察または知識の増加に起因して、少なくとも１つの搬送クライアントが、限定はしないが、少なくとも１つの代理人、少なくとも１つの商品サプライヤ、少なくとも１つのサービスプロバイダ、またはそれらの組合せと対話する少なくとも１つの改善された能力であり得る。本発明は、少なくとも１つの搬送クライアントによって分析または評価される、限定はしないが、少なくとも１つの好ましい搬送サービス提供、少なくとも１つのフィルタリングされた搬送サービス提供、搬送データ、またはそれらの組合せを提示するための少なくとも１つのツールであり得る。
【００４６】
本発明の１つの利点は、少なくとも１つの搬送クライアントの意思決定能力を改善することができ、少なくとも１つの搬送クライアントが少なくとも１つの搬送クライアント選好を使用することを可能にし、少なくとも１つの搬送クライアントがその時点で利用可能な少なくとも１つの最も好ましい搬送サービス提供を確保または取得する能力を改善することができる点である。
【００４７】
本発明の一つの利点は、本発明の少なくとも１つの視覚的表現が、少なくとも１つの代理人に、限定はしないが、少なくとも１つの代理人によって入力または提供される少なくとも１つのメトリック、少なくとも１つの代理人選好、またはそれらの組合せに基づいた、少なくとも１つの分析または少なくとも１つの傾向に関するより多くの知識または情報を提供して、少なくとも１つの好ましい搬送サービス要求の分析または評価、および、好ましくは、確保または取得を補助することができる点であり得る。本発明の少なくとも１つの視覚的表現は、少なくとも１つの搬送サービス要求を分析または評価する際に少なくとも１つの代理人を支援することができ、更なる透明性を提供することができる、限定はしないが、リアルタイムの情報またはデータ、ほぼリアルタイムの情報またはデータ、履歴の情報またはデータ、予測の情報またはデータ、またはそれらの組合せを提示するための、少なくとも１つのツールであり得る。
【００４８】
本発明の１つの利点は、少なくとも１人の代理人が、少なくとも１つの好ましい搬送サービス要求を分析または評価し、次いで確保または取得する際に、より優れた制御性または柔軟性を得ることができることであり得る。少なくとも１つの代理人は、少なくとも１つの代理人がどのようにどこで働きたいかについての、少なくとも１つのパラメータまたは少なくとも１つの代理人選好を設定することができ、それによって、少なくとも１つの代理人に、より優れた制御性や適応性が提供される。
【００４９】
本発明の一つの利点は、本発明の少なくとも１つの視覚的表現が、少なくとも１つの搬送クライアントに、限定はしないが、少なくとも１つの搬送クライアントによって入力または提供される少なくとも１つのメトリック、少なくとも１つの搬送クライアント選好、またはそれらの組合せに基づいた、少なくとも１つの分析または少なくとも１つの傾向に関するより多くの知識や情報を提供して、少なくとも１つの好ましい搬送サービス提供の分析または評価、および、好ましくは、確保または取得を補助することができる点であり得る。本発明の少なくとも１つの視覚的表現は、少なくとも１つの搬送サービス提供を分析または評価する際に少なくとも１つの搬送クライアントを支援することができ、更なる透明性を提供することができる、限定はしないが、リアルタイムの情報またはデータ、ほぼリアルタイムの情報またはデータ、履歴の情報またはデータ、予測の情報またはデータ、またはそれらの組合せを提示することができる、少なくとも１つのツールであり得る。ホームタウンの外を移動している少なくとも１つの搬送クライアントに対しては、この増加した知識や情報を増幅させることができる。少なくとも１つの搬送クライアントは、少なくとも１つの異なるエリアからの少なくとも１人の人が有し得るのと同じ少なくとも１つの異なるエリアのローカルな知識または情報を有していなくてもよい。本発明は、供給と需要のバランスをとるのを容易にすることができる少なくとも１つのサービスプロバイダからの価格設定情報を少なくとも１つの搬送クライアントに提供することができる。本発明は、更なる価格の透明性を提供することができ、少なくとも１つの搬送クライアントの知識や情報を改善することができる。
【００５０】
少なくとも１つの代理人に対する本発明の１つの利点は、少なくとも１つの好ましい搬送サービス要求を分析または評価し、次いで確保または取得する少なくとも１つの方法を、リアルタイムまたはほぼリアルタイムで達成することができることであり得る。リアルタイムまたはほぼリアルタイムで動作することができる少なくとも１つのシステムおよび少なくとも１つの方法を利用することによって、量子計算、機械学習技術、またはそれらの組合せを組み込んで、限定はしないが、少なくとも１つの代理人が少なくとも１つの好ましい搬送サービス要求を確保または取得するための分析または評価をさらに改善することができる。
【００５１】
少なくとも１つの搬送クライアントに対する本発明の１つの利点は、少なくとも１つの好ましい搬送サービス提供を分析または評価し、次いで確保または取得する少なくとも１つの方法を、リアルタイムまたはほぼリアルタイムで達成することができることであり得る。リアルタイムまたはほぼリアルタイムで動作することができる少なくとも１つのシステムおよび少なくとも１つの方法を利用することによって、量子計算、機械学習技術、またはそれらの組合せを組み込んで、限定はしないが、少なくとも１つの搬送クライアントが少なくとも１つの好ましい搬送サービス提供を確保または取得するための分析または評価をさらに改善することができる。
【００５２】
本発明の１つの利点は、少なくとも１つの代理人によって分析または評価される少なくとも１つの搬送サービス要求がより多く利用可能な点であり得る。少なくとも１つの代理人は、少なくとも１つの代理人選好が与えられている場合、少なくとも１つの搬送サービス要求が多く紹介されるほど、少なくとも１つの好ましい搬送サービス要求を識別して確保または取得できる機会が多くなる。
【００５３】
本発明の１つの利点は、少なくとも１つの搬送クライアントによって分析または評価される少なくとも１つの搬送サービス提供がより多く利用可能な点であり得る。少なくとも１つの搬送クライアントは、少なくとも１つの搬送クライアント選好が与えられている場合、少なくとも１つの搬送サービス提供が多く紹介されるほど、少なくとも１つの好ましい搬送サービス提供を識別して確保または取得できる機会が多くなる。
【００５４】
本発明の１つの利点は、少なくとも１つの代理人が、少なくとも１つの搬送サービス要求を少なくとも１つのフィルタリングされた搬送サービス要求にフィルタリングし、少なくとも１つのフィルタリングされた搬送サービス要求から少なくとも１つの好ましい搬送サービス要求を識別するための、少なくとも１つの代理人選好を入力または提供することができることであり得る。少なくとも１つの好ましい搬送サービス要求を識別し好ましくは確保または取得するために少なくとも１つの代理人選好を使用する、少なくとも１つの改善されたプロセスにより、少なくとも１つの代理人は、少なくとも１つの搬送サービス要求をより効率的に分析または評価することができる。少なくとも１つの改善されたプロセスは、少なくとも１つの代理人がより効率的に働き、少なくとも１つの好ましい搬送サービス要求を識別し確保または取得することに費やす時間を短縮し、少なくとも１つの搬送サービスの提供に費やす時間を長くすることを可能にすることができる。
【００５５】
本発明の１つの利点は、少なくとも１つの搬送クライアントが、少なくとも１つの搬送サービス提供を少なくとも１つのフィルタリングされた搬送サービス提供にフィルタリングし、少なくとも１つのフィルタリングされた搬送サービス提供から少なくとも１つの好ましい搬送サービス提供を識別するための、少なくとも１つの搬送クライアント選好を入力または提供することができることであり得る。少なくとも１つの好ましい搬送サービス提供を識別し好ましくは確保または取得するために少なくとも１つの搬送クライアント選好を使用する、少なくとも１つの改善されたプロセスにより、少なくとも１つの搬送クライアントは、少なくとも１つの搬送サービス提供をより効率的に分析または評価することができる。
【００５６】
本発明の１つの利点は、少なくとも１つの代理人が、少なくとも１つの代理人選好に関連する少なくとも１つの好ましい搬送サービス要求を確保または取得する際に、その予想利益を増大させることができることであり得る。本発明は、少なくとも１つの代理人が、少なくとも１つの好ましい搬送サービス要求を識別し、好ましくは確保または取得するために、少なくとも１つの代理人選好を入力または提供する少なくとも１つの能力を提供することができる。少なくとも１つの改善されたプロセスは、少なくとも１つの高価格設定選好を使用しているときは、少なくとも１つの代理人が、少なくとも１つの所与の期間にわたって、少なくとも１つの代理人の収益性を増加させることができる少なくとも１つの好ましい搬送サービス要求のみを確保または取得することを可能にすることができる。少なくとも１つの代理人は、少なくとも１つの高価格設定選好を使用しているときに、少なくとも１つの所与のエリア内に留まるって収益性を高めるために、少なくとも１つのより短い距離の搬送サービスだけを提供することを望む可能性がある。少なくとも１つの代理人は、高価格エリア内で提供される少なくとも１つの搬送サービスごとに、少なくとも１つの高価格エリア外で少なくとも１つの同様の搬送サービスを実行するよりも、収益性を高めることができる。
【００５７】
本発明の１つの利点は、少なくとも１つの搬送クライアントが、少なくとも１つの搬送クライアント選好に関連する少なくとも１つの好ましい搬送サービス提供を確保または取得する際に、お金を節約することができることであり得る。本発明は、少なくとも１つの搬送クライアントが、少なくとも１つの好ましい搬送サービス提供を識別し、好ましくは確保または取得するために、少なくとも１つの搬送クライアント選好を入力または提供する少なくとも１つの能力を提供することができる。少なくとも１つの改善されたプロセスは、少なくとも１つの価格設定選好を使用しているときは、少なくとも１つの搬送クライアントが少なくとも１つの同様の搬送サービスに対して多く支払うのを防止することができる、少なくとも１つの好ましい搬送サービス提供のみを確保または取得することを可能にすることができる。少なくとも１つの搬送クライアントは、本発明の少なくとも１つのヒートマップを使用して、少なくとも１つの搬送クライアントの少なくとも１つのリアルタイムまたはほぼリアルタイムの地理的位置の周りの、少なくとも１つの高価格設定のエリアを判断することができる。少なくとも１つの搬送クライアントが、少なくとも１つの高価格設定のエリアにいる場合、少なくとも１つの搬送クライアントは、高価格設定が無い少なくとも１つの潜在的な近くのエリアを視覚的に判断することができる。そうすると、少なくとも１つの搬送クライアントは、少なくとも１つの搬送サービスを要求するために高価格設定が無い少なくとも１つのエリアに歩くという少なくとも１つの選択肢を得ることができる。その結果、少なくとも１つの搬送クライアントは、少なくとも１つの同様の搬送サービスに対する支払いを大幅に減らすことができる。
【００５８】
本発明の１つの利点は、少なくとも１つの代理人が、少なくとも１つの搬送業界セグメントにおいて、少なくとも１つの搬送サービスを操作または提供する少なくとも１つの能力であり得る。現在のところ、少なくとも１つのサービスプロバイダは、少なくとも１つの代理人が少なくとも１つの追加の搬送業界セグメントで同時に活動することを可能にする少なくとも１つの能力を有していない。本発明は、少なくとも１つの代理人が、最初に少なくとも１つの搬送業界セグメントで活動し、次に、少なくとも１つの異なる搬送業界セグメントで少なくとも１つの搬送サービスを実行し、次に、少なくとも１つの最初の搬送業界セグメントに戻って活動することを可能にすることができる。本発明は、シームレスに、少なくとも１つの代理人選好に基づいて、少なくとも１つの代理人の少なくとも１つの搬送業界セグメント間の移動を可能にすることができる。
【００５９】
本発明の１つの利点は、少なくとも１つの搬送業界セグメントにおいて、少なくとも１つの好ましい搬送サービス提供を分析または評価し、次いで確保または取得する、少なくとも１つの搬送クライアントの少なくとも１つの能力であり得る。
【００６０】
本発明の１つの利点は、搬送業界全体に付加価値を加えることができることである。少なくとも１つの代理人および少なくとも１つのサービスプロバイダは、少なくとも１つの代理人の満足度を高め、少なくとも１つの代理人が少なくとも１つの代理人選好に基づいて少なくとも１つの好ましい搬送サービスを識別し実行することを可能にすることによって、本発明から利益を得ることができる。少なくとも１つの搬送クライアントは、限定はしないが、より短い待ち時間、少なくとも１つの搬送サービスのより高い品質、より高い価格透明性、またはそれらの組み合わせを含む、本発明からの利益を得ることができる。同時に、本発明は、少なくとも１つの既存のシステムおよび少なくとも１つの既存の方法をリアルタイムまたはほぼリアルタイムの環境に適応させることで改善し、少なくとも１つの搬送業界セグメントをすべての関係者にとってよりよいものにするのを促進することができる。
【００６１】
＜本発明の例示的な態様および実施形態の詳細な説明＞
Ｉ．システム＃１：代理人マップ
本発明の第一の態様は、搬送業界内で、少なくとも１つの視覚的表現を使用して、少なくとも１つの代理人の少なくとも１つの選好および少なくとも１つのリアルタイムまたはほぼリアルタイムの地理的位置に関連する少なくとも１つの好ましい搬送サービス要求を確保または取得する少なくとも１つのプロセスにおいて少なくとも１つの代理人を支援するための、リアルタイムまたはほぼリアルタイムのシステムであって、
ａ）少なくとも１つの外部サーバであって、
ｉ）少なくとも１つのコンピュータプロセッサと、
ｉｉ）少なくとも１つのコンピュータ可読メモリと
ｉｉｉ）少なくとも１つのネットワークインターフェースと、
ｉｖ）複数の搬送サービス要求の少なくとも１つのリアルタイムまたはほぼリアルタイムのソースと
を備える少なくとも１つの外部サーバと、
ｂ）少なくとも１つの中央サーバであって、
ｉ）少なくとも１つのコンピュータプロセッサと、
ｉｉ）少なくとも１つのコンピュータ可読メモリと、
ｉｉｉ）少なくとも１つのネットワークインターフェースと
を備える少なくとも１つの中央サーバと、
ｃ）少なくとも１つの端末であって、
少なくとも１つの電子計算装置であって、
（ｉ）少なくとも１つのコンピュータプロセッサと、
（ｉｉ）少なくとも１つのコンピュータ可読メモリと、
（ｉｉｉ）少なくとも１つの入力ソースと、
（ｉｖ）少なくとも１つのディスプレイと、
（ｖ）少なくとも１つの地理的位置モジュールと、
（ｖｉ）少なくとも１つのネットワークインターフェースと、
を備える少なくとも１つの電子計算装置
を備える少なくとも１つの端末と、
ｄ）少なくとも１つのアプリケーションであって、
ｉ）前記少なくとも１つの視覚的表現を表示するように動作可能な少なくとも１つのコンピュータプログラム、
ｉｉ）前記少なくとも１つの好ましい搬送サービス要求を確保または取得するように動作可能な前記少なくとも１つのコンピュータプログラム、
ｉｉｉ）またはそれらの組み合わせ
を含む少なくとも１つのアプリケーションと、
ｅ）少なくとも１つのリンクであって、
ｉ）少なくとも１つの電子通信ネットワークチャネル、
ｉｉ）少なくとも１つのソフトウェア機能または少なくとも１つのソフトウェアコンポーネントとの少なくとも１つの接続または少なくとも１つの関連付け、
ｉｉｉ）またはそれらの組み合わせ
を含む少なくとも１つのリンクと、
ｆ）複数の搬送サービス要求であって、
少なくとも１つの個々の搬送サービス要求であって、
（ｉ）少なくとも１つの地理的位置から少なくとも１つの他の地理的位置へ少なくとも１人の人、少なくとも１つの商品、少なくとも１つの物、またはそれらの組み合わせを輸送するための少なくとも１つの要求と、
（ｉｉ）リアルタイムまたはほぼリアルタイムで更新される前記個々の搬送サービス要求と、
（ｉｉｉ）前記個々の搬送サービス要求に対応する定性的及び定量的搬送データと、
を含む少なくとも１つの個々の搬送サービス要求
を含む複数の搬送サービス要求と、
ｇ）複数のフィルタリングされた搬送サービス要求であって、
ｉ）前記少なくとも１つの代理人選好および前記少なくとも１つの代理人の前記少なくとも１つのリアルタイムまたはほぼリアルタイムの地理的位置を使用して前記複数の搬送サービス要求の全部または一部をフィルタリングした少なくとも１つの結果である、前記複数の搬送サービス要求の全部または一部の少なくとも１つのサブセットと、
ｉｉ）リアルタイムまたはほぼリアルタイムで更新される前記複数のフィルタリングされた搬送サービス要求の全部または一部と、
ｉｉｉ）個々のフィルタリングされた搬送サービス要求に対応する定性的および定量的搬送データと、
を含む複数のフィルタリングされた搬送サービス要求と、
ｈ）少なくとも１つの好ましい搬送サービス要求であって、
ｉ）前記少なくとも１人の人、前記少なくとも１つの商品、前記少なくとも１つの物、またはそれらの組合せを、少なくとも１つの地理的位置から、前記複数のフィルタリングされた搬送サービス要求の全部または一部から識別される少なくとも１つの他の地理的位置に輸送するための前記少なくとも１つの要求と、
ｉｉ）リアルタイムまたはほぼリアルタイムで更新される前記少なくとも１つの好ましい搬送サービス要求と、
ｉｉｉ）個々の好ましい搬送サービス要求に対応する定性的および定量的搬送データと、
を含む少なくとも１つの好ましい搬送サービス要求と、
ｉ）少なくとも１つの代理人であって、
ｉ）前記少なくとも１つの視覚的表現を分析または評価し、次いで、前記少なくとも１つの好ましい搬送サービス要求を確保または取得する、少なくとも１人の人、少なくとも１つの機械、またはそれらの組合せを含み、
ｉｉ）前記少なくとも１つの代理人は、少なくとも１つの搬送サービスを実行する、
少なくとも１つの代理人と、
ｊ）少なくとも１つの代理人選好であって、
ｉ）前記複数の搬送サービス要求の全部または一部を前記複数のフィルタリングされた搬送サービス要求の全部または一部にフィルタリングするために使用される、前記少なくとも１つの代理人によって選択または提供される少なくとも１つのオプションを含み、
ｉｉ）前記少なくとも１つの代理人選好が、前記少なくとも１つの好ましい搬送サービス要求を識別するために使用される、
代理人選好と、
ｋ）少なくとも１つの視覚的表現であって、
対応する搬送データが関連付けられた前記複数のフィルタリングされた搬送サービス要求、対応する搬送データが関連付けられた前記少なくとも１つの好ましい搬送サービス要求、前記少なくとも１つの代理人選好、またはそれらの組合せの全部または一部を表示する少なくとも１つの地理的マップ
を含む少なくとも１つの視覚的表現と、
を含み、
前記複数の搬送サービス要求の全部または一部が、前記少なくとも１つの外部サーバと前記少なくとも１つの中央サーバとの間の少なくとも１つのリンクを介して、前記少なくとも１つの外部サーバと前記少なくとも１つの中央サーバとの間でリアルタイムまたはほぼリアルタイムで送信され、
さらに、対応する搬送データが関連付けられた前記複数のフィルタリングされた搬送サービス要求、対応する搬送データが関連付けられた前記少なくとも１つの好ましい搬送サービス要求、前記少なくとも１つの代理人選好、前記少なくとも１つの代理人の前記少なくとも１つのリアルタイムまたはほぼリアルタイムの地理的位置、またはそれらの組合せが、前記少なくとも１つの中央サーバと前記少なくとも１つのアプリケーションとの間の少なくとも１つのリンクを介して、前記少なくとも１つの中央サーバと前記少なくとも１つのアプリケーションとの間でリアルタイムまたはほぼリアルタイムで送信され、
さらに、前記少なくとも１つのアプリケーションは前記少なくとも１つの端末上で動作し、前記少なくとも１つの代理人は、前記少なくとも１つのアプリケーションを使用して、対応する搬送データが関連付けられた前記複数のフィルタリングされた搬送サービス要求、対応する搬送データが関連付けられた前記少なくとも１つの好ましい搬送サービス要求、前記少なくとも１つの代理人選好、またはそれらの組合せの全部または一部の前記少なくとも１つの視覚的表現を分析または評価し、
さらに、前記少なくとも１つの代理人は、前記少なくとも１つのアプリケーションを使用して、前記少なくとも１つの視覚的表現を分析または評価し、次いで、前記少なくとも１つの好ましい搬送サービス要求を確保または取得し、
さらに、前記少なくとも１つの外部サーバは、前記少なくとも１つの外部サーバと前記少なくとも１つの中央サーバとの間の少なくとも１つのリンクを介して前記少なくとも１つの外部サーバから前記少なくとも１つの中央サーバにリアルタイムまたはほぼリアルタイムで送信される前記複数の搬送サービス要求の全部または一部の、少なくとも１つのリアルタイムまたはほぼリアルタイムのソースであり、
さらに、前記複数の搬送サービス要求の全部または一部は、リアルタイムまたはほぼリアルタイムで更新され、
さらに、前記少なくとも１つの中央サーバは、リアルタイムまたはほぼリアルタイムで、前記複数の搬送サービス要求の全部または一部の標準化、集約、またはそれらの組合せを実行し、
さらに、前記少なくとも１つの中央サーバは、リアルタイムまたはほぼリアルタイムで、前記少なくとも１つの代理人選好と、前記少なくとも１つの代理人の前記少なくとも１つのリアルタイムまたはほぼリアルタイムの地理的位置とを使用することによって、前記複数の搬送サービス要求の全部または一部をフィルタリングして、前記複数のフィルタリングされた搬送サービス要求の全部または一部を識別し、
さらに、前記複数のフィルタリングされた搬送サービス要求の全部または一部は、リアルタイムまたはほぼリアルタイムで更新され、
さらに、前記少なくとも１つの中央サーバは、前記少なくとも１つの代理人選好に関連する前記複数のフィルタリングされた搬送サービス要求の全部または一部から、前記少なくとも１つの好ましい搬送サービス要求をリアルタイムまたはほぼリアルタイムで識別し、
さらに、前記少なくとも１つの好ましい搬送サービス要求は、リアルタイムまたはほぼリアルタイムで更新され、
さらに、前記少なくとも１つの中央サーバは、対応する搬送データが関連付けられた前記複数のフィルタリングされた搬送サービス要求の全部または一部、対応する搬送データが関連付けられた前記少なくとも１つの好ましい搬送サービス要求、前記少なくとも１つの代理人選好、またはそれらの組合せを、前記少なくとも１つの中央サーバと前記少なくとも１つのアプリケーションとの間の少なくとも１つのリンクを介して、前記少なくとも１つのアプリケーションにリアルタイムまたはほぼリアルタイムで送信し、
さらに、前記少なくとも１つの端末は、前記少なくとも１つのアプリケーションの少なくとも１つの入力機能、少なくとも１つの表示機能、および操作を容易にするか、または提供し、前記少なくとも１つのアプリケーションとインターフェースをとるために前記少なくとも１つの代理人によって使用され、
さらに、前記少なくとも１つの端末、前記少なくとも１つのアプリケーション、前記少なくとも１つの中央サーバ、前記少なくとも１つの外部サーバ、少なくとも１つのリンク、またはそれらの組合せが結合または統合され、
さらに、前記少なくとも１つのアプリケーションは、対応する搬送データが関連付けられた前記複数のフィルタリングされた搬送サービス要求、対応する搬送データが関連付けられた前記少なくとも１つの好ましい搬送サービス要求、前記少なくとも１つの代理人選好、またはそれらの組合せの全部または一部の前記少なくとも１つの視覚的表現をリアルタイムまたはほぼリアルタイムでコンパイルし、
さらに、前記少なくとも１つのアプリケーションは、リアルタイムまたはほぼリアルタイムで更新される前記少なくとも１つの視覚的表現を表示し、
さらに、前記少なくとも１つの代理人は、前記少なくとも１つのアプリケーションを使用して、前記少なくとも１つの視覚的表現を分析または評価し、次いで、前記少なくとも１つの好ましい搬送サービス要求を確保または取得し、
さらに、前記少なくとも１つの代理人は、前記少なくとも１つの搬送サービスを実行する、
システムを含む。
【００６２】
Ａ．少なくとも１つの中央サーバ
本発明の一実施形態は、前記少なくとも１つの中央サーバまたは前記少なくとも１つの外部サーバの少なくとも１つの機能が、前記少なくとも１つのアプリケーションによって実行されるシステムを含む。
【００６３】
本発明の別の実施形態は、前記少なくとも１つの中央サーバが、前記少なくとも１つの端末上に位置するか、または前記少なくとも１つの端末に関連付けられているシステムを含む。
【００６４】
本発明の更なる実施形態は、少なくとも１つの異なるフォーマットで構造化された前記複数の搬送サービス要求の全部または一部が、少なくとも１つの一様なフォーマットに標準化または変換されるシステムを含む。
【００６５】
本発明の付加的な実施形態は、前記複数の搬送サービス要求の全部または一部が、前記少なくとも１つの外部サーバと前記少なくとも１つの中央サーバとの間の少なくとも１つのリンクを介して前記少なくとも１つの外部サーバから前記少なくとも１つの中央サーバに送信される前に、少なくとも１つの一様なフォーマットで構造化されるが標準化されないシステムを含む。
【００６６】
Ｂ．少なくとも１つのアプリケーション
本発明の一実施形態は、前記少なくとも１つのアプリケーションが、前記少なくとも１つの中央サーバ上で動作するシステムを含む。
【００６７】
本発明の別の実施形態は、前記少なくとも１つのアプリケーションの少なくとも１つの機能が、前記少なくとも１つの中央サーバまたは前記少なくとも１つの外部サーバによって実行されるシステムを含む。
【００６８】
Ｃ．複数の搬送サービス要求
本発明の一実施形態は、対応する搬送データが関連付けられた前記複数の搬送サービス要求の全部または一部が、少なくとも１つの搬送業界セグメントで活動する少なくとも１つのサービスプロバイダまたは少なくとも１つの商品サプライヤによって供給または提供されるシステムを含む。
【００６９】
本発明の別の実施形態は、前記複数の搬送サービス要求の全部または一部が、少なくとも１つのライドヘイルサービス要求、少なくとも１つのライドシェアサービス要求、少なくとも１つのカーシェアサービス要求、少なくとも１つのピアツーピア搬送サービス要求、少なくとも１つの輸送サービス要求、少なくとも１つの人物配達サービス要求、少なくとも１つのタクシーサービス要求、少なくとも１つのシャトルサービス要求、少なくとも１つの商品配達サービス要求、少なくとも１つのアイテム配達サービス要求、少なくとも１つの医療サービスおよび配達要求、少なくとも１つの食品配達サービス要求、少なくとも１つの宅配便配達サービス要求、少なくとも１つの貨物配達サービス要求、少なくとも１つの動物配達サービス要求、少なくとも１つの配達サービス要求、またはそれらの組合せを含むシステムを含む。
【００７０】
本発明の更なる実施形態は、前記複数の搬送サービス要求が、１つの搬送サービス要求であるシステムを含む。
【００７１】
本発明の付加的な実施形態は、搬送データが、少なくとも１つのサービス開始地理的位置、少なくとも１つのサービス終了地理的位置、価格設定情報、高価格設定情報、少なくとも１つの代理人選好、少なくとも１つの距離パラメータ、少なくとも１つの推定到着時間、少なくとも１つの目的地までの時間、少なくとも１つの搬送クライアント地理的位置、少なくとも１つの搬送クライアント評価、少なくとも１つの搬送クライアント格付け、少なくとも１つの搬送クライアント詳細、少なくとも１つの搬送サービス詳細、少なくとも１つの搬送サービスルート、少なくとも１つの好ましい搬送クライアント、少なくとも１つのセンサデータ、少なくとも１つの代理人地理的位置、少なくとも１つの代理人評価、少なくとも１つの代理人格付け、少なくとも１つの代理人詳細、少なくとも１つの自律車両地理的位置、少なくとも１つの自律車両評価、少なくとも１つの自律車両格付け、少なくとも１つの自律車両詳細、少なくとも１つの好ましい自律車両、少なくとも１つのルート計画選好、少なくとも１つの燃費選好、少なくとも１つのバッテリ寿命選好、少なくとも１つの車両容量選好、少なくとも１つの車両診断選好、少なくとも１つの搬送データ選好、少なくとも１つのサービスプロバイダ地理的位置、少なくとも１つのサービスプロバイダ評価、少なくとも１つのサービスプロバイダ格付け、少なくとも１つのサービスプロバイダ詳細、少なくとも１つの好ましいサービスプロバイダ、少なくとも１つの商品サプライヤ地理的位置、少なくとも１つの商品サプライヤ評価、少なくとも１つの商品サプライヤ格付け、少なくとも１つの商品サプライヤ詳細、少なくとも１つの好ましい商品サプライヤ、少なくとも１つの自律車両の少なくとも１つのオーナまたは少なくとも１つのコントローラの地理的位置、少なくとも１つの自律車両評価の少なくとも１つのオーナまたは少なくとも１つのコントローラ、少なくとも１つの自律車両格付けの少なくとも１つのオーナまたは少なくとも１つのコントローラ、少なくとも１つの自動車詳細の少なくとも１つのオーナまたは少なくとも１つのコントローラ、少なくとも１つの自律車両の少なくとも１つの好ましいオーナまたは少なくとも１つの好ましいコントローラ、少なくとも１つのフリートマネージャ地理的位置、少なくとも１つのフリートマネージャ評価、少なくとも１つのフリートマネージャ格付け、少なくとも１つのフリートマネージャ詳細、少なくとも１つの好ましいフリートマネージャ、少なくとも１つのロジスティクスプロバイダ地理的位置、少なくとも１つのロジスティクスプロバイダ評価、少なくとも１つのロジスティクスプロバイダ格付け、少なくとも１つのロジスティクスプロバイダ詳細、少なくとも１つの好ましいロジスティクスプロバイダ、少なくとも１つのロジスティクスサプライヤ地理的位置、少なくとも１つのロジスティクスサプライヤ評価、少なくとも１つのロジスティクスサプライヤ格付け、少なくとも１つのロジスティクスサプライヤ詳細、少なくとも１つの好ましいロジスティクスサプライヤ、少なくとも１つの搬送業界セグメント詳細、少なくとも１つの好ましい搬送業界セグメント、少なくとも１つの商品詳細、少なくとも１つのアイテム詳細、少なくとも１つのタイプの車両詳細、少なくとも１つの車両詳細、少なくとも１つの統計変数の少なくとも１つの測定値、少なくとも１つのサービスレベル詳細、少なくとも１つの燃料消費、少なくとも１つのバッテリレベル、少なくとも１つの車両診断、少なくとも１つの車両容量、またはそれらの組合せを含むシステムを含む。
【００７２】
Ｄ．複数のフィルタリングされた搬送サービス要求
本発明の一実施形態は、前記複数の搬送サービス要求の全部または一部が、前記少なくとも１つの代理人選好および前記少なくとも１つの代理人の前記少なくとも１つのリアルタイムまたはほぼリアルタイムの地理的位置に関してフィルタリングされ、前記複数のフィルタリングされた搬送サービス要求の全部または一部が、分類、フィルタリング、特徴付け、スクリーニング、選択、分離、識別、指定、区別、命名、番号付け、順序付け、体系化、タグ付け、ラベル付け、認識、配置、ブラケット付け、ランキング、整理、分類、隔離、分離、グループ化、比較、またはそれらの組合せの少なくとも１つのプロセスによって識別されるシステムを含む。
【００７３】
本発明の別の実施形態は、前記少なくとも１つの好ましい搬送サービス要求が、前記少なくとも１つの代理人選好の少なくとも１つの加重平均に関連する前記複数のフィルタリングされた搬送サービス要求の全部または一部から識別されるシステムを含む。
【００７４】
本発明の更なる実施形態は、前記複数の搬送サービス要求の全部または一部をフィルタリングする際に、前記少なくとも１つの代理人の前記少なくとも１つのリアルタイムまたはほぼリアルタイムの地理的位置以外の少なくとも１つの異なる地理的位置が使用されるシステムを含む。
【００７５】
本発明の別の実施形態は、前記複数のフィルタリングされた搬送サービス要求が、１つのフィルタリングされた搬送サービス要求であるシステムを含む。
【００７６】
Ｅ．少なくとも１つの好ましい搬送サービス要求
本発明の一実施形態は、前記少なくとも１つの代理人が、前記少なくとも１つの好ましい搬送サービス要求以外の少なくとも１つの前記フィルタリングされた搬送サービス要求を確保または取得するシステムを含む。
【００７７】
Ｆ．少なくとも１つの代理人選好
本発明の一実施形態は、前記少なくとも１つの代理人選好が、少なくとも１つの価格設定選好、少なくとも１つの高価格設定選好、少なくとも１つの地理的位置選好、少なくとも１つの距離選好、少なくとも１つのルート選好、少なくとも１つのサービス所要時間選好、少なくとも１つのサービス開始地理的位置選好、少なくとも１つのサービス終了地理的位置選好、少なくとも１つの時間選好、少なくとも１つの予測選好、少なくとも１つの過去選好、少なくとも１つの効率選好、少なくとも１つのセンサ選好、少なくとも１つのイベント選好、少なくとも１つの交通量基準選好、少なくとも１つの道路条件選好、少なくとも１つの気象条件選好、少なくとも１つの輸送選好、少なくとも１つのルート計画選好、少なくとも１つの燃費選好、少なくとも１つのバッテリ寿命選好、少なくとも１つの車両容量選好、少なくとも１つの車両診断選好、少なくとも１つの搬送データ選好、少なくとも１つの搬送サービス所要時間選好、少なくとも１つの搬送サービス要求密度選好、少なくとも１つの搬送クライアント密度選好、少なくとも１つの搬送クライアント詳細選好、少なくとも１つの搬送クライアント格付け選好、少なくとも１つの代理人密度選好、少なくとも１つの自律車両密度選好、少なくとも１つのサービスプロバイダ選好、少なくとも１つのサービスプロバイダ密度選好、少なくとも１つのサービスレベル選好、少なくとも１つの商品サプライヤ選好、少なくとも１つの商品サプライヤ密度選好、少なくとも１つの自律車両の少なくとも１つのオーナまたは少なくとも１つのコントローラ選好、少なくとも１つの自律車両密度の少なくとも１つのオーナまたは少なくとも１つのコントローラ選好、少なくとも１つのフリートマネージャ選好、少なくとも１つのフリートマネージャ密度選好、少なくとも１つのロジスティクスプロバイダ選好、少なくとも１つのロジスティクスプロバイダ密度選好、少なくとも１つのロジスティクスサプライヤ選好、少なくとも１つのロジスティクスサプライヤ密度選好、少なくとも１つの商品詳細選好、少なくとも１つの搬送業界セグメント選好、少なくとも１つの貨物選好、少なくとも１つのウェイポイント選好、少なくとも１つの配達サービス選好、少なくとも１つの最古未解決要求選好、またはそれらの組み合わせを含むシステムを含む。
【００７８】
Ｇ．少なくとも１つの視覚的表現
本発明の一実施形態は、前記少なくとも１つの視覚的表現が、前記少なくとも１つの中央サーバ上でコンパイルされ、前記少なくとも１つの中央サーバと前記少なくとも１つのアプリケーションとの間の少なくとも１つのリンクを介して前記少なくとも１つのアプリケーションに送信されるシステムを含む。
【００７９】
本発明の別の実施形態は、前記少なくとも１つの視覚的表現が、少なくとも１つの動的マップ、少なくとも１つのヒートマップ、またはそれらの組み合わせを含むシステムを含む。
【００８０】
本発明の更なる実施形態は、前記少なくとも１つの好ましい搬送サービス要求が、前記複数のフィルタリングされた搬送サービス要求の全部または一部と比較して視覚的に識別可能な少なくとも１つのフォーマットで表示されるシステムを含む。
【００８１】
本発明の付加的な実施形態は、前記少なくとも１つの動的マップが、リアルタイムまたはほぼリアルタイムで、対応する搬送データが関連付けられた前記複数のフィルタリングされた搬送サービス要求の全部または一部、対応する搬送データが関連付けられた前記少なくとも１つの好ましい搬送サービス要求、前記少なくとも１つの代理人選好、またはそれらの組合せを表示する前記少なくとも１つの地理的マップを含むシステムを含む。
【００８２】
本発明の一実施形態は、前記複数のフィルタリングされた搬送サービス要求、前記少なくとも１つの好ましい搬送サービス要求、前記少なくとも１つの代理人選好、またはそれらの組み合わせの全部または一部が、少なくとも１つの移動型アイコンまたは一時アイコン、または少なくとも１つの移動型ビジュアルまたは一時ビジュアルとして個別に表示され、リアルタイムまたはほぼリアルタイムで更新または変更されるシステムを含む。
【００８３】
本発明の別の実施形態は、少なくとも１つの個々のサービスプロバイダに関連する、前記複数のフィルタリングされた搬送サービス要求、前記少なくとも１つの好ましい搬送サービス要求、前記少なくとも１つの代理人選好、またはそれらの組み合わせの全部または一部が、少なくとも１つの区別可能なアイコンまたは少なくとも１つの区別可能なビジュアルとして表示され、リアルタイムまたはほぼリアルタイムで更新または変更されるシステムを含む。
【００８４】
本発明の更なる実施形態は、前記少なくとも１つのヒートマップが、
対応する搬送データが関連付けられた前記複数の搬送サービス要求の全部または一部、
対応する搬送データが関連付けられた前記複数のフィルタリングされた搬送サービス要求の全部または一部、
対応する搬送データが関連付けられた前記少なくとも１つの好ましい搬送サービス要求の全部または一部、
前記少なくとも１つの代理人選好、または
それらの組み合わせ
の少なくとも１つの統計変数の少なくとも１つの視覚的描写を表示する前記少なくとも１つの地理的マップを含むシステムを含む。
【００８５】
本発明の付加的な実施形態は、前記少なくとも１つの統計変数が、搬送サービスの利用可能性、価格設定、高価格設定、搬送サービス要求密度、フィルタリングされた搬送サービス要求密度、好ましい搬送サービス要求密度、サービスレベル密度、搬送サービス距離、推定到着時間、好ましい搬送クライアント密度、好ましい商品サプライヤ密度、好ましい搬送業界セグメント、搬送業界セグメント密度、代理人密度、搬送クライアント密度、サービスプロバイダ密度、商品サプライヤ密度、またはそれらの組合せのうちの少なくとも１つの、少なくとも１つの測定値を含むシステムを含む。
【００８６】
本発明の一実施形態は、前記少なくとも１つのヒートマップの少なくとも１つのエリアが、前記少なくとも１つの統計変数の少なくとも１つの測定値に比例して区別され、少なくとも１つの区別可能な色相、少なくとも１つの区別可能な陰影、少なくとも１つの区別可能な飽和度、少なくとも１つの区別可能な不透明度、少なくとも１つの区別可能な色、少なくとも１つの区別可能な色の値、少なくとも１つの区別可能なパターン、少なくとも１つの区別可能なハッチング、少なくとも１つの区別可能な形状、少なくとも１つの区別可能な画像、少なくとも１つの区別可能なアニメーション、またはそれらの組合せを有するものとして表示されるシステムを含む。
【００８７】
本発明の別の実施形態は、前記少なくとも１つの好ましい搬送サービス要求が、前記少なくとも１つのヒートマップ、少なくとも１つのリアルタイムまたはほぼリアルタイムのヒートマップ、少なくとも１つの履歴ヒートマップ、少なくとも１つの予測ヒートマップ、またはそれらの組合せをコンパイルする前に識別されないシステムを含む。
【００８８】
本発明の更なる実施形態は、少なくとも１つのリアルタイムまたはほぼリアルタイムのヒートマップが、対応する搬送データが関連付けられた前記複数の搬送サービス要求の全部または一部、対応する搬送データが関連付けられた前記複数のフィルタリングされた搬送サービス要求の全部または一部、対応する搬送データが関連付けられた前記少なくとも１つの好ましい搬送サービス要求の全部または一部、前記少なくとも１つの代理人選好、またはそれらの組合せの前記少なくとも１つの統計変数からコンパイルされるシステムを含む。
【００８９】
本発明の付加的な実施形態は、少なくとも１つの履歴ヒートマップが、対応する搬送データが関連付けられた過去の前記複数の搬送サービス要求の全部または一部、対応する搬送データが関連付けられた過去の前記複数のフィルタリングされた搬送サービス要求の全部または一部、対応する搬送データが関連付けられた過去の前記少なくとも１つの好ましい搬送サービス要求の全部または一部、前記少なくとも１つの代理人選好、またはそれらの組合せの前記少なくとも１つの統計変数からコンパイルされるシステムを含む。
【００９０】
本発明の一実施形態は、少なくとも１つの予測ヒートマップが、対応する搬送データが関連付けられた過去の前記複数の搬送サービス要求の全部または一部、対応する搬送データが関連付けられた過去の前記複数のフィルタリングされた搬送サービス要求の全部または一部、対応する搬送データが関連付けられた過去の前記少なくとも１つの好ましい搬送サービス要求の全部または一部、対応する搬送データが関連付けられた前記複数の搬送サービス要求の全部または一部、対応する搬送データが関連付けられた前記複数のフィルタリングされた搬送サービス要求の全部または一部、対応する搬送データが関連付けられた前記少なくとも１つの好ましい搬送サービス要求の全部または一部、前記少なくとも１つの代理人選好、またはそれらの組合せの前記少なくとも１つの統計変数からコンパイルされるシステムを含む。
【００９１】
本発明の別の実施形態は、前記少なくとも１つの予測ヒートマップが、将来の搬送サービス利用可能性、将来の価格設定、将来の高価格設定、将来の搬送サービス要求密度、将来のフィルタリングされた搬送サービス要求密度、将来の好ましい搬送サービス要求密度、将来のサービスレベル密度、将来の搬送業界セグメント密度、将来の代理人密度、将来の搬送クライアント密度、将来のサービスプロバイダ密度、将来の商品サプライヤ密度、将来のサービスレベル需要、将来の搬送業界セグメント需要、将来の搬送サービス需要、将来のービスプロバイダ需要、将来の商品サプライヤ需要、将来の搬送サービス供給、将来の代理人供給、またはそれらの組合せの少なくとも１つを識別または推定するシステムを含む。
【００９２】
本発明の更なる実施形態は、前記少なくとも１つの予測ヒートマップが、少なくとも１つの視覚的通知または少なくとも１つの音声通知を生成して、前記少なくとも１つの統計変数、前記少なくとも１つの統計変数の前記少なくとも１つの測定値、またはそれらの組合せの少なくとも１つの将来の変化または更新を前記少なくとも１つの代理人に通知するシステムを含む。
【００９３】
Ｈ．機能
本発明の一実施形態は、前記少なくとも１つの代理人、前記少なくとも１つの中央サーバ、前記少なくとも１つのアプリケーション、またはそれらの組合せが、少なくとも１つの搬送業界セグメントにおいて前記少なくとも１つの好ましい搬送サービス要求を確保または取得するシステムを含む。
【００９４】
本発明の別の実施形態は、前記少なくとも１人の代理人が、２つ以上の前記好ましい搬送サービス要求を同時に確保または取得するシステムを含む。
【００９５】
本発明の更なる実施形態は、前記少なくとも１つの代理人の前記少なくとも１つのリアルタイムまたはほぼリアルタイムの地理的位置が更新または変更されると、または交通情報が更新または変更されると、対応する搬送データが関連付けられた前記少なくとも１つの好ましい搬送サービス要求、対応する搬送データが関連付けられた前記複数のフィルタリングされた搬送サービス要求の全部または一部、またはそれらの組合せが、リアルタイムまたはほぼリアルタイムで識別または更新されるシステムを含む。
【００９６】
本発明の一実施形態は、前記少なくとも１つの視覚的表現が、少なくとも１つのリモートディスプレイ上に表示されるシステムを含む。
【００９７】
本発明の別の実施形態は、前記少なくとも１つの代理人が、前記少なくとも１つの視覚的表現の少なくとも１つのエリアをブラウズまたはナビゲートして、前記少なくとも１つの好ましい搬送サービス要求、少なくとも１つの前記フィルタリングされた搬送サービス要求、前記少なくとも１つの代理人選好、またはそれらの組合せを選択または受諾することによって、前記少なくとも１つの好ましい搬送サービス要求または少なくとも１つの前記フィルタリングされた搬送サービス要求を識別し、次いで、確保または取得するシステムを含む。
【００９８】
本発明の別の実施形態は、前記少なくとも１つのアプリケーション、前記少なくとも１つの端末、前記少なくとも１つの中央サーバ、前記少なくとも１つの外部サーバ、少なくとも１つのリンク、またはそれらの組合せが結合または統合されたシステムを含む。
【００９９】
ＩＩ．方法＃１：代理人マップ
本発明の第二の態様は、搬送業界内で、少なくとも１つの視覚的表現を使用して、少なくとも１つの代理人選好および少なくとも１つの代理人の少なくとも１つのリアルタイムまたはほぼリアルタイムの地理的位置に関連する少なくとも１つの好ましい搬送サービス要求を確保または取得する少なくとも１つのプロセスにおいて少なくとも１つの代理人を支援するための、リアルタイムまたはほぼリアルタイムの方法であって、
ａ）上記セクションＩに記載のシステムのいずれかを提供するステップと、
ｂ）前記少なくとも１つの中央サーバにおいて、前記少なくとも１つの中央サーバと前記少なくとも１つの外部サーバとの間の少なくとも１つのリンクを介して、前記少なくとも１つの外部サーバから前記複数の搬送サービス要求の全部または一部をリアルタイムまたはほぼリアルタイムで受信するステップと、
ｃ）前記少なくとも１つの中央サーバの前記少なくとも１つのコンピュータ可読メモリに、前記複数の搬送サービス要求の全部または一部をリアルタイムまたはほぼリアルタイムで格納するステップと、
ｄ）前記少なくとも１つの中央サーバを使用して、前記複数の搬送サービス要求の全部または一部をリアルタイムまたはほぼリアルタイムで標準化するステップと、
ｅ）前記少なくとも１つの中央サーバを使用して、前記複数の搬送サービス要求の全部または一部をリアルタイムまたはほぼリアルタイムで集約するステップと、
ｆ）前記少なくとも１つのアプリケーションと前記少なくとも１つの中央サーバとの間の少なくとも１つのリンクを介して、前記少なくとも１つのアプリケーションから前記少なくとも１つの中央サーバに前記少なくとも１つの代理人選好および前記少なくとも１つの代理人の前記少なくとも１つのリアルタイムまたはほぼリアルタイムの地理的位置をリアルタイムまたはほぼリアルタイムで送信するステップであって、
ｉ）前記少なくとも１つの代理人が、前記少なくとも１つの端末の前記少なくとも１つの入力ソースを使用して、前記少なくとも１つのアプリケーションに前記少なくとも１つの代理人選好を入力または提供し、
ｉｉ）前記少なくとも１つのアプリケーションが、前記少なくとも１つの端末の前記少なくとも１つの地理的位置モジュールを使用して前記少なくとも１つの代理人の前記少なくとも１つのリアルタイムまたはほぼリアルタイムの地理的位置を提供する
ステップと、
ｇ）前記少なくとも１つの中央サーバと前記少なくとも１つのアプリケーションとの間の少なくとも１つのリンクを介して、前記少なくとも１つの中央サーバにおいて、前記少なくとも１つの代理人選好および前記少なくとも１つのアプリケーションから前記少なくとも１つの代理人の前記少なくとも１つのリアルタイムまたはほぼリアルタイムの地理的位置をリアルタイムまたはほぼリアルタイムで受信するステップと、
ｈ）前記少なくとも１つの中央サーバにおいて、前記少なくとも１つの代理人選好および前記少なくとも１つの代理人の少なくとも１つのリアルタイムまたはほぼリアルタイムの地理的位置を使用して前記複数の搬送サービス要求の全部または一部をリアルタイムまたはほぼリアルタイムでフィルタリングし、前記複数のフィルタリングされた搬送サービス要求の全部または一部を識別するステップと、
ｉ）前記少なくとも１つの中央サーバにおいて、前記少なくとも１つの代理人選好に関連する前記複数のフィルタリングされた搬送サービス要求の全部または一部から、前記少なくとも１つの好ましい搬送サービス要求をリアルタイムまたはほぼリアルタイムで識別するステップと、
ｊ）前記少なくとも１つの中央サーバと前記少なくとも１つのアプリケーションとの間の少なくとも１つのリンクを介して、前記少なくとも１つの中央サーバから前記少なくとも１つのアプリケーションに、対応する搬送データが関連付けられた前記複数のフィルタリングされた搬送サービス要求の全部または一部、対応する搬送データが関連付けられた前記少なくとも１つの好ましい搬送サービス要求、またはそれらの組合せをリアルタイムまたはほぼリアルタイムで送信するステップと、
ｋ）前記少なくとも１つのアプリケーションと前記少なくとも１つの中央サーバとの間の少なくとも１つのリンクを介して、前記少なくとも１つのアプリケーションにおいて、前記少なくとも１つの中央サーバから、対応する搬送データが関連付けられた前記複数のフィルタリングされた搬送サービス要求の全部または一部、対応する搬送データが関連付けられた前記少なくとも１つの好ましい搬送サービス要求、またはそれらの組合せを、リアルタイムまたはほぼリアルタイムで受信するステップと、
ｌ）前記少なくとも１つのアプリケーションにおいて、前記少なくとも１つの視覚的表現をデジタル形式でリアルタイムまたはほぼリアルタイムでコンパイルするステップであって、
ｉ）前記少なくとも１つの代理人の前記少なくとも１つのリアルタイムまたはほぼリアルタイムの地理的位置に関連する前記少なくとも１つの地理的マップが前記少なくとも１つのアプリケーション上で提供され、
ｉｉ）対応する搬送データが関連付けられた前記複数のフィルタリングされた搬送サービス要求の全部または一部、対応する搬送データが関連付けられた前記少なくとも１つの好ましい搬送サービス要求、またはそれらの組み合わせが、それらに含まれる少なくとも１つの対応する地理的位置に関連する前記少なくとも１つの地理的マップ上に配置され、
ｉｉｉ）前記少なくとも１つの視覚的表現が、対応する搬送データが関連付けられた後続のまたは追加の前記複数のフィルタリングされた搬送サービス要求の全部または一部、対応する搬送データが関連付けられた後続のまたは追加の前記少なくとも１つの好ましい搬送サービス要求、またはそれらの組み合わせで、リアルタイムまたはほぼリアルタイムで更新される
ステップと、
ｍ）前記少なくとも１つの端末の前記少なくとも１つのディスプレイを使用して、前記少なくとも１つの視覚的表現を前記少なくとも１つのアプリケーション上にリアルタイムまたはほぼリアルタイムで表示するステップと、
ｎ）前記少なくとも１つの代理人が、前記少なくとも１つの視覚的表現を分析または評価して、前記少なくとも１つの好ましい搬送サービス要求を確保または取得し、次いで、前記少なくとも１つの代理人が、前記少なくとも１つの搬送サービスを実行するステップと、を含む
方法を含む。
【０１００】
Ａ．複数の搬送サービス要求の標準化
本発明の一実施形態は、少なくとも１つの異なるフォーマットで構造化された前記複数の搬送サービス要求の全部または一部が、少なくとも１つの一様なフォーマットに標準化または変換される方法を含む。
【０１０１】
本発明の別の実施形態は、前記複数の搬送サービス要求の全部または一部が、前記少なくとも１つの外部サーバと前記少なくとも１つの中央サーバとの間の少なくとも１つのリンクを介して前記少なくとも１つの外部サーバから前記少なくとも１つの中央サーバに送信される前に、少なくとも１つの一様なフォーマットで構造化されるが標準化されない方法を含む。
【０１０２】
本発明の更なる実施形態は、前記複数の搬送サービス要求の全部または一部をフィルタリングする前のステップＣ〜Ｇは任意の順序とすることができる方法を含む。
【０１０３】
Ｂ．少なくとも１つの代理人選好および少なくとも１つの地理的位置の送信
本発明の一実施形態は、前記少なくとも１つの代理人選好が前記少なくとも１つのアプリケーションに入力または提供されると、前記少なくとも１つのアプリケーション、前記少なくとも１つの中央サーバの前記少なくとも１つのコンピュータ可読メモリ、またはそれらの組合せに格納またはキャッシュされ、前記少なくとも１つの代理人選好が、前記少なくとも１つの代理人によって前記少なくとも１つのアプリケーションに再び入力または提供されない方法を含む。
【０１０４】
本発明の別の実施形態は、前記少なくとも１つの代理人選好が、前記少なくとも１つの中央サーバの前記少なくとも１つのコンピュータ可読メモリに格納またはキャッシュされ、前記少なくとも１つの代理人選好が、前記少なくとも１つのアプリケーションから前記少なくとも１つの中央サーバに再び送信されない方法を含む。
【０１０５】
本発明の更なる実施形態は、前記少なくとも１つの代理人選好、前記少なくとも１つの代理人の前記少なくとも１つのリアルタイムまたはほぼリアルタイムの地理的位置、またはそれらの組合せが、前記複数の搬送サービス要求の全部または一部をフィルタリングする前の任意の時間に、前記少なくとも１つのアプリケーションから前記少なくとも１つの中央サーバに送信される方法を含む。
【０１０６】
Ｃ．複数の搬送サービス要求のフィルタリング
本発明の一実施形態は、前記複数の搬送サービス要求の全部または一部が、前記少なくとも１つの代理人選好および前記少なくとも１つの代理人の前記少なくとも１つのリアルタイムまたはほぼリアルタイムの地理的位置に関してフィルタリングされ、前記複数のフィルタリングされた搬送サービス要求の全部または一部を、分類、フィルタリング、特徴付け、スクリーニング、選択、分離、識別、指定、識別、命名、番号付け、順序付け、体系化、タグ付け、ラベル付け、認識、配置、ブラケット付け、ランキング、整理、分類、隔離、分離、グループ化、比較、またはそれらの組合せの少なくとも１つのプロセスによって識別する方法を含む。
【０１０７】
本発明の別の実施形態は、前記複数の搬送サービス要求の全部または一部は、前記少なくとも１つのアプリケーション上で、
ａ）前記少なくとも１つの中央サーバと前記少なくとも１つのアプリケーションとの間の少なくとも１つのリンクを介して、前記少なくとも１つの中央サーバから前記少なくとも１つのアプリケーションに前記複数の搬送サービス要求の全部または一部をリアルタイムまたはほぼリアルタイムで送信し、
ｂ）前記少なくとも１つの代理人選好および前記少なくとも１つの代理人の前記少なくとも１つのリアルタイムまたはほぼリアルタイムの地理的位置を使用して前記複数の搬送サービス要求の全部または一部をリアルタイムまたはほぼリアルタイムでフィルタリングすることで、前記複数のフィルタリングされた搬送サービス要求の全部または一部を識別し、
ｃ）前記少なくとも１つの代理人選好に関連する前記複数のフィルタリングされた搬送サービス要求の全部または一部から、前記少なくとも１つの好ましい搬送サービス要求をリアルタイムまたはほぼリアルタイムで識別する
ことで、リアルタイムまたはほぼリアルタイムでフィルタリングされ、前記少なくとも１つの好ましい搬送サービス要求が、前記複数のフィルタリングされた搬送サービス要求の全部または一部から、リアルタイムまたはほぼリアルタイムで識別される方法を含む。
【０１０８】
本発明の更なる実施形態は、前記複数の搬送サービス要求の全部または一部をフィルタリングする際に、前記少なくとも１つの代理人の前記少なくとも１つのリアルタイムまたはほぼリアルタイムの地理的位置以外の少なくとも１つの異なる地理的位置が使用される方法を含む。
【０１０９】
Ｄ．少なくとも１つの好ましい搬送サービス要求の識別
本発明の一実施形態は、少なくとも１つの分類アルゴリズム、少なくとも１つの選択アルゴリズム、少なくとも１つの検索アルゴリズム、少なくとも１つのマージアルゴリズム、少なくとも１つの最大関数、少なくとも１つの最小関数、少なくとも１つのグラフアルゴリズム、少なくとも１つのグラフ検索アルゴリズム、少なくとも１つのツリーアルゴリズム、少なくとも１つのツリー検索アルゴリズム、少なくとも１つの行列計算、少なくとも１つの行列アルゴリズム、少なくとも１つの比較、またはそれらの組合せを使用することによって、前記少なくとも１つの代理人選好に関連する前記少なくとも１つの好ましい搬送サービス要求が、前記複数のフィルタリングされた搬送サービス要求の全部または一部から識別される方法を含む。
【０１１０】
本発明の別の実施形態は、前記少なくとも１つの好ましい搬送サービス要求が、前記少なくとも１つの代理人選好の少なくとも１つの加重平均に関連する前記複数のフィルタリングされた搬送サービス要求の全部または一部から識別される方法を含む。
【０１１１】
本発明の更なる実施形態は、前記少なくとも１つの好ましい搬送サービス要求が、
ａ）前記少なくとも１つの中央サーバと前記少なくとも１つのアプリケーションとの間の少なくとも１つのリンクを介して、前記少なくとも１つの中央サーバから前記少なくとも１つのアプリケーションに前記複数のフィルタリングされた搬送サービス要求の全部または一部をリアルタイムまたはほぼリアルタイムで送信し、
ｂ）前記少なくとも１つの好ましい搬送サービス要求を、前記少なくとも１つの代理人選好に関連する前記複数のフィルタリングされた搬送サービス要求の全部または一部からリアルタイムまたはほぼリアルタイムで識別する
ことで、前記少なくとも１つのアプリケーション上の前記複数のフィルタリングされた搬送サービス要求の全部または一部から、リアルタイムまたはほぼリアルタイムで識別される方法を含む。
【０１１２】
Ｅ．少なくとも１つの視覚的表現のコンパイル
本発明の一実施形態は、前記少なくとも１つの視覚的表現が、前記少なくとも１つの中央サーバ上でコンパイルされ、前記少なくとも１つの中央サーバと前記少なくとも１つのアプリケーションとの間の少なくとも１つのリンクを介して前記少なくとも１つのアプリケーションに送信される方法を含む。
【０１１３】
Ｆ．少なくとも１つの視覚的表現の表示
本発明の一実施形態は、前記少なくとも１つの視覚的表現が、少なくとも１つのリモートディスプレイ上に表示される方法を含む。
【０１１４】
本発明の別の実施形態は、前記少なくとも１つの視覚的表現が、少なくとも１つの動的マップ、少なくとも１つのヒートマップ、またはそれらの組合せを含む方法を含む。
【０１１５】
本発明の更なる実施形態は、前記少なくとも１つの好ましい搬送サービス要求が、前記複数のフィルタリングされた搬送サービス要求の全部または一部と比較して視覚的に識別可能な少なくとも１つのフォーマットで表示される方法を含む。
【０１１６】
本発明の付加的な実施形態は、前記少なくとも１つの動的マップは、リアルタイムまたはほぼリアルタイムで、対応する搬送データが関連付けられた前記複数のフィルタリングされた搬送サービス要求の全部または一部、対応する搬送データが関連付けられた前記少なくとも１つの好ましい搬送サービス要求、前記少なくとも１つの代理人選好、またはそれらの組合せを表示する前記少なくとも１つの地理的マップを含む方法を含む。
【０１１７】
本発明の一実施形態は、前記複数のフィルタリングされた搬送サービス要求、前記少なくとも１つの好ましい搬送サービス要求、前記少なくとも１つの代理人選好、またはそれらの組み合わせの全部または一部が、少なくとも１つの移動型アイコンまたは一時アイコン、または少なくとも１つの移動型ビジュアルまたは一時ビジュアルとして個別に表示され、リアルタイムまたはほぼリアルタイムで更新または変更される方法を含む。
【０１１８】
本発明の別の実施形態は、少なくとも１つの個々のサービスプロバイダに関連する、前記複数のフィルタリングされた搬送サービス要求、前記少なくとも１つの好ましい搬送サービス要求、前記少なくとも１つの代理人選好、またはそれらの組み合わせの全部または一部が、少なくとも１つの区別可能なアイコンまたは少なくとも１つの区別可能なビジュアルとして表示され、リアルタイムまたはほぼリアルタイムで更新または変更される方法を含む。
【０１１９】
本発明の付加的な実施形態は、前記少なくとも１つのヒートマップが、
対応する搬送データが関連付けられた前記複数の搬送サービス要求の全部または一部、
対応する搬送データが関連付けられた前記複数のフィルタリングされた搬送サービス要求の全部または一部、
対応する搬送データが関連付けられた前記少なくとも１つの好ましい搬送サービス要求の全部または一部、
前記少なくとも１つの代理人選好、または
それらの組み合わせ
の少なくとも１つの統計変数の少なくとも１つの視覚的描写を表示する前記少なくとも１つの地理的マップを含む方法を含む。
【０１２０】
本発明の一実施形態は、前記少なくとも１つの統計変数が、搬送サービスの利用可能性、価格設定、高価格設定、搬送サービス要求密度、フィルタリングされた搬送サービス要求密度、好ましい搬送サービス要求密度、サービスレベル密度、搬送サービス距離、推定到着時間、好ましい搬送クライアント密度、好ましい商品サプライヤ密度、好ましい搬送業界セグメント、搬送業界セグメント密度、代理人密度、搬送クライアント密度、サービスプロバイダ密度、商品サプライヤ密度、またはそれらの組合せのうちの少なくとも１つの、少なくとも１つの測定値を含む方法を含む。
【０１２１】
本発明の別の実施形態は、前記少なくとも１つのヒートマップの少なくとも１つのエリアが、前記少なくとも１つの統計変数の少なくとも１つの測定値に比例して区別され、少なくとも１つの区別可能な色相、少なくとも１つの区別可能な陰影、少なくとも１つの区別可能な飽和度、少なくとも１つの区別可能な不透明度、少なくとも１つの区別可能な色、少なくとも１つの区別可能な色の値、少なくとも１つの区別可能なパターン、少なくとも１つの区別可能なハッチング、少なくとも１つの区別可能な形状、少なくとも１つの区別可能な画像、少なくとも１つの区別可能なアニメーション、またはそれらの組合せを有するものとして表示される方法を含む。
【０１２２】
本発明の更なる実施形態は、前記少なくとも１つの好ましい搬送サービス要求が、前記少なくとも１つのヒートマップ、少なくとも１つのリアルタイムまたはほぼリアルタイムのヒートマップ、少なくとも１つの履歴ヒートマップ、少なくとも１つの予測ヒートマップ、またはそれらの組合せをコンパイルする前に識別されない方法を含む。
【０１２３】
本発明の別の実施形態は、少なくとも１つのリアルタイムまたはほぼリアルタイムのヒートマップが、対応する搬送データが関連付けられた前記複数の搬送サービス要求の全部または一部、対応する搬送データが関連付けられた前記複数のフィルタリングされた搬送サービス要求の全部または一部、対応する搬送データが関連付けられた前記少なくとも１つの好ましい搬送サービス要求の全部または一部、前記少なくとも１つの代理人選好、またはそれらの組合せの前記少なくとも１つの統計変数からコンパイルされる方法を含む。
【０１２４】
本発明の一実施形態は、少なくとも１つの履歴ヒートマップが、対応する搬送データが関連付けられた過去の前記複数の搬送サービス要求の全部または一部、対応する搬送データが関連付けられた過去の前記複数のフィルタリングされた搬送サービス要求の全部または一部、対応する搬送データが関連付けられた過去の前記少なくとも１つの好ましい搬送サービス要求の全部または一部、前記少なくとも１つの代理人選好、またはそれらの組合せの前記少なくとも１つの統計変数からコンパイルされる方法を含む。
【０１２５】
本発明の別の実施形態は、少なくとも１つの予測ヒートマップが、対応する搬送データが関連付けられた過去の前記複数の搬送サービス要求の全部または一部、対応する搬送データが関連付けられた過去の前記複数のフィルタリングされた搬送サービス要求の全部または一部、対応する搬送データが関連付けられた過去の前記少なくとも１つの好ましい搬送サービス要求の全部または一部、対応する搬送データが関連付けられた前記複数の搬送サービス要求の全部または一部、対応する搬送データが関連付けられた前記複数のフィルタリングされた搬送サービス要求の全部または一部、対応する搬送データが関連付けられた前記少なくとも１つの好ましい搬送サービス要求の全部または一部、前記少なくとも１つの代理人選好、またはそれらの組合せの前記少なくとも１つの統計変数からコンパイルされる方法を含む。
【０１２６】
本発明の更なる実施形態は、前記少なくとも１つの予測ヒートマップが、将来の搬送サービス利用可能性、将来の価格設定、将来の高価格設定、将来の搬送サービス要求密度、将来のフィルタリングされた搬送サービス要求密度、将来の好ましい搬送サービス要求密度、将来のサービスレベル密度、将来の搬送業界セグメント密度、将来の代理人密度、将来の搬送クライアント密度、将来のサービスプロバイダ密度、将来の商品サプライヤ密度、将来のサービスレベル需要、将来の搬送業界セグメント需要、将来の搬送サービス需要、将来のービスプロバイダ需要、将来の商品サプライヤ需要、将来の搬送サービス供給、将来の代理人供給、またはそれらの組合せの少なくとも１つを識別または推定する方法を含む。
【０１２７】
本発明の付加的な実施形態は、前記少なくとも１つの予測ヒートマップが、少なくとも１つの視覚的通知または少なくとも１つの音声通知を生成して、前記少なくとも１つの統計変数、前記少なくとも１つの統計変数の前記少なくとも１つの測定値、またはそれらの組合せの少なくとも１つの将来の変化または更新を前記少なくとも１つの代理人に通知する方法を含む。
【０１２８】
Ｇ．付加的実施形態
本発明の一実施形態は、前記少なくとも１つの中央サーバまたは前記少なくとも１つの外部サーバの少なくとも１つの機能が、前記少なくとも１つのアプリケーションによって実行される方法を含む。
【０１２９】
本発明の別の実施形態は、前記少なくとも１つのアプリケーションが、前記少なくとも１つの中央サーバ上で動作する方法を含む。
【０１３０】
本発明の更なる実施形態は、前記少なくとも１つのアプリケーションの少なくとも１つの機能が、前記少なくとも１つの中央サーバまたは前記少なくとも１つの外部サーバによって実行される方法を含む。
【０１３１】
本発明の付加的な実施形態は、前記少なくとも１つの代理人、前記少なくとも１つの中央サーバ、前記少なくとも１つのアプリケーション、またはそれらの組合せが、少なくとも１つの搬送業界セグメントにおいて前記少なくとも１つの好ましい搬送サービス要求を確保または取得する方法を含む。
【０１３２】
本発明の一実施形態は、対応する搬送データが関連付けられた前記複数の搬送サービス要求の全部または一部が、少なくとも１つの搬送業界セグメントで活動する少なくとも１つのサービスプロバイダまたは少なくとも１つの商品サプライヤによって供給または提供される方法を含む。
【０１３３】
本発明の別の実施形態は、前記少なくとも１人の代理人が、２つ以上の前記好ましい搬送サービス要求を同時に確保または取得する方法を含む。
【０１３４】
本発明の更なる実施形態は、前記少なくとも１つの代理人が、前記少なくとも１つの好ましい搬送サービス要求以外の少なくとも１つの前記フィルタリングされた搬送サービス要求を確保または取得する方法を含む。
【０１３５】
本発明の付加的な実施形態は、前記少なくとも１つの代理人の前記少なくとも１つのリアルタイムまたはほぼリアルタイムの地理的位置が更新または変更されると、または交通情報が更新または変更されると、対応する搬送データが関連付けられた前記少なくとも１つの好ましい搬送サービス要求、対応する搬送データが関連付けられた前記複数のフィルタリングされた搬送サービス要求の全部または一部、またはそれらの組合せが、リアルタイムまたはほぼリアルタイムで識別または更新される方法を含む。
【０１３６】
本発明の一実施形態は、前記複数の搬送サービス要求が、１つの搬送サービス要求である方法を含む。
【０１３７】
本発明の別の実施形態は、前記複数のフィルタリングされた搬送サービス要求が、１つのフィルタリングされた搬送サービス要求である方法を含む。
【０１３８】
本発明の更なる実施形態は、前記少なくとも１つの代理人が、前記少なくとも１つの視覚的表現の少なくとも１つのエリアをブラウズまたはナビゲートして、前記少なくとも１つの好ましい搬送サービス要求、少なくとも１つの前記フィルタリングされた搬送サービス要求、前記少なくとも１つの代理人の選好、またはそれらの組合せを選択または受諾することによって、前記少なくとも１つの好ましい搬送サービス要求または少なくとも１つの前記フィルタリングされた搬送サービス要求を識別し、次いで、確保または取得する方法を含む。
【０１３９】
本発明の別の実施形態は、前記少なくとも１つの中央サーバが、前記少なくとも１つの端末上に位置するか、または前記少なくとも１つの端末に関連付けられている方法を含む。
【０１４０】
本発明の別の実施形態は、前記少なくとも１つのアプリケーション、前記少なくとも１つの端末、前記少なくとも１つの中央サーバ、前記少なくとも１つの外部サーバ、少なくとも１つのリンク、またはそれらの組合せが結合または統合された方法を含む。
【０１４１】
ＩＩＩ．システム＃２：搬送クライアントマップ
本発明の第三の態様は、搬送業界内で、少なくとも１つの視覚的表現を使用して、少なくとも１つの搬送クライアントの少なくとも１つの搬送クライアント選好および前記少なくとも１つの搬送クライアントの少なくとも１つのリアルタイムまたはほぼリアルタイムの地理的位置に関連する少なくとも１つの好ましい搬送サービス提供を確保または取得する少なくとも１つのプロセスにおいて少なくとも１つの搬送クライアントを支援するための、リアルタイムまたはほぼリアルタイムのシステムであって、
ａ）少なくとも１つの外部サーバであって、
ｉ）少なくとも１つのコンピュータプロセッサと、
ｉｉ）少なくとも１つのコンピュータ可読メモリと
ｉｉｉ）少なくとも１つのネットワークインターフェースと、
ｉｖ）複数の搬送サービス提供の少なくとも１つのリアルタイムまたはほぼリアルタイムのソースと
を備える少なくとも１つの外部サーバと、
ｂ）少なくとも１つの中央サーバであって、
ｉ）少なくとも１つのコンピュータプロセッサと、
ｉｉ）少なくとも１つのコンピュータ可読メモリと、
ｉｉｉ）少なくとも１つのネットワークインターフェースと
を備える少なくとも１つの中央サーバと、
ｃ）少なくとも１つの端末であって、
少なくとも１つの電子計算装置であって、
（ｉ）少なくとも１つのコンピュータプロセッサと、
（ｉｉ）少なくとも１つのコンピュータ可読メモリと、
（ｉｉｉ）少なくとも１つの入力ソースと、
（ｉｖ）少なくとも１つのディスプレイと、
（ｖ）少なくとも１つの地理的位置モジュールと、
（ｖｉ）少なくとも１つのネットワークインターフェースと、
を備える少なくとも１つの電子計算装置
を備える少なくとも１つの端末と、
ｄ）少なくとも１つのアプリケーションであって、
前記少なくとも１つの視覚的表現を表示するように動作可能であり且つ前記少なくとも１つの好ましい搬送サービス提供を確保または取得するように動作可能である少なくとも１つのコンピュータプログラム、
を含む少なくとも１つのアプリケーションと、
ｅ）少なくとも１つのリンクであって、
少なくとも１つの電子通信ネットワークチャネル、
を含む少なくとも１つのリンクと、
ｆ）複数の搬送サービス提供であって、
少なくとも１つの個々の搬送サービス提供であって、
（ｉ）少なくとも１つの地理的位置から少なくとも１つの他の地理的位置へ少なくとも１人の人、少なくとも１つの商品、少なくとも１つの物、またはそれらの組み合わせを輸送するための少なくとも１つの提供と、
（ｉｉ）リアルタイムまたはほぼリアルタイムで更新される前記個々の搬送サービス提供と、
（ｉｉｉ）前記個々の搬送サービス提供に対応する定性的及び定量的搬送データと、
を含む少なくとも１つの個々の搬送サービス提供
を含む複数の搬送サービス提供と、
ｇ）複数のフィルタリングされた搬送サービス提供であって、
ｉ）前記少なくとも１つの搬送クライアント選好、および前記少なくとも１つの搬送クライアントの前記少なくとも１つのリアルタイムまたはほぼリアルタイムの地理的位置を使用して、前記複数の搬送サービス提供の全部または一部をフィルタリングした少なくとも１つの結果である、前記複数の搬送サービス提供の全部または一部の少なくとも１つのサブセットと、
ｉｉ）リアルタイムまたはほぼリアルタイムで更新される前記複数のフィルタリングされた搬送サービス提供の全部または一部と、
ｉｉｉ）個々のフィルタリングされた搬送サービス提供に対応する定性的および定量的搬送データと、
を含む複数のフィルタリングされた搬送サービス提供と、
ｈ）少なくとも１つの好ましい搬送サービス提供であって、
ｉ）前記少なくとも１人の人、前記少なくとも１つの商品、前記少なくとも１つの物、またはそれらの組合せを、少なくとも１つの地理的位置から、前記複数のフィルタリングされた搬送サービス提供の全部または一部から識別される少なくとも１つの他の地理的位置に輸送するための前記少なくとも１つの提供と、
ｉｉ）リアルタイムまたはほぼリアルタイムで更新される前記少なくとも１つの好ましい搬送サービス提供と、
ｉｉｉ）個々の好ましい搬送サービス提供に対応する定性的および定量的搬送データと、
を含む少なくとも１つの好ましい搬送サービス提供と、
ｉ）少なくとも１つの搬送クライアントであって、
ｉ）前記少なくとも１つの視覚的表現を分析または評価し、次いで、前記少なくとも１つの好ましい搬送サービス提供を確保または取得する、少なくとも１人の人、少なくとも１つの機械、またはそれらの組合せを含み、
ｉｉ）前記少なくとも１つの搬送クライアントは、少なくとも１つの搬送サービスを受ける、
少なくとも１つの搬送クライアントと、
ｊ）少なくとも１つの搬送クライアント選好であって、
ｉ）前記複数の搬送サービス提供の全部または一部を前記複数のフィルタリングされた搬送サービス提供の全部または一部にフィルタリングするために使用される、前記少なくとも１つの搬送クライアントによって選択または提供される少なくとも１つのオプションを含み、
ｉｉ）前記少なくとも１つの搬送クライアント選好が、前記少なくとも１つの好ましい搬送サービス提供を識別するために使用される、
搬送クライアント選好と、
ｋ）少なくとも１つの視覚的表現であって、
対応する搬送データが関連付けられた前記複数のフィルタリングされた搬送サービス提供、対応する搬送データが関連付けられた前記少なくとも１つの好ましい搬送サービス提供、またはそれらの組合せの全部または一部を表示する少なくとも１つの地理的マップ
を含む少なくとも１つの視覚的表現と、
を含み、
前記少なくとも１つのアプリケーションと前記少なくとも１つの中央サーバとの間の少なくとも１つのリンクを介して前記少なくとも１つの中央サーバにリアルタイムまたはほぼリアルタイムで送信される少なくとも１つのサービス開始地理的位置および少なくとも１つのサービス終了地理的位置が、前記少なくとも１つのアプリケーションに入力または提供され、
さらに、前記少なくとも１つのサービス開始地理的位置および前記少なくとも１つのサービス終了地理的位置が、前記少なくとも１つの中央サーバと前記少なくとも１つの外部サーバとの間の少なくとも１つのリンクを介して、前記少なくとも１つの中央サーバから前記少なくとも１つの外部サーバにリアルタイムまたはほぼリアルタイムで送信され、
さらに、前記複数の搬送サービス提供の全部または一部が、前記少なくとも１つの外部サーバと前記少なくとも１つの中央サーバとの間の少なくとも１つのリンクを介して、前記少なくとも１つの外部サーバと前記少なくとも１つの中央サーバとの間でリアルタイムまたはほぼリアルタイムで送信され、
さらに、対応する搬送データが関連付けられた前記複数のフィルタリングされた搬送サービス提供、対応する搬送データが関連付けられた前記少なくとも１つの好ましい搬送サービス提供、前記少なくとも１つの搬送クライアント選好、前記少なくとも１つの搬送クライアントの前記少なくとも１つのリアルタイムまたはほぼリアルタイムの地理的位置、またはそれらの組合せが、前記少なくとも１つの中央サーバと前記少なくとも１つのアプリケーションとの間の少なくとも１つのリンクを介して、前記少なくとも１つの中央サーバと前記少なくとも１つのアプリケーションとの間でリアルタイムまたはほぼリアルタイムで送信され、
さらに、前記少なくとも１つのアプリケーションは前記少なくとも１つの端末上で動作し、前記少なくとも１つの搬送クライアントは、前記少なくとも１つのアプリケーションを使用して、対応する搬送データが関連付けられた前記複数のフィルタリングされた搬送サービス提供、対応する搬送データが関連付けられた前記少なくとも１つの好ましい搬送サービス提供、またはそれらの組合せの全部または一部の前記少なくとも１つの視覚的表現を分析または評価し、
さらに、前記少なくとも１つの搬送クライアントは、前記少なくとも１つのアプリケーションを使用して、前記少なくとも１つの視覚的表現を分析または評価し、次いで、前記少なくとも１つの好ましい搬送サービス提供を確保または取得し、
さらに、前記少なくとも１つの外部サーバは、前記少なくとも１つの外部サーバと前記少なくとも１つの中央サーバとの間の少なくとも１つのリンクを介して、前記少なくとも１つの外部サーバから前記少なくとも１つの中央サーバにリアルタイムまたはほぼリアルタイムで送信される前記複数の搬送サービス提供の全部または一部の少なくとも１つのリアルタイムまたはほぼリアルタイムのソースであり、
さらに、前記複数の搬送サービス提供の全部または一部は、リアルタイムまたはほぼリアルタイムで更新され、
さらに、前記少なくとも１つの中央サーバは、リアルタイムまたはほぼリアルタイムで、前記複数の搬送サービス提供の全部または一部の標準化、集約、またはそれらの組合せを実行し、
さらに、前記少なくとも１つの中央サーバは、リアルタイムまたはほぼリアルタイムで、前記少なくとも１つの搬送クライアント選好と、前記少なくとも１つの搬送クライアントの前記少なくとも１つのリアルタイムまたはほぼリアルタイムの地理的位置とを使用することによって、前記複数の搬送サービス提供の全部または一部をフィルタリングして、前記複数のフィルタリングされた搬送サービス提供の全部または一部を識別し、
さらに、前記複数のフィルタリングされた搬送サービス提供の全部または一部は、リアルタイムまたはほぼリアルタイムで更新され、
さらに、前記少なくとも１つの中央サーバは、前記少なくとも１つの搬送クライアント選好に関連する前記複数のフィルタリングされた搬送サービス提供の全部または一部から、前記少なくとも１つの好ましい搬送サービス提供をリアルタイムまたはほぼリアルタイムで識別し、
さらに、前記少なくとも１つの好ましい搬送サービス提供は、リアルタイムまたはほぼリアルタイムで更新され、
さらに、前記少なくとも１つの中央サーバは、対応する搬送データが関連付けられた前記複数のフィルタリングされた搬送サービス提供の全部または一部、対応する搬送データが関連付けられた前記少なくとも１つの好ましい搬送サービス提供、またはそれらの組合せを、前記少なくとも１つの中央サーバと前記少なくとも１つのアプリケーションとの間の少なくとも１つのリンクを介して、前記少なくとも１つのアプリケーションにリアルタイムまたはほぼリアルタイムで送信し、
さらに、前記少なくとも１つの端末は、前記少なくとも１つのアプリケーションの少なくとも１つの入力機能、少なくとも１つの表示機能、および操作を容易にするか、または提供し、前記少なくとも１つのアプリケーションとインターフェースをとるために前記少なくとも１つの搬送クライアントによって使用され、
さらに、前記少なくとも１つのアプリケーションは、対応する搬送データが関連付けられた前記複数のフィルタリングされた搬送サービス提供、対応する搬送データが関連付けられた前記少なくとも１つの好ましい搬送サービス提供、またはそれらの組合せの全部または一部の前記少なくとも１つの視覚的表現をリアルタイムまたはほぼリアルタイムでコンパイルし、
さらに、前記少なくとも１つのアプリケーションは、リアルタイムまたはほぼリアルタイムで更新される前記少なくとも１つの視覚的表現を表示し、
さらに、前記少なくとも１つの搬送クライアントは、前記少なくとも１つのアプリケーションを使用して、前記少なくとも１つの視覚的表現を分析または評価し、次いで、前記少なくとも１つの好ましい搬送サービス提供を確保または取得し、
さらに、前記少なくとも１つの搬送クライアントは、前記少なくとも１つの搬送サービスを受ける、
システムを含む。
【０１４２】
Ａ．少なくとも１つの中央サーバ
本発明の一実施形態は、前記少なくとも１つの中央サーバの少なくとも１つの機能が、前記少なくとも１つのアプリケーションによって実行されるシステムを含む。
【０１４３】
本発明の別の実施形態は、なくとも１つの中央サーバが、前記少なくとも１つの端末上に位置するシステムを含む。
【０１４４】
本発明の更なる実施形態は、少なくとも１つの異なるフォーマットで構造化されている前記複数の搬送サービス提供が、少なくとも１つの一様なフォーマットに標準化または変換されるシステムを含む。
【０１４５】
本発明の付加的な実施形態は、前記複数の搬送サービス提供の全部または一部が、前記少なくとも１つの外部サーバと前記少なくとも１つの中央サーバとの間の少なくとも１つのリンクを介して前記少なくとも１つの外部サーバから前記少なくとも１つの中央サーバに送信される前に、少なくとも１つの一様なフォーマットで構造化されるが標準化されないシステムを含む。
【０１４６】
Ｂ．少なくとも１つのアプリケーション
本発明の一実施形態は、前記少なくとも１つのアプリケーションが、前記少なくとも１つの中央サーバ上で動作するシステムを含む。
【０１４７】
本発明の別の実施形態は、前記少なくとも１つのアプリケーションの少なくとも１つの機能が、前記少なくとも１つの中央サーバによって実行されるシステムを含む。
【０１４８】
Ｃ．複数の搬送サービス提供
本発明の一実施形態は、対応する搬送データが関連付けられた前記複数の搬送サービス提供の全部または一部が、少なくとも１つの搬送業界セグメントで活動する少なくとも１つのサービスプロバイダによって供給または提供されるシステムを含む。
【０１４９】
本発明の別の実施形態は、前記複数の搬送サービス提供の全部または一部が、少なくとも１つのライドヘイルサービス提供、少なくとも１つのライドシェアサービス提供、少なくとも１つのカーシェアサービス提供、少なくとも１つのピアツーピア搬送サービス提供、少なくとも１つの人物配達サービス提供、少なくとも１つのタクシーサービス提供、少なくとも１つのシャトルサービス提供、少なくとも１つの商品配達サービス提供、少なくとも１つのアイテム配達サービス提供、少なくとも１つの医療サービスおよび配達提供、少なくとも１つの食品配達サービス提供、少なくとも１つの宅配便配達サービス提供、少なくとも１つの貨物配達サービス提供、少なくとも１つの動物配達サービス提供、少なくとも１つの配達サービス提供、またはそれらの組合せを含むシステムを含む。
【０１５０】
本発明の更なる実施形態は、前記複数の搬送サービス提供が、１つの搬送サービス提供であるシステムを含む。
【０１５１】
本発明の付加的な実施形態は、搬送データが、少なくとも１つのサービス開始地理的位置、少なくとも１つのサービス終了地理的位置、価格設定情報、高価格設定情報、少なくとも１つの搬送クライアント選好、少なくとも１つの距離パラメータ、少なくとも１つの推定到着時間、少なくとも１つの目的地までの時間、少なくとも１つの搬送クライアント地理的位置、少なくとも１つの搬送クライアント評価、少なくとも１つの搬送クライアント格付け、少なくとも１つの搬送クライアント詳細、少なくとも１つの搬送サービス詳細、少なくとも１つの搬送サービスルート、少なくとも１つの代理人地理的位置、少なくとも１つの代理人評価、少なくとも１つの代理人格付け、少なくとも１つの代理人詳細、少なくとも１つの好ましい代理人、少なくとも１つの自律車両地理的位置、少なくとも１つの自律車両評価、少なくとも１つの自律車両格付け、少なくとも１つの自律車両詳細、少なくとも１つのサービスプロバイダ地理的位置、少なくとも１つのサービスプロバイダ評価、少なくとも１つのサービスプロバイダ格付け、少なくとも１つのサービスプロバイダ詳細、少なくとも１つの好ましいサービスプロバイダ、少なくとも１つの商品サプライヤ地理的位置、少なくとも１つの商品サプライヤ評価、少なくとも１つの商品サプライヤ格付け、少なくとも１つの商品サプライヤ詳細、少なくとも１つの好ましい商品サプライヤ、少なくとも１つの搬送業界セグメント詳細、少なくとも１つの好ましい搬送業界セグメント、少なくとも１つの商品詳細、少なくとも１つのアイテム詳細、少なくとも１つのタイプの車両詳細、少なくとも１つの車両詳細、少なくとも１つの統計変数の少なくとも１つの測定値、少なくとも１つのサービスレベル詳細、またはそれらの組合せを含むシステムを含む。
【０１５２】
Ｄ．複数のフィルタリングされた搬送サービス提供
本発明の一実施形態は、前記複数の搬送サービス提供の全部または一部が、前記少なくとも１つの搬送クライアント選好および前記少なくとも１つの搬送クライアントの前記少なくとも１つのリアルタイムまたはほぼリアルタイムの地理的位置に関してフィルタリングされ、前記複数のフィルタリングされた搬送サービス提供の全部または一部が、分類、フィルタリング、特徴付け、スクリーニング、選択、分離、識別、指定、区別、命名、番号付け、順序付け、体系化、タグ付け、ラベル付け、認識、配置、ブラケット付け、ランキング、整理、分類、隔離、分離、グループ化、比較、またはそれらの組合せの少なくとも１つのプロセスによって識別されるシステムを含む。
【０１５３】
本発明の付加的な実施形態は、前記少なくとも１つの好ましい搬送サービス提供が、前記少なくとも１つの搬送クライアント選好の少なくとも１つの加重平均に関連する前記複数のフィルタリングされた搬送サービス提供の全部または一部から識別されるシステムを含む。
【０１５４】
本発明の更なる実施形態は、前記複数の搬送サービス提供の全部または一部をフィルタリングする際に、前記少なくとも１つの搬送クライアントの前記少なくとも１つのリアルタイムまたはほぼリアルタイムの地理的位置以外の少なくとも１つの異なる地理的位置が使用されるシステムを含む。
【０１５５】
本発明の付加的な実施形態は、前記複数のフィルタリングされた搬送サービス提供が、１つのフィルタリングされた搬送サービス提供であるシステムを含む。
【０１５６】
Ｅ．少なくとも１つの好ましい搬送サービス提供
本発明の一実施形態は、前記少なくとも１つの搬送クライアントが、前記少なくとも１つの好ましい搬送サービス提供以外の少なくとも１つの前記フィルタリングされた搬送サービス提供を確保または取得するシステムを含む。
【０１５７】
Ｆ．少なくとも１つの搬送クライアント
本発明の一実施形態は、前記少なくとも１つの搬送クライアントが、前記少なくとも１つの好ましい搬送サービス提供のために、２つ以上の前記代理人または２つ以上の前記自律車両を確保または取得するシステムを含む。
【０１５８】
Ｇ．少なくとも１つの搬送クライアント選好
本発明の一実施形態は、前記少なくとも１つの搬送クライアント選好が、少なくとも１つの価格設定選好、少なくとも１つの高価格設定選好、少なくとも１つの地理的位置選好、少なくとも１つの距離選好、少なくとも１つのルート選好、少なくとも１つのサービス所要時間選好、少なくとも１つのサービス開始地理的位置選好、少なくとも１つのサービス終了地理的位置選好、少なくとも１つの時間選好、少なくとも１つの予測選好、少なくとも１つの過去選好、少なくとも１つの効率選好、少なくとも１つのイベント包含選好、少なくとも１つのイベント除外選好、少なくとも１つの交通量基準選好、少なくとも１つの道路条件選好、少なくとも１つの気象条件選好、少なくとも１つの搬送サービス所要時間選好、少なくとも１つの搬送サービス提供密度選好、少なくとも１つの代理人詳細選好、少なくとも１つの代理人格付け選好、少なくとも１つの代理人密度選好、少なくとも１つの搬送クライアント密度選好、少なくとも１つのサービスプロバイダ包含選好、少なくとも１つのサービスプロバイダ除外選好、少なくとも１つのサービスプロバイダ密度選好、少なくとも１つのサービスレベル選好、少なくとも１つの商品サプライヤ包含選好、少なくとも１つの商品サプライヤ除外選好、少なくとも１つの商品サプライヤ密度選好、少なくとも１つの商品詳細選好、少なくとも１つの搬送業界セグメント選好、少なくとも１つの貨物選好、少なくとも１つのウェイポイント選好、少なくとも１つの配達サービス選好、またはそれらの組み合わせを含むシステムを含む。
【０１５９】
Ｈ．少なくとも１つの視覚的表現
本発明の一実施形態は、前記少なくとも１つの視覚的表現が、前記少なくとも１つの中央サーバ上でコンパイルされ、前記少なくとも１つの中央サーバと前記少なくとも１つのアプリケーションとの間の少なくとも１つのリンクを介して前記少なくとも１つのアプリケーションに送信されるシステムを含む。
【０１６０】
本発明の別の実施形態は、前記少なくとも１つの視覚的表現が、少なくとも１つの動的マップ、少なくとも１つのヒートマップ、またはそれらの組み合わせを含むシステムを含む。
【０１６１】
本発明の更なる実施形態は、前記少なくとも１つの好ましい搬送サービス提供が、前記複数のフィルタリングされた搬送サービス提供の全部または一部と比較して視覚的に識別可能な少なくとも１つのフォーマットで表示されるシステムを含む。
【０１６２】
本発明の付加的な実施形態は、前記少なくとも１つの動的マップが、リアルタイムまたはほぼリアルタイムで、対応する搬送データが関連付けられた前記複数のフィルタリングされた搬送サービス提供の全部または一部、対応する搬送データが関連付けられた前記少なくとも１つの好ましい搬送サービス提供、またはそれらの組合せを表示する前記少なくとも１つの地理的マップを含むシステムを含む。
【０１６３】
本発明の一実施形態は、前記複数のフィルタリングされた搬送サービス提供、前記少なくとも１つの好ましい搬送サービス提供、またはそれらの組み合わせの全部または一部が、少なくとも１つの移動型アイコンまたは一時アイコン、または少なくとも１つの移動型ビジュアルまたは一時ビジュアルとして個別に表示され、リアルタイムまたはほぼリアルタイムで更新または変更されるシステムを含む。
【０１６４】
本発明の別の実施形態は、少なくとも１つの個々のサービスプロバイダに関連する、前記複数のフィルタリングされた搬送サービス提供、前記少なくとも１つの好ましい搬送サービス提供、またはそれらの組み合わせの全部または一部が、少なくとも１つの区別可能なアイコンまたは少なくとも１つの区別可能なビジュアルとして表示され、リアルタイムまたはほぼリアルタイムで更新または変更されるシステムを含む。
【０１６５】
本発明の更なる実施形態は、前記少なくとも１つのヒートマップが、
対応する搬送データが関連付けられた前記複数の搬送サービス提供の全部または一部、
対応する搬送データが関連付けられた前記複数のフィルタリングされた搬送サービス提供の全部または一部、
対応する搬送データが関連付けられた前記少なくとも１つの好ましい搬送サービス提供の全部または一部、または
それらの組み合わせ
の少なくとも１つの統計変数の少なくとも１つの視覚的描写を表示する前記少なくとも１つの地理的マップを含むシステムを含む。
【０１６６】
本発明の付加的な実施形態は、前記少なくとも１つの統計変数が、搬送サービスの利用可能性、価格設定、高価格設定、搬送サービス提供密度、フィルタリングされた搬送サービス提供密度、好ましい搬送サービス提供密度、好ましい商品サプライヤ密度、好ましい搬送業界セグメント、搬送業界セグメント密度、サービスレベル密度、搬送サービス距離、推定到着時間、好ましい代理人密度、代理人密度、搬送クライアント密度、サービスプロバイダ密度、商品サプライヤ密度、またはそれらの組合せのうちの少なくとも１つの、少なくとも１つの測定値を含むシステムを含む。
【０１６７】
本発明の一実施形態は、前記少なくとも１つのヒートマップの少なくとも１つのエリアが、前記少なくとも１つの統計変数の少なくとも１つの測定値に比例して区別され、少なくとも１つの区別可能な色相、少なくとも１つの区別可能な陰影、少なくとも１つの区別可能な飽和度、少なくとも１つの区別可能な不透明度、少なくとも１つの区別可能な色、少なくとも１つの区別可能な色の値、少なくとも１つの区別可能なパターン、少なくとも１つの区別可能なハッチング、少なくとも１つの区別可能な形状、少なくとも１つの区別可能な画像、少なくとも１つの区別可能なアニメーション、またはそれらの組合せを有するものとして表示されるシステムを含む。
【０１６８】
本発明の別の実施形態は、前記少なくとも１つの好ましい搬送サービス提供が、前記少なくとも１つのヒートマップ、少なくとも１つのリアルタイムまたはほぼリアルタイムのヒートマップ、少なくとも１つの履歴ヒートマップ、少なくとも１つの予測ヒートマップ、またはそれらの組合せをコンパイルする前に識別されないシステムを含む。
【０１６９】
本発明の更なる実施形態は、少なくとも１つのリアルタイムまたはほぼリアルタイムのヒートマップが、対応する搬送データが関連付けられた前記複数の搬送サービス提供の全部または一部、対応する搬送データが関連付けられた前記複数のフィルタリングされた搬送サービス提供の全部または一部、対応する搬送データが関連付けられた前記少なくとも１つの好ましい搬送サービス提供の全部または一部、またはそれらの組合せの前記少なくとも１つの統計変数からコンパイルされるシステムを含む。
【０１７０】
本発明の付加的な実施形態は、少なくとも１つの履歴ヒートマップが、対応する搬送データが関連付けられた過去の前記複数の搬送サービス提供の全部または一部、対応する搬送データが関連付けられた過去の前記複数のフィルタリングされた搬送サービス提供の全部または一部、対応する搬送データが関連付けられた過去の前記少なくとも１つの好ましい搬送サービス提供の全部または一部、またはそれらの組合せの前記少なくとも１つの統計変数からコンパイルされるシステムを含む。
【０１７１】
本発明の一実施形態は、少なくとも１つの予測ヒートマップが、対応する搬送データが関連付けられた過去の前記複数の搬送サービス提供の全部または一部、対応する搬送データが関連付けられた過去の前記複数のフィルタリングされた搬送サービス提供の全部または一部、対応する搬送データが関連付けられた過去の前記少なくとも１つの好ましい搬送サービス提供の全部または一部、対応する搬送データが関連付けられた前記複数の搬送サービス提供の全部または一部、対応する搬送データが関連付けられた前記複数のフィルタリングされた搬送サービス提供の全部または一部、対応する搬送データが関連付けられた前記少なくとも１つの好ましい搬送サービス提供の全部または一部、またはそれらの組合せの前記少なくとも１つの統計変数からコンパイルされるシステムを含む。
【０１７２】
本発明の別の実施形態は、前記少なくとも１つの予測ヒートマップが、将来の搬送サービス利用可能性、将来の価格設定、将来の高価格設定、将来の搬送サービス提供密度、将来のフィルタリングされた搬送サービス提供密度、将来の好ましい搬送サービス提供密度、将来のサービスレベル密度、将来の搬送業界セグメント密度、将来の代理人密度、将来の搬送クライアント密度、将来のサービスプロバイダ密度、将来の商品サプライヤ密度、将来のサービスレベル供給、将来の搬送業界セグメント供給、将来の搬送サービス供給、将来のービスプロバイダ供給、将来の商品サプライヤ供給、将来の搬送サービス需要、将来の搬送クライアント需要、またはそれらの組合せの少なくとも１つを識別または推定するシステムを含む。
【０１７３】
本発明の更なる実施形態は、前記少なくとも１つの予測ヒートマップが、少なくとも１つの視覚的通知または少なくとも１つの音声通知を生成して、前記少なくとも１つの統計変数、前記少なくとも１つの統計変数の前記少なくとも１つの測定値、またはそれらの組合せの少なくとも１つの将来の変化または更新を前記少なくとも１つの搬送クライアントに通知するシステムを含む。
【０１７４】
Ｉ．機能
本発明の一実施形態は、前記少なくとも１つの搬送クライアントが、少なくとも１つの搬送業界セグメントにおいて前記少なくとも１つの好ましい搬送サービス提供を確保または取得するシステムを含む。
【０１７５】
本発明の別の実施形態は、前記少なくとも１つの搬送クライアントの前記少なくとも１つのリアルタイムまたはほぼリアルタイムの地理的位置が更新または変更されると、または交通情報が更新または変更されると、対応する搬送データが関連付けられた前記少なくとも１つの好ましい搬送サービス提供、対応する搬送データが関連付けられた前記複数のフィルタリングされた搬送サービス提供の全部または一部、またはそれらの組合せが、リアルタイムまたはほぼリアルタイムで識別または更新されるシステムを含む。
【０１７６】
本発明の付加的な実施形態は、前記少なくとも１つの視覚的表現が、少なくとも１つのリモートディスプレイ上に表示されるシステムを含む。
【０１７７】
本発明の一実施形態は、前記少なくとも１つの搬送クライアントが、前記少なくとも１つの視覚的表現の少なくとも１つのエリアをブラウズまたはナビゲートして、前記少なくとも１つの好ましい搬送サービス提供または少なくとも１つの前記フィルタリングされた搬送サービス提供を選択することによって、前記少なくとも１つの好ましい搬送サービス提供または少なくとも１つの前記フィルタリングされた搬送サービス提供を識別し、次いで、確保または取得するシステムを含む。
【０１７８】
ＩＶ．方法＃２：搬送クライアントマップ
本発明の第四の態様は、搬送業界内で、少なくとも１つの視覚的表現を使用して、少なくとも１つの搬送クライアント選好および少なくとも１つの搬送クライアントの少なくとも１つのリアルタイムまたはほぼリアルタイムの地理的位置に関連する少なくとも１つの好ましい搬送サービス提供を確保または取得する少なくとも１つのプロセスにおいて少なくとも１つの搬送クライアントを支援するための、リアルタイムまたはほぼリアルタイムの方法であって、
ａ）上記セクションＩＩＩに記載のシステムのいずれかを提供するステップと、
ｂ）前記少なくとも１つのサービス開始地理的位置および前記少なくとも１つのサービス終了地理的位置を、前記少なくとも１つの端末上の前記少なくとも１つのアプリケーションに提供するステップと、
ｃ）前記少なくとも１つのサービス開始地理的位置および前記少なくとも１つのサービス終了地理的位置を、前記少なくとも１つのアプリケーションと前記少なくとも１つの中央サーバとの間の少なくとも１つのリンクを介して、前記少なくとも１つのアプリケーションから前記少なくとも１つの中央サーバにリアルタイムまたはほぼリアルタイムで送信するステップと、
ｄ）前記少なくとも１つの中央サーバにおいて、前記少なくとも１つのサービス開始地理的位置および前記少なくとも１つのサービス終了地理的位置を、前記少なくとも１つの中央サーバと前記少なくとも１つのアプリケーションとの間の少なくとも１つのリンクを介して、前記少なくとも１つのアプリケーションからリアルタイムまたはほぼリアルタイムで受信するステップと、
ｅ）前記少なくとも１つのサービス開始地理的位置および前記少なくとも１つのサービス終了地理的位置を、前記少なくとも１つの中央サーバと前記少なくとも１つの外部サーバとの間の少なくとも１つのリンクを介して、前記少なくとも１つの中央サーバから前記少なくとも１つの外部サーバにリアルタイムまたはほぼリアルタイムで送信するステップと、
ｆ）前記少なくとも１つの外部サーバにおいて、前記少なくとも１つのサービス開始地理的位置および前記少なくとも１つのサービス終了地理的位置を、前記少なくとも１つの外部サーバと前記少なくとも１つの中央サーバとの間の少なくとも１つのリンクを介して、前記少なくとも１つの中央サーバからリアルタイムまたはほぼリアルタイムで受信するステップと、
ｇ）前記少なくとも１つの中央サーバにおいて、前記少なくとも１つの中央サーバと前記少なくとも１つの外部サーバとの間の少なくとも１つのリンクを介して、前記少なくとも１つの外部サーバから前記複数の搬送サービス提供の全部または一部をリアルタイムまたはほぼリアルタイムで受信するステップと、
ｈ）前記少なくとも１つの中央サーバの前記少なくとも１つのコンピュータ可読メモリに、前記複数の搬送サービス提供の全部または一部をリアルタイムまたはほぼリアルタイムで格納するステップと、
ｉ）前記少なくとも１つの中央サーバを使用して、前記複数の搬送サービス提供の全部または一部をリアルタイムまたはほぼリアルタイムで標準化するステップと、
ｊ）前記少なくとも１つの中央サーバを使用して、前記複数の搬送サービス提供の全部または一部をリアルタイムまたはほぼリアルタイムで集約するステップと、
ｋ）前記少なくとも１つのアプリケーションと前記少なくとも１つの中央サーバとの間の少なくとも１つのリンクを介して、前記少なくとも１つのアプリケーションから前記少なくとも１つの中央サーバに前記少なくとも１つの搬送クライアント選好および前記少なくとも１つの搬送クライアントの前記少なくとも１つのリアルタイムまたはほぼリアルタイムの地理的位置をリアルタイムまたはほぼリアルタイムで送信するステップであって、
ｉ）前記少なくとも１つの搬送クライアントが、前記少なくとも１つの端末の前記少なくとも１つの入力ソースを使用して、前記少なくとも１つのアプリケーションに前記少なくとも１つの搬送クライアント選好を入力または提供し、
ｉｉ）前記少なくとも１つのアプリケーションが、前記少なくとも１つの端末の前記少なくとも１つの地理的位置モジュールを使用して前記少なくとも１つの搬送クライアントの前記少なくとも１つのリアルタイムまたはほぼリアルタイムの地理的位置を提供する
ステップと、
ｌ）前記少なくとも１つの中央サーバと前記少なくとも１つのアプリケーションとの間の少なくとも１つのリンクを介して、前記少なくとも１つの中央サーバにおいて、前記少なくとも１つの搬送クライアント選好および前記少なくとも１つのアプリケーションから前記少なくとも１つの搬送クライアントの前記少なくとも１つのリアルタイムまたはほぼリアルタイムの地理的位置をリアルタイムまたはほぼリアルタイムで受信するステップと、
ｍ）前記少なくとも１つの中央サーバにおいて、前記少なくとも１つの搬送クライアント選好および前記少なくとも１つの搬送クライアントの少なくとも１つのリアルタイムまたはほぼリアルタイムの地理的位置を使用して前記複数の搬送サービス提供の全部または一部をリアルタイムまたはほぼリアルタイムでフィルタリングし、前記複数のフィルタリングされた搬送サービス提供の全部または一部を識別するステップと、
ｎ）前記少なくとも１つの中央サーバにおいて、前記少なくとも１つの搬送クライアント選好に関連する前記複数のフィルタリングされた搬送サービス提供の全部または一部から、前記少なくとも１つの好ましい搬送サービス提供をリアルタイムまたはほぼリアルタイムで識別するステップと、
ｏ）前記少なくとも１つの中央サーバと前記少なくとも１つのアプリケーションとの間の少なくとも１つのリンクを介して、前記少なくとも１つの中央サーバから前記少なくとも１つのアプリケーションに、対応する搬送データが関連付けられた前記複数のフィルタリングされた搬送サービス提供の全部または一部、対応する搬送データが関連付けられた前記少なくとも１つの好ましい搬送サービス提供、またはそれらの組合せをリアルタイムまたはほぼリアルタイムで送信するステップと、
ｐ）前記少なくとも１つのアプリケーションと前記少なくとも１つの中央サーバとの間の少なくとも１つのリンクを介して、前記少なくとも１つのアプリケーションにおいて、前記少なくとも１つの中央サーバから、対応する搬送データが関連付けられた前記複数のフィルタリングされた搬送サービス提供の全部または一部、対応する搬送データが関連付けられた前記少なくとも１つの好ましい搬送サービス提供、またはそれらの組合せを、リアルタイムまたはほぼリアルタイムで受信するステップと、
ｑ）前記少なくとも１つのアプリケーションにおいて、前記少なくとも１つの視覚的表現をデジタル形式でリアルタイムまたはほぼリアルタイムでコンパイルするステップであって、
ｉ）前記少なくとも１つの搬送クライアントの前記少なくとも１つのリアルタイムまたはほぼリアルタイムの地理的位置に関連する前記少なくとも１つの地理的マップが前記少なくとも１つのアプリケーション上で提供され、
ｉｉ）対応する搬送データが関連付けられた前記複数のフィルタリングされた搬送サービス提供の全部または一部、対応する搬送データが関連付けられた前記少なくとも１つの好ましい搬送サービス提供、またはそれらの組み合わせが、それらに含まれる少なくとも１つの対応する地理的位置に関連する前記少なくとも１つの地理的マップ上に配置され、
ｉｉｉ）前記少なくとも１つの視覚的表現が、対応する搬送データが関連付けられた後続のまたは追加の前記複数のフィルタリングされた搬送サービス提供の全部または一部、対応する搬送データが関連付けられた後続のまたは追加の前記少なくとも１つの好ましい搬送サービス提供、またはそれらの組み合わせで、リアルタイムまたはほぼリアルタイムで更新される
ステップと、
ｒ）前記少なくとも１つの端末の前記少なくとも１つのディスプレイを使用して、前記少なくとも１つの視覚的表現を前記少なくとも１つのアプリケーション上にリアルタイムまたはほぼリアルタイムで表示するステップと、
ｓ）前記少なくとも１つの搬送クライアントが、前記少なくとも１つの視覚的表現を分析または評価して、前記少なくとも１つの好ましい搬送サービス提供を確保または取得し、次いで、前記少なくとも１つの搬送クライアントが、前記少なくとも１つの搬送サービスを受けるステップと、を含む
方法を含む。
【０１７９】
Ａ．複数の搬送サービス提供の標準化
本発明の一実施形態は、少なくとも１つの異なるフォーマットで構造化されている前記複数の搬送サービス提供の全部または一部が、少なくとも１つの一様なフォーマットに標準化または変換される方法を含む。
【０１８０】
本発明の別の実施形態は、前記複数の搬送サービス提供の全部または一部が、前記少なくとも１つの外部サーバと前記少なくとも１つの中央サーバとの間の少なくとも１つのリンクを介して前記少なくとも１つの外部サーバから前記少なくとも１つの中央サーバに送信される前に、少なくとも１つの一様なフォーマットで構造化されるが標準化されない方法を含む。
【０１８１】
本発明の更なる実施形態は、前記複数の搬送サービス提供の全部または一部をフィルタリングする前のステップＨ〜Ｌは任意の順序とすることができる方法を含む。
【０１８２】
Ｂ．少なくとも１つの搬送クライアント選好および少なくとも１つの地理的位置の送信
本発明の付加的な実施形態は、前記少なくとも１つの搬送クライアント選好が前記少なくとも１つのアプリケーションに入力または提供されると、前記少なくとも１つのアプリケーション、前記少なくとも１つの中央サーバの前記少なくとも１つのコンピュータ可読メモリ、またはそれらの組合せに格納またはキャッシュされ、前記少なくとも１つの搬送クライアント選好が、前記少なくとも１つの搬送クライアントによって前記少なくとも１つのアプリケーションに再び入力または提供されない方法を含む。
【０１８３】
本発明の一実施形態は、前記少なくとも１つの搬送クライアント選好が、前記少なくとも１つの中央サーバの前記少なくとも１つのコンピュータ可読メモリに格納またはキャッシュされ、前記少なくとも１つの搬送クライアント選好が、前記少なくとも１つのアプリケーションから前記少なくとも１つの中央サーバに再び送信されない方法を含む。
【０１８４】
本発明の別の実施形態は、前記少なくとも１つの搬送クライアント選好、前記少なくとも１つの搬送クライアントの前記少なくとも１つのリアルタイムまたはほぼリアルタイムの地理的位置、またはそれらの組合せが、前記複数の搬送サービス提供の全部または一部をフィルタリングする前の任意の時間に、前記少なくとも１つのアプリケーションから前記少なくとも１つの中央サーバに送信される方法を含む。
【０１８５】
Ｃ．複数の搬送サービス提供のフィルタリング
本発明の一実施形態は、前記複数の搬送サービス提供の全部または一部が、前記少なくとも１つの搬送クライアント選好および前記少なくとも１つの搬送クライアントの前記少なくとも１つのリアルタイムまたはほぼリアルタイムの地理的位置に関してフィルタリングされ、前記複数のフィルタリングされた搬送サービス提供の全部または一部が、分類、フィルタリング、特徴付け、スクリーニング、選択、分離、識別、指定、区別、命名、番号付け、順序付け、体系化、タグ付け、ラベル付け、認識、配置、ブラケット付け、ランキング、整理、分類、隔離、分離、グループ化、比較、またはそれらの組合せの少なくとも１つのプロセスによって識別される方法を含む。
【０１８６】
本発明の別の実施形態は、前記複数の搬送サービス提供の全部または一部は、前記少なくとも１つのアプリケーション上で、
ａ）前記少なくとも１つの中央サーバと前記少なくとも１つのアプリケーションとの間の少なくとも１つのリンクを介して、前記少なくとも１つの中央サーバから前記少なくとも１つのアプリケーションに前記複数の搬送サービス提供の全部または一部をリアルタイムまたはほぼリアルタイムで送信し、
ｂ）前記少なくとも１つの搬送クライアント選好および前記少なくとも１つの搬送クライアントの前記少なくとも１つのリアルタイムまたはほぼリアルタイムの地理的位置を使用して前記複数の搬送サービス提供の全部または一部をリアルタイムまたはほぼリアルタイムでフィルタリングすることで、前記複数のフィルタリングされた搬送サービス提供の全部または一部を識別し、
ｃ）前記少なくとも１つの搬送クライアント選好に関連する前記複数のフィルタリングされた搬送サービス提供の全部または一部から、前記少なくとも１つの好ましい搬送サービス提供をリアルタイムまたはほぼリアルタイムで識別する
ことで、リアルタイムまたはほぼリアルタイムでフィルタリングされ、前記少なくとも１つの好ましい搬送サービス提供が、前記複数のフィルタリングされた搬送サービス提供の全部または一部から、リアルタイムまたはほぼリアルタイムで識別される方法を含む。
【０１８７】
本発明の更なる実施形態は、前記複数の搬送サービス提供の全部または一部をフィルタリングする際に、前記少なくとも１つの搬送クライアントの前記少なくとも１つのリアルタイムまたはほぼリアルタイムの地理的位置以外の少なくとも１つの異なる地理的位置が使用される方法を含む。
【０１８８】
Ｄ．少なくとも１つの好ましい搬送サービス提供の識別
本発明の一実施形態は、少なくとも１つの分類アルゴリズム、少なくとも１つの選択アルゴリズム、少なくとも１つの検索アルゴリズム、少なくとも１つのマージアルゴリズム、少なくとも１つの最大関数、少なくとも１つの最小関数、少なくとも１つの比較、またはそれらの組合せを使用することによって、前記少なくとも１つの搬送クライアント選好に関連する前記少なくとも１つの好ましい搬送サービス提供が、前記複数のフィルタリングされた搬送サービス提供の全部または一部から識別される方法を含む。
【０１８９】
本発明の別の実施形態は、前記少なくとも１つの好ましい搬送サービス提供が、前記少なくとも１つの搬送クライアント選好の少なくとも１つの加重平均に関連する前記複数のフィルタリングされた搬送サービス提供の全部または一部から識別される方法を含む。
【０１９０】
本発明の更なる実施形態は、前記少なくとも１つの好ましい搬送サービス提供が、
ａ）前記少なくとも１つの中央サーバと前記少なくとも１つのアプリケーションとの間の少なくとも１つのリンクを介して、前記少なくとも１つの中央サーバから前記少なくとも１つのアプリケーションに前記複数のフィルタリングされた搬送サービス提供の全部または一部をリアルタイムまたはほぼリアルタイムで送信し、
ｂ）前記少なくとも１つの好ましい搬送サービス提供を、前記少なくとも１つの搬送クライアント選好に関連する前記複数のフィルタリングされた搬送サービス提供の全部または一部からリアルタイムまたはほぼリアルタイムで識別する
ことで、前記少なくとも１つのアプリケーション上の前記複数のフィルタリングされた搬送サービス提供の全部または一部から、リアルタイムまたはほぼリアルタイムで識別される方法を含む。
【０１９１】
Ｅ．少なくとも１つの視覚的表現のコンパイル
本発明の一実施形態は、前記少なくとも１つの視覚的表現が、前記少なくとも１つの中央サーバ上でコンパイルされ、前記少なくとも１つの中央サーバと前記少なくとも１つのアプリケーションとの間の少なくとも１つのリンクを介して前記少なくとも１つのアプリケーションに送信される方法を含む。
【０１９２】
Ｆ．少なくとも１つの視覚的表現の表示
本発明の一実施形態は、前記少なくとも１つの視覚的表現が、少なくとも１つのリモートディスプレイ上に表示される方法を含む。
【０１９３】
本発明の別の実施形態は、前記少なくとも１つの視覚的表現が、少なくとも１つの動的マップ、少なくとも１つのヒートマップ、またはそれらの組合せを含む方法を含む。
【０１９４】
本発明の更なる実施形態は、前記少なくとも１つの好ましい搬送サービス提供が、前記複数のフィルタリングされた搬送サービス提供の全部または一部と比較して視覚的に識別可能な少なくとも１つのフォーマットで表示される方法を含む。
【０１９５】
本発明の付加的な実施形態は、前記少なくとも１つの動的マップが、リアルタイムまたはほぼリアルタイムで、対応する搬送データが関連付けられた前記複数のフィルタリングされた搬送サービス提供の全部または一部、対応する搬送データが関連付けられた前記少なくとも１つの好ましい搬送サービス提供、またはそれらの組合せを表示する前記少なくとも１つの地理的マップを含む方法を含む。
【０１９６】
本発明の一実施形態は、前記複数のフィルタリングされた搬送サービス提供、前記少なくとも１つの好ましい搬送サービス提供、またはそれらの組み合わせの全部または一部が、少なくとも１つの移動型アイコンまたは一時アイコン、または少なくとも１つの移動型ビジュアルまたは一時ビジュアルとして個別に表示され、リアルタイムまたはほぼリアルタイムで更新または変更される方法を含む。
【０１９７】
本発明の一実施形態は、少なくとも１つの個々のサービスプロバイダに関連する、前記複数のフィルタリングされた搬送サービス提供、前記少なくとも１つの好ましい搬送サービス提供、またはそれらの組み合わせの全部または一部が、少なくとも１つの区別可能なアイコンまたは少なくとも１つの区別可能なビジュアルとして表示され、リアルタイムまたはほぼリアルタイムで更新または変更される方法を含む。
【０１９８】
本発明の別の実施形態は、前記少なくとも１つのヒートマップが、
対応する搬送データが関連付けられた前記複数の搬送サービス提供の全部または一部、
対応する搬送データが関連付けられた前記複数のフィルタリングされた搬送サービス提供の全部または一部、
対応する搬送データが関連付けられた前記少なくとも１つの好ましい搬送サービス提供の全部または一部、または
それらの組み合わせ
の少なくとも１つの統計変数の少なくとも１つの視覚的描写を表示する前記少なくとも１つの地理的マップを含む方法を含む。
【０１９９】
本発明の更なる実施形態は、前記少なくとも１つの統計変数が、搬送サービスの利用可能性、価格設定、高価格設定、搬送サービス提供密度、フィルタリングされた搬送サービス提供密度、好ましい搬送サービス提供密度、好ましい商品サプライヤ密度、好ましい搬送業界セグメント、搬送業界セグメント密度、サービスレベル密度、搬送サービス距離、推定到着時間、好ましい代理人密度、代理人密度、搬送クライアント密度、サービスプロバイダ密度、商品サプライヤ密度、またはそれらの組合せのうちの少なくとも１つの、少なくとも１つの測定値を含む方法を含む。
【０２００】
本発明の別の実施形態は、前記少なくとも１つのヒートマップの少なくとも１つのエリアが、前記少なくとも１つの統計変数の少なくとも１つの測定値に比例して区別され、少なくとも１つの区別可能な色相、少なくとも１つの区別可能な陰影、少なくとも１つの区別可能な飽和度、少なくとも１つの区別可能な不透明度、少なくとも１つの区別可能な色、少なくとも１つの区別可能な色の値、少なくとも１つの区別可能なパターン、少なくとも１つの区別可能なハッチング、少なくとも１つの区別可能な形状、少なくとも１つの区別可能な画像、少なくとも１つの区別可能なアニメーション、またはそれらの組合せを有するものとして表示される方法を含む。
【０２０１】
本発明の付加的な実施形態は、前記少なくとも１つの好ましい輸送サービス提供が、前記少なくとも１つのヒートマップ、少なくとも１つのリアルタイムまたはほぼリアルタイムのヒートマップ、少なくとも１つの履歴ヒートマップ、少なくとも１つの予測ヒートマップ、またはそれらの組合せをコンパイルする前に識別されない方法を含む。
【０２０２】
本発明の一実施形態は、少なくとも１つのリアルタイムまたはほぼリアルタイムのヒートマップが、対応する搬送データが関連付けられた前記複数の搬送サービス提供の全部または一部、対応する搬送データが関連付けられた前記複数のフィルタリングされた搬送サービス提供の全部または一部、対応する搬送データが関連付けられた前記少なくとも１つの好ましい搬送サービス提供の全部または一部、またはそれらの組合せの前記少なくとも１つの統計変数からコンパイルされる方法を含む。
【０２０３】
本発明の別の実施形態は、少なくとも１つの履歴ヒートマップが、対応する搬送データが関連付けられた過去の前記複数の搬送サービス提供の全部または一部、対応する搬送データが関連付けられた過去の前記複数のフィルタリングされた搬送サービス提供の全部または一部、対応する搬送データが関連付けられた過去の前記少なくとも１つの好ましい搬送サービス提供の全部または一部、またはそれらの組合せの前記少なくとも１つの統計変数からコンパイルされる方法を含む。
【０２０４】
本発明の更なる実施形態は、少なくとも１つの予測ヒートマップが、対応する搬送データが関連付けられた過去の前記複数の搬送サービス提供の全部または一部、対応する搬送データが関連付けられた過去の前記複数のフィルタリングされた搬送サービス提供の全部または一部、対応する搬送データが関連付けられた過去の前記少なくとも１つの好ましい搬送サービス提供の全部または一部、対応する搬送データが関連付けられた前記複数の搬送サービス提供の全部または一部、対応する搬送データが関連付けられた前記複数のフィルタリングされた搬送サービス提供の全部または一部、対応する搬送データが関連付けられた前記少なくとも１つの好ましい搬送サービス提供の全部または一部、またはそれらの組合せの前記少なくとも１つの統計変数からコンパイルされる方法を含む。
【０２０５】
本発明の付加的な実施形態は、前記少なくとも１つの予測ヒートマップが、将来の搬送サービス利用可能性、将来の価格設定、将来の高価格設定、将来の搬送サービス提供密度、将来のフィルタリングされた搬送サービス提供密度、将来の好ましい搬送サービス提供密度、将来のサービスレベル密度、将来の搬送業界セグメント密度、将来の代理人密度、将来の搬送クライアント密度、将来のサービスプロバイダ密度、将来の商品サプライヤ密度、将来のサービスレベル供給、将来の搬送業界セグメント供給、将来の搬送サービス供給、将来のービスプロバイダ供給、将来の商品サプライヤ供給、将来の搬送サービス需要、将来の搬送クライアント需要、またはそれらの組合せの少なくとも１つを識別または推定する方法を含む。
【０２０６】
本発明の一実施形態は、前記少なくとも１つの予測ヒートマップが、少なくとも１つの視覚的通知または少なくとも１つの音声通知を生成して、前記少なくとも１つの統計変数、前記少なくとも１つの統計変数の前記少なくとも１つの測定値、またはそれらの組合せの少なくとも１つの将来の変化または更新を前記少なくとも１つの搬送クライアントに通知する方法を含む。
【０２０７】
Ｇ．付加的実施形態
本発明の一実施形態は、前記少なくとも１つの中央サーバの少なくとも１つの機能が、前記少なくとも１つのアプリケーションによって実行される方法を含む。
【０２０８】
本発明の別の実施形態は、前記少なくとも１つのアプリケーションが、前記少なくとも１つの中央サーバ上で動作する方法を含む。
【０２０９】
本発明の更なる実施形態は、前記少なくとも１つのアプリケーションの少なくとも１つの機能が、前記少なくとも１つの中央サーバによって実行される方法を含む。
【０２１０】
本発明の付加的な実施形態は、前記少なくとも１つの搬送クライアントが、少なくとも１つの搬送業界セグメントにおいて前記少なくとも１つの好ましい搬送サービス提供を確保または取得する方法を含む。
【０２１１】
本発明の一実施形態は、対応する搬送データが関連付けられた前記複数の搬送サービス提供の全部または一部が、少なくとも１つの搬送業界セグメントで活動する少なくとも１つのサービスプロバイダによって供給または提供される方法を含む。
【０２１２】
本発明の別の実施形態は、前記少なくとも１つの搬送クライアントが、前記少なくとも１つの好ましい搬送サービス提供のために、２つ以上の前記代理人または２つ以上の前記自律車両を確保または取得する方法を含む。
【０２１３】
本発明の更なる実施形態は、前記少なくとも１つの搬送クライアントが、前記少なくとも１つの好ましい搬送サービス提供以外の少なくとも１つの前記フィルタリングされた搬送サービス提供を確保または取得する方法を含む。
【０２１４】
本発明の付加的な実施形態は、前記少なくとも１つの搬送クライアントの前記少なくとも１つのリアルタイムまたはほぼリアルタイムの地理的位置が更新または変更されると、または交通情報が更新または変更されると、対応する搬送データが関連付けられた前記少なくとも１つの好ましい搬送サービス提供、対応する搬送データが関連付けられた前記複数のフィルタリングされた搬送サービス提供の全部または一部、またはそれらの組合せが、リアルタイムまたはほぼリアルタイムで識別または更新される方法を含む。
【０２１５】
本発明の一実施形態は、前記複数の搬送サービス提供が、１つの搬送サービス提供である方法を含む。
【０２１６】
本発明の別の実施形態は、前記複数のフィルタリングされた搬送サービス提供が、１つのフィルタリングされた搬送サービス提供である方法を含む。
【０２１７】
本発明の更なる実施形態は、前記少なくとも１つの搬送クライアントが、前記少なくとも１つの視覚的表現の少なくとも１つのエリアをブラウズまたはナビゲートして、前記少なくとも１つの好ましい搬送サービス提供または少なくとも１つの前記フィルタリングされた搬送サービス提供を選択することによって、前記少なくとも１つの好ましい搬送サービス提供または少なくとも１つの前記フィルタリングされた搬送サービス提供を識別し、次いで、確保または取得する方法を含む。
【０２１８】
Ｖ．システム＃３：搬送クライアントマップ
本発明の１つの態様は、搬送業界内で、少なくとも１つの視覚的表現を使用して、少なくとも１つの搬送クライアントの少なくとも１つの搬送クライアント選好および前記少なくとも１つの搬送クライアントの少なくとも１つのリアルタイムまたはほぼリアルタイムの地理的位置に関連する少なくとも１つの好ましい搬送サービス提供を確保または取得する少なくとも１つのプロセスにおいて少なくとも１つの搬送クライアントを支援するための、リアルタイムまたはほぼリアルタイムのシステムであって、
ａ）少なくとも１つの外部サーバであって、
ｉ）少なくとも１つのコンピュータプロセッサと、
ｉｉ）少なくとも１つのコンピュータ可読メモリと
ｉｉｉ）少なくとも１つのネットワークインターフェースと、
ｉｖ）複数の搬送サービス提供の少なくとも１つのリアルタイムまたはほぼリアルタイムのソースと
を備える少なくとも１つの外部サーバと、
ｂ）少なくとも１つの中央サーバであって、
ｉ）少なくとも１つのコンピュータプロセッサと、
ｉｉ）少なくとも１つのコンピュータ可読メモリと、
ｉｉｉ）少なくとも１つのネットワークインターフェースと
を備える少なくとも１つの中央サーバと、
ｃ）少なくとも１つの端末であって、
少なくとも１つの電子計算装置であって、
（ｉ）少なくとも１つのコンピュータプロセッサと、
（ｉｉ）少なくとも１つのコンピュータ可読メモリと、
（ｉｉｉ）少なくとも１つの入力ソースと、
（ｉｖ）少なくとも１つのディスプレイと、
（ｖ）少なくとも１つの地理的位置モジュールと、
（ｖｉ）少なくとも１つのネットワークインターフェースと、
を備える少なくとも１つの電子計算装置
を備える少なくとも１つの端末と、
ｄ）少なくとも１つのアプリケーションであって、
ｉ）前記少なくとも１つの視覚的表現を表示するように動作可能な少なくとも１つのコンピュータプログラム、
ｉｉ）前記少なくとも１つの好ましい搬送サービス提供を確保または取得するように動作可能な前記少なくとも１つのコンピュータプログラム、
ｉｉｉ）またはそれらの組み合わせ
を含む少なくとも１つのアプリケーションと、
ｅ）少なくとも１つのリンクであって、
ｉ）少なくとも１つの電子通信ネットワークチャネル、
ｉｉ）少なくとも１つのソフトウェア機能または少なくとも１つのソフトウェアコンポーネントとの少なくとも１つの接続または少なくとも１つの関連付け、
ｉｉｉ）またはそれらの組み合わせ
を含む少なくとも１つのリンクと、
ｆ）複数の搬送サービス提供であって、
少なくとも１つの個々の搬送サービス提供であって、
（ｉ）少なくとも１つの地理的位置から少なくとも１つの他の地理的位置へ少なくとも１人の人、少なくとも１つの商品、少なくとも１つの物、またはそれらの組み合わせを輸送するための少なくとも１つの提供と、
（ｉｉ）リアルタイムまたはほぼリアルタイムで更新される前記個々の搬送サービス提供と、
（ｉｉｉ）前記個々の搬送サービス提供に対応する定性的及び定量的搬送データと、
を含む少なくとも１つの個々の搬送サービス提供
を含む複数の搬送サービス提供と、
ｇ）複数のフィルタリングされた搬送サービス提供であって、
ｉ）前記少なくとも１つの搬送クライアント選好、および前記少なくとも１つの搬送クライアントの前記少なくとも１つのリアルタイムまたはほぼリアルタイムの地理的位置を使用して、前記複数の搬送サービス提供の全部または一部をフィルタリングした少なくとも１つの結果である、前記複数の搬送サービス提供の全部または一部の少なくとも１つのサブセットと、
ｉｉ）リアルタイムまたはほぼリアルタイムで更新される前記複数のフィルタリングされた搬送サービス提供の全部または一部と、
ｉｉｉ）個々のフィルタリングされた搬送サービス提供に対応する定性的および定量的搬送データと、
を含む複数のフィルタリングされた搬送サービス提供と、
ｈ）少なくとも１つの好ましい搬送サービス提供であって、
ｉ）前記少なくとも１人の人、前記少なくとも１つの商品、前記少なくとも１つの物、またはそれらの組合せを、少なくとも１つの地理的位置から、前記複数のフィルタリングされた搬送サービス提供の全部または一部から識別される少なくとも１つの他の地理的位置に輸送するための前記少なくとも１つの提供と、
ｉｉ）リアルタイムまたはほぼリアルタイムで更新される前記少なくとも１つの好ましい搬送サービス提供と、
ｉｉｉ）個々の好ましい搬送サービス提供に対応する定性的および定量的搬送データと、
を含む少なくとも１つの好ましい搬送サービス提供と、
ｉ）少なくとも１つの搬送クライアントであって、
ｉ）前記少なくとも１つの視覚的表現を分析または評価し、次いで、前記少なくとも１つの好ましい搬送サービス提供を確保または取得する、少なくとも１人の人、少なくとも１つの機械、またはそれらの組合せを含み、
ｉｉ）前記少なくとも１つの搬送クライアントは、少なくとも１つの搬送サービスを受ける、
少なくとも１つの搬送クライアントと、
ｊ）少なくとも１つの搬送クライアント選好であって、
ｉ）前記複数の搬送サービス提供の全部または一部を前記複数のフィルタリングされた搬送サービス提供の全部または一部にフィルタリングするために使用される、前記少なくとも１つの搬送クライアントによって選択または提供される少なくとも１つのオプションを含み、
ｉｉ）前記少なくとも１つの搬送クライアント選好が、前記少なくとも１つの好ましい搬送サービス提供を識別するために使用される、
搬送クライアント選好と、
ｋ）少なくとも１つの視覚的表現であって、
対応する搬送データが関連付けられた前記複数のフィルタリングされた搬送サービス提供、対応する搬送データが関連付けられた前記少なくとも１つの好ましい搬送サービス提供、前記少なくとも１つの搬送クライアント選好、またはそれらの組合せの全部または一部を表示する少なくとも１つの地理的マップ
を含む少なくとも１つの視覚的表現と、
を含み、
前記少なくとも１つのアプリケーションと前記少なくとも１つの中央サーバとの間の少なくとも１つのリンクを介して前記少なくとも１つの中央サーバにリアルタイムまたはほぼリアルタイムで送信される、少なくとも１つのサービス開始地理的位置、少なくとも１つのサービス終了地理的位置、前記少なくとも１つの搬送クライアント選好、またはそれらの組み合わせが、前記少なくとも１つのアプリケーションに入力または提供され、
さらに、前記少なくとも１つのサービス開始地理的位置、前記少なくとも１つのサービス終了地理的位置、前記少なくとも１つの搬送クライアント選好、またはそれらの組合せが、前記少なくとも１つの中央サーバと前記少なくとも１つの外部サーバとの間の少なくとも１つのリンクを介して、前記少なくとも１つの中央サーバから前記少なくとも１つの外部サーバにリアルタイムまたはほぼリアルタイムで送信され、
さらに、前記複数の搬送サービス提供の全部または一部が、前記少なくとも１つの外部サーバと前記少なくとも１つの中央サーバとの間の少なくとも１つのリンクを介して、前記少なくとも１つの外部サーバと前記少なくとも１つの中央サーバとの間でリアルタイムまたはほぼリアルタイムで送信され、
さらに、対応する搬送データが関連付けられた前記複数のフィルタリングされた搬送サービス提供、対応する搬送データが関連付けられた前記少なくとも１つの好ましい搬送サービス提供、前記少なくとも１つの搬送クライアント選好、前記少なくとも１つの搬送クライアントの前記少なくとも１つのリアルタイムまたはほぼリアルタイムの地理的位置、またはそれらの組合せが、前記少なくとも１つの中央サーバと前記少なくとも１つのアプリケーションとの間の少なくとも１つのリンクを介して、前記少なくとも１つの中央サーバと前記少なくとも１つのアプリケーションとの間でリアルタイムまたはほぼリアルタイムで送信され、
さらに、前記少なくとも１つのアプリケーションは前記少なくとも１つの端末上で動作し、前記少なくとも１つの搬送クライアントは、前記少なくとも１つのアプリケーションを使用して、対応する搬送データが関連付けられた前記複数のフィルタリングされた搬送サービス提供、対応する搬送データが関連付けられた前記少なくとも１つの好ましい搬送サービス提供、前記少なくとも１つの搬送クライアント選好、またはそれらの組合せの全部または一部の前記少なくとも１つの視覚的表現を分析または評価し、
さらに、前記少なくとも１つの搬送クライアントは、前記少なくとも１つのアプリケーションを使用して、前記少なくとも１つの視覚的表現を分析または評価し、次いで、前記少なくとも１つの好ましい搬送サービス提供を確保または取得し、
さらに、前記少なくとも１つの外部サーバは、前記少なくとも１つの外部サーバと前記少なくとも１つの中央サーバとの間の少なくとも１つのリンクを介して、前記少なくとも１つの外部サーバから前記少なくとも１つの中央サーバにリアルタイムまたはほぼリアルタイムで送信される前記複数の搬送サービス提供の全部または一部の少なくとも１つのリアルタイムまたはほぼリアルタイムのソースであり、
さらに、前記複数の搬送サービス提供の全部または一部は、リアルタイムまたはほぼリアルタイムで更新され、
さらに、前記少なくとも１つの中央サーバは、リアルタイムまたはほぼリアルタイムで、前記複数の搬送サービス提供の全部または一部の標準化、集約、またはそれらの組合せを実行し、
さらに、前記少なくとも１つの中央サーバは、リアルタイムまたはほぼリアルタイムで、前記少なくとも１つの搬送クライアント選好と、前記少なくとも１つの搬送クライアントの前記少なくとも１つのリアルタイムまたはほぼリアルタイムの地理的位置とを使用することによって、前記複数の搬送サービス提供の全部または一部をフィルタリングして、前記複数のフィルタリングされた搬送サービス提供の全部または一部を識別し、
さらに、前記複数のフィルタリングされた搬送サービス提供の全部または一部は、リアルタイムまたはほぼリアルタイムで更新され、
さらに、前記少なくとも１つの中央サーバは、前記少なくとも１つの搬送クライアント選好に関連する前記複数のフィルタリングされた搬送サービス提供の全部または一部から、前記少なくとも１つの好ましい搬送サービス提供をリアルタイムまたはほぼリアルタイムで識別し、
さらに、前記少なくとも１つの好ましい搬送サービス提供は、リアルタイムまたはほぼリアルタイムで更新され、
さらに、前記少なくとも１つの中央サーバは、対応する搬送データが関連付けられた前記複数のフィルタリングされた搬送サービス提供の全部または一部、対応する搬送データが関連付けられた前記少なくとも１つの好ましい搬送サービス提供、前記少なくとも１つの搬送クライアント選好、またはそれらの組合せを、前記少なくとも１つの中央サーバと前記少なくとも１つのアプリケーションとの間の少なくとも１つのリンクを介して、前記少なくとも１つのアプリケーションにリアルタイムまたはほぼリアルタイムで送信し、
さらに、前記少なくとも１つの端末は、前記少なくとも１つのアプリケーションの少なくとも１つの入力機能、少なくとも１つの表示機能、および操作を容易にするか、または提供し、前記少なくとも１つのアプリケーションとインターフェースをとるために前記少なくとも１つの搬送クライアントによって使用され、
さらに、前記少なくとも１つの端末、前記少なくとも１つのアプリケーション、前記少なくとも１つの中央サーバ、前記少なくとも１つの外部サーバ、少なくとも１つのリンク、またはそれらの組合せが結合または統合され、
さらに、前記少なくとも１つのアプリケーションは、対応する搬送データが関連付けられた前記複数のフィルタリングされた搬送サービス提供、対応する搬送データが関連付けられた前記少なくとも１つの好ましい搬送サービス提供、前記少なくとも１つの搬送クライアント選好、またはそれらの組合せの全部または一部の前記少なくとも１つの視覚的表現をリアルタイムまたはほぼリアルタイムでコンパイルし、
さらに、前記少なくとも１つのアプリケーションは、リアルタイムまたはほぼリアルタイムで更新される前記少なくとも１つの視覚的表現を表示し、
さらに、前記少なくとも１つの搬送クライアントは、前記少なくとも１つのアプリケーションを使用して、前記少なくとも１つの視覚的表現を分析または評価し、次いで、前記少なくとも１つの好ましい搬送サービス提供を確保または取得し、
さらに、前記少なくとも１つの搬送クライアントは、前記少なくとも１つの搬送サービスを受ける、
システムを含む。
【０２１９】
本発明の一実施形態は、前記少なくとも１つの中央サーバまたは前記少なくとも１つの外部サーバの少なくとも１つの機能が、前記少なくとも１つのアプリケーションによって実行されるシステムを含む。
【０２２０】
本発明の別の実施形態は、少なくとも１つの中央サーバが、前記少なくとも１つの端末上に位置するか、または前記少なくとも１つの端末に関連付けられているシステムを含む。
【０２２１】
本発明の更なる実施形態は、前記複数の搬送サービス提供の全部または一部、前記少なくとも１つの搬送クライアントの前記少なくとも１つのリアルタイムまたはほぼリアルタイムの地理的位置、またはそれらの組合せが、少なくとも１つの異なるフォーマットで構造化され、少なくとも１つの一様なフォーマットに標準化または変換されるシステムを含む。
【０２２２】
本発明の付加的な実施形態は、前記複数の搬送サービス提供の全部または一部が、前記少なくとも１つの外部サーバと前記少なくとも１つの中央サーバとの間の少なくとも１つのリンクを介して前記少なくとも１つの外部サーバから前記少なくとも１つの中央サーバに送信される前に、少なくとも１つの一様なフォーマットで構造化されるが標準化されないシステムを含む。
【０２２３】
本発明の一実施形態は、前記少なくとも１つのアプリケーションが、前記少なくとも１つの中央サーバ上で動作するシステムを含む。
【０２２４】
本発明の別の実施形態は、前記少なくとも１つのアプリケーションの少なくとも１つの機能が、前記少なくとも１つの中央サーバまたは前記少なくとも１つの外部サーバによって実行されるシステムを含む。
【０２２５】
本発明の更なる実施形態は、対応する搬送データが関連付けられた前記複数の搬送サービス提供の全部または一部が、少なくとも１つの搬送業界セグメントで活動する少なくとも１つのサービスプロバイダまたは少なくとも１つの商品サプライヤによって供給または提供されるシステムを含む。
【０２２６】
本発明の付加的な実施形態は、前記複数の搬送サービス提供の全部または一部が、少なくとも１つのライドヘイルサービス提供、少なくとも１つのライドシェアサービス提供、少なくとも１つのカーシェアサービス提供、少なくとも１つのピアツーピア搬送サービス提供、少なくとも１つの輸送サービス提供、少なくとも１つの人物配達サービス提供、少なくとも１つのタクシーサービス提供、少なくとも１つのシャトルサービス提供、少なくとも１つの商品配達サービス提供、少なくとも１つのアイテム配達サービス提供、少なくとも１つの医療サービスおよび配達提供、少なくとも１つの食品配達サービス提供、少なくとも１つの宅配便配達サービス提供、少なくとも１つの貨物配達サービス提供、少なくとも１つの動物配達サービス提供、少なくとも１つの配達サービス提供、またはそれらの組合せを含むシステムを含む。
【０２２７】
本発明の一実施形態は、前記複数の搬送サービス提供が、１つの搬送サービス提供であるシステムを含む。
【０２２８】
本発明の別の実施形態は、搬送データが、少なくとも１つのサービス開始地理的位置、少なくとも１つのサービス終了地理的位置、価格設定情報、高価格設定情報、少なくとも１つの搬送クライアント選好、少なくとも１つの距離パラメータ、少なくとも１つの推定到着時間、少なくとも１つの目的地までの時間、少なくとも１つの搬送クライアント地理的位置、少なくとも１つの搬送クライアント評価、少なくとも１つの搬送クライアント格付け、少なくとも１つの搬送クライアント詳細、少なくとも１つの搬送サービス詳細、少なくとも１つの搬送サービスルート、少なくとも１つの好ましい代理人、少なくとも１つのセンサデータ、少なくとも１つの代理人地理的位置、少なくとも１つの代理人評価、少なくとも１つの代理人格付け、少なくとも１つの代理人詳細、少なくとも１つの自律車両地理的位置、少なくとも１つの自律車両評価、少なくとも１つの自律車両格付け、少なくとも１つの自律車両詳細、少なくとも１つの好ましい自律車両、少なくとも１つのルート計画選好、少なくとも１つの燃費選好、少なくとも１つのバッテリ寿命選好、少なくとも１つの車両容量選好、少なくとも１つの車両診断選好、少なくとも１つの搬送データ選好、少なくとも１つのサービスプロバイダ地理的位置、少なくとも１つのサービスプロバイダ評価、少なくとも１つのサービスプロバイダ格付け、少なくとも１つのサービスプロバイダ詳細、少なくとも１つの好ましいサービスプロバイダ、少なくとも１つの商品サプライヤ地理的位置、少なくとも１つの商品サプライヤ評価、少なくとも１つの商品サプライヤ格付け、少なくとも１つの商品サプライヤ詳細、少なくとも１つの好ましい商品サプライヤ、少なくとも１つの自律車両の少なくとも１つのオーナまたは少なくとも１つのコントローラの地理的位置、少なくとも１つの自律車両評価の少なくとも１つのオーナまたは少なくとも１つのコントローラ、少なくとも１つの自律車両格付けの少なくとも１つのオーナまたは少なくとも１つのコントローラ、少なくとも１つの自動車詳細の少なくとも１つのオーナまたは少なくとも１つのコントローラ、少なくとも１つの自律車両の少なくとも１つの好ましいオーナまたは少なくとも１つの好ましいコントローラ、少なくとも１つのフリートマネージャ地理的位置、少なくとも１つのフリートマネージャ評価、少なくとも１つのフリートマネージャ格付け、少なくとも１つのフリートマネージャ詳細、少なくとも１つの好ましいフリートマネージャ、少なくとも１つのロジスティクスプロバイダ地理的位置、少なくとも１つのロジスティクスプロバイダ評価、少なくとも１つのロジスティクスプロバイダ格付け、少なくとも１つのロジスティクスプロバイダ詳細、少なくとも１つの好ましいロジスティクスプロバイダ、少なくとも１つのロジスティクスサプライヤ地理的位置、少なくとも１つのロジスティクスサプライヤ評価、少なくとも１つのロジスティクスサプライヤ格付け、少なくとも１つのロジスティクスサプライヤ詳細、少なくとも１つの好ましいロジスティクスサプライヤ、少なくとも１つの搬送業界セグメント詳細、少なくとも１つの好ましい搬送業界セグメント、少なくとも１つの商品詳細、少なくとも１つのアイテム詳細、少なくとも１つのタイプの車両詳細、少なくとも１つの車両詳細、少なくとも１つの統計変数の少なくとも１つの測定値、少なくとも１つのサービスレベル詳細、少なくとも１つの燃料消費、少なくとも１つのバッテリレベル、少なくとも１つの車両診断、少なくとも１つの車両容量、またはそれらの組合せを含むシステムを含む。
【０２２９】
本発明の更なる実施形態は、前記複数の搬送サービス提供の全部または一部が、前記少なくとも１つの搬送クライアント選好および前記少なくとも１つの搬送クライアントの前記少なくとも１つのリアルタイムまたはほぼリアルタイムの地理的位置に関してフィルタリングされ、前記複数のフィルタリングされた搬送サービス提供の全部または一部が、分類、フィルタリング、特徴付け、スクリーニング、選択、分離、識別、指定、区別、命名、番号付け、順序付け、体系化、タグ付け、ラベル付け、認識、配置、ブラケット付け、ランキング、整理、分類、隔離、分離、グループ化、比較、またはそれらの組合せの少なくとも１つのプロセスによって識別されるシステムを含む。
【０２３０】
本発明の付加的な実施形態は、前記少なくとも１つの好ましい搬送サービス提供が、前記少なくとも１つの搬送クライアント選好の少なくとも１つの加重平均に関連する前記複数のフィルタリングされた搬送サービス提供の全部または一部から識別されるシステムを含む。
【０２３１】
本発明の一実施形態は、前記複数の搬送サービス提供の全部または一部をフィルタリングする際に、前記少なくとも１つの搬送クライアントの前記少なくとも１つのリアルタイムまたはほぼリアルタイムの地理的位置以外の少なくとも１つの異なる地理的位置が使用されるシステムを含む。
【０２３２】
本発明の別の実施形態は、前記複数のフィルタリングされた搬送サービス提供が、１つのフィルタリングされた搬送サービス提供であるシステムを含む。
【０２３３】
本発明の更なる実施形態は、前記少なくとも１つの搬送クライアントが、前記少なくとも１つの好ましい搬送サービス提供以外の少なくとも１つの前記フィルタリングされた搬送サービス提供を確保または取得するシステムを含む。
【０２３４】
本発明の付加的な実施形態は、前記少なくとも１つの搬送クライアントが、前記少なくとも１つの好ましい搬送サービス提供のために、２つ以上の前記代理人または２つ以上の前記自律車両を確保または取得するシステムを含む。
【０２３５】
本発明の一実施形態は、前記少なくとも１つの搬送クライアント選好が、少なくとも１つの価格設定選好、少なくとも１つの高価格設定選好、少なくとも１つの地理的位置選好、少なくとも１つの距離選好、少なくとも１つのルート選好、少なくとも１つのサービス所要時間選好、少なくとも１つのサービス開始地理的位置選好、少なくとも１つのサービス終了地理的位置選好、少なくとも１つの時間選好、少なくとも１つの予測選好、少なくとも１つの過去選好、少なくとも１つの効率選好、少なくとも１つのセンサ選好、少なくとも１つのイベント選好、少なくとも１つの交通量基準選好、少なくとも１つの道路条件選好、少なくとも１つの気象条件選好、少なくとも１つの輸送選好、少なくとも１つのルート計画選好、少なくとも１つの燃費選好、少なくとも１つのバッテリ寿命選好、少なくとも１つの車両容量選好、少なくとも１つの車両診断選好、少なくとも１つの搬送データ選好、少なくとも１つの搬送サービス所要時間選好、少なくとも１つの搬送サービス提供密度選好、少なくとも１つの搬送クライアント密度選好、少なくとも１つの搬送クライアント詳細選好、少なくとも１つの搬送クライアント格付け選好、少なくとも１つの代理人密度選好、少なくとも１つの自律車両密度選好、少なくとも１つのサービスプロバイダ選好、少なくとも１つのサービスプロバイダ密度選好、少なくとも１つのサービスレベル選好、少なくとも１つの商品サプライヤ選好、少なくとも１つの商品サプライヤ密度選好、少なくとも１つの自律車両の少なくとも１つのオーナまたは少なくとも１つのコントローラ選好、少なくとも１つの自律車両密度の少なくとも１つのオーナまたは少なくとも１つのコントローラ選好、少なくとも１つのフリートマネージャ選好、少なくとも１つのフリートマネージャ密度選好、少なくとも１つのロジスティクスプロバイダ選好、少なくとも１つのロジスティクスプロバイダ密度選好、少なくとも１つのロジスティクスサプライヤ選好、少なくとも１つのロジスティクスサプライヤ密度選好、少なくとも１つの商品詳細選好、少なくとも１つの搬送業界セグメント選好、少なくとも１つの貨物選好、少なくとも１つのウェイポイント選好、少なくとも１つの配達サービス選好、少なくとも１つの最古未解決提供選好、またはそれらの組み合わせを含むシステムを含む。
【０２３６】
本発明の別の実施形態は、前記少なくとも１つの視覚的表現が、前記少なくとも１つの中央サーバ上でコンパイルされ、前記少なくとも１つの中央サーバと前記少なくとも１つのアプリケーションとの間の少なくとも１つのリンクを介して前記少なくとも１つのアプリケーションに送信されるシステムを含む。
【０２３７】
本発明の付加的な実施形態は、前記少なくとも１つの視覚的表現が、少なくとも１つの動的マップ、少なくとも１つのヒートマップ、またはそれらの組み合わせを含むシステムを含む。
【０２３８】
本発明の付加的な実施形態は、前記少なくとも１つの搬送クライアントが、前記少なくとも１つの視覚的表現を利用して、前記少なくとも１つの搬送クライアント選好、前記少なくとも１つの搬送クライアントの前記少なくとも１つのリアルタイムまたはほぼリアルタイムの地理的位置、またはそれらの組合せに関連する前記少なくとも１つの好ましい搬送サービス提供をリアルタイムまたはほぼリアルタイムで確保または取得するシステムを含む。
【０２３９】
本発明の付加的な実施形態は、前記少なくとも１つの搬送クライアント選好を、少なくとも１つのアイコンまたは少なくとも１つの視覚的表現として、前記少なくとも１つの視覚的表現とともにまたは前記少なくとも１つの視覚的表現上に表示することで、前記少なくとも１つの搬送クライアントが、対応する搬送データが関連付けられた前記複数のフィルタリングされた搬送サービス提供、対応する搬送データが関連付けられた前記少なくとも１つの好ましい搬送サービス提供、またはそれらの組合せの全部または一部を分析または評価することを可能にし、少なくとも１つの搬送業界セグメントで活動する少なくとも１つのサービスプロバイダまたは少なくとも１つの商品サプライヤに関連する前記少なくとも１つの好ましい搬送サービス提供を確保または取得することを可能にするシステムを含む。
【０２４０】
本発明の一実施形態は、前記少なくとも１つの好ましい搬送サービス提供、前記少なくとも１つの搬送クライアント選好、またはそれらの組合せが、少なくとも１つの搬送業界セグメントで活動する少なくとも１つのサービスプロバイダまたは少なくとも１つの商品サプライヤに関連する前記複数のフィルタリングされた搬送サービス提供の全部または一部と比較して視覚的に識別可能な少なくとも１つのフォーマットで表示されるシステムを含む。
【０２４１】
本発明の別の実施形態は、前記少なくとも１つの動的マップが、リアルタイムまたはほぼリアルタイムで、対応する搬送データが関連付けられた前記複数のフィルタリングされた搬送サービス提供の全部または一部、対応する搬送データが関連付けられた前記少なくとも１つの好ましい搬送サービス提供、前記少なくとも１つの搬送クライアント選好、またはそれらの組合せを表示する前記少なくとも１つの地理的マップを含むシステムを含む。
【０２４２】
本発明の更なる実施形態は、少なくとも１つの搬送業界セグメントで活動する少なくとも１つのサービスプロバイダまたは少なくとも１つの商品サプライヤに関連する、前記複数のフィルタリングされた搬送サービス提供、前記少なくとも１つの好ましい搬送サービス提供、前記少なくとも１つの搬送クライアント選好、またはそれらの組み合わせの全部または一部が、少なくとも１つの移動型アイコンまたは一時アイコン、または少なくとも１つの移動型ビジュアルまたは一時ビジュアルとして個別に表示され、リアルタイムまたはほぼリアルタイムで更新または変更されるシステムを含む。
【０２４３】
本発明の付加的な実施形態は、少なくとも１つの搬送業界セグメントで活動する少なくとも１つの個々のサービスプロバイダまたは少なくとも１つの個々の商品サプライヤに関連する、前記複数のフィルタリングされた搬送サービス提供、前記少なくとも１つの好ましい搬送サービス提供、前記少なくとも１つの搬送クライアント選好、またはそれらの組み合わせの全部または一部が、少なくとも１つの区別可能なアイコンまたは少なくとも１つの区別可能な少なくとも１つのビジュアルとして表示され、リアルタイムまたはほぼリアルタイムで更新または変更されるシステムを含む。
【０２４４】
本発明の一実施形態は、少なくとも１つの搬送業界セグメントで活動する少なくとも１つの個々のサービスプロバイダまたは少なくとも１つの個々の商品サプライヤに関連する、前記複数のフィルタリングされた搬送サービス提供、前記少なくとも１つの好ましい搬送サービス提供、前記少なくとも１つの搬送クライアント選好、またはそれらの組合せの全部または一部が、少なくとも１つのアイコンまたは少なくとも１つのビジュアルとして表示され、リアルタイムまたはほぼリアルタイムで更新または変更されるシステムを含む。
【０２４５】
本発明の別の実施形態は、少なくとも１つの個々のサービスプロバイダまたは少なくとも１つの個々の商品サプライヤに関連する、前記複数のフィルタリングされた搬送サービス提供、前記少なくとも１つの好ましい搬送サービス提供、前記少なくとも１つの搬送クライアント選好、またはそれらの組合せの全部または一部が、少なくとも１つの異なるアイコン、少なくとも１つの異なるシンボル、少なくとも１つの異なる色、少なくとも１つの異なる陰影、少なくとも１つの異なるパターン、少なくとも１つの異なるビジュアル、またはそれらの組合せとして、またはそれらとともに表示されるシステムを含む。
【０２４６】
本発明の更なる実施形態は、少なくとも１つの個々のサービスプロバイダまたは少なくとも１つの個々の商品サプライヤに関連する、前記複数のフィルタリングされた搬送サービス提供、前記少なくとも１つの好ましい搬送サービス提供、前記少なくとも１つの搬送クライアント選好、またはそれらの組み合わせの全部または一部が、少なくとも１つの類似アイコン、少なくとも１つの類似シンボル、少なくとも１つの類似色、少なくとも１つの類似陰影、少なくとも１つの類似パターン、少なくとも１つの類似ビジュアル、またはそれらの組み合わせとして、またはそれらとともに表示されるシステムを含む。
【０２４７】
本発明の付加的な実施形態は、前記少なくとも１つの搬送クライアントが前記少なくとも１つの搬送クライアント選好を更新、修正、または変更し、前記少なくとも１つの動的マップが、対応する搬送データが関連付けられた前記複数のフィルタリングされた搬送サービス提供、対応する搬送データが関連付けられた前記少なくとも１つの好ましい搬送サービス提供、前記少なくとも１つの搬送クライアント選好、またはそれらの組合せの全部または一部を、更新、修正、または変更された前記少なくとも１つの搬送クライアント選好に基づいて、リアルタイムまたはほぼリアルタイムで表示するシステムを含む。
【０２４８】
本発明の一実施形態は、前記少なくとも１つのヒートマップが、
対応する搬送データが関連付けられた前記複数の搬送サービス提供の全部または一部、
対応する搬送データが関連付けられた前記複数のフィルタリングされた搬送サービス提供の全部または一部、
対応する搬送データが関連付けられた前記少なくとも１つの好ましい搬送サービス提供の全部または一部、
前記少なくとも１つの搬送クライアント選好、または
それらの組み合わせ
の少なくとも１つの統計変数の少なくとも１つの視覚的描写を表示する前記少なくとも１つの地理的マップを含むシステムを含む。
【０２４９】
本発明の別の実施形態は、前記少なくとも１つの統計変数が、搬送サービスの利用可能性、価格設定、高価格設定、搬送サービス提供密度、フィルタリングされた搬送サービス提供密度、好ましい搬送サービス提供密度、好ましい商品サプライヤ密度、少なくとも１つの好ましい搬送業界セグメント、搬送業界セグメント密度、サービスレベル密度、少なくとも１つの搬送サービス距離、少なくとも１つの推定到着時間、好ましい代理人密度、代理人密度、搬送クライアント密度、サービスプロバイダ密度、商品サプライヤ密度、またはそれらの組合せの少なくとも１つの測定値を含むシステムを含む。
【０２５０】
本発明の更なる実施形態は、前記少なくとも１つのヒートマップの少なくとも１つのエリアが、前記少なくとも１つの統計変数の少なくとも１つの測定値に比例して区別され、少なくとも１つの区別可能な色相、少なくとも１つの区別可能な陰影、少なくとも１つの区別可能な飽和度、少なくとも１つの区別可能な不透明度、少なくとも１つの区別可能な色、少なくとも１つの区別可能な色の値、少なくとも１つの区別可能なパターン、少なくとも１つの区別可能なハッチング、少なくとも１つの区別可能な形状、少なくとも１つの区別可能な画像、少なくとも１つの区別可能なアニメーション、またはそれらの組合せを有するものとして表示されるシステムを含む。
【０２５１】
本発明の付加的な実施形態は、前記少なくとも１つの好ましい搬送サービス提供が、前記少なくとも１つのヒートマップ、少なくとも１つのリアルタイムまたはほぼリアルタイムのヒートマップ、少なくとも１つの履歴ヒートマップ、少なくとも１つの予測ヒートマップ、またはそれらの組合せをコンパイルする前に識別されないシステムを含む。
【０２５２】
本発明の一実施形態は、少なくとも１つのリアルタイムまたはほぼリアルタイムのヒートマップが、対応する搬送データが関連付けられた前記複数の搬送サービス提供の全部または一部、対応する搬送データが関連付けられた前記複数のフィルタリングされた搬送サービス提供の全部または一部、対応する搬送データが関連付けられた前記少なくとも１つの好ましい搬送サービス提供の全部または一部、前記少なくとも１つの搬送クライアント選好、またはそれらの組合せの前記少なくとも１つの統計変数からコンパイルされるシステムを含む。
【０２５３】
本発明の別の実施形態は、少なくとも１つの履歴ヒートマップが、対応する搬送データが関連付けられた過去の前記複数の搬送サービス提供の全部または一部、対応する搬送データが関連付けられた過去の前記複数のフィルタリングされた搬送サービス提供の全部または一部、対応する搬送データが関連付けられた過去の前記少なくとも１つの好ましい搬送サービス提供の全部または一部、前記少なくとも１つの搬送クライアント選好、またはそれらの組合せの前記少なくとも１つの統計変数からコンパイルされるシステムを含む。
【０２５４】
本発明の更なる実施形態は、少なくとも１つの予測ヒートマップが、対応する搬送データが関連付けられた過去の前記複数の搬送サービス提供の全部または一部、対応する搬送データが関連付けられた過去の前記複数のフィルタリングされた搬送サービス提供の全部または一部、対応する搬送データが関連付けられた過去の前記少なくとも１つの好ましい搬送サービス提供の全部または一部、対応する搬送データが関連付けられた前記複数の搬送サービス提供の全部または一部、対応する搬送データが関連付けられた前記複数のフィルタリングされた搬送サービス提供の全部または一部、対応する搬送データが関連付けられた前記少なくとも１つの好ましい搬送サービス提供の全部または一部、前記少なくとも１つの搬送クライアント選好、またはそれらの組合せの前記少なくとも１つの統計変数からコンパイルされるシステムを含む。
【０２５５】
本発明の付加的な実施形態は、前記少なくとも１つの予測ヒートマップが、将来の搬送サービス利用可能性、将来の価格設定、将来の高価格設定、将来の搬送サービス提供密度、将来のフィルタリングされた搬送サービス提供密度、将来の好ましい搬送サービス提供密度、将来のサービスレベル密度、将来の搬送業界セグメント密度、将来の代理人密度、将来の搬送クライアント密度、将来のサービスプロバイダ密度、将来の商品サプライヤ密度、将来のサービスレベル供給、将来の搬送業界セグメント供給、将来の搬送サービス供給、将来のービスプロバイダ供給、将来の商品サプライヤ供給、将来の搬送サービス需要、将来の搬送クライアント需要、またはそれらの組合せの少なくとも１つを識別または推定するシステムを含む。
【０２５６】
本発明の一実施形態は、前記少なくとも１つの予測ヒートマップが、少なくとも１つの視覚的通知または少なくとも１つの音声通知を生成して、前記少なくとも１つの統計変数、前記少なくとも１つの統計変数の前記少なくとも１つの測定値、またはそれらの組合せの少なくとも１つの将来の変化または更新を前記少なくとも１つの搬送クライアントに通知するシステムを含む。
【０２５７】
本発明の別の実施形態は、前記少なくとも１つの搬送クライアント、前記少なくとも１つの中央サーバ、前記少なくとも１つのアプリケーション、またはそれらの組合せが、少なくとも１つの搬送業界セグメントにおいて前記少なくとも１つの好ましい搬送サービス提供を確保または取得するシステムを含む。
【０２５８】
本発明の更なる実施形態は、前記少なくとも１つの搬送クライアントの前記少なくとも１つのリアルタイムまたはほぼリアルタイムの地理的位置が更新または変更されると、または交通情報が更新または変更されると、対応する搬送データが関連付けられた前記少なくとも１つの好ましい搬送サービス提供、対応する搬送データが関連付けられた前記複数のフィルタリングされた搬送サービス提供の全部または一部、対応する搬送データが関連付けられた前記複数の搬送サービス提供の全部または一部、対応する搬送データが関連付けられた後続のまたは追加の前記複数のフィルタリングされた搬送サービス提供の全部または一部、対応する搬送データが関連付けられた後続のまたは追加の前記少なくとも１つの好ましい搬送サービス提供の全部または一部、前記少なくとも１つの搬送クライアントの前記少なくとも１つのリアルタイムまたはほぼリアルタイムの地理的位置の全部または一部、前記少なくとも１つの搬送クライアント選好、前記少なくとも１つのサービス開始地理的位置、前記少なくとも１つのサービス終了地理的位置、またはそれらの組合せが、リアルタイムまたはほぼリアルタイムで識別または更新されるシステムを含む。
【０２５９】
本発明の付加的な実施形態は、前記少なくとも１つの視覚的表現が、少なくとも１つのリモートディスプレイ上に表示されるシステムを含む。
【０２６０】
本発明の一実施形態は、前記少なくとも１つの搬送クライアントが、前記少なくとも１つの視覚的表現の少なくとも１つのエリアをブラウズまたはナビゲートして、前記少なくとも１つの好ましい搬送サービス提供、少なくとも１つの前記フィルタリングされた搬送サービス提供、前記少なくとも１つの搬送クライアント選好、またはそれらの組合せを選択または受諾することによって、前記少なくとも１つの好ましい搬送サービス提供または少なくとも１つの前記フィルタリングされた搬送サービス提供を識別し、次いで、確保または取得するシステムを含む。
【０２６１】
本発明の別の実施形態は、前記少なくとも１つのアプリケーション、前記少なくとも１つの端末、前記少なくとも１つの中央サーバ、前記少なくとも１つの外部サーバ、少なくとも１つのリンク、またはそれらの組合せが結合または統合されたシステムを含む。
【０２６２】
本発明の更なる実施形態は、対応する搬送データが関連付けられた前記少なくとも１つの好ましい搬送サービス提供、対応する搬送データが関連付けられた前記複数のフィルタリングされた搬送サービス提供の全部または一部、対応する搬送データが関連付けられた前記複数の搬送サービス提供の全部または一部、前記少なくとも１つの搬送クライアントの前記少なくとも１つのリアルタイムまたはほぼリアルタイムの地理的位置の全部または一部、前記少なくとも１つの搬送クライアント選好、対応する搬送データが関連付けられた後続のまたは追加の前記複数のフィルタリングされた搬送サービス提供の全部または一部、対応する搬送データが関連付けられた後続のまたは追加の前記少なくとも１つの好ましい搬送サービス提供の全部または一部、少なくとも１つの確保または取得された好ましい搬送サービス提供、前記少なくとも１つのサービス開始地理的位置、前記少なくとも１つのサービス終了地理的位置、またはそれらの組合せが、前記少なくとも１つのアプリケーションと前記少なくとも１つの中央サーバとの間の少なくとも１つのリンクを介して、前記少なくとも１つのアプリケーションと前記少なくとも１つの中央サーバとの間でリアルタイムまたはほぼリアルタイムで送信され、リアルタイムまたはほぼリアルタイムで更新されるシステムを含む。
【０２６３】
本発明の付加的な実施形態は、対応する搬送データが関連付けられた前記少なくとも１つの好ましい搬送サービス提供、対応する搬送データが関連付けられた前記複数のフィルタリングされた搬送サービス提供の全部または一部、対応する搬送データが関連付けられた前記複数の搬送サービス提供の全部または一部、前記少なくとも１つの搬送クライアントの前記少なくとも１つのリアルタイムまたはほぼリアルタイムの地理的位置の全部または一部、前記少なくとも１つの搬送クライアント選好、対応する搬送データが関連付けられた後続のまたは追加の前記複数のフィルタリングされた搬送サービス提供の全部または一部、対応する搬送データが関連付けられた後続のまたは追加の前記少なくとも１つの好ましい搬送サービス提供の全部または一部、少なくとも１つの確保または取得された好ましい搬送サービス提供、前記少なくとも１つのサービス開始地理的位置、前記少なくとも１つのサービス終了地理的位置、またはそれらの組合せが、前記少なくとも１つのアプリケーションと前記少なくとも１つの外部サーバとの間の少なくとも１つのリンクを介して、前記少なくとも１つのアプリケーションと前記少なくとも１つの外部サーバとの間でリアルタイムまたはほぼリアルタイムで送信され、リアルタイムまたはほぼリアルタイムで更新されるシステムを含む。
【０２６４】
本発明の一実施形態は、対応する搬送データが関連付けられた前記少なくとも１つの好ましい搬送サービス提供、対応する搬送データが関連付けられた前記複数のフィルタリングされた搬送サービス提供の全部または一部、対応する搬送データが関連付けられた前記複数の搬送サービス提供の全部または一部、前記少なくとも１つの搬送クライアントの前記少なくとも１つのリアルタイムまたはほぼリアルタイムの地理的位置の全部または一部、前記少なくとも１つの搬送クライアント選好、対応する搬送データが関連付けられた後続のまたは追加の前記複数のフィルタリングされた搬送サービス提供の全部または一部、対応する搬送データが関連付けられた後続のまたは追加の前記少なくとも１つの好ましい搬送サービス提供の全部または一部、少なくとも１つの確保または取得された好ましい搬送サービス提供、前記少なくとも１つのサービス開始地理的位置、前記少なくとも１つのサービス終了地理的位置、またはそれらの組合せが、前記少なくとも１つの中央サーバと前記少なくとも１つの外部サーバとの間の少なくとも１つのリンクを介して、前記少なくとも１つの中央サーバと前記少なくとも１つの外部サーバとの間でリアルタイムまたはほぼリアルタイムで送信され、リアルタイムまたはほぼリアルタイムで更新されるシステムを含む。
【０２６５】
ＶＩ．方法＃３：搬送クライアントマップ
本発明の別の態様は、搬送業界内で、少なくとも１つの視覚的表現を使用して、少なくとも１つの搬送クライアント選好および少なくとも１つの搬送クライアントの少なくとも１つのリアルタイムまたはほぼリアルタイムの地理的位置に関連する少なくとも１つの好ましい搬送サービス提供を確保または取得する少なくとも１つのプロセスにおいて少なくとも１つの搬送クライアントを支援するための、リアルタイムまたはほぼリアルタイムの方法であって、
ａ）限定はしないが、上述の本発明の態様等の、本発明のシステムを提供するステップと、
ｂ）前記少なくとも１つのサービス開始地理的位置、前記少なくとも１つのサービス終了地理的位置、前記少なくとも１つの搬送クライアント選好、またはそれらの組合せを、前記少なくとも１つの端末上の前記少なくとも１つのアプリケーションに提供するステップと、
ｃ）前記少なくとも１つのサービス開始地理的位置、前記少なくとも１つのサービス終了地理的位置、前記少なくとも１つの搬送クライアント選好、またはそれらの組合せを、前記少なくとも１つのアプリケーションと前記少なくとも１つの中央サーバとの間の少なくとも１つのリンクを介して、前記少なくとも１つのアプリケーションから前記少なくとも１つの中央サーバにリアルタイムまたはほぼリアルタイムで送信するステップと、
ｄ）前記少なくとも１つの中央サーバにおいて、前記少なくとも１つのサービス開始地理的位置、前記少なくとも１つのサービス終了地理的位置、前記少なくとも１つの搬送クライアント選好、またはそれらの組合せを、前記少なくとも１つの中央サーバと前記少なくとも１つのアプリケーションとの間の少なくとも１つのリンクを介して、前記少なくとも１つのアプリケーションからリアルタイムまたはほぼリアルタイムで受信するステップと、
ｅ）前記少なくとも１つのサービス開始地理的位置、前記少なくとも１つのサービス終了地理的位置、前記少なくとも１つの搬送クライアント選好、またはそれらの組合せを、前記少なくとも１つの中央サーバと前記少なくとも１つの外部サーバとの間の少なくとも１つのリンクを介して、前記少なくとも１つの中央サーバから前記少なくとも１つの外部サーバにリアルタイムまたはほぼリアルタイムで送信するステップと、
ｆ）前記少なくとも１つの外部サーバにおいて、前記少なくとも１つのサービス開始地理的位置、前記少なくとも１つのサービス終了地理的位置、前記少なくとも１つの搬送クライアント選好、またはそれらの組合せを、前記少なくとも１つの外部サーバと前記少なくとも１つの中央サーバとの間の少なくとも１つのリンクを介して、前記少なくとも１つの中央サーバからリアルタイムまたはほぼリアルタイムで受信するステップと、
ｇ）前記少なくとも１つの中央サーバにおいて、前記少なくとも１つの中央サーバと前記少なくとも１つの外部サーバとの間の少なくとも１つのリンクを介して、前記少なくとも１つの外部サーバから前記複数の搬送サービス提供の全部または一部をリアルタイムまたはほぼリアルタイムで受信するステップと、
ｈ）前記少なくとも１つの中央サーバの前記少なくとも１つのコンピュータ可読メモリに、前記複数の搬送サービス提供の全部または一部をリアルタイムまたはほぼリアルタイムで格納するステップと、
ｉ）前記少なくとも１つの中央サーバを使用して、前記複数の搬送サービス提供の全部または一部をリアルタイムまたはほぼリアルタイムで標準化するステップと、
ｊ）前記少なくとも１つの中央サーバを使用して、前記複数の搬送サービス提供の全部または一部をリアルタイムまたはほぼリアルタイムで集約するステップと、
ｋ）前記少なくとも１つのアプリケーションと前記少なくとも１つの中央サーバとの間の少なくとも１つのリンクを介して、前記少なくとも１つのアプリケーションから前記少なくとも１つの中央サーバに前記少なくとも１つの搬送クライアント選好および前記少なくとも１つの搬送クライアントの前記少なくとも１つのリアルタイムまたはほぼリアルタイムの地理的位置をリアルタイムまたはほぼリアルタイムで送信するステップであって、
ｉ）前記少なくとも１つの搬送クライアントが、前記少なくとも１つの端末の前記少なくとも１つの入力ソースを使用して、前記少なくとも１つのアプリケーションに前記少なくとも１つの搬送クライアント選好を入力または提供し、
ｉｉ）前記少なくとも１つのアプリケーションが、前記少なくとも１つの端末の前記少なくとも１つの地理的位置モジュールを使用して前記少なくとも１つの搬送クライアントの前記少なくとも１つのリアルタイムまたはほぼリアルタイムの地理的位置を提供する
ステップと、
ｌ）前記少なくとも１つの中央サーバと前記少なくとも１つのアプリケーションとの間の少なくとも１つのリンクを介して、前記少なくとも１つの中央サーバにおいて、前記少なくとも１つの搬送クライアント選好および前記少なくとも１つのアプリケーションから前記少なくとも１つの搬送クライアントの前記少なくとも１つのリアルタイムまたはほぼリアルタイムの地理的位置をリアルタイムまたはほぼリアルタイムで受信するステップと、
ｍ）前記少なくとも１つの中央サーバにおいて、前記少なくとも１つの搬送クライアント選好および前記少なくとも１つの搬送クライアントの少なくとも１つのリアルタイムまたはほぼリアルタイムの地理的位置を使用して前記複数の搬送サービス提供の全部または一部をリアルタイムまたはほぼリアルタイムでフィルタリングし、前記複数のフィルタリングされた搬送サービス提供の全部または一部を識別するステップと、
ｎ）前記少なくとも１つの中央サーバにおいて、前記少なくとも１つの搬送クライアント選好に関連する前記複数のフィルタリングされた搬送サービス提供の全部または一部から、前記少なくとも１つの好ましい搬送サービス提供をリアルタイムまたはほぼリアルタイムで識別するステップと、
ｏ）前記少なくとも１つの中央サーバと前記少なくとも１つのアプリケーションとの間の少なくとも１つのリンクを介して、前記少なくとも１つの中央サーバから前記少なくとも１つのアプリケーションに、対応する搬送データが関連付けられた前記複数のフィルタリングされた搬送サービス提供の全部または一部、対応する搬送データが関連付けられた前記少なくとも１つの好ましい搬送サービス提供、またはそれらの組合せをリアルタイムまたはほぼリアルタイムで送信するステップと、
ｐ）前記少なくとも１つのアプリケーションと前記少なくとも１つの中央サーバとの間の少なくとも１つのリンクを介して、前記少なくとも１つのアプリケーションにおいて、前記少なくとも１つの中央サーバから、対応する搬送データが関連付けられた前記複数のフィルタリングされた搬送サービス提供の全部または一部、対応する搬送データが関連付けられた前記少なくとも１つの好ましい搬送サービス提供、またはそれらの組合せを、リアルタイムまたはほぼリアルタイムで受信するステップと、
ｑ）前記少なくとも１つのアプリケーションにおいて、前記少なくとも１つの視覚的表現をデジタル形式でリアルタイムまたはほぼリアルタイムでコンパイルするステップであって、
ｉ）前記少なくとも１つの搬送クライアントの前記少なくとも１つのリアルタイムまたはほぼリアルタイムの地理的位置に関連する前記少なくとも１つの地理的マップが前記少なくとも１つのアプリケーション上で提供され、
ｉｉ）対応する搬送データが関連付けられた前記複数のフィルタリングされた搬送サービス提供の全部または一部、対応する搬送データが関連付けられた前記少なくとも１つの好ましい搬送サービス提供、またはそれらの組み合わせが、それらに含まれる少なくとも１つの対応する地理的位置に関連する前記少なくとも１つの地理的マップ上に配置され、
ｉｉｉ）前記少なくとも１つの視覚的表現が、対応する搬送データが関連付けられた後続のまたは追加の前記複数のフィルタリングされた搬送サービス提供の全部または一部、対応する搬送データが関連付けられた後続のまたは追加の前記少なくとも１つの好ましい搬送サービス提供、またはそれらの組み合わせで、リアルタイムまたはほぼリアルタイムで更新される
ステップと、
ｒ）前記少なくとも１つの端末の前記少なくとも１つのディスプレイを使用して、前記少なくとも１つの視覚的表現を前記少なくとも１つのアプリケーション上にリアルタイムまたはほぼリアルタイムで表示するステップと、
ｓ）前記少なくとも１つの搬送クライアントが、前記少なくとも１つの視覚的表現を分析または評価して、前記少なくとも１つの好ましい搬送サービス提供を確保または取得し、次いで、前記少なくとも１つの搬送クライアントが、前記少なくとも１つの搬送サービスを受けるステップと、を含む
方法を含む。
【０２６６】
本発明の一実施形態は、前記複数の搬送サービス提供の全部または一部、前記少なくとも１つの搬送クライアントの前記少なくとも１つのリアルタイムまたはほぼリアルタイムの地理的位置、またはそれらの組合せが、少なくとも１つの異なるフォーマットで構造化され、少なくとも１つの一様なフォーマットに標準化または変換される方法を含む。
【０２６７】
本発明の別の実施形態は、前記複数の搬送サービス提供の全部または一部が、前記少なくとも１つの外部サーバと前記少なくとも１つの中央サーバとの間の少なくとも１つのリンクを介して前記少なくとも１つの外部サーバから前記少なくとも１つの中央サーバに送信される前に、少なくとも１つの一様なフォーマットで構造化されるが標準化されない方法を含む。
【０２６８】
本発明の更なる実施形態は、前記複数の搬送サービス提供の全部または一部をフィルタリングする前のステップＨ〜Ｌは任意の順序とすることができる方法を含む。
【０２６９】
本発明の付加的な実施形態は、前記少なくとも１つの搬送クライアント選好が前記少なくとも１つのアプリケーションに入力または提供されると、前記少なくとも１つのアプリケーション、前記少なくとも１つの中央サーバの前記少なくとも１つのコンピュータ可読メモリ、またはそれらの組合せに格納またはキャッシュされ、前記少なくとも１つの搬送クライアント選好が、前記少なくとも１つの搬送クライアントによって前記少なくとも１つのアプリケーションに再び入力または提供されない方法を含む。
【０２７０】
本発明の一実施形態は、前記少なくとも１つの搬送クライアント選好が、前記少なくとも１つの中央サーバの前記少なくとも１つのコンピュータ可読メモリに格納またはキャッシュされ、前記少なくとも１つの搬送クライアント選好が、前記少なくとも１つのアプリケーションから前記少なくとも１つの中央サーバに再び送信されない方法を含む。
【０２７１】
本発明の別の実施形態は、前記少なくとも１つの搬送クライアント選好、前記少なくとも１つの搬送クライアントの前記少なくとも１つのリアルタイムまたはほぼリアルタイムの地理的位置、またはそれらの組合せが、前記複数の搬送サービス提供の全部または一部をフィルタリングする前の任意の時間に、前記少なくとも１つのアプリケーションから前記少なくとも１つの中央サーバに送信される方法を含む。
【０２７２】
本発明の更なる実施形態は、前記複数の搬送サービス提供の全部または一部が、前記少なくとも１つの搬送クライアント選好および前記少なくとも１つの搬送クライアントの前記少なくとも１つのリアルタイムまたはほぼリアルタイムの地理的位置に関してフィルタリングされ、前記複数のフィルタリングされた搬送サービス提供の全部または一部が、分類、フィルタリング、特徴付け、スクリーニング、選択、分離、識別、指定、区別、命名、番号付け、順序付け、体系化、タグ付け、ラベル付け、認識、配置、ブラケット付け、ランキング、整理、分類、隔離、分離、グループ化、比較、またはそれらの組合せの少なくとも１つのプロセスによって識別される方法を含む。
【０２７３】
本発明の付加的な実施形態は、前記複数の搬送サービス提供の全部または一部は、前記少なくとも１つのアプリケーション上で、
前記少なくとも１つの中央サーバと前記少なくとも１つのアプリケーションとの間の少なくとも１つのリンクを介して、前記少なくとも１つの中央サーバから前記少なくとも１つのアプリケーションに前記複数の搬送サービス提供の全部または一部をリアルタイムまたはほぼリアルタイムで送信し、
前記少なくとも１つの搬送クライアント選好および前記少なくとも１つの搬送クライアントの前記少なくとも１つのリアルタイムまたはほぼリアルタイムの地理的位置を使用して前記複数の搬送サービス提供の全部または一部をリアルタイムまたはほぼリアルタイムでフィルタリングすることで、前記複数のフィルタリングされた搬送サービス提供の全部または一部を識別し、
前記少なくとも１つの搬送クライアント選好に関連する前記複数のフィルタリングされた搬送サービス提供の全部または一部から、前記少なくとも１つの好ましい搬送サービス提供をリアルタイムまたはほぼリアルタイムで識別する
ことで、リアルタイムまたはほぼリアルタイムでフィルタリングされ、前記少なくとも１つの好ましい搬送サービス提供が、前記複数のフィルタリングされた搬送サービス提供の全部または一部から、リアルタイムまたはほぼリアルタイムで識別される方法を含む。
【０２７４】
本発明の一実施形態は、前記複数の搬送サービス提供の全部または一部をフィルタリングする際に、前記少なくとも１つの搬送クライアントの前記少なくとも１つのリアルタイムまたはほぼリアルタイムの地理的位置以外の少なくとも１つの異なる地理的位置が使用される方法を含む。
【０２７５】
本発明の更なる実施形態は、少なくとも１つの分類アルゴリズム、少なくとも１つの選択アルゴリズム、少なくとも１つの検索アルゴリズム、少なくとも１つのマージアルゴリズム、少なくとも１つの最大関数、少なくとも１つの最小関数、少なくとも１つのグラフアルゴリズム、少なくとも１つのグラフ検索アルゴリズム、少なくとも１つのツリーアルゴリズム、少なくとも１つのツリー検索アルゴリズム、少なくとも１つの行列計算、少なくとも１つの行列アルゴリズム、少なくとも１つの比較、またはそれらの組合せを使用することによって、前記少なくとも１つの搬送クライアント選好に関連する前記少なくとも１つの好ましい搬送サービス提供が、前記複数のフィルタリングされた搬送サービス提供の全部または一部から識別される方法を含む。
【０２７６】
本発明の付加的な実施形態は、前記少なくとも１つの好ましい搬送サービス提供が、前記少なくとも１つの搬送クライアント選好の少なくとも１つの加重平均に関連する前記複数のフィルタリングされた搬送サービス提供の全部または一部から識別される方法を含む。
【０２７７】
本発明の一実施形態は、前記少なくとも１つの好ましい搬送サービス提供が、
前記少なくとも１つの中央サーバと前記少なくとも１つのアプリケーションとの間の少なくとも１つのリンクを介して、前記少なくとも１つの中央サーバから前記少なくとも１つのアプリケーションに前記複数のフィルタリングされた搬送サービス提供の全部または一部をリアルタイムまたはほぼリアルタイムで送信し、
前記少なくとも１つの好ましい搬送サービス提供を、前記少なくとも１つの搬送クライアント選好に関連する前記複数のフィルタリングされた搬送サービス提供の全部または一部からリアルタイムまたはほぼリアルタイムで識別する
ことで、前記少なくとも１つのアプリケーション上の前記複数のフィルタリングされた搬送サービス提供の全部または一部から、リアルタイムまたはほぼリアルタイムで識別される方法を含む。
【０２７８】
本発明の別の実施形態は、前記少なくとも１つの視覚的表現が、前記少なくとも１つの中央サーバ上でコンパイルされ、前記少なくとも１つの中央サーバと前記少なくとも１つのアプリケーションとの間の少なくとも１つのリンクを介して前記少なくとも１つのアプリケーションに送信される方法を含む。
【０２７９】
本発明の更なる実施形態は、前記少なくとも１つの視覚的表現が、少なくとも１つのリモートディスプレイ上に表示される方法を含む。
【０２８０】
本発明の付加的な実施形態は、前記少なくとも１つの視覚的表現が、少なくとも１つの動的マップ、少なくとも１つのヒートマップ、またはそれらの組合せを含む方法を含む。
【０２８１】
本発明の一実施形態は、前記少なくとも１つの搬送クライアントが、前記少なくとも１つの視覚的表現を利用して、前記少なくとも１つの搬送クライアント選好、前記少なくとも１つの搬送クライアントの前記少なくとも１つのリアルタイムまたはほぼリアルタイムの地理的位置、またはそれらの組合せに関連する前記少なくとも１つの好ましい搬送サービス提供をリアルタイムまたはほぼリアルタイムで確保または取得する方法を含む。
【０２８２】
本発明の別の実施形態は、前記少なくとも１つの搬送クライアント選好を、少なくとも１つのアイコンまたは少なくとも１つの視覚的表現として、前記少なくとも１つの視覚的表現とともにまたは前記少なくとも１つの視覚的表現上に表示することで、前記少なくとも１つの搬送クライアントが、対応する搬送データが関連付けられた前記複数のフィルタリングされた搬送サービス提供、対応する搬送データが関連付けられた前記少なくとも１つの好ましい搬送サービス提供、またはそれらの組合せの全部または一部を分析または評価することを可能にし、少なくとも１つの搬送業界セグメントで活動する少なくとも１つのサービスプロバイダまたは少なくとも１つの商品サプライヤに関連する前記少なくとも１つの好ましい搬送サービス提供を確保または取得することを可能にする方法を含む。
【０２８３】
本発明の更なる実施形態は、前記少なくとも１つの好ましい搬送サービス提供、前記少なくとも１つの搬送クライアント選好、またはそれらの組合せが、少なくとも１つの搬送業界セグメントで活動する少なくとも１つのサービスプロバイダまたは少なくとも１つの商品サプライヤに関連する前記複数のフィルタリングされた搬送サービス提供の全部または一部と比較して視覚的に識別可能な少なくとも１つのフォーマットで表示される方法を含む。
【０２８４】
本発明の付加的な実施形態は、前記少なくとも１つの動的マップが、リアルタイムまたはほぼリアルタイムで、対応する搬送データが関連付けられた前記複数のフィルタリングされた搬送サービス提供の全部または一部、対応する搬送データが関連付けられた前記少なくとも１つの好ましい搬送サービス提供、前記少なくとも１つの搬送クライアント選好、またはそれらの組合せを表示する前記少なくとも１つの地理的マップを含む方法を含む。
【０２８５】
本発明の一実施形態は、少なくとも１つの搬送業界セグメントで活動する少なくとも１つのサービスプロバイダまたは少なくとも１つの商品サプライヤに関連する、前記複数のフィルタリングされた搬送サービス提供、前記少なくとも１つの好ましい搬送サービス提供、前記少なくとも１つの搬送クライアント選好、またはそれらの組み合わせの全部または一部が、少なくとも１つの移動型アイコンまたは一時アイコン、または少なくとも１つの移動型ビジュアルまたは一時ビジュアルとして個別に表示され、リアルタイムまたはほぼリアルタイムで更新または変更される方法を含む。
【０２８６】
本発明の別の実施形態は、少なくとも１つの搬送業界セグメントで活動する少なくとも１つの個々のサービスプロバイダまたは少なくとも１つの個々の商品サプライヤに関連する、前記複数のフィルタリングされた搬送サービス提供、前記少なくとも１つの好ましい搬送サービス提供、前記少なくとも１つの搬送クライアント選好、またはそれらの組み合わせの全部または一部が、少なくとも１つの区別可能なアイコンまたは少なくとも１つの区別可能な少なくとも１つのビジュアルとして表示され、リアルタイムまたはほぼリアルタイムで更新または変更される方法を含む。
【０２８７】
本発明の更なる実施形態は、少なくとも１つの搬送業界セグメントで活動する少なくとも１つの個々のサービスプロバイダまたは少なくとも１つの個々の商品サプライヤに関連する、前記複数のフィルタリングされた搬送サービス提供、前記少なくとも１つの好ましい搬送サービス提供、前記少なくとも１つの搬送クライアント選好、またはそれらの組合せの全部または一部が、少なくとも１つのアイコンまたは少なくとも１つのビジュアルとして表示され、リアルタイムまたはほぼリアルタイムで更新または変更される方法を含む。
【０２８８】
本発明の付加的な実施形態は、少なくとも１つの個々のサービスプロバイダまたは少なくとも１つの個々の商品サプライヤに関連する、前記複数のフィルタリングされた搬送サービス提供、前記少なくとも１つの好ましい搬送サービス提供、前記少なくとも１つの搬送クライアント選好、またはそれらの組合せの全部または一部が、少なくとも１つの異なるアイコン、少なくとも１つの異なるシンボル、少なくとも１つの異なる色、少なくとも１つの異なる陰影、少なくとも１つの異なるパターン、少なくとも１つの異なるビジュアル、またはそれらの組合せとして、またはそれらとともに表示される方法を含む。
【０２８９】
本発明の一実施形態は、少なくとも１つの個々のサービスプロバイダまたは少なくとも１つの個々の商品サプライヤに関連する、前記複数のフィルタリングされた搬送サービス提供、前記少なくとも１つの好ましい搬送サービス提供、前記少なくとも１つの搬送クライアント選好、またはそれらの組み合わせの全部または一部が、少なくとも１つの類似アイコン、少なくとも１つの類似シンボル、少なくとも１つの類似色、少なくとも１つの類似陰影、少なくとも１つの類似パターン、少なくとも１つの類似ビジュアル、またはそれらの組み合わせとして、またはそれらとともに表示される方法を含む。
【０２９０】
本発明の別の実施形態は、記少なくとも１つの搬送クライアントが前記少なくとも１つの搬送クライアント選好を更新、修正、または変更し、前記少なくとも１つの動的マップが、対応する搬送データが関連付けられた前記複数のフィルタリングされた搬送サービス提供、対応する搬送データが関連付けられた前記少なくとも１つの好ましい搬送サービス提供、前記少なくとも１つの搬送クライアント選好、またはそれらの組合せの全部または一部を、更新、修正、または変更された前記少なくとも１つの搬送クライアント選好に基づいて、リアルタイムまたはほぼリアルタイムで表示する方法を含む。
【０２９１】
本発明の更なる実施形態は、前記少なくとも１つのヒートマップが、
対応する搬送データが関連付けられた前記複数の搬送サービス提供の全部または一部、
対応する搬送データが関連付けられた前記複数のフィルタリングされた搬送サービス提供の全部または一部、
対応する搬送データが関連付けられた前記少なくとも１つの好ましい搬送サービス提供の全部または一部、
前記少なくとも１つの搬送クライアント選好、または
それらの組み合わせ
の少なくとも１つの統計変数の少なくとも１つの視覚的描写を表示する前記少なくとも１つの地理的マップを含む方法を含む。
【０２９２】
本発明の付加的な実施形態は、前記少なくとも１つの統計変数が、搬送サービスの利用可能性、価格設定、高価格設定、搬送サービス提供密度、フィルタリングされた搬送サービス提供密度、好ましい搬送サービス提供密度、好ましい商品サプライヤ密度、少なくとも１つの好ましい搬送業界セグメント、搬送業界セグメント密度、サービスレベル密度、少なくとも１つの搬送サービス距離、少なくとも１つの推定到着時間、好ましい代理人密度、代理人密度、搬送クライアント密度、サービスプロバイダ密度、商品サプライヤ密度、またはそれらの組合せの少なくとも１つの測定値を含む方法を含む。
【０２９３】
本発明の一実施形態は、前記少なくとも１つのヒートマップの少なくとも１つのエリアが、前記少なくとも１つの統計変数の少なくとも１つの測定値に比例して区別され、少なくとも１つの区別可能な色相、少なくとも１つの区別可能な陰影、少なくとも１つの区別可能な飽和度、少なくとも１つの区別可能な不透明度、少なくとも１つの区別可能な色、少なくとも１つの区別可能な色の値、少なくとも１つの区別可能なパターン、少なくとも１つの区別可能なハッチング、少なくとも１つの区別可能な形状、少なくとも１つの区別可能な画像、少なくとも１つの区別可能なアニメーション、またはそれらの組合せを有するものとして表示される方法を含む。
【０２９４】
本発明の別の実施形態は、前記少なくとも１つの好ましい輸送サービス提供が、前記少なくとも１つのヒートマップ、少なくとも１つのリアルタイムまたはほぼリアルタイムのヒートマップ、少なくとも１つの履歴ヒートマップ、少なくとも１つの予測ヒートマップ、またはそれらの組合せをコンパイルする前に識別されない方法を含む。
【０２９５】
本発明の更なる実施形態は、少なくとも１つのリアルタイムまたはほぼリアルタイムのヒートマップが、対応する搬送データが関連付けられた前記複数の搬送サービス提供の全部または一部、対応する搬送データが関連付けられた前記複数のフィルタリングされた搬送サービス提供の全部または一部、対応する搬送データが関連付けられた前記少なくとも１つの好ましい搬送サービス提供の全部または一部、前記少なくとも１つの搬送クライアント選好、またはそれらの組合せの前記少なくとも１つの統計変数からコンパイルされる方法を含む。
【０２９６】
本発明の付加的な実施形態は、少なくとも１つの履歴ヒートマップが、対応する搬送データが関連付けられた過去の前記複数の搬送サービス提供の全部または一部、対応する搬送データが関連付けられた過去の前記複数のフィルタリングされた搬送サービス提供の全部または一部、対応する搬送データが関連付けられた過去の前記少なくとも１つの好ましい搬送サービス提供の全部または一部、前記少なくとも１つの搬送クライアント選好、またはそれらの組合せの前記少なくとも１つの統計変数からコンパイルされる方法を含む。
【０２９７】
本発明の一実施形態は、少なくとも１つの予測ヒートマップが、対応する搬送データが関連付けられた過去の前記複数の搬送サービス提供の全部または一部、対応する搬送データが関連付けられた過去の前記複数のフィルタリングされた搬送サービス提供の全部または一部、対応する搬送データが関連付けられた過去の前記少なくとも１つの好ましい搬送サービス提供の全部または一部、対応する搬送データが関連付けられた前記複数の搬送サービス提供の全部または一部、対応する搬送データが関連付けられた前記複数のフィルタリングされた搬送サービス提供の全部または一部、対応する搬送データが関連付けられた前記少なくとも１つの好ましい搬送サービス提供の全部または一部、前記少なくとも１つの搬送クライアント選好、またはそれらの組合せの前記少なくとも１つの統計変数からコンパイルされる方法を含む。
【０２９８】
本発明の別の実施形態は、前記少なくとも１つの予測ヒートマップが、将来の搬送サービス利用可能性、将来の価格設定、将来の高価格設定、将来の搬送サービス提供密度、将来のフィルタリングされた搬送サービス提供密度、将来の好ましい搬送サービス提供密度、将来のサービスレベル密度、将来の搬送業界セグメント密度、将来の代理人密度、将来の搬送クライアント密度、将来のサービスプロバイダ密度、将来の商品サプライヤ密度、将来のサービスレベル供給、将来の搬送業界セグメント供給、将来の搬送サービス供給、将来のービスプロバイダ供給、将来の商品サプライヤ供給、将来の搬送サービス供給、将来の搬送クライアント供給、またはそれらの組合せの少なくとも１つを識別または推定する方法を含む。
【０２９９】
本発明の付加的な実施形態は、前記少なくとも１つの予測ヒートマップが、少なくとも１つの視覚的通知または少なくとも１つの音声通知を生成して、前記少なくとも１つの統計変数、前記少なくとも１つの統計変数の前記少なくとも１つの測定値、またはそれらの組合せの少なくとも１つの将来の変化または更新を前記少なくとも１つの搬送クライアントに通知する方法を含む。
【０３００】
本発明の一実施形態は、前記少なくとも１つの中央サーバまたは前記少なくとも１つの外部サーバの少なくとも１つの機能が、前記少なくとも１つのアプリケーションによって実行される方法を含む。
【０３０１】
本発明の別の実施形態は、前記少なくとも１つのアプリケーションが、前記少なくとも１つの中央サーバ上で動作する方法を含む。
【０３０２】
本発明の更なる実施形態は、前記少なくとも１つのアプリケーションの少なくとも１つの機能が、前記少なくとも１つの中央サーバまたは前記少なくとも１つの外部サーバによって実行される方法を含む。
【０３０３】
本発明の付加的な実施形態は、前記少なくとも１つの搬送クライアント、前記少なくとも１つの中央サーバ、前記少なくとも１つのアプリケーション、またはそれらの組合せが、少なくとも１つの搬送業界セグメントにおいて前記少なくとも１つの好ましい搬送サービス提供を確保または取得する方法を含む。
【０３０４】
本発明の一実施形態は、対応する搬送データが関連付けられた前記複数の搬送サービス提供の全部または一部が、少なくとも１つの搬送業界セグメントで活動する少なくとも１つのサービスプロバイダまたは少なくとも１つの商品サプライヤによって供給または提供される方法を含む。
【０３０５】
本発明の別の実施形態は、前記少なくとも１つの搬送クライアントが、前記少なくとも１つの好ましい搬送サービス提供のために、２つ以上の前記代理人または２つ以上の前記自律車両を確保または取得する方法を含む。
【０３０６】
本発明の更なる実施形態は、前記少なくとも１つの搬送クライアントが、前記少なくとも１つの好ましい搬送サービス提供以外の少なくとも１つの前記フィルタリングされた搬送サービス提供を確保または取得する方法を含む。
【０３０７】
本発明の付加的な実施形態は、前記少なくとも１つの搬送クライアントの前記少なくとも１つのリアルタイムまたはほぼリアルタイムの地理的位置が更新または変更されると、または交通情報が更新または変更されると、対応する搬送データが関連付けられた前記少なくとも１つの好ましい搬送サービス提供、対応する搬送データが関連付けられた前記複数のフィルタリングされた搬送サービス提供の全部または一部、対応する搬送データが関連付けられた前記複数の搬送サービス提供の全部または一部、対応する搬送データが関連付けられた後続のまたは追加の前記複数のフィルタリングされた搬送サービス提供の全部または一部、対応する搬送データが関連付けられた後続のまたは追加の前記少なくとも１つの好ましい搬送サービス提供の全部または一部、前記少なくとも１つの搬送クライアントの前記少なくとも１つのリアルタイムまたはほぼリアルタイムの地理的位置の全部または一部、前記少なくとも１つの搬送クライアント選好、前記少なくとも１つのサービス開始地理的位置、前記少なくとも１つのサービス終了地理的位置、またはそれらの組合せが、リアルタイムまたはほぼリアルタイムで識別または更新される方法を含む。
【０３０８】
本発明の一実施形態は、前記複数の搬送サービス提供が、１つの搬送サービス提供である方法を含む。
【０３０９】
本発明の別の実施形態は、前記複数のフィルタリングされた搬送サービス提供が、１つのフィルタリングされた搬送サービス提供である方法を含む。
【０３１０】
本発明の更なる実施形態は、前記少なくとも１つの搬送クライアントが、前記少なくとも１つの視覚的表現の少なくとも１つのエリアをブラウズまたはナビゲートして、前記少なくとも１つの好ましい搬送サービス提供、少なくとも１つの前記フィルタリングされた搬送サービス提供、前記少なくとも１つの搬送クライアント選好、またはそれらの組合せを選択または受諾することによって、前記少なくとも１つの好ましい搬送サービス提供または少なくとも１つの前記フィルタリングされた搬送サービス提供を識別し、次いで、確保または取得する方法を含む。
【０３１１】
本発明の付加的な実施形態は、前記少なくとも１つの中央サーバが、前記少なくとも１つの端末上に位置するか、または前記少なくとも１つの端末に関連付けられている方法を含む。
【０３１２】
本発明の一実施形態は、前記少なくとも１つのアプリケーション、前記少なくとも１つの端末、前記少なくとも１つの中央サーバ、前記少なくとも１つの外部サーバ、少なくとも１つのリンク、またはそれらの組合せが結合または統合された方法を含む。
【０３１３】
本発明の別の実施形態は、前記少なくとも１つのサービス開始地理的位置、前記少なくとも１つのサービス終了地理的位置、前記少なくとも１つの搬送クライアント選好、またはそれらの組合せが、前記少なくとも１つの中央サーバ上または前記少なくとも１つの中央サーバ上で前記複数の搬送サービス提供の全部または一部を受信する前に提供される方法を含む。
【０３１４】
本発明の更なる実施形態は、対応する搬送データが関連付けられた前記少なくとも１つの好ましい搬送サービス提供、対応する搬送データが関連付けられた前記複数のフィルタリングされた搬送サービス提供の全部または一部、対応する搬送データが関連付けられた前記複数の搬送サービス提供の全部または一部、前記少なくとも１つの搬送クライアントの前記少なくとも１つのリアルタイムまたはほぼリアルタイムの地理的位置の全部または一部、前記少なくとも１つの搬送クライアント選好、対応する搬送データが関連付けられた後続のまたは追加の前記複数のフィルタリングされた搬送サービス提供の全部または一部、対応する搬送データが関連付けられた後続のまたは追加の前記少なくとも１つの好ましい搬送サービス提供の全部または一部、少なくとも１つの確保または取得された好ましい搬送サービス提供、前記少なくとも１つのサービス開始地理的位置、前記少なくとも１つのサービス終了地理的位置、またはそれらの組合せが、前記少なくとも１つのアプリケーションと前記少なくとも１つの中央サーバとの間の少なくとも１つのリンクを介して、前記少なくとも１つのアプリケーションと前記少なくとも１つの中央サーバとの間でリアルタイムまたはほぼリアルタイムで送信され、リアルタイムまたはほぼリアルタイムで更新される方法を含む。
【０３１５】
本発明の別の実施形態は、対応する搬送データが関連付けられた前記少なくとも１つの好ましい搬送サービス提供、対応する搬送データが関連付けられた前記複数のフィルタリングされた搬送サービス提供の全部または一部、対応する搬送データが関連付けられた前記複数の搬送サービス提供の全部または一部、前記少なくとも１つの搬送クライアントの前記少なくとも１つのリアルタイムまたはほぼリアルタイムの地理的位置の全部または一部、前記少なくとも１つの搬送クライアント選好、対応する搬送データが関連付けられた後続のまたは追加の前記複数のフィルタリングされた搬送サービス提供の全部または一部、対応する搬送データが関連付けられた後続のまたは追加の前記少なくとも１つの好ましい搬送サービス提供の全部または一部、少なくとも１つの確保または取得された好ましい搬送サービス提供、前記少なくとも１つのサービス開始地理的位置、前記少なくとも１つのサービス終了地理的位置、またはそれらの組合せが、前記少なくとも１つのアプリケーションと前記少なくとも１つの外部サーバとの間の少なくとも１つのリンクを介して、前記少なくとも１つのアプリケーションと前記少なくとも１つの外部サーバとの間でリアルタイムまたはほぼリアルタイムで送信され、リアルタイムまたはほぼリアルタイムで更新される方法を含む。
【０３１６】
本発明の更なる実施形態は、対応する搬送データが関連付けられた前記少なくとも１つの好ましい搬送サービス提供、対応する搬送データが関連付けられた前記複数のフィルタリングされた搬送サービス提供の全部または一部、対応する搬送データが関連付けられた前記複数の搬送サービス提供の全部または一部、前記少なくとも１つの搬送クライアントの前記少なくとも１つのリアルタイムまたはほぼリアルタイムの地理的位置の全部または一部、前記少なくとも１つの搬送クライアント選好、対応する搬送データが関連付けられた後続のまたは追加の前記複数のフィルタリングされた搬送サービス提供の全部または一部、対応する搬送データが関連付けられた後続のまたは追加の前記少なくとも１つの好ましい搬送サービス提供の全部または一部、少なくとも１つの確保または取得された好ましい搬送サービス提供、前記少なくとも１つのサービス開始地理的位置、前記少なくとも１つのサービス終了地理的位置、またはそれらの組合せが、前記少なくとも１つの中央サーバと前記少なくとも１つの外部サーバとの間の少なくとも１つのリンクを介して、前記少なくとも１つの中央サーバと前記少なくとも１つの外部サーバとの間でリアルタイムまたはほぼリアルタイムで送信され、リアルタイムまたはほぼリアルタイムで更新される方法を含む。
【０３１７】
ＶＩＩ．第Ｉ節から第ＶＩ節までの詳細な説明
本発明の以下の詳細な説明は、一部には、搬送業界内で少なくとも１つの好ましい搬送サービス要求または少なくとも１つの好ましい搬送サービス提供を確保または取得するためのシステムおよび方法を含む。このシステムは、限定はしないが、以下のハードウェア、ソフトウェア、関係者、インタラクティブ地理的マップ、および搬送業界内の少なくとも１つの好ましい搬送サービス要求または少なくとも１つの好ましい搬送サービス提供の確保または取得に関与するいくつかの情報を含む。
【０３１８】
「ほぼリアルタイム」
ほぼリアルタイムは、例えば、自動化されたデータ処理によって、少なくとも１つのイベントの少なくとも１つの発生と処理されたデータの少なくとも１つの使用との間に生じる遅延に関連し得る。ほぼリアルタイムは、データや情報の適時性を指し得、これは、電子通信および自動データ処理に必要な時間だけ遅延し得る。ほぼリアルタイムは、有意な遅延がないことを暗示し得る。ほぼリアルタイムは、最高の発展レベルまたは最新技術を指し得る。
【０３１９】
限定を目的としない例として、ほぼリアルタイムは、リアルタイムであってもよく、またはリアルタイムに類似していてもよい。限定を目的としない例として、ほぼリアルタイムは、少なくとも１つのイベントまたは少なくとも１つの状況が、現在時刻から処理時間を差し引いた時刻に存在したことを表し得る。限定を目的としない例として、少なくとも１つのシステムの少なくとも１つの機能、少なくとも１つの方法、またはそれらの組み合わせは、リアルタイムまたはほぼリアルタイムで実行することができる。限定を目的としない例として、少なくとも１つの自律車両の少なくとも１つのリアルタイムまたはほぼリアルタイムの地理的位置は、リアルタイムまたはほぼリアルタイムで更新することができる。限定を目的としない例として、少なくとも１つの自律車両の少なくとも１つのフリートの少なくとも１つのリアルタイムまたはほぼリアルタイムの地理的位置は、リアルタイムまたはほぼリアルタイムで更新することができる。限定を目的としない例として、少なくとも１つの代理人の少なくとも１つのリアルタイムまたはほぼリアルタイムの地理的位置は、リアルタイムまたはほぼリアルタイムで更新することができる。
【０３２０】
「搬送クライアント」
少なくとも１つの搬送クライアントは、限定はしないが、例えば、少なくとも１つの好ましい搬送サービス提供を分析または評価し、次いで確保または取得することができる、少なくとも１人の人、少なくとも１つのエンティティ、少なくとも１つのロボット、少なくとも１つの機械、またはそれらの組合せであり得る。少なくとも１つの搬送クライアントは、少なくとも１つの搬送サービスの少なくとも１つの消費者である必要はない。少なくとも１つの搬送クライアントは、限定はしないが、少なくとも１人の他の人物、少なくとも１つの他の機械、少なくとも１つの他の搬送クライアント、またはそれらの組合せのために、少なくとも１つの搬送サービス提供を確保または取得することができる。少なくとも１つの搬送クライアントまたは少なくとも１つのサービスの少なくとも１つの消費者は、少なくとも１つの搬送サービスを受けるかまたは要求することができる。
【０３２１】
少なくとも１つの搬送クライアントは、少なくとも１つの搬送サービス提供をフィルタリングするために使用される少なくとも１つの搬送クライアント選好を入力または提供することができる。少なくとも１つの搬送クライアントは、限定はしないが、少なくとも１つの好ましい搬送サービス提供、少なくとも１つのフィルタリングされた搬送サービス提供、またはそれらの組合せを識別するために使用される少なくとも１つの搬送クライアント選好を入力または提供することができる。少なくとも１つの搬送クライアントは、最高の発展レベルまたは最新技術に更新またはリフレッシュされた少なくとも１つの機能を、リアルタイムまたはほぼリアルタイムで実行することができる。
【０３２２】
少なくとも１つの搬送クライアントは、限定はしないが、少なくとも１つの端末、少なくとも１つのアプリケーション、少なくとも１つの中央サーバ、少なくとも１つの外部サーバ、またはそれらの組合せを介して、少なくとも１つの好ましい搬送サービス提供を確保または取得することができる。少なくとも１つの搬送クライアントは、少なくとも１つの搬送業界セグメント内の少なくとも１つのサービスプロバイダに関連する、少なくとも１つの搬送サービス提供、少なくとも１つのフィルタリングされた搬送サービス提供、少なくとも１つの好ましい搬送サービス提供、またはそれらの組合せを確保または取得することができる。
【０３２３】
少なくとも１つの搬送クライアントは、限定はしないが、少なくとも１つの代理人、少なくとも１つの自律車両、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せのための、またはそれらを基準とした場合の、少なくとも１つのフィルタリングされた搬送サービス要求および／または少なくとも１つの好ましい搬送サービス要求になり得る少なくとも１つの搬送サービス要求を、例えば、入力または生成することができる。
【０３２４】
限定を目的としない例として、少なくとも１つの搬送クライアントは、少なくとも１つの好ましい搬送サービス提供以外の少なくとも１つのフィルタリングされた搬送サービス提供を確保または取得することができる。限定を目的としない例として、少なくとも１つの搬送クライアントは、少なくとも１つの好ましい搬送サービス提供を確保または取得することができる、少なくとも１つの個人用デジタル補助装置または少なくとも１つの機械であり得る。限定を目的としない例として、少なくとも１つの搬送クライアントは、ライドヘイル業界セグメントにおける少なくとも１人の乗客であり得る。限定を目的としない例として、少なくとも１つの搬送クライアントは、食品配達業界セグメントにおける少なくとも１つの商品の少なくとも１つの消費者であり得る。限定を目的としない例として、少なくとも１つの搬送クライアントは、貨物配達業界セグメントにおける貨物の少なくとも１つの消費者であり得る。限定を目的としない例として、少なくとも１つの搬送クライアントは、少なくとも１つの個々の搬送業界セグメント内の少なくとも１つの個々のサービスプロバイダに関連する、少なくとも１つの搬送サービス提供、少なくとも１つのフィルタリングされた搬送サービス提供、少なくとも１つの好ましい搬送サービス提供、またはそれらの組合せを確保または取得することができる。
【０３２５】
限定を目的としない例として、少なくとも１つの搬送クライアントは、限定はしないが、少なくとも１つの動的マップ、少なくとも１つのヒートマップ、またはそれらの組み合わせ等の少なくとも１つの視覚的表現を使用して、少なくとも１つの好ましい搬送サービス提供を分析または評価し、次いで確保または取得することができる。限定を目的としない例として、少なくとも１つの搬送クライアントは、少なくとも１つの好ましい搬送サービス提供のために、２つ以上の代理人または２つ以上の自律車両を確保または取得することができる。限定を目的としない例として、少なくとも１つの搬送クライアントは、少なくとも１つの代理人と同じまたは類似の、少なくとも１つの視覚的表現の少なくとも１つの機能を利用または実行することができる。
【０３２６】
「サービスプロバイダ」
少なくとも１つのサービスプロバイダは、例えば、少なくとも１つの搬送サービスを提供するために、限定はしないが、少なくとも１つの代理人、少なくとも１つの自律車両、少なくとも１つの自律車両の少なくとも１つのオーナまたは少なくとも１つのコントローラ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せを、雇用するか、またはそれらと契約することができる少なくとも１つのエンティティまたは少なくとも１つの業界であり得る。少なくとも１つのサービスプロバイダは、限定はしないが、少なくとも１つの代理人、少なくとも１つの自律車両、少なくとも１つの自律車両の少なくとも１つのオーナまたは少なくとも１つのコントローラ、少なくとも１つの商品サプライヤ、少なくとも１つのフリートマネージャ、少なくとも１つの搬送クライアント、少なくとも１つのロジスティクスプロバイダ、少なくとも１つのロジスティクスサプライヤ、少なくとも１つのマッププロバイダ、少なくとも１つのサードパーティ、またはそれらの組合せとの間の少なくとも１つの搬送サービスを容易にすることができる。少なくとも１つのサービスプロバイダは、例えば、少なくとも１つのサービス、少なくとも１つの配達サービス、またはそれらの組合せを提供または実行することができる、少なくとも１つのエンティティまたは少なくとも１つの業界であり得る。
【０３２７】
少なくとも１つのサービスプロバイダは、少なくとも１つの外部サーバを介して、少なくとも１つの搬送業界セグメントに関連する、対応する搬送データを有する少なくとも１つの搬送サービス要求の全部または一部、対応する搬送データを有する少なくとも１つの搬送サービス提供の全部または一部、またはそれらの組合せの少なくとも１つのソースまたは少なくとも１つのプロバイダであり得る。少なくとも１つのサービスプロバイダは、少なくとも１つの搬送サービスを容易にし実行するために、限定はしないが、少なくとも１つの中央サーバ、少なくとも１つの外部サーバ、少なくとも１つのアプリケーション、またはそれらの組合せを使用することができる。
【０３２８】
少なくとも１つのサービスプロバイダは、少なくとも１つの搬送業界セグメントで活動することができる。少なくとも１つのサービスプロバイダは、限定はしないが、少なくとも１つの代理人、少なくとも１つの自律車両、少なくとも１つの商品サプライヤ、少なくとも１つのマッププロバイダ、少なくとも１つのサードパーティ、少なくとも１つの搬送クライアント、またはそれらの組合せの少なくとも１つの搬送ネットワークを独立して制御または操作することができる。少なくとも１つのサービスプロバイダは、限定はしないが、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せに関連する情報技術基盤を利用することができる。少なくとも１つのサービスプロバイダは、最高の発展レベルまたは最新技術に更新またはリフレッシュされた少なくとも１つの機能をリアルタイムまたはほぼリアルタイムで実行することができる。少なくとも１つのサービスプロバイダは、少なくとも１つの好ましい搬送サービス要求または少なくとも１つの好ましい搬送サービス提供を受諾するかまたは拒否することができる。
【０３２９】
少なくとも１つのサービスプロバイダは、少なくとも１つの視覚的表現、少なくとも１つの動的マップ、少なくとも１つのヒートマップ、またはそれらの組合せを使用して、少なくとも１つの搬送サービスを容易にし、操作し、または管理することができる。少なくとも１つのサービスプロバイダは、少なくとも１つの視覚的表現、少なくとも１つのダイナミックマップ、少なくとも１つのヒートマップ、またはそれらの組合せを使用して、少なくとも１つの搬送クライアントまたは少なくとも１つの代理人のために、少なくとも１つの搬送サービスを容易にし、操作し、または管理することができる。少なくとも１つのサービスプロバイダは、少なくとも１つの搬送クライアントまたは少なくとも１つの代理人のための少なくとも１つのツールとして、少なくとも１つの視覚的表現、少なくとも１つの動的マップ、少なくとも１つのヒートマップ、またはそれらの組合せを使用して、少なくとも１つの好ましい搬送サービス提供または少なくとも１つの好ましい搬送サービス要求を確保または取得することができる。少なくとも１つのマッププロバイダは、少なくとも１つの搬送業界セグメントで活動する少なくとも１つのサービスプロバイダのために、少なくとも１つの視覚的表現、少なくとも１つの動的マップ、少なくとも１つのヒートマップ、またはそれらの組合せを使用して、少なくとも１つの搬送サービスを容易にし、操作し、または管理することができる。
【０３３０】
少なくとも１つのサービスプロバイダは、少なくとも１つの自律車両を所有、操作、または制御することができる。少なくとも１つのサービスプロバイダは、少なくとも１つのサードパーティに代わって、少なくとも１つの自律車両を操作、所有、または制御することができる。少なくとも１つのサービスプロバイダは、任意で、少なくとも１つの自律車両の少なくとも１つのオーナまたは少なくとも１つのコントローラととらえるか、または呼ぶることができる。少なくとも１つのサービスプロバイダは、少なくとも１つのネットワークを操作、所有、または制御して、少なくとも１つの搬送業界セグメントにおける少なくとも１つの搬送サービスを容易にすることができる。少なくとも１つのサービスプロバイダは、少なくとも１つのネットワーク上で、少なくとも１つの自律車両、少なくとも１つの代理人、またはそれらの組合せを操作、所有、または制御することができる。少なくとも１つのサービスプロバイダは、少なくとも１つの他のネットワーク上で、少なくとも１つの自律車両、少なくとも１つの代理人、またはそれらの組合せを操作、所有、または制御することができる。少なくとも１つのサービスプロバイダは、少なくとも１つのネットワーク上で、少なくとも１つのサードパーティに代わって、少なくとも１つの自律車両、少なくとも１つの代理人、またはそれらの組合せを操作、所有、または制御することができる。
【０３３１】
少なくとも１つのサービスプロバイダは、限定はしないが、少なくとも１つの商品サプライヤまたは少なくとも１つの自律車両であり得る、少なくとも１つの指定されたロッカー等を有するかまたは利用することができる少なくとも１つの車両であり得る。少なくとも１つのサービスプロバイダは、限定はしないが、少なくとも１つの移動型商品サプライヤ、少なくとも１つの移動型自律車両、少なくとも１つの移動型店頭、少なくとも１つのラストマイル（ｌａｓｔ  ｍｉｌｅ）配達車両、少なくとも１つの移動型ロジスティクスプロバイダ、少なくとも１つの移動型ロジスティクスサプライヤ、またはこれらの組み合わせであり得る、少なくとも１つのコンパートメント等を有するかまたは利用することができる少なくとも１つの車両であり得る。
【０３３２】
限定を目的としない例として、少なくとも１つのサービスプロバイダは、限定はしないが、少なくとも１つのライドシェアサービスコントローラ、少なくとも１つのライドヘイルサービスコントローラ、少なくとも１つのカーシェアサービスコントローラ、少なくとも１つのタクシーサービスコントローラ、少なくとも１つのシャトルサービスコントローラ、少なくとも１つの人物配達サービスコントローラ、少なくとも１つの食品配達サービスコントローラ、少なくとも１つの商品配達サービスコントローラ、少なくとも１つの動物配達サービスコントローラ、少なくとも１つの医療サービスおよび医療配達（ｍｅｄｉｃａｌ  ｄｅｌｉｖｅｒｙ）コントローラ、少なくとも１つの宅配便サービスコントローラ、少なくとも１つのアイテム配達サービスコントローラ、少なくとも１つの貨物配達サービスコントローラ、少なくとも１つのピアツーピア搬送サービスコントローラ、少なくとも１つの配達サービスコントローラ、少なくとも１つの搬送サービスコントローラ、またはそれらの組合せであり得る。
【０３３３】
限定を目的としない例として、少なくとも１つのサービスプロバイダは、少なくとも１つの自律車両を利用する場合、少なくとも１つの代理人ととらえるか、または呼ぶことができる。限定を目的としない例として、少なくとも１つのサービスプロバイダは、少なくとも１つの自律車両、少なくとも１つの代理人、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、少なくとも１つのマッププロバイダ、少なくとも１つのサードパーティ、またはそれらの組合せととらえるか、または呼ぶことができる。
【０３３４】
限定を目的としない例として、少なくとも１つのサービスプロバイダは、少なくとも１つの個々の搬送業界セグメントで活動することができる。限定を目的としない例として、少なくとも１つのサービスプロバイダは、対応する搬送データが関連付けられた少なくとも１つの搬送サービス要求の全部または一部、対応する搬送データが関連付けられた少なくとも１つの搬送サービス提供の全部または一部、少なくとも１つの代理人の少なくとも１つのリアルタイムまたはほぼリアルタイムの地理的位置の全部または一部、少なくとも１つの搬送クライアントの少なくとも１つのリアルタイムまたはほぼリアルタイムの地理的位置の全部または一部、少なくとも１つの自律車両に関連する搬送データの全部または一部、少なくとも１つの自律車両の少なくとも１つのリアルタイムまたはほぼリアルタイムの地理的位置の全部または一部、またはそれらの組合せの、少なくとも１つのソースまたは少なくとも１つのプロバイダであり得る。
【０３３５】
限定を目的としない例として、少なくとも１つのサービスプロバイダは、対応する搬送データが関連付けられた少なくとも１つの搬送サービス要求の全部または一部、対応する搬送データが関連付けられた少なくとも１つの搬送サービス提供の全部または一部、少なくとも１つの代理人の少なくとも１つのリアルタイムまたはほぼリアルタイムの地理的位置の全部または一部、少なくとも１つの搬送クライアントの少なくとも１つのリアルタイムまたはほぼリアルタイムの地理的位置の全部または一部、少なくとも１つの自律車両に関連する搬送データの全部または一部、少なくとも１つの自律車両の少なくとも１つのリアルタイムまたはほぼリアルタイムの地理的位置の全部または一部、またはそれらの組合せを提供することができる少なくとも１つのＡＰＩを有するか、または利用することができる。限定を目的としない例として、少なくとも１つのサービスプロバイダは、搬送データの全部または一部を有するか、または生成することができる。
【０３３６】
限定を目的としない例として、少なくとも１つのサービスプロバイダは、少なくとも１つの搬送サービスを提供するために、少なくとも１つのＯＥＭまたは少なくとも１つの自動車製造業者のために、またはそれに代わって、少なくとも１つの自律車両を操作または制御することができる。限定を目的としない例として、少なくとも１つのサービスプロバイダは、少なくとも１つの搬送業界セグメントで活動することができる少なくとも１つのネットワーク上で、少なくとも１つのＯＥＭのために、またはそれに代わって、少なくとも１つの自律車両または少なくとも１つの自律車両の少なくとも１つのフリートを制御または操作することができる。限定を目的としない例として、少なくとも１つのサービスプロバイダは、少なくとも１つの外部サーバを、少なくとも１つの搬送業界セグメントのために、またはそれとともに利用することができる。限定を目的としない例として、少なくとも１つのサービスプロバイダは、少なくとも１つの自律車両を賃貸または転貸することができる。限定を目的としない例として、少なくとも１つのサービスプロバイダは、少なくとも１つの自律車両の少なくとも１つのフリートを賃貸または転貸することができる。限定を目的としない例として、少なくとも１つのサービスプロバイダは、少なくとも１つのサードパーティから少なくとも１つの自律車両または少なくとも１つの自律車両の少なくとも１つのフリートを賃貸または転貸することができる。
【０３３７】
限定を目的としない例として、少なくとも１つのサービスプロバイダは、少なくとも１つのマッププロバイダまたは少なくとも１つのマッププロバイダアプリケーションによって提供され得る少なくとも１つの視覚的表現上に表示された少なくとも１つの搬送サービス要求を有することができる。限定を目的としない例として、少なくとも１つのサービスプロバイダは、少なくとも１つのマッププロバイダまたは少なくとも１つのマッププロバイダアプリケーションによって提供され得る少なくとも１つの視覚的表現上に表示された少なくとも１つの搬送サービス提供を有することができる。
【０３３８】
「商品サプライヤ」
少なくとも１つの商品サプライヤは、例えば、限定はしないが、少なくとも１つの搬送サービスで搬送される少なくとも１つの商品、少なくとも１つの物品、少なくとも１つの物、少なくとも１つのアイテム、またはそれらの組合せを提供または供給することができる、少なくとも１つのエンティティまたは少なくとも１つの業界であり得る。少なくとも１つの商品サプライヤは、例えば、限定はしないが、少なくとも１つのサービス、少なくとも１つの配達サービス、またはそれらの組み合わせを提供または供給することができる少なくとも１つのエンティティまたは少なくとも１つの業界であり得る。
【０３３９】
少なくとも１つの商品サプライヤは、例えば、少なくとも１つの搬送サービスを提供するために、限定はしないが、少なくとも１つの代理人、少なくとも１つの自律車両、少なくとも１つの自律車両の少なくとも１つのオーナまたは少なくとも１つのコントローラ、少なくとも１つのサービスプロバイダ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せを、雇用するか、またはこれらと契約することができる、少なくとも１つのエンティティまたは少なくとも１つの業界であり得る。少なくとも１つの商品サプライヤは、限定はしないが、少なくとも１つの代理人、少なくとも１つの自律車両、少なくとも１つの自律車両の少なくとも１つのオーナまたは少なくとも１つのコントローラ、少なくとも１つのサービスプロバイダ、少なくとも１つのフリートマネージャ、少なくとも１つのロジスティクスプロバイダ、少なくとも１つのロジスティクスサプライヤ、少なくとも１つの搬送クライアント、少なくとも１つのマッププロバイダ、少なくとも１つのサードパーティ、またはこれらの組合せとの間の少なくとも１つの搬送サービスを容易にすることができる。
【０３４０】
少なくとも１つの商品サプライヤは、例えば、少なくとも１つの搬送業界セグメントに関連する、対応する搬送データを有する少なくとも１つの搬送サービス要求、対応する搬送データを有する少なくとも１つの搬送サービス提供、またはそれらの組合せの少なくとも１つのソースまたは少なくとも１つのプロバイダであり得る少なくとも１つの外部サーバを利用することができる。少なくとも１つの商品サプライヤは、限定はしないが、少なくとも１つの中央サーバ、少なくとも１つの外部サーバ、少なくとも１つのアプリケーション、またはそれらの組合せを使用して、少なくとも１つの搬送サービスを容易にし実行することができる。
【０３４１】
少なくとも１つの商品サプライヤは、少なくとも１つの搬送業界セグメントで活動することができる。少なくとも１つの商品サプライヤは、少なくとも１つのサービスプロバイダ等のために、またはそれとともに、活動することができる。少なくとも１つの商品サプライヤは、限定はしないが、少なくとも１つの代理人、少なくとも１つの自律車両、少なくとも１つの商品サプライヤ、少なくとも１つのマッププロバイダ、少なくとも１つのサードパーティ、少なくとも１つの搬送クライアント、またはそれらの組合せの少なくとも１つの搬送ネットワークを独立して制御または操作することができる。少なくとも１つの商品サプライヤは、限定はしないが、少なくとも１つの商品サプライヤ、少なくとも１つのサービスプロバイダ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せに関連する情報技術基盤を利用することができる。少なくとも１つの商品サプライヤは、最高の発展レベルまたは最新技術に更新またはリフレッシュされた少なくとも１つの機能をリアルタイムまたはほぼリアルタイムで実行することができる。少なくとも１つの商品サプライヤは、少なくとも１つの好ましい搬送サービス要求または少なくとも１つの好ましい搬送サービス提供を受諾するかまたは拒否することができる。
【０３４２】
少なくとも１つの商品サプライヤは、少なくとも１つの視覚的表現、少なくとも１つの動的マップ、少なくとも１つのヒートマップ、またはそれらの組合せを使用して、少なくとも１つの搬送サービスを容易にし、操作し、または管理することができる。少なくとも１つの商品サプライヤは、少なくとも１つの視覚的表現、少なくとも１つのダイナミックマップ、少なくとも１つのヒートマップ、またはそれらの組合せを使用して、少なくとも１つの搬送クライアントまたは少なくとも１つの代理人のために、少なくとも１つの搬送サービスを容易にし、操作し、または管理することができる。少なくとも１つの商品サプライヤは、少なくとも１つの搬送クライアントまたは少なくとも１つの代理人のための少なくとも１つのツールとして、少なくとも１つの視覚的表現、少なくとも１つの動的マップ、少なくとも１つのヒートマップ、またはそれらの組合せを使用して、少なくとも１つの好ましい搬送サービス提供または少なくとも１つの好ましい搬送サービス要求を確保または取得することができる。少なくとも１つのマッププロバイダは、少なくとも１つの搬送業界セグメントで活動する少なくとも１つの商品サプライヤのために、少なくとも１つの視覚的表現、少なくとも１つの動的マップ、少なくとも１つのヒートマップ、またはそれらの組合せを使用して、少なくとも１つの搬送サービスを容易にし、操作し、または管理することができる。
【０３４３】
少なくとも１つの商品サプライヤは、少なくとも１つの自律車両を操作、所有、または制御することができる。少なくとも１つの商品サプライヤは、少なくとも１つのサードパーティに代わって、少なくとも１つの自律車両を操作、所有、または制御することができる。少なくとも１つの商品サプライヤは、少なくとも１つのネットワークを操作、所有、または制御して、少なくとも１つの搬送業界セグメントにおける少なくとも１つの搬送サービスを容易にすることができる。少なくとも１つの商品サプライヤは、少なくとも１つのネットワーク上で、少なくとも１つの自律車両を操作、所有、または制御することができる。少なくとも１つの商品サプライヤは、少なくとも１つの他のネットワーク上で、少なくとも１つの自律車両を操作、所有、または制御することができる。少なくとも１つの商品サプライヤは、少なくとも１つのネットワーク上で、少なくとも１つのサードパーティに代わって、少なくとも１つの自律車両を操作、所有、または制御することができる。
【０３４４】
少なくとも１つの商品サプライヤは、限定はしないが、少なくとも１つのサービスプロバイダまたは少なくとも１つの自律車両であり得る、少なくとも１つの指定されたロッカー等を有するかまたは利用することができる少なくとも１つの車両であり得る。少なくとも１つの商品サプライヤは、限定はしないが、少なくとも１つの移動型サービスプロバイダ、少なくとも１つの移動型自律車両、少なくとも１つの移動型店頭、少なくとも１つのラストマイル配達車両、少なくとも１つの移動型ロジスティクスプロバイダ、少なくとも１つの移動型ロジスティクスサプライヤ、またはそれらの組み合わせであり得る、少なくとも１つのコンパートメント等を有するか、またはこれを利用することができる、少なくとも１つの車両であり得る。
【０３４５】
限定を目的としない例として、少なくとも１つの商品サプライヤは、限定はしないが、少なくとも１つの食品配達サービスコントローラ、少なくとも１つの商品配達サービスコントローラ、少なくとも１つの動物配達サービスコントローラ、少なくとも１つの医療サービスおよび医療配達コントローラ、少なくとも１つの宅配便サービスコントローラ、少なくとも１つのアイテム配達サービスコントローラ、少なくとも１つの貨物配達サービスコントローラ、少なくとも１つのピアツーピア搬送サービスコントローラ、少なくとも１つの配達サービスコントローラ、少なくとも１つの搬送サービスコントローラ、またはそれらの組合せであり得る。
【０３４６】
限定を目的としない例として、少なくとも１つの商品サプライヤは、少なくとも１つのサービスプロバイダととらえるか、または呼ぶことができる。限定を目的としない例として、少なくとも１つの商品サプライヤは、任意で、少なくとも１つの自律車両、少なくとも１つの代理人、少なくとも１つのサービスプロバイダ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、少なくとも１つのマッププロバイダ、少なくとも１つのサードパーティ、またはそれらの組合せととらえるか、または呼ぶことができる。
【０３４７】
限定を目的としない例として、少なくとも１つの商品サプライヤは、少なくとも１つの食品トラックであり得る。限定を目的としない例として、少なくとも１つの商品サプライヤは、貨物を生産または供給する少なくとも１つのエンティティであり得る。限定を目的としない例として、少なくとも１つの商品サプライヤは、少なくとも１つの食品に関連する少なくとも１つの搬送サービスを提供または実行することができる。限定を目的としない例として、少なくとも１つの商品サプライヤは、少なくとも１つの個々の搬送業界セグメントで活動することができる。限定を目的としない例として、少なくとも１つの商品サプライヤは、少なくとも１つの個々のサービスプロバイダのために活動することができる。限定を目的としない例として、少なくとも１つの商品サプライヤは、対応する搬送データが関連付けられた少なくとも１つの搬送サービス要求、対応する搬送データが関連付けられた少なくとも１つの搬送サービス提供、少なくとも１つの代理人の少なくとも１つのリアルタイムまたはほぼリアルタイムの地理的位置、少なくとも１つの搬送クライアントの少なくとも１つのリアルタイムまたはほぼリアルタイムの地理的位置、少なくとも１つの自律車両に関連する搬送データの全部または一部、少なくとも１つの自律車両の少なくとも１つのリアルタイムまたはほぼリアルタイムの地理的位置、またはそれらの組み合わせの、少なくとも１つのソースまたは少なくとも１つのプロバイダであり得る。
【０３４８】
限定を目的としない例として、少なくとも１つの商品サプライヤは、任意で、少なくとも１つの代理人、少なくとも１つの自律車両、またはそれらの組合せを雇用するか、またはそれらと契約することができる。限定を目的としない例として、少なくとも１つの商品サプライヤは、限定はしないが、少なくとも１つの中央サーバ、少なくとも１つの外部サーバ、少なくとも１つのアプリケーション、またはそれらの組み合わせを使用して、少なくとも１つの搬送サービスを容易にすることができる。
【０３４９】
限定を目的としない例として、少なくとも１つの商品サプライヤは、対応する搬送データが関連付けられた少なくとも１つの搬送サービス要求の全部または一部、対応する搬送データが関連付けられた少なくとも１つの搬送サービス提供の全部または一部、少なくとも１つの代理人の少なくとも１つのリアルタイムまたはほぼリアルタイムの地理的位置の全部または一部、少なくとも１つの搬送クライアントの少なくとも１つのリアルタイムまたはほぼリアルタイムの地理的位置の全部または一部、少なくとも１つの自律車両に関連する搬送データの全部または一部、少なくとも１つの自律車両の少なくとも１つのリアルタイムまたはほぼリアルタイムの地理的位置の全部または一部、またはそれらの組合せを提供することができる少なくとも１つのＡＰＩを有するかまたは利用することができる。限定を目的としない例として、少なくとも１つの商品サプライヤは、搬送データの全部または一部を有するか、または生成することができる。
【０３５０】
限定を目的としない例として、少なくとも１つの商品サプライヤは、少なくとも１つの搬送業界セグメントのために、またはそれとともに、少なくとも１つの外部サーバを利用することができる。限定を目的としない例として、少なくとも１つの商品サプライヤは、少なくとも１つの自律車両を賃貸または転貸することができる。限定を目的としない例として、少なくとも１つの商品サプライヤは、少なくとも１つの自律車両の少なくとも１つのフリートを賃貸または転貸することができる。限定を目的としない例として、少なくとも１つの商品供給者は、少なくとも１つのサードパーティから、少なくとも１つの自律車両または少なくとも１つの自律車両の少なくとも１つのフリートを賃貸または転貸することができる。
【０３５１】
限定を目的としない例として、少なくとも１つの商品サプライヤは、少なくとも１つのマッププロバイダまたは少なくとも１つのマッププロバイダアプリケーションによって提供され得る少なくとも１つの視覚的表現上に表示された少なくとも１つの搬送サービス要求を有することができる。限定を目的としない例として、少なくとも１つの商品サプライヤは、少なくとも１つのマッププロバイダまたは少なくとも１つのマッププロバイダアプリケーションによって提供され得る少なくとも１つの視覚的表現上に表示された少なくとも１つの搬送サービス提供を有することができる。
【０３５２】
「代理人」
少なくとも１つの代理人は、限定はしないが、例えば、少なくとも１つの好ましい搬送サービス要求、少なくとも１つのフィルタリングされた搬送サービス要求、少なくとも１つの搬送サービス要求、またはそれらの組合せを確保または取得することができる、少なくとも１人の人、少なくとも１つのエンティティ、少なくとも１つのロボット、少なくとも１つの機械等であり得る。少なくとも１人の代理人は、限定はしないが、少なくとも１人の人、少なくとも１つの商品、少なくとも１つの物品、少なくとも１つの物、少なくとも１つのアイテム、少なくとも１つの搬送クライアント、またはそれらの組合せの、少なくとも１つの搬送サービスを提供または実行することができる。少なくとも１つの代理人は、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、またはそれらの組合せに雇用されるか、またはそれらと契約することができる。少なくとも１つの代理人は、例えば、少なくとも１つのサービス、少なくとも１つの配達サービス、またはそれらの組み合わせを提供または実行することができる、少なくとも１つのエンティティまたは少なくとも１人の人であり得る。少なくとも１つの代理人は、少なくとも１つの自律車両を所有し、操作し、または制御することができる。
【０３５３】
少なくとも１つの代理人は、限定はしないが、少なくとも１つのサービスプロバイダネットワーク、少なくとも１つの自律車両ネットワークの少なくとも１つのオーナまたは少なくとも１つのコントローラ、少なくとも１つのフリートマネージャネットワーク、少なくとも１つのロジスティクスプロバイダネットワーク、少なくとも１つのロジスティクスサプライヤネットワーク、少なくとも１つのアプリケーション、少なくとも１つの中央サーバ、少なくとも１つの外部サーバ、またはそれらの組合せに、いつでもサインオンおよび／またはサインオフすることができる。少なくとも１つの代理人は、限定はしないが、少なくとも１つのサービスプロバイダネットワーク、少なくとも１つの自律車両ネットワークの少なくとも１つのオーナまたは少なくとも１つのコントローラ、少なくとも１つのフリートマネージャネットワーク、少なくとも１つのロジスティクスプロバイダネットワーク、少なくとも１つのロジスティクスサプライヤネットワーク、少なくとも１つの中央サーバ、少なくとも１つの外部サーバ、またはそれらの組合せにサインインすることができる。例えば、少なくとも１つのサービス開始地理的位置、少なくとも１つのサービス終了地理的位置、価格情報、またはそれらの組合せが分かった時点で、少なくとも１つの代理人に関連する少なくとも１つの搬送サービス提供を生成することができる。
【０３５４】
少なくとも１つの代理人は、少なくとも１つの搬送サービス要求をフィルタリングするために使用される少なくとも１つの代理人選好を入力または提供することができる。少なくとも１つの代理人は、限定はしないが、少なくとも１つの好ましい搬送サービス要求、少なくとも１つのフィルタリングされた搬送サービス要求、またはそれらの組合せを識別するために使用される少なくとも１つの代理人選好を入力または提供することができる。
【０３５５】
少なくとも１つの代理人は、少なくとも１つの搬送サービスを容易にするために、少なくとも１つのアプリケーションを使用して、限定はしないが、少なくとも１つの端末、少なくとも１つの中央サーバ、少なくとも１つの外部サーバ、少なくとも１つのアプリケーション、またはそれらの組合せを介して、少なくとも１つのサービスプロバイダネットワーク、少なくとも１つの商品サプライヤネットワーク、少なくとも１つの自律車両ネットワークの少なくとも１つのオーナまたは少なくとも１つのコントローラ、少なくとも１つのフリートマネージャネットワーク、少なくとも１つのロジスティクスプロバイダネットワーク、少なくとも１つのロジスティクスサプライヤネットワーク、またはそれらの組合せにアクセスすることができる。少なくとも１つの代理人は、少なくとも１つの搬送業界セグメントにおいて少なくとも１つの搬送サービスを提供することができる。少なくとも１つの代理人は、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、またはそれらの組合せのために、少なくとも１つの搬送サービスを提供することができる。少なくとも１人の代理人は、限定はしないが、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、またはそれらの組合せに関連する情報技術基盤を使用することができる。少なくとも１つの代理人は、最高の発展レベルまたは最新技術に更新またはリフレッシュされた少なくとも１つの機能をリアルタイムまたはほぼリアルタイムで実行することができる。
【０３５６】
限定を目的としない例として、少なくとも１つの代理人は、少なくとも１つの好ましい搬送サービス要求以外の少なくとも１つのフィルタリングされた搬送サービス要求を確保または取得することができる。限定を目的としない例として、少なくとも１つの代理人は、少なくとも１つのアプリケーション、少なくとも１つの中央サーバ、少なくとも１つの外部サーバ、またはそれらの組合せを使用して、少なくとも１つの好ましい搬送サービス要求を受諾するかまたは拒否することができる。限定を目的としない例として、少なくとも１つの代理人は、限定はしないが、少なくとも１つの動的マップ、少なくとも１つのヒートマップ、またはそれらの組み合わせ等の少なくとも１つの視覚的表現を使用して、少なくとも１つの好ましい搬送サービス要求を分析または評価し、次いで確保または取得することができる。
【０３５７】
限定を目的としない例として、少なくとも１つの代理人は、少なくとも１つの自律車両を利用するとき、少なくとも１つのサービスプロバイダ等ととらえるか、または呼ぶことができる。限定を目的としない例として、少なくとも１つの代理人は、少なくとも１つの自律車両を利用するとき、少なくとも１つの自律車両の少なくとも１つのオーナまたは少なくとも１つのコントローラ等ととらえるか、または呼ぶことができる。限定を目的としない例として、少なくとも１つの代理人は、少なくとも１つの自律車両、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのサードパーティ、またはそれらの組合せととらえるか、または呼ぶことができる。限定を目的としない例として、少なくとも１つの代理人は、少なくとも１つの自律車両を使用して、少なくとも１つの搬送サービスを実行することができる。限定を目的としない例として、少なくとも１つの代理人は、少なくとも１つの自律車両を利用するとき、少なくとも１つの商品サプライヤ等ととらえるか、または呼ぶことができる。
【０３５８】
限定を目的としない例として、少なくとも１つの代理人は、少なくとも１つの独立したサードパーティであり得る。限定を目的としない例として、少なくとも１つの代理人は、少なくとも１つの独立した契約者であり得る。限定を目的としない例として、ライドヘイル／ライドシェア業界セグメントでは、少なくとも１つの代理人は、少なくとも１つのドライバであり得る。限定を目的としない例として、食品配達業界セグメントでは、少なくとも１人の代理人は、少なくとも１つの食品をピックアップし、少なくとも１つの食品を降ろして少なくとも１つの搬送クライアントに渡す少なくとも１人のドライバであり得る。限定を目的としない例として、宅配便業界セグメントでは、少なくとも１人の代理人は、少なくとも１つの商品、少なくとも１つの物、少なくとも１つの物品、またはそれらの組み合わせのピックアップ作業および降ろす作業を行う少なくとも１人の人であり得る。限定を目的としない例として、少なくとも１つの代理人は、少なくとも１つの個々の搬送業界セグメントにおいて少なくとも１つの搬送サービスを提供することができる。限定を目的としない例として、少なくとも１つの代理人は、少なくとも１つの個々のサービスプロバイダのために少なくとも１つの搬送サービスを提供することができる。
【０３５９】
限定を目的としない例として、少なくとも１つの代理人は、少なくとも１つの搬送クライアントと同じまたは類似の、少なくとも１つの視覚的表現の少なくとも１つの機能を利用または実行することができる。限定を目的としない例として、少なくとも１つの代理人は、少なくとも１つの搬送サービスを実行するために、少なくとも１つの自律車両または少なくとも１つの自律車両の少なくとも１つのフリートで管理または操作することができる。限定を目的としない例として、少なくとも１つのサービスプロバイダ、少なくとも１つのフリートマネージャ、少なくとも１つのロジスティクスプロバイダ、少なくとも１つのロジスティクスサプライヤ等は、少なくとも１つの代理人および少なくとも１つの自律車両を使用して、少なくとも１つの搬送業界セグメントにおいて少なくとも１つの搬送サービスを実行することができる。限定を目的としない例として、少なくとも１つの代理人は、搬送データの全部または一部を有するか、または生成することができる。
【０３６０】
限定を目的としない例として、少なくとも１人の代理人は、少なくとも１つの搬送サービスの全部または一部を実行することができる。限定を目的としない例として、少なくとも１つの代理人は、少なくとも１つの自律車両と連携して、少なくとも１つの搬送サービスの全部または一部を実行することができる。限定を目的としない例として、少なくとも１つの代理人は、少なくとも１つの搬送サービスの一部を実行することができ、少なくとも１つの自律車両は、少なくとも１つの搬送サービスの少なくとも１つの他の部分を実行することができる。限定を目的としない例として、少なくとも１つの代理人は、少なくとも１つのウェイポイントにいる間に少なくとも１つの搬送サービスの一部を実行することができ、少なくとも１つの自律車両は、少なくとも１つの搬送サービスの少なくとも１つの他の部分を実行することができる。
【０３６１】
限定を目的としない例として、少なくとも１人の代理人は、配達すべき食品をピックアップして少なくとも１つの自律車両に入れることができる。限定を目的としない例として、少なくとも１人の代理人は、配達すべき食品を注文して少なくとも１つの自律車両に入れることができる。限定を目的としない例として、少なくとも１人の代理人は、配達すべき食品を少なくとも１つの無人機といった少なくとも１つの自律車両に入れることができる。限定を目的としない例として、少なくとも１人の代理人は、配達すべき食品を少なくとも１つの自律地上車両といった少なくとも１つの自律車両に入れることができる。
【０３６２】
「視覚的表現」
少なくとも１つの視覚的表現は、例えば、少なくとも１つの好ましい搬送サービス要求または少なくとも１つの好ましい搬送サービス提供を確保または取得するための少なくとも１つの操作または少なくとも１つの機能を容易にすることができる。少なくとも１つの視覚的表現は、例えば、少なくとも１つの搬送クライアント、少なくとも１つの代理人、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、少なくとも１つのマッププロバイダ、少なくとも１つのサードパーティ、またはそれらの組合せによって利用または操作することができる。
【０３６３】
少なくとも１つの視覚的表現は、少なくとも１つの代理人が、例えば、少なくとも１つの地理的マップ上で少なくとも１つの搬送サービス要求または少なくとも１つの搬送サービス要求メトリックを分析または評価して、少なくとも１つの好ましい搬送サービス要求を確保または取得するのを支援するために使用される少なくとも１つのツールであり得る。少なくとも１つの視覚的表現は、少なくとも１つの搬送クライアントが、例えば少なくとも１つの地理的マップ上の少なくとも１つの搬送サービス提供または少なくとも１つの搬送サービス提供メトリックを分析または評価して、少なくとも１つの好ましい搬送サービス提供を確保または取得するのを容易にするために使用される少なくとも１つのツールであり得る。少なくとも１つの視覚的表現は、限定はしないが、少なくとも１つの視点、少なくとも１つの基準点、少なくとも１つの関心点、またはそれらの組み合わせから見ることができる。少なくとも１つの視覚的表現は、限定はしないが、少なくとも１つの動的マップ、少なくとも１つのリアルタイムまたはほぼリアルタイムのヒートマップ、少なくとも１つの履歴ヒートマップ、少なくとも１つの予測ヒートマップ、またはそれらの組合せであり得る。
【０３６４】
少なくとも１つの視覚的表現は、少なくとも１つの好ましい搬送サービス要求または少なくとも１つの好ましい搬送サービス提供を確保または取得するのを容易にすることができる。少なくとも１つの視覚的表現を使用して、少なくとも１つの好ましい搬送サービス要求または少なくとも１つの好ましい搬送サービス提供の確保または取得を容易にすることができる。少なくとも１つの視覚的表現は、少なくとも１つのアプリケーションを利用して少なくとも１つの好ましい搬送サービス要求または少なくとも１つの好ましい搬送サービス提供を確保または取得するのを容易にすることができる。少なくとも１つの視覚的表現は、少なくとも１つのサービスプロバイダアプリケーション、少なくとも１つのサードパーティアプリケーション等を利用して少なくとも１つの好ましい搬送サービス要求または少なくとも１つの好ましい搬送サービス提供を確保または取得するのを容易にすることができる。
【０３６５】
少なくとも１つの視覚的表現は、例えば、限定はしないが、対応する搬送データが関連付けられた少なくとも１つの好ましい搬送サービス要求、対応する搬送データが関連付けられた少なくとも１つのフィルタリングされた搬送サービス要求、対応する搬送データが関連付けられた少なくとも１つの搬送サービス要求、対応する搬送データが関連付けられた少なくとも１つの好ましい搬送サービス提供、対応する搬送データが関連付けられた少なくとも１つのフィルタリングされた搬送サービス提供、対応する搬送データが関連付けられた少なくとも１つの搬送サービス提供、それぞれの要求または提供に関連する少なくとも１つのメトリック、少なくとも１つの代理人の少なくとも１つのリアルタイムまたはほぼリアルタイムの地理的位置、少なくとも１つの自律車両の少なくとも１つのリアルタイムまたはほぼリアルタイムの地理的位置、少なくとも１つのサービスプロバイダの少なくとも１つのリアルタイムまたはほぼリアルタイムの地理的位置、少なくとも１つの商品サプライヤの少なくとも１つのリアルタイムまたはほぼリアルタイムの地理的位置、少なくとも１つのフリートマネージャの少なくとも１つのリアルタイムまたはほぼリアルタイムの地理的位置、少なくとも１つの搬送クライアントの少なくとも１つのリアルタイムまたはほぼリアルタイムの地理的位置、少なくとも１つのロジスティクスプロバイダの少なくとも１つのリアルタイムまたはほぼリアルタイムの地理的位置、少なくとも１つのロジスティクスサプライヤの少なくとも１つのリアルタイムまたはほぼリアルタイムの地理的位置、少なくとも１つの搬送クライアント選好、少なくとも１つの代理人選好、またはそれらの組み合わせを表示することができる少なくとも１つの地理的マップであり得る。
【０３６６】
少なくとも１つの視覚的表現は、例えば、限定はしないが、対応する搬送データ関連付けられた少なくとも１つの好ましい搬送サービス提供、対応する搬送データが関連付けられた少なくとも１つのフィルタリングされた搬送サービス提供、対応する搬送データが関連付けられた少なくとも１つの搬送サービス提供、少なくとも１つのそれぞれの提供に関連する少なくとも１つのメトリック、またはそれらの組合せを表示することができる少なくとも１つの地理的マップであり得る。
【０３６７】
少なくとも１つの視覚的表現は、少なくとも１つの自律車両内または自律車両上に表示することができる。少なくとも１つの自律車両の少なくとも１つのルートまたは少なくとも１つの経路を示すために、少なくとも１つの自律車両内または自律車両上に少なくとも１つの視覚的表現を表示することができる。少なくとも１つの視覚的表現は、少なくとも１つの自律車両内の少なくとも１つの搬送クライアントによって利用され得る。少なくとも１つの視覚的表現は、少なくとも１つのコマーシャルまたは少なくとも１つの広告を有するか、またはそれに関連付けることができる。少なくとも１つの視覚的表現は、少なくとも１つのインタラクティブマップであり得る。少なくとも１つの視覚的表現は、少なくとも１つの搬送クライアントによって使用され得る少なくとも１つのインタラクティブマップであり得る。少なくとも１つの視覚的表現は、少なくとも１つの搬送クライアントによって使用され得る少なくとも１つのインタラクティブマップであり得る。
【０３６８】
少なくとも１つの視覚的表現は、少なくとも１つの搬送クライアントが、限定はしないが、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、少なくとも１つの自律車両、少なくとも１つのマッププロバイダ、少なくとも１つのサードパーティ、少なくとも１つの代理人、またはそれらの組合せと通信するために使用することができる、少なくとも１つのインタラクティブマップであり得る。少なくとも１つの視覚的表現は、少なくとも１つの代理人が、限定はしないが、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、少なくとも１つの自律車両、少なくとも１つのマッププロバイダ、少なくとも１つのサードパーティ、少なくとも１つの搬送クライアント、またはそれらの組合せと通信するために使用することができる、少なくとも１つのインタラクティブマップであり得る。
【０３６９】
少なくとも１つの視覚的表現は、限定はしないが、対応する搬送データが関連付けられた少なくとも１つの好ましい搬送サービス要求の全部または一部、対応する搬送データが関連付けられた少なくとも１つのフィルタリングされた搬送サービス要求の全部または一部、対応する搬送データが関連付けられた少なくとも１つの搬送サービス要求の全部または一部、対応する搬送データが関連付けられた少なくとも１つの好ましい搬送サービス提供の全部または一部、対応する搬送データが関連付けられた少なくとも１つのフィルタリングされた搬送サービス提供の全部または一部、対応する搬送データが関連付けられた少なくとも１つの搬送サービス提供の全部または一部、対応する搬送データが関連付けられた後続のまたは追加の複数のフィルタリングされた搬送サービス提供の全部または一部、対応する搬送データが関連付けられた後続のまたは追加の少なくとも１つの好ましい搬送サービス提供の全部または一部、少なくとも１つのサービス開始地理的位置、少なくとも１つのサービス終了地理的位置、少なくとも１つの代理人の少なくとも１つのリアルタイムまたはほぼリアルタイムの地理的位置の全部または一部、少なくとも１つの搬送クライアントの少なくとも１つのリアルタイムまたはほぼリアルタイムの地理的位置の全部または一部、少なくとも１つの代理人選好、少なくとも１つの搬送クライアント選好、少なくとも１つの確保または取得された好ましい搬送サービス要求、少なくとも１つの確保または取得された好ましい搬送サービス提供等を含む情報またはデータを通信することによって、リアルタイムまたはほぼリアルタイムで利用し更新することができる。少なくとも１つの視覚的表現は、少なくとも１つの中央サーバ、少なくとも１つの外部サーバ、少なくとも１つのアプリケーション、またはそれらの組合せと情報またはデータを通信することによって、リアルタイムまたはほぼリアルタイムで利用し更新することができる。
【０３７０】
少なくとも１つの視覚的表現は、限定はしないが、少なくとも１つのアプリケーション、少なくとも１つの中央サーバ、またはそれらの組み合わせ上でコンパイルすることができる。少なくとも１つの視覚的表現は、限定はしないが、少なくとも１つのアプリケーション、少なくとも１つの中央サーバ、少なくとも１つのリモートディスプレイ、またはそれらの組み合わせ上に表示することができる。少なくとも１つの視覚的表現は、好ましくは視覚的な、任意の形式またはフォーマットとすることができる。少なくとも１つの視覚的表現のコンポーネントの形態、フォーマット、および順序における少なくとも１つの変形は、本発明の範囲内である。少なくとも１つの視覚的表現は、リアルタイムまたはほぼリアルタイムで更新またはリフレッシュすることができ、最高の発展レベルまたは最新技術に更新またはリフレッシュされているものを指し得る。少なくとも１つの視覚的表現は、リアルタイムまたはほぼリアルタイムで少なくとも１つの機能を実行することができ、最高の発展レベルまたは最新技術に更新またはリフレッシュされているものを指し得る。
【０３７１】
少なくとも１つの代理人は、少なくとも１つの視覚表現を使用して、限定はしないが、少なくとも１つの代理人選好を適用して、少なくとも１つの代理人選好に関連し得る、少なくとも１つの好ましい搬送サービス要求、少なくとも１つのフィルタリングされた搬送サービス要求、またはそれらの組合せを表示させることができる。少なくとも１つの代理人選好を適用または使用することによって、少なくとも１つの代理人が、少なくとも１つの代理人選好に適合しない少なくとも１つの搬送サービス要求を少なくとも１つの視覚的表現から除外、隠蔽、または除去し、少なくとも１つの好ましい搬送サービス要求または少なくとも１つの好ましい搬送サービス要求を確保または取得する地理的エリアをより良好に識別することを可能にすることができる。少なくとも１つの代理人は、少なくとも１つの視覚的表現の少なくとも１つのエリアをブラウズまたはナビゲートして少なくとも１つの好ましい搬送サービス要求または少なくとも１つのフィルタリングされた搬送サービス要求を識別することができ、次いで少なくとも１つの好ましい搬送サービス要求または少なくとも１つのフィルタリングされた搬送サービス要求を選択することによって少なくとも１つの好ましい搬送サービス要求または少なくとも１つのフィルタリングされた搬送サービス要求を確保または取得することができる。
【０３７２】
少なくとも１つの搬送クライアントは、少なくとも１つの視覚表現を使用して、限定はしないが、少なくとも１つの搬送クライアント選好を適用して、少なくとも１つの搬送クライアント選好に関連し得る、少なくとも１つの好ましい搬送サービス提供、少なくとも１つのフィルタリングされた搬送サービス提供、またはそれらの組合せを表示させることができる。少なくとも１つの搬送クライアント選好を適用または使用することによって、少なくとも１つの搬送クライアントが、少なくとも１つの搬送クライアント選好に適合しない少なくとも１つの搬送サービス提供を少なくとも１つの視覚的表現から除外、隠蔽、または除去し、少なくとも１つの好ましい搬送サービス提供または少なくとも１つの好ましい搬送サービス提供を確保または取得する地理的エリアをより良好に識別することを可能にすることができる。少なくとも１つの搬送クライアントは、少なくとも１つの視覚的表現の少なくとも１つのエリアをブラウズまたはナビゲートして少なくとも１つの好ましい搬送サービス提供または少なくとも１つのフィルタリングされた搬送サービス提供を識別することができ、次いで少なくとも１つの好ましい搬送サービス提供または少なくとも１つのフィルタリングされた搬送サービス提供を選択することによって少なくとも１つの好ましい搬送サービス提供または少なくとも１つのフィルタリングされた搬送サービス提供を確保または取得することができる。
【０３７３】
少なくとも１つの視覚的表現は、少なくとも１つの地理的マップ上に、限定はしないが、少なくとも１つの搬送業界セグメントにおいて、少なくとも１つの搬送サービス要求、少なくとも１つの搬送サービス要求メトリック、少なくとも１つの搬送サービス提供、少なくとも１つの搬送サービス提供メトリック、またはそれらの組合せをそれぞれ表示することができる。少なくとも１つの視覚的表現は、限定はしないが、少なくとも１つの地理的マップ上に、少なくとも１つのサービスプロバイダに関連する、少なくとも１つの搬送サービス要求、少なくとも１つの搬送サービス要求メトリック、少なくとも１つの搬送サービス提供、少なくとも１つの搬送サービス提供メトリック、またはそれらの組合せをそれぞれ表示することができる少なくとも１つのツールであり得る。少なくとも１つの視覚的表現は、少なくとも１つの代理人から少なくとも１つのサービス開始地理的位置への、次いで少なくとも１つのサービス終了地理的位置への少なくとも１つのルートを表示することができる。
【０３７４】
少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、少なくとも１つのマッププロバイダ、少なくとも１つのサードパーティ、またはそれらの組合せを、少なくとも１つのサービス選好レベルを表示することができる少なくとも１つの視覚的表現上に、またはそれとともに表示することができる。少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せを、少なくとも１つのサービス選好レベルを表示することができる少なくとも１つの動的マップ上に、またはそれとともに表示することができる。少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せを、少なくとも１つのサービス選好レベルを表示することができる少なくとも１つのヒートマップ上に、またはそれとともに表示することができる。
【０３７５】
少なくとも１つの視覚的表現は、少なくとも１つの動的マップを含み得、少なくとも１つの搬送業界セグメントで活動する、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せに関連する少なくとも１つのサービスレベル選好を表示することができる。少なくとも１つの視覚的表現は、少なくとも１つの搬送業界セグメントで活動する、少なくとも１つのサービスプロバイダ、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せに関連する、少なくとも１つのタブまたは少なくとも１つのアイコンとして表示される少なくとも１つのサービスレベル選好とともに、少なくとも１つの動的マップを表示することができる。
【０３７６】
少なくとも１つの視覚的表現は、少なくとも１つの動的マップ、少なくとも１つの搬送クライアント選好、少なくとも１つの搬送サービス提供、少なくとも１つのフィルタリングされた搬送サービス提供、少なくとも１つの好ましい搬送サービス提供、少なくとも１つの搬送クライアントの少なくとも１つのリアルタイムまたはほぼリアルタイムの地理的位置の全部または一部、またはそれらの組合せを表示することができる。少なくとも１つの視覚的表現は、少なくとも１つの搬送クライアントの少なくとも１つのリアルタイムまたはほぼリアルタイムの地理的位置に関連する、少なくとも１つの動的マップ、少なくとも１つの搬送クライアント選好、少なくとも１つの搬送サービス提供、少なくとも１つのフィルタリングされた搬送サービス提供、少なくとも１つの好ましい搬送サービス提供、またはそれらの組合せを表示することができる。少なくとも１つの視覚的表現は、少なくとも１つの搬送クライアント選好に関連する、少なくとも１つの動的マップ、少なくとも１つの搬送クライアント選好、少なくとも１つの搬送サービス提供、少なくとも１つのフィルタリングされた搬送サービス提供、少なくとも１つの好ましい搬送サービス提供、少なくとも１つのリアルタイムまたはほぼリアルタイムの地理的位置の全部または一部、またはそれらの組合せを表示することができる。
【０３７７】
少なくとも１つの視覚的表現は、結合または統合することができる、少なくとも１つのアプリケーション、少なくとも１つの端末、少なくとも１つの中央サーバ、少なくとも１つの外部サーバ、少なくとも１つのリンク、またはそれらの組合せを利用することができる。少なくとも１つの視覚的表現は、少なくとも１つのスマートフォン上で結合または統合することができる、少なくとも１つのアプリケーション、少なくとも１つの端末、少なくとも１つの中央サーバ、少なくとも１つの外部サーバ、少なくとも１つのリンク、またはそれらの組合せを利用することができる。少なくとも１つの視覚的表現は、結合または統合することができる、少なくとも１つのアプリケーション、少なくとも１つの自律車両、少なくとも１つの端末、少なくとも１つの中央サーバ、少なくとも１つの外部サーバ、少なくとも１つのリンク、またはそれらの組み合わせを利用することができる。
【０３７８】
限定を目的としない例として、少なくとも１つの代理人は、少なくとも１つの視覚的表現を使用して、少なくとも１つのサービスプロバイダに関連する少なくとも１つの過去の好ましい搬送サービス要求を分析または評価することができる。限定を目的としない例として、少なくとも１つの搬送クライアントは、少なくとも１つの視覚的表現を使用して、少なくとも１つのサービスプロバイダに関連する少なくとも１つの過去の好ましい搬送サービス提供を分析または評価することができる。限定を目的としない例として、少なくとも１つの視覚的表現は、限定はしないが、少なくとも１つのマッププロバイダサーバ等の少なくとも１つのサードパーティサーバ上でコンパイルすることができる。限定を目的としない例として、少なくとも１つの代理人および／または少なくとも１つの搬送クライアントは、少なくとも１つの視覚的表現を使用して、少なくとも１つのサービスプロバイダからの価格設定情報または少なくとも１つの他のメトリックをそれぞれ分析または評価することができる。限定を目的としない例として、少なくとも１つの視覚的表現は、少なくとも１つの個々の搬送業界セグメントに関連する少なくとも１つのメトリックを示すことができる少なくとも１つの地理的マップ上の少なくとも１つのエリアの分析または評価に使用することができる。限定を目的としない例として、少なくとも１つの視覚的表現は、少なくとも１つの個々のサービスプロバイダに関連する少なくとも１つのメトリックを示すことができる少なくとも１つの地理的マップ上の少なくとも１つのエリアの分析または評価に使用することができる。
【０３７９】
限定を目的としない例として、少なくとも１つの視覚的表現は、少なくとも１つのマッププロバイダからの情報またはデータを用いてコンパイルすることができる。限定を目的としない例として、少なくとも１つのサービスレベル選好は、少なくとも１つの高級車、少なくとも１つの環境にやさしい車、少なくとも１つのドライバレス車両等を識別するために、少なくとも１つの搬送クライアントによって使用され得る。
【０３８０】
限定を目的としない例として、少なくとも１つのサービスレベル選好は、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組み合わせが提供することができる異なるサービスレベルを識別するために、少なくとも１つの視覚的表現上に、または少なくとも１つの視覚的表現とともに表示することができる。限定を目的としない例として、少なくとも１つのサービスレベル選好を、少なくとも１つのアイコンまたは少なくとも１つのビジュアルとして、少なくとも１つの視覚的表現とともに、または少なくとも１つの視覚的表現上に表示して、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せが提供することができる少なくとも１つの異なるサービスレベルの選択を可能にすることができる。限定を目的としない例として、少なくとも１つのサービスレベル選好を少なくとも１つの視覚的表現上に表示して、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せが提供することができる異なるサービスレベルを識別することができる。
【０３８１】
限定を目的としない例として、少なくとも１つの視覚的表現は、２つ以上のアプリケーションを利用して少なくとも１つの好ましい搬送サービス要求または少なくとも１つの好ましい搬送サービス提供を確保または取得するのを容易にすることができる。限定を目的としない例として、少なくとも１つのサードパーティは、少なくとも１つのサービスプロバイダアプリケーション等で少なくとも１つの好ましい搬送サービス要求を確保または取得するのを容易にするために使用することができる少なくとも１つの視覚的表現を、サードパーティアプリケーション上で提供することができる。限定を目的としない例として、少なくとも１つのサードパーティは、少なくとも１つのサービスプロバイダアプリケーション等で少なくとも１つの好ましい搬送サービス提供を確保または取得するのを容易にするために使用することができる少なくとも１つの視覚的表現を、サードパーティアプリケーション上で提供することができる。
【０３８２】
「動的マップ」
少なくとも１つの動的マップは、例えば、少なくとも１つの好ましい搬送サービス要求または少なくとも１つの好ましい搬送サービス提供を確保または取得するための少なくとも１つの操作または少なくとも１つの機能を容易にすることができる少なくとも１つの視覚的表現であり得る。少なくとも１つの動的マップは、例えば、少なくとも１つの搬送クライアント、少なくとも１つの代理人、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、少なくとも１つのマッププロバイダ、少なくとも１つのサードパーティ、またはそれらの組合せによって利用または操作され得る少なくとも１つの視覚的表現であり得る。
【０３８３】
少なくとも１つの動的マップは、例えば、限定はしないが、対応する搬送データが関連付けられた少なくとも１つの搬送サービス要求、対応する搬送データが関連付けられた少なくとも１つのフィルタリングされた搬送サービス要求、対応する搬送データが関連付けられた少なくとも１つの好ましい搬送サービス要求、またはそれらの組合せを表示することができる少なくとも１つの地理的マップであり得る。少なくとも１つの動的マップは、例えば、限定はしないが、対応する搬送データが関連付けられた少なくとも１つの搬送サービス提供、対応する搬送データが関連付けられた少なくとも１つのフィルタリングされた搬送サービス提供、対応する搬送データが関連付けられた少なくとも１つの好ましい搬送サービス提供、またはそれらの組合せを表示することができる少なくとも１つの地理的マップであり得る。少なくとも１つの動的マップは、例えば、限定はしないが、少なくとも１つの自律車両の少なくとも１つのリアルタイムまたはほぼリアルタイムの地理的位置、少なくとも１つの代理人の少なくとも１つのリアルタイムまたはほぼリアルタイムの地理的位置、少なくとも１つの搬送クライアントの少なくとも１つのリアルタイムまたはほぼリアルタイムの地理的位置、またはそれらの組合せを表示することができる少なくとも１つの地理的マップであり得る。
【０３８４】
少なくとも１つの動的マップは、少なくとも１つの好ましい搬送サービス要求を分析または評価し、次いで、好ましくは、確保または取得するために、少なくとも１つの代理人等によって使用され得る。少なくとも１つの動的マップは、少なくとも１つの搬送業界セグメントで活動する少なくとも１つのサービスプロバイダ等に関連する少なくとも１つの代理人のために少なくとも１つの好ましい搬送サービス要求を発見または識別し、好ましくは確保または取得するために、少なくとも１つの代理人等によって使用され得る。少なくとも１つの動的マップは、少なくとも１つの好ましい搬送サービス提供を分析または評価し、次いで、好ましくは、確保または取得するために、少なくとも１つの搬送クライアント等によって使用され得る。少なくとも１つの動的マップは、少なくとも１つの搬送業界セグメントで活動する少なくとも１つのサービスプロバイダ等に関連する少なくとも１つの搬送クライアントのために、少なくとも１つの好ましい搬送サービス提供を発見または識別し、好ましくは確保または取得するために、少なくとも１つの搬送クライアント等によって使用され得る。
【０３８５】
少なくとも１つの動的マップは、例えば、少なくとも１つの区別可能な搬送クライアント、少なくとも１つの区別可能な代理人、少なくとも１つの区別可能な自律車両、少なくとも１つの区別可能なサービスプロバイダ、少なくとも１つの区別可能な商品サプライヤ等を表示することができる少なくとも１つの地理的マップであり得る。少なくとも１つの好ましい搬送サービス要求、少なくとも１つのフィルタリングされた搬送サービス要求、少なくとも１つの好ましい搬送サービス提供、少なくとも１つのフィルタリングされた搬送サービス提供、少なくとも１つの搬送クライアント、少なくとも１つの代理人、少なくとも１つの自律車両、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せは、少なくとも１つの動的マップ上に、少なくとも１つの移動型アイコンまたは一時アイコン、または少なくとも１つの移動型ビジュアルまたは一時ビジュアルとして個々に表示することができる。少なくとも１つの動的マップは、限定はしないが、少なくとも１つのアプリケーション、少なくとも１つの中央サーバ、少なくとも１つの外部サーバ、またはそれらの組合せ上でコンパイルすることができる。少なくとも１つの動的マップは、任意の形式又はフォーマット、好ましくはビジュアルであり得る。少なくとも１つの動的マップコンポーネントの形態、フォーマット、および順序の少なくとも１つの変形も、本発明の範囲に含まれる。
【０３８６】
少なくとも１つの動的マップは、限定はしないが、少なくとも１つの視点、少なくとも１つの基準点、少なくとも１つの関心点、またはそれらの組合せから見ることができる。限定はしないが、少なくとも１つの搬送クライアント、少なくとも１つの代理人、少なくとも１つの自律車両、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せの少なくとも１つのリアルタイムまたはほぼリアルタイムの地理的位置は、リアルタイムまたはほぼリアルタイムで変化し得、リアルタイムまたはほぼリアルタイムで更新することができ、任意でそれらの利用可能性状態を示すことができる。少なくとも１つの動的マップは、リアルタイムまたはほぼリアルタイムで更新またはリフレッシュすることができ、最高の発展レベルまたは最新技術に更新またはリフレッシュされているものを指し得る。少なくとも１つの動的マップは、リアルタイムまたはほぼリアルタイムで少なくとも１つの機能を実行することができ、最高の発展レベルまたは最新技術に更新またはリフレッシュされているものを指し得る。
【０３８７】
少なくとも１つの動的マップは、少なくとも１つの異なるサービスプロバイダまたは少なくとも１つのサービスプロバイダに関連する少なくとも１つの他の搬送サービスメトリックを示すことができる少なくとも１つの地理的マップ上の少なくとも１つのエリアの分析または評価に使用することができる。少なくとも１つの動的マップは、少なくとも１つの搬送業界セグメントに関連する少なくとも１つの利用可能なサービスプロバイダまたは少なくとも１つの他の搬送サービスメトリックを示すことができる少なくとも１つの地理的マップ上の少なくとも１つのエリアの分析または評価に使用することができる。少なくとも１つの動的マップは、限定はしないが、少なくとも１つのサービスプロバイダからの、少なくとも１つの搬送クライアント、少なくとも１つの代理人、少なくとも１つの自律車両、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せの少なくとも１つの位置の分析または評価に使用することができる。少なくとも１つの動的マップは、少なくとも１つのヒートマップと組み合わせることができる。
【０３８８】
少なくとも１つの好ましい搬送サービス要求は、少なくとも１つのフィルタリングされた搬送サービス要求と比較して視覚的に識別可能な少なくとも１つのフォーマットで表示することができる。少なくとも１つの好ましい搬送サービス提供は、少なくとも１つのフィルタリングされた搬送サービス提供と比較して視覚的に識別可能な少なくとも１つのフォーマットで表示することができる。
【０３８９】
少なくとも１つの代理人は、少なくとも１つの動的マップを使用して、少なくとも１つの搬送業界セグメントにわたる少なくとも１つのサービスプロバイダ等に関連する、少なくとも１つのフィルタリングされた搬送サービス要求、少なくとも１つの好ましい搬送サービス要求、少なくとも１つの搬送クライアント、少なくとも１つの商品サプライヤ、少なくとも１つの搬送サービスメトリック、またはそれらの組合せを分析または評価することができる。少なくとも１つの搬送クライアントは、少なくとも１つの動的マップを使用して、限定はしないが、少なくとも１つの搬送業界セグメントにわたる少なくとも１つのサービスプロバイダ等に関連する、少なくとも１つのフィルタリングされた搬送サービス提供、少なくとも１つの好ましい搬送サービス提供、少なくとも１つの代理人、少なくとも１つの自律車両、少なくとも１つの商品サプライヤ、少なくとも１つの搬送サービスメトリック、またはそれらの組合せを分析または評価することができる。
【０３９０】
少なくとも１つの動的マップは、少なくとも１つの好ましい搬送サービス要求または少なくとも１つの好ましい搬送サービス提供を確保または取得するのを容易にすることができる。少なくとも１つの動的マップは、少なくとも１つの好ましい搬送サービス要求または少なくとも１つの好ましい搬送サービス提供を確保または取得するのを容易にするために使用することができる。少なくとも１つの動的マップは、少なくとも１つのアプリケーションを利用して少なくとも１つの好ましい搬送サービス要求または少なくとも１つの好ましい搬送サービス提供を確保または取得するのを容易にすることができる。少なくとも１つの動的マップは、少なくとも１つのサービスプロバイダアプリケーション、少なくとも１つのサードパーティアプリケーション、少なくとも１つのマッププロバイダアプリケーション等を利用して少なくとも１つの好ましい搬送サービス要求または少なくとも１つの好ましい搬送サービス提供を確保または取得するのを容易にすることができる。
【０３９１】
少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、少なくとも１つの代理人、少なくとも１つの搬送クライアント、少なくとも１つのマッププロバイダ、少なくとも１つのサードパーティ、またはそれらの組合せを、少なくとも１つのサービスレベル選好を表示することができる少なくとも１つの動的マップ上に、またはそれとともに表示することができる。
【０３９２】
限定を目的としない例として、少なくとも１つの個々のサービスプロバイダは、少なくとも１つの異なるアイコン、少なくとも１つの異なるシンボル、少なくとも１つの異なる色、少なくとも１つの異なる陰影、少なくとも１つの異なるビジュアル等で表示することができる。限定を目的としない例として、少なくとも１つの個々のサービスプロバイダは、少なくとも１つの搬送サービス、少なくとも１つのサービスレベル、またはそれらの組み合わせに対して、少なくとも１つの類似のアイコン、少なくとも１つの類似のシンボル、少なくとも１つの類似の色、少なくとも１つの類似の陰影、少なくとも１つの類似のビジュアル等で表示することができる。限定を目的としない例として、少なくとも１つのサービスプロバイダは、少なくとも１つの類似のまたは異なるアイコン、少なくとも１つの類似のまたは異なるシンボル、少なくとも１つの類似のまたは異なる色、少なくとも１つの類似のまたは異なる陰影、少なくとも１つの類似のまたは異なるビジュアル等で少なくとも１つの動的マップ上に表示することができるが、識別可能な程度に異なり得る。
【０３９３】
限定を目的としない例として、少なくとも１つの動的マップは、少なくとも１つの中央サーバ上でコンパイルされ、次いで、少なくとも１つのアプリケーションに送信され、少なくとも１つのアプリケーション上に表示され得る。限定を目的としない例として、少なくとも１つの動的マップは、少なくとも１つの個々の搬送業界セグメントに対して使用することができる。限定を目的としない例として、少なくとも１つの動的マップは、少なくとも１つの個々のサービスプロバイダ等に対して使用することができる。限定を目的としない例として、少なくとも１つの動的マップは、少なくとも１つのサービスプロバイダを半分黒と半分白で表した１つの自動車アイコン等を有し得る。限定を目的としない例として、少なくとも１つの動的マップは、少なくとも１つのアイコン等を表示して、少なくとも１つの搬送クライアントおよび／または少なくとも１つの搬送サービス要求を半分赤と半分青で表すことによって、少なくとも１つの搬送クライアントが少なくとも１つのサービスプロバイダに少なくとも１つの搬送サービス要求を入力または生成したことを示すことができる。限定を目的としない例として、少なくとも１つの動的マップは、少なくとも１つのアイコン等を表示して、少なくとも１つの自動車アイコン等および／または少なくとも１つの搬送サービス提供を半分黒と半分ピンクで表示することによって、少なくとも１つの代理人または少なくとも１つの自律車両が、少なくとも１つの追加のサービスプロバイダ等のために働くことができることを示すことができる。
【０３９４】
限定を目的としない例として、少なくとも１つの動的マップは、結合または統合することができる、少なくとも１つのアプリケーション、少なくとも１つの端末、少なくとも１つの中央サーバ、少なくとも１つの外部サーバ、少なくとも１つのリンク、またはそれらの組合せを利用することができる。限定を目的としない例として、少なくとも１つの動的マップは、少なくとも１つのスマートフォン上で結合または統合することができる、少なくとも１つのアプリケーション、少なくとも１つの端末、少なくとも１つの中央サーバ、少なくとも１つの外部サーバ、少なくとも１つのリンク、またはそれらの組合せを利用することがきる。
【０３９５】
限定を目的としない例として、少なくとも１つのマッププロバイダは、少なくとも１つの個々のサービスプロバイダ、少なくとも１つの個々の商品サプライヤ等を、関連する搬送サービス提供または関連する搬送サービス要求とともに表示することができる少なくとも１つの動的マップを提供または利用することができる。
【０３９６】
限定を目的としない例として、少なくとも１つの搬送クライアントは、少なくとも１つのサービスプロバイダ、少なくとも１つの商品サプライヤ等、および少なくとも１つの動的マップ上で関連付けられた対応する少なくとも１つの搬送サービス提供を、視覚的に識別することができる。限定を目的としない例として、少なくとも１つの搬送クライアントは、少なくとも１つの動的マップ上で、搬送サービス提供が関連付けられた３つのサービスプロバイダを、価格設定情報と併せて視覚的に識別することができる。限定を目的としない例として、少なくとも１つの代理人は、少なくとも１つのサービスプロバイダ、少なくとも１つの商品サプライヤ等、および少なくとも１つの動的マップ上で関連付けられた対応する少なくとも１つの搬送サービス要求を、視覚的に識別することができる。限定を目的としない例として、少なくとも１つの代理人は、少なくとも１つの動的マップ上で、搬送サービス要求が関連付けられた４つの商品サプライヤを、価格設定情報と併せて視覚的に識別することができる。
【０３９７】
限定を目的としない例として、少なくとも１つのサービスプロバイダ等が提供することができる異なるサービスレベルを識別するために、少なくとも１つの動的マップ上に少なくとも１つのサービスレベル選好を表示することができる。限定を目的としない例として、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つの搬送クライアント、少なくとも１つの代理人、少なくとも１つのサードパーティ、またはそれらの組合せを、少なくとも１つのサービスレベル選好を表示することができる少なくとも１つの動的マップ上に、または少なくとも１つの動的マップとともに表示することができ、少なくとも１つの移動型アイコンまたは一時アイコンによって表すことができる。
【０３９８】
限定を目的としない例として、少なくとも１つの動的マップは、２つ以上のアプリケーションを利用して少なくとも１つの好ましい搬送サービス提供を確保または取得するのを容易にすることができる。限定を目的としない例として、少なくとも１つのサードパーティは、少なくとも１つのサービスプロバイダアプリケーション等で少なくとも１つの好ましい搬送サービス提供を確保または取得するのを容易にするために使用することができる少なくとも１つの動的マップをサードパーティアプリケーション上で提供することができる。限定を目的としない例として、少なくとも１つの動的マップは、２つ以上のアプリケーションを利用して少なくとも１つの好ましい搬送サービス要求を確保または取得するのを容易にすることができる。限定を目的としない例として、少なくとも１つのサードパーティは、少なくとも１つのサービスプロバイダアプリケーション等で少なくとも１つの好ましい搬送サービス要求を確保または取得するのを容易にするために使用することができる少なくとも１つの動的マップをサードパーティアプリケーション上で提供することができる。
【０３９９】
「ヒートマップ」
少なくとも１つのヒートマップは、例えば、少なくとも１つの好ましい搬送サービス要求または少なくとも１つの好ましい搬送サービス提供を確保または取得するための少なくとも１つの操作または少なくとも１つの機能を容易にすることができる少なくとも１つの視覚的表現であり得る。少なくとも１つのヒートマップは、例えば、少なくとも１つの搬送クライアント、少なくとも１つの代理人、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、少なくとも１つのマッププロバイダ、少なくとも１つのサードパーティ、またはそれらの組合せによって利用または操作され得る少なくとも１つの視覚的表現であり得る。
【０４００】
少なくとも１つのヒートマップは、例えば、少なくとも１つのメトリックが少なくとも１つの地理的エリアにわたってどのように変化するかを視覚化するための改善された方法を提供すること、または少なくとも１つの地理的エリア内における少なくとも１つのメトリックの少なくとも１つの変動レベルを示すことができる。少なくとも１つのヒートマップは、限定はしないが、少なくとも１つの地理的マップに表示されている少なくとも１つの統計変数の少なくとも１つの測定値に比例して少なくとも１つのエリアに陰影や模様を付けることができる、少なくとも１つの地理的マップであり得る。少なくとも１つのヒートマップは、少なくとも１つの好ましい搬送サービス要求を分析または評価し、次いで、好ましくは、確保または取得するために、少なくとも１つの代理人によって使用され得る。少なくとも１つのヒートマップは、少なくとも１つの好ましい搬送サービス提供を分析または評価し、次いで、好ましくは、確保または取得するために、少なくとも１つの搬送クライアントによって使用され得る。
【０４０１】
少なくとも１つの統計変数は、集約されていてもよいし、集約されていなくてもよい。少なくとも１つの統計変数は、定量的、定性的、またはそれらの組み合わせであり得る。少なくとも１つの統計変数は、限定はしないが、搬送サービス利用可能性、価格設定、高価格設定、搬送サービス提供密度、フィルタリングされた搬送サービス提供密度、好ましい搬送サービス提供密度、搬送サービス要求密度、フィルタリングされた搬送サービス要求密度、好ましい搬送サービス要求密度、好ましい商品サプライヤ密度、少なくとも１つの好ましい搬送業界セグメント密度、搬送業界セグメント密度、サービスレベル密度、少なくとも１つの搬送サービス距離、少なくとも１つの推定到着時間、好ましい代理人密度、代理人密度、搬送クライアント密度、サービスプロバイダ密度、商品サプライヤ密度、またはこれらの組合せの少なくとも１つの測定値であり得る。
【０４０２】
少なくとも１つのメトリックは、比較のための少なくとも１つの基礎、または少なくとも１つの他のものを評価することができる少なくとも１つの基準点であり得る。少なくとも１つのメトリックは、少なくとも１つのプロセス、少なくとも１つの製品または少なくとも１つの変数の値、効率、性能、進行または品質を評価することができる少なくとも１つの測定基準であり得る。
【０４０３】
少なくとも１つの区別可能な価格設定メトリック、少なくとも１つの区別可能な搬送サービスメトリック、少なくとも１つの区別可能な搬送クライアントメトリック、少なくとも１つの区別可能な代理人メトリック、少なくとも１つの区別可能な自律車両メトリック、少なくとも１つの区別可能なサービスプロバイダメトリック、および／または少なくとも１つの区別可能な商品サプライヤメトリックは、任意で、少なくとも１つのヒートマップ上で集約および／または差別化することができる。少なくとも１つのヒートマップコンポーネントの形態、フォーマット、および順序の少なくとも１つの変形も、本発明の範囲に含まれる。少なくとも１つのヒートマップは、任意の形態または形式、好ましくはビジュアルであり得る。少なくとも１つのヒートマップは、限定はしないが、少なくとも１つの視点、少なくとも１つの基準点、少なくとも１つの関心点、またはそれらの組合せから見ることができる。少なくとも１つのヒートマップは、限定はしないが、少なくとも１つのアプリケーション、少なくとも１つの中央サーバ、またはそれらの組合せ上でコンパイルすることができる。
【０４０４】
少なくとも１つのヒートマップは、限定はしないが、対応する搬送データが関連付けられた少なくとも１つの搬送サービス要求、対応する搬送データが関連付けられた少なくとも１つのフィルタリングされた搬送サービス要求、対応する搬送データが関連付けられた少なくとも１つの好ましい搬送サービス要求、またはそれらの組合せの少なくとも１つの統計変数の少なくとも１つの視覚的描写を表示することができる、少なくとも１つの地理的マップであり得る。少なくとも１つのヒートマップは、限定はしないが、対応する搬送データが関連付けられた少なくとも１つの搬送サービス提供、対応する搬送データが関連付けられた少なくとも１つのフィルタリングされた搬送サービス提供、対応する搬送データが関連付けられた少なくとも１つの好ましい搬送サービス提供、またはそれらの組合せの少なくとも１つの統計変数の少なくとも１つの視覚的描写を表示することができる、少なくとも１つの地理的マップであり得る。
【０４０５】
少なくとも１つのヒートマップは、リアルタイムまたはほぼリアルタイムで更新またはリフレッシュすることができ、最高の発展レベルまたは最新技術に更新またはリフレッシュされているものを指し得る。少なくとも１つのヒートマップは、リアルタイムまたはほぼリアルタイムで少なくとも１つの機能を実行することができ、最高の発展レベルまたは最新技術に更新またはリフレッシュされているものを指し得る。
【０４０６】
少なくとも１つのヒートマップは、例えば、少なくとも１つのサービスプロバイダ、少なくとも１つの商品サプライヤ等に関連する少なくとも１つの価格設定メトリックまたは少なくとも１つの他の搬送サービスメトリックを示すことができる少なくとも１つの地理的マップ上の少なくとも１つのエリアの分析または評価に使用することができる。なくとも１つのヒートマップは、例えば、少なくとも１つの搬送業界セグメントに関連する少なくとも１つの価格設定メトリックまたは少なくとも１つの他の搬送サービスメトリックを示すことができる少なくとも１つの地理的マップ上の少なくとも１つのエリアの分析または評価に使用することができる。少なくとも１つのヒートマップは、少なくとも１つの動的マップと組み合わせることができる。
【０４０７】
少なくとも１つの代理人は、少なくとも１つのヒートマップを使用して、少なくとも１つの搬送業界セグメントにわたる少なくとも１つのサービスプロバイダ、少なくとも１つの商品サプライヤ等からの少なくとも１つの統計変数の少なくとも１つの測定値を分析または評価することができる。少なくとも１つの搬送クライアントは、少なくとも１つのヒートマップを使用して、少なくとも１つの搬送業界セグメントにわたる少なくとも１つのサービスプロバイダ、少なくとも１つの商品サプライヤ等からの少なくとも１つの統計変数の少なくとも１つの測定値を分析または評価することができる。
【０４０８】
少なくとも１つのヒートマップは、限定はしないが、少なくとも１つのリアルタイムまたはほぼリアルタイムのヒートマップ、少なくとも１つの履歴ヒートマップ、少なくとも１つの予測ヒートマップ、またはそれらの組合せであり得る。
【０４０９】
少なくとも１つのリアルタイムまたはほぼリアルタイムのヒートマップ、少なくとも１つの履歴ヒートマップ、少なくとも１つの予測ヒートマップ、またはそれらの組合せは、少なくとも１つの搬送サービスメトリックを分析または評価する際に少なくとも１つの代理人または少なくとも１つの搬送クライアントを支援するための少なくとも１つのツールであり得る。少なくとも１つのリアルタイムまたはほぼリアルタイムのヒートマップは、少なくとも１つの時間を秒、分、時間、日、または任意の他の時間増分で表示することができる。少なくとも１つの履歴ヒートマップは、少なくとも１つの時間を秒、分、時間、日、または任意の他の時間増分で表示することができる。少なくとも１つの予測ヒートマップは、少なくとも１つの予測を秒、分、時間、日、または任意の他の時間増分で提供することができる。少なくとも１つの予測ヒートマップは、少なくとも１つの将来予測の質を改善するために、少なくとも１つのフィードバックメカニズムを組み込むことができる。少なくとも１つの予測ヒートマップは、限定はしないが、少なくとも１つの代理人、少なくとも１つの自律車両、少なくとも１つの搬送クライアント、少なくとも１つの商品サプライヤ、少なくとも１つのサービスプロバイダ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せから、少なくとも１つのフィードバックメカニズムを組み込むことができる。
【０４１０】
少なくとも１つのヒートマップは、限定はしないが、少なくとも１つの視点、少なくとも１つの基準点、少なくとも１つの関心点、またはそれらの組合せから見ることができる。少なくとも１つのヒートマップは、例えば、限定はしないが、少なくとも１つの自律車両の少なくとも１つのリアルタイムまたはほぼリアルタイムの地理的位置、少なくとも１つの代理人の少なくとも１つのリアルタイムまたはほぼリアルタイムの地理的位置、少なくとも１つの搬送クライアントの少なくとも１つのリアルタイムまたはほぼリアルタイムの地理的位置、少なくとも１つのサービスプロバイダの少なくとも１つのリアルタイムまたはほぼリアルタイムの地理的位置、少なくとも１つの商品サプライヤの少なくとも１つのリアルタイムまたはほぼリアルタイムの地理的位置、少なくとも１つのフリートマネージャの少なくとも１つのリアルタイムまたはほぼリアルタイムの地理的位置、少なくとも１つのサードパーティの少なくとも１つのリアルタイムまたはほぼリアルタイムの地理的位置、またはそれらの組み合わせを表示することができる少なくとも１つの地理的マップであり得る。
【０４１１】
少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、少なくとも１つの代理人、少なくとも１つの搬送クライアント、少なくとも１つのマッププロバイダ、少なくとも１つのサードパーティ、またはそれらの組合せを、少なくとも１つのサービスレベル選好を表示することができる少なくとも１つのヒートマップ上に、またはそれとともに表示することができる。
【０４１２】
少なくとも１つのヒートマップは、少なくとも１つの好ましい搬送サービス要求または少なくとも１つの好ましい搬送サービス提供を確保または取得するのを容易にすることができる。少なくとも１つのヒートマップは、少なくとも１つの好ましい搬送サービス要求または少なくとも１つの好ましい搬送サービス提供の確保または取得を容易にするために使用することができる。少なくとも１つのヒートマップは、少なくとも１つのアプリケーションを利用して少なくとも１つの好ましい搬送サービス要求または少なくとも１つの好ましい搬送サービス提供を確保または取得するのを容易にすることができる。少なくとも１つのヒートマップは、少なくとも１つのサービスプロバイダアプリケーション、少なくとも１つのサードパーティアプリケーション、少なくとも１つのマッププロバイダアプリケーション等を利用して少なくとも１つの好ましい搬送サービス要求または少なくとも１つの好ましい搬送サービス提供を確保または取得するのを容易にすることができる。
【０４１３】
少なくとも１つのヒートマップは、少なくとも１つの好ましい搬送サービス要求を分析または評価し、次いで、好ましくは、確保または取得するために、少なくとも１つの代理人等によって使用され得る。少なくとも１つのヒートマップは、少なくとも１つの搬送業界セグメントで活動する少なくとも１つのサービスプロバイダ等に関連する少なくとも１つの代理人のために少なくとも１つの好ましい搬送サービス要求を発見または識別し、好ましくは確保または取得するために、少なくとも１つの代理人等によって使用され得る。少なくとも１つのヒートマップは、少なくとも１つの好ましい搬送サービス提供を分析または評価し、次いで、好ましくは、確保または取得するために、少なくとも１つの搬送クライアント等によって使用され得る。少なくとも１つのヒートマップは、少なくとも１つの搬送業界セグメントで活動する少なくとも１つのサービスプロバイダ等に関連する少なくとも１つの搬送クライアントのために、少なくとも１つの好ましい搬送サービス提供を発見または識別し、好ましくは確保または取得するために、少なくとも１つの搬送クライアント等によって使用され得る。
【０４１４】
少なくとも１つのヒートマップは、少なくとも１つの異なるサービスプロバイダまたは少なくとも１つのサービスプロバイダ、少なくとも１つの商品サプライヤ等に関連する少なくとも１つの他の搬送サービスメトリックを示すことができる少なくとも１つの地理的マップ上の少なくとも１つのエリアの分析または評価に使用することができる。少なくとも１つのヒートマップは、少なくとも１つの搬送業界セグメントに関連する少なくとも１つの他の搬送サービスメトリック、少なくとも１つの利用可能なサービスプロバイダ、少なくとも１つの利用可能な商品サプライヤ等を示すことができる少なくとも１つの地理的マップ上の少なくとも１つのエリアの分析または評価に使用することができる。少なくとも１つのヒートマップは、限定はしないが、少なくとも１つのサービスプロバイダからの、少なくとも１つの搬送クライアント、少なくとも１つの代理人、少なくとも１つの自律車両、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せの少なくとも１つの位置の分析または評価に使用することができる。
【０４１５】
限定を目的としない例として、少なくとも１つの統計変数は、限定はしないが、搬送サービス利用可能性、価格設定、高価格設定、搬送サービス要求密度、搬送サービス提供密度、フィルタリングされた搬送サービス要求密度、フィルタリングされた搬送サービス提供密度、好ましい搬送サービス要求密度、好ましい搬送サービス提供密度、サービスレベル密度、サービス密度のレベル、少なくとも１つの搬送サービス距離、少なくとも１つの推定到着時間、好ましい搬送クライアント密度、好ましい代理人密度、好ましい商品サプライヤ密度、少なくとも１つの好ましい搬送業界セグメント密度、搬送業界セグメント密度、代理人密度、搬送クライアント密度、サービスプロバイダ密度、商品サプライヤ密度、またはそれらの組合せであり得る。限定を目的としない例として、少なくとも１つの統計変数は、好ましくは、限定はしないが、少なくとも１つの区別可能な色相、少なくとも１つの区別可能な陰影、少なくとも１つの区別可能な飽和度、少なくとも１つの区別可能な不透明度、少なくとも１つの区別可能な色、少なくとも１つの区別可能な色の値、少なくとも１つの区別可能な模様、少なくとも１つの区別可能なハッチング、少なくとも１つの区別可能な塗りつぶし、少なくとも１つの区別可能な形状、少なくとも１つの区別可能な画像、少なくとも１つの区別可能なアニメーション、またはそれらの組合せとして表示することができる。
【０４１６】
限定を目的としない例として、少なくとも１つのヒートマップは、任意で、別個であり得る少なくとも１つの地理的マップ、または少なくとも１つの動的マップ上の少なくとも１つのレイヤであり得る。限定を目的としない例として、少なくとも１つのヒートマップは、少なくとも１つの中央サーバ上でコンパイルし、次いで、少なくとも１つのアプリケーションまたは少なくとも１つのリモートディスプレイに送信し表示することができる。限定を目的としない例として、少なくとも１つのヒートマップは、少なくとも１つの階級区分図等であり得る。限定を目的としない例として、少なくとも１つのヒートマップは、少なくとも１つの主題図等であり得る。
【０４１７】
限定を目的としない例として、少なくとも１つのマッププロバイダは、少なくとも１つの個々のサービスプロバイダ、少なくとも１つの個々の商品サプライヤ等に関連する少なくとも１つのメトリックまたは少なくとも１つの統計変数を表示することができる少なくとも１つのヒートマップを提供または利用することができる。限定を目的としない例として、少なくとも１つのヒートマップは、少なくとも１つの価格設定メトリックまたは少なくとも１つの他の関連する搬送サービスメトリックを示すことができる。限定を目的としない例として、少なくとも１つのヒートマップは、少なくとも１つの推定到着時間を示すことができる。限定を目的としない例として、少なくとも１つのヒートマップは、少なくとも１つの搬送サービス要求、少なくとも１つのフィルタリングされた搬送サービス要求、少なくとも１つの好ましい搬送サービス要求、少なくとも１つの搬送サービス提供、少なくとも１つのフィルタリングされた搬送サービス提供、少なくとも１つの好ましい搬送サービス提供、少なくとも１つの代理人、少なくとも１つの搬送クライアント、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せに関連する少なくとも１つの推定到着時間を示すことができる。
【０４１８】
限定を目的としない例として、少なくとも１つの中央サーバまたは少なくとも１つのアプリケーションは、対応する搬送データが関連付けられた少なくとも１つの搬送サービス要求および／または対応する搬送データが関連付けられた少なくとも１つの搬送サービス提供に基づいて予測データを生成することができ、少なくとも１つの予測ヒートマップを作成するために少なくとも１つのアプリケーションに送信することができる。限定を目的としない例として、少なくとも１つのヒートマップを、少なくとも１つの個々の搬送業界セグメントに使用することができる。限定を目的としない例として、少なくとも１つのヒートマップを、少なくとも１つの個々のサービスプロバイダ、少なくとも１つの個々の商品サプライヤ等に対して使用することができる。
【０４１９】
限定を目的としない例として、少なくとも１つの好ましい搬送サービス要求は、少なくとも１つのヒートマップ、少なくとも１つのリアルタイムまたはほぼリアルタイムのヒートマップ、少なくとも１つの履歴ヒートマップ、少なくとも１つの予測ヒートマップ、またはそれらの組合せをコンパイルする前には識別されない。限定を目的としない例として、少なくとも１つの好ましい搬送サービス提供は、少なくとも１つのヒートマップ、少なくとも１つのリアルタイムまたはほぼリアルタイムのヒートマップ、少なくとも１つの履歴ヒートマップ、少なくとも１つの予測ヒートマップ、またはそれらの組合せをコンパイルする前には識別されない。
【０４２０】
限定を目的としない例として、少なくとも１つのリアルタイムまたはほぼリアルタイムのヒートマップは、対応する搬送データが関連付けられた少なくとも１つの搬送サービス要求、対応する搬送データが関連付けられた少なくとも１つのフィルタリングされた搬送サービス要求、対応する搬送データが関連付けられた少なくとも１つの好ましい搬送サービス要求、またはそれらの組合せの少なくとも１つの統計変数からコンパイルすることができる。限定を目的としない例として、少なくとも１つのリアルタイムまたはほぼリアルタイムのヒートマップは、対応する搬送データが関連付けられた少なくとも１つの搬送サービス提供、対応する搬送データが関連付けられた少なくとも１つのフィルタリングされた搬送サービス提供、対応する搬送データが関連付けられた少なくとも１つの好ましい搬送サービス提供、またはそれらの組合せの少なくとも１つの統計変数からコンパイルすることができる。限定を目的としない例として、少なくとも１つのリアルタイムまたはほぼリアルタイムのヒートマップは、限定はしないが、少なくとも１つの現在または過去の推定到着時間に基づいて、現在の搬送クライアント密度、現在の代理人密度、現在の自律車両密度、現在のサービスプロバイダ密度、現在の商品サプライヤ密度、またはそれらの組合せを表示することができる。
【０４２１】
限定を目的としない例として、少なくとも１つの履歴ヒートマップは、対応する搬送データが関連付けられた少なくとも１つの過去の搬送サービス要求、対応する搬送データが関連付けられた少なくとも１つの過去のフィルタリングされた搬送サービス要求、対応する搬送データが関連付けられた少なくとも１つの過去の好ましい搬送サービス要求、またはそれらの組合せの少なくとも１つの統計変数からコンパイルすることができる。限定を目的としない例として、少なくとも１つの履歴ヒートマップは、対応する搬送データが関連付けられた少なくとも１つの過去の搬送サービス提供、対応する搬送データが関連付けられた少なくとも１つの過去のフィルタリングされた搬送サービス提供、対応する搬送データが関連付けられた少なくとも１つの過去の好ましい搬送サービス提供、またはそれらの組合せの少なくとも１つの統計変数からコンパイルすることができる。限定を目的としない例として、少なくとも１つの履歴ヒートマップを使用して、少なくとも１つの搬送業界セグメントに関連する少なくとも１つの過去の傾向を分析または評価することができる。限定を目的としない例として、少なくとも１つの履歴ヒートマップは、限定はしないが、少なくとも１つの過去の推定到着時間に基づいて、過去の搬送クライアント密度、過去の代理人密度、過去の自律車両密度、過去のサービスプロバイダ密度、過去の商品サプライヤ密度、またはそれらの組合せを表示することができる。
【０４２２】
限定を目的としない例として、少なくとも１つの予測ヒートマップは、対応する搬送データが関連付けられた少なくとも１つのリアルタイムまたはほぼリアルタイムの搬送サービス要求、対応する搬送データが関連付けられた少なくとも１つの過去の搬送サービス要求、対応する搬送データが関連付けられた少なくとも１つのリアルタイムまたはほぼリアルタイムのフィルタリングされた搬送サービス要求、対応する搬送データが関連付けられた少なくとも１つの過去の搬送サービス要求、対応する搬送データが関連付けられたリアルタイムまたはほぼリアルタイムの好ましい搬送サービス要求、対応する搬送データが関連付けられた少なくとも１つの過去の好ましい搬送サービス要求、またはそれらの組合せの少なくとも１つの統計変数からコンパイルすることができる。
【０４２３】
限定を目的としない例として、予測ヒートマップは、対応する搬送データが関連付けられた少なくとも１つのリアルタイムまたはほぼリアルタイムの搬送サービス提供、対応する搬送データが関連付けられた少なくとも１つの過去の搬送サービス提供、対応する搬送データが関連付けられた少なくとも１つのリアルタイムまたはほぼリアルタイムのフィルタリングされた搬送サービス提供、対応する搬送データが関連付けられた少なくとも１つの過去のフィルタリングされた搬送サービス提供、対応する搬送データが関連付けられた少なくとも１つのリアルタイムまたはほぼリアルタイムの好ましい搬送サービス提供、対応する搬送データが関連付けられた少なくとも１つの過去の好ましい搬送サービス提供、またはそれらの組合せの少なくとも１つの統計変数からコンパイルすることができる。限定を目的としない例として、少なくとも１つの予測ヒートマップは、限定はしないが、少なくとも１つの現在および過去の推定到着時間に基づいて、将来の搬送クライアント密度、将来の代理人密度、将来の自律車両密度、将来のサービスプロバイダ密度、将来の商品サプライヤ密度、またはそれらの組合せを表示することができる。
【０４２４】
限定を目的としない例として、少なくとも１つの予測ヒートマップは、少なくとも１つのニューラルネットワーク等を利用することができる。限定を目的としない例として、少なくとも１つの予測ヒートマップは、機械学習技術等を利用することができる。限定を目的としない例として、少なくとも１つの予測ヒートマップは、量子計算等を利用することができる。限定を目的としない例として、少なくとも１つの予測ヒートマップは、少なくとも１つの潜在的な次の高価格設定エリアを見つけるために、少なくとも１つの代理人または少なくとも１つの搬送クライアントによって使用され得る。
【０４２５】
限定を目的としない例として、少なくとも１つの予測ヒートマップは、限定はしないが、将来の搬送サービス利用可能性、将来の価格設定、将来の高価格設定、将来の搬送サービス要求密度、将来の搬送サービス提供密度、将来のフィルタリングされた搬送サービス要求密度、将来のフィルタリングされた搬送サービス提供密度、将来の好ましい搬送サービス要求密度、将来の好ましい搬送サービス提供密度、将来の好ましい搬送サービス提供密度、将来のサービスレベル密度、将来の搬送業界セグメント密度、将来の代理人密度、将来の搬送クライアント密度、将来のサービスプロバイダ密度、将来の商品サプライヤ密度、将来のサービスレベル需要、将来の搬送業界セグメント需要、将来の搬送サービス需要、将来のサービスプロバイダ需要、将来の商品サプライヤ需要、将来の搬送サービス供給、将来の代理人供給、またはそれらの組合せのうちの少なくとも１つを識別または推定することができる。
【０４２６】
限定を目的としない例として、少なくとも１つの予測ヒートマップは、少なくとも１つの統計変数の少なくとも１つの将来の変更または更新、少なくとも１つの統計変数の少なくとも１つの測定値、またはそれらの組合せを少なくとも１つの代理人または少なくとも１つの搬送クライアントに通知するために、少なくとも１つの視覚的通知または少なくとも１つの音声通知を生成することができる。
【０４２７】
限定を目的としない例として、少なくとも１つのヒートマップは、結合または統合することができる、少なくとも１つのアプリケーション、少なくとも１つの端末、少なくとも１つの中央サーバ、少なくとも１つの外部サーバ、少なくとも１つのリンク、またはそれらの組み合わせを利用することができる。限定を目的としない例として、少なくとも１つのヒートマップは、少なくとも１つのスマートフォン上で結合または統合することができる、少なくとも１つのアプリケーション、少なくとも１つの端末、少なくとも１つの中央サーバ、少なくとも１つの外部サーバ、少なくとも１つのリンク、またはそれらの組合せを利用することができる。限定を目的としない例として、少なくとも１つのリアルタイムまたはほぼリアルタイムのヒートマップは、結合または統合することができる、少なくとも１つのアプリケーション、少なくとも１つの端末、少なくとも１つの中央サーバ、少なくとも１つの外部サーバ、少なくとも１つのリンク、またはこれらの組み合わせを利用することができる。限定を目的としない例として、少なくとも１つの履歴ヒートマップは、結合または統合することができる、少なくとも１つのアプリケーション、少なくとも１つの端末、少なくとも１つの中央サーバ、少なくとも１つの外部サーバ、少なくとも１つのリンク、またはそれらの組合せを利用することができる。限定を目的としない例として、少なくとも１つの予測ヒートマップは、結合または統合することができる、少なくとも１つのアプリケーション、少なくとも１つの端末、少なくとも１つの中央サーバ、少なくとも１つの外部サーバ、少なくとも１つのリンク、またはそれらの組み合わせを利用することができる。
【０４２８】
少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せを、少なくとも１つのサービスレベル選好を表示することができる少なくとも１つのヒートマップ上に、またはそれとともに表示することができる。
【０４２９】
限定を目的としない例として、少なくとも１つの搬送クライアントは、少なくとも１つのヒートマップに関連付けられた、少なくとも１つのサービスプロバイダ、少なくとも１つの商品サプライヤ、少なくとも１つのマッププロバイダ等に関連する少なくとも１つのメトリックまたは少なくとも１つの統計変数を視覚的に識別することができる。限定を目的としない例として、少なくとも１つの搬送クライアントは、異なる価格設定情報がある少なくとも１つのヒートマップ上で２つのサービスプロバイダ等を視覚的に識別することができる。限定を目的としない例として、少なくとも１つの代理人は、少なくとも１つのヒートマップに関連付けられた、少なくとも１つのサービスプロバイダ、少なくとも１つの商品サプライヤ、少なくとも１つのマッププロバイダ等に関連する少なくとも１つのメトリックまたは少なくとも１つの統計変数を視覚的に識別することができる。限定を目的としない例として、少なくとも１つの代理人は、異なる高価格設定情報がある少なくとも１つのヒートマップ上で３つの商品サプライヤ等を視覚的に識別することができる。
【０４３０】
限定を目的としない例として、少なくとも１つのサービスレベル選好を少なくとも１つのヒートマップ上に表示して、少なくとも１つのサービスプロバイダ、少なくとも１つの商品サプライヤ、少なくとも１つのマッププロバイダ等に関連する少なくとも１つのメトリックまたは少なくとも１つの統計変数を識別することができる。限定を目的としない例として、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、少なくとも１つの搬送クライアント、少なくとも１つの代理人、少なくとも１つのサードパーティ、またはそれらの組合せを、少なくとも１つのサービスレベル選好を表示することができる少なくとも１つのヒートマップ上に、またはそれとともに表示することができる。
【０４３１】
限定を目的としない例として、少なくとも１つのヒートマップは、２つ以上のアプリケーションを利用して少なくとも１つの好ましい搬送サービス提供を確保または取得するのを容易にすることができる。限定を目的としない例として、少なくとも１つのサードパーティは、少なくとも１つのサービスプロバイダアプリケーション等で少なくとも１つの好ましい搬送サービス提供を確保または取得するのを容易にするために使用することができる少なくとも１つのヒートマップをサードパーティアプリケーション上で提供することができる。限定を目的としない例として、少なくとも１つのヒートマップは、２つ以上のアプリケーションを利用して少なくとも１つの好ましい搬送サービス要求を確保または取得するのを容易にすることができる。限定を目的としない例として、少なくとも１つのサードパーティは、少なくとも１つのサービスプロバイダアプリケーション等で少なくとも１つの好ましい搬送サービス要求を確保または取得するのを容易にするために使用することができる少なくとも１つのヒートマップをサードパーティアプリケーション上で提供することができる。
【０４３２】
「アプリケーション」
少なくとも１つのアプリケーションは、例えば、少なくとも１つの好ましい搬送サービス要求または少なくとも１つの好ましい搬送サービス提供を確保または取得するための少なくとも１つの操作または少なくとも１つの機能を容易にすることができる少なくとも１つのソフトウェアであり得る。少なくとも１つのアプリケーションは、例えば、少なくとも１つの搬送クライアント、少なくとも１つの代理人、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組み合わせによって利用または操作することができる少なくとも１つのソフトウェアであり得る。少なくとも１つのアプリケーションは、例えば、少なくとも１つのスマートフォンアプリケーション、少なくとも１つのコンピュータアプリケーション、少なくとも１つのコンピュータプログラム、少なくとも１つのＡＰＩ、少なくとも１つのウェブサイト、少なくとも１つのウェブアプリケーション、少なくとも１つのスマートフォンアプリケーション、少なくとも１つのクラウドアプリケーション、少なくとも１つのサービス等といった少なくとも１つのソフトウェアであり得る。
【０４３３】
少なくとも１つのアプリケーションは、限定はしないが、例えば、少なくとも１つの好ましい搬送サービス要求、少なくとも１つの好ましい搬送サービス提供、少なくとも１つの搬送クライアントの少なくとも１つのリアルタイムまたはほぼリアルタイムの地理的位置、少なくとも１つの代理人の少なくとも１つのリアルタイムまたはほぼリアルタイムの地理的位置、またはそれらの組合せの分析、評価、確保、取得、受諾、拒否、キャンセル、表示、通信、またはそれらの組合せを容易にすることができるソフトウェアであり得る。少なくとも１つのアプリケーションは、限定はしないが、任意の適切な有形または無形の表現媒体等の任意の形式またはフォーマットで提供することができ、好ましくは、少なくとも１つの電子形式で提供することができる。少なくとも１つのアプリケーションは、限定はしないが、少なくとも１つの中央サーバ、少なくとも１つのリンク、少なくとも１つの外部サーバ、少なくとも１つのアプリケーション、少なくとも１つの商品サプライヤ、少なくとも１つのサービスプロバイダ、少なくとも１つの自律車両の少なくとも１つのオーナまたは少なくとも１つのコントローラ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、少なくとも１つの搬送クライアント、少なくとも１つの代理人、またはこれらの組合せに関連付けることができる。
【０４３４】
少なくとも１つのアプリケーションは、限定はしないが、少なくとも１つの中央サーバ、少なくとも１つの外部サーバ、少なくとも１つのアプリケーション、少なくとも１つの商品サプライヤ、少なくとも１つの自律車両、少なくとも１つの端末、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つの代理人、少なくとも１つの搬送クライアント、少なくとも１つのマッププロバイダ、少なくとも１つのサードパーティ、またはそれらの組合せに伝えるか、またはそれらと通信するのに適したソフトウェアであり得る。少なくとも１つのアプリケーションは、限定はしないが、少なくとも１つの端末、少なくとも１つの中央サーバ、少なくとも１つの外部サーバ、またはそれらの組合せ上で動作することができる。少なくとも１つのアプリケーションは、少なくとも１つの異なるフォーマットで構成された、対応する搬送データが関連付けられた少なくとも１つの搬送サービス要求または対応する搬送データが関連付けられた少なくとも１つの搬送サービス提供、少なくとも１つの搬送クライアントの少なくとも１つのリアルタイムまたはほぼリアルタイムの地理的位置、少なくとも１つの代理人の少なくとも１つのリアルタイムまたはほぼリアルタイムの地理的位置、またはそれらの組合せを、少なくとも１つの一様なフォーマットに標準化または変換することができる。少なくとも１つの代理人は、少なくとも１つのアプリケーションに、少なくとも１つの代理人選好を入力または提供することができる。少なくとも１つの搬送クライアントは、少なくとも１つの搬送クライアント選好を少なくとも１つのアプリケーションに入力または提供することができる。
【０４３５】
少なくとも１つのアプリケーションは、限定はしないが、少なくとも１つの端末の少なくとも１つの地理的位置モジュールを使用して、少なくとも１つの代理人の少なくとも１つのリアルタイムまたはほぼリアルタイムの地理的位置、少なくとも１つの搬送クライアントの少なくとも１つのリアルタイムまたはほぼリアルタイムの地理的位置、少なくとも１つのサービスプロバイダの少なくとも１つのリアルタイムまたはほぼリアルタイムの地理的位置、少なくとも１つの商品サプライヤの少なくとも１つのリアルタイムまたはほぼリアルタイムの地理的位置、少なくとも１つのフリートマネージャの少なくとも１つのリアルタイムまたはほぼリアルタイムの地理的位置、少なくとも１つのロジスティクスプロバイダの少なくとも１つのリアルタイムまたはほぼリアルタイムの地理的位置、少なくとも１つのロジスティクスサプライヤの少なくとも１つのリアルタイムまたはほぼリアルタイムの地理的位置、少なくとも１つのマッププロバイダの少なくとも１つのリアルタイムまたはほぼリアルタイムの地理的位置、少なくとも１つのサードパーティの少なくとも１つのリアルタイムまたはほぼリアルタイムの地理的位置、またはこれらの組み合わせを提供することができる。少なくとも１つのアプリケーションによって入力または発見された情報および／またはデータをキャッシュすることができる。少なくとも１つのアプリケーションは、リアルタイムまたはほぼリアルタイムで更新またはリフレッシュすることができ、最高の発展レベルまたは最新技術に更新またはリフレッシュされているものを指し得る。少なくとも１つのアプリケーションは、リアルタイムまたはほぼリアルタイムで少なくとも１つの機能を実行することができ、最高の発展レベルまたは最新技術に更新またはリフレッシュされているものを指し得る。
【０４３６】
少なくとも１つのアプリケーションは、限定はしないが、対応する搬送データが関連付けられた少なくとも１つの好ましい搬送サービス要求の全部または一部、対応する搬送データが関連付けられた少なくとも１つのフィルタリングされた搬送サービス要求の全部または一部、対応する搬送データが関連付けられた少なくとも１つの搬送サービス要求の全部または一部、対応する搬送データが関連付けられた少なくとも１つの好ましい搬送サービス提供の全部または一部、対応する搬送データが関連付けられた少なくとも１つのフィルタリングされた搬送サービス提供の全部または一部、対応する搬送データが関連付けられた少なくとも１つの搬送サービス提供の全部または一部、対応する搬送データが関連付けられた後続のまたは追加の複数のフィルタリングされた搬送サービス提供の全部または一部、対応する搬送データが関連付けられた後続のまたは追加の少なくとも１つの好ましい搬送サービス提供の全部または一部、少なくとも１つのサービス開始地理的位置、少なくとも１つのサービス終了地理的位置、少なくとも１つの代理人の少なくとも１つのリアルタイムまたはほぼリアルタイムの地理的位置の全部または一部、少なくとも１つの搬送クライアントの少なくとも１つのリアルタイムまたはほぼリアルタイムの地理的位置の全部または一部、少なくとも１つの代理人選好、少なくとも１つの搬送クライアント選好、少なくとも１つの確保または取得された好ましい搬送サービス要求、少なくとも１つの確保または取得された好ましい搬送サービス提供等を含む情報またはデータを通信することができる。少なくとも１つのアプリケーションは、情報またはデータの全部または一部を、少なくとも１つの中央サーバ、少なくとも１つの外部サーバ、少なくとも１つのアプリケーション、またはそれらの組合せと通信することができる。
【０４３７】
少なくとも１つのアプリケーションは、限定はしないが、対応する搬送データが関連付けられた少なくとも１つの好ましい搬送サービス要求の全部または一部、対応する搬送データが関連付けられた少なくとも１つのフィルタリングされた搬送サービス要求の全部または一部、対応する搬送データが関連付けられた少なくとも１つの搬送サービス要求の全部または一部、対応する搬送データが関連付けられた少なくとも１つの好ましい搬送サービス提供の全部または一部、対応する搬送データが関連付けられた少なくとも１つのフィルタリングされた搬送サービス提供の全部または一部、対応する搬送データが関連付けられた少なくとも１つの搬送サービス提供の全部または一部、対応する搬送データが関連付けられた後続のまたは追加の複数のフィルタリングされた搬送サービス提供の全部または一部、対応する搬送データが関連付けられた後続のまたは追加の少なくとも１つの好ましい搬送サービス提供の全部または一部、少なくとも１つのサービス開始地理的位置、少なくとも１つのサービス終了地理的位置、少なくとも１つの代理人の少なくとも１つのリアルタイムまたはほぼリアルタイムの地理的位置の全部または一部、少なくとも１つの搬送クライアントの少なくとも１つのリアルタイムまたはほぼリアルタイムの地理的位置の全部または一部、少なくとも１つの代理人選好、少なくとも１つの搬送クライアント選好、少なくとも１つの確保または取得された好ましい搬送サービス要求、少なくとも１つの確保または取得された好ましい搬送サービス提供、またはそれらの組み合わせを、一緒にまたは別々にフィルタリングし識別することができる。
【０４３８】
少なくとも１つのアプリケーションは、例えば、少なくとも１つの搬送サービス要求、少なくとも１つのフィルタリングされた搬送サービス要求、少なくとも１つの好ましい搬送サービス要求、少なくとも１つの搬送サービス提供、少なくとも１つのフィルタリングされた搬送サービス提供、少なくとも１つの好ましい搬送サービス提供、またはそれらの組み合わせを確保または取得するための少なくとも１つの操作または少なくとも１つの機能を容易にすることができる少なくとも１つのソフトウェアであり得る。少なくとも１つの搬送サービス提供または少なくとも１つの搬送サービス要求は、少なくとも１つの中央サーバ、少なくとも１つの外部サーバ、少なくとも１つのアプリケーション、またはそれらの組合せ上で事前にフィルタリングするかまたは事前に分類することができる。
【０４３９】
少なくとも１つのアプリケーションを使用して、少なくとも１つの好ましい搬送サービス要求または少なくとも１つの好ましい搬送サービス提供を分析、評価、確保、取得、受諾、拒否、取り消、または通信することができる。少なくとも１つのアプリケーションは、限定はしないが、少なくとも１つの代理人、少なくとも１つの搬送クライアント、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せによって使用され得る。少なくとも１つのアプリケーションは、任意で、少なくとも１つの好ましい搬送サービス要求、少なくとも１つの好ましい搬送サービス提供、またはそれらの組み合わせを分析または評価し、次いで、好ましくは、確保または取得するために、限定はしないが、少なくとも１つの代理人、少なくとも１つの搬送クライアント、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組み合わせによって、使用、アクセス、制御、または操作され得る。
【０４４０】
少なくとも１つのアプリケーションは、限定はしないが、少なくとも１つの動的マップ、少なくとも１つのヒートマップ、またはそれらの組合せを含む少なくとも１つの視覚的表現を表示することができる。少なくとも１つのアプリケーションは、少なくとも１つの確保または取得された好ましい搬送サービス要求を表示することができる。少なくとも１つのアプリケーションは、少なくとも１つの確保または取得された好ましい搬送サービス提供を表示することができる。少なくとも１つのアプリケーションは、限定はしないが、少なくとも１つの搬送サービス要求、少なくとも１つのフィルタリングされた搬送サービス要求、少なくとも１つの好ましい搬送サービス要求、少なくとも１つの搬送サービス提供、少なくとも１つのフィルタリングされた搬送サービス提供、少なくとも１つの好ましい搬送サービス提供、またはそれらの組合せに関連する搬送データを表示することができる。
【０４４１】
限定を目的としない例として、少なくとも１つのアプリケーション、少なくとも１つの端末、少なくとも１つの中央サーバ、少なくとも１つの外部サーバ、少なくとも１つのリンク、またはそれらの組合せは、結合または統合することができる。限定を目的としない例として、限定はしないが、少なくとも１つの代理人、少なくとも１つの搬送クライアント、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せによって使用される少なくとも１つのアプリケーションの少なくとも１つの異なる変形例が存在し得る。限定を目的としない例として、少なくとも１つのアプリケーションは、少なくとも１つの端末の少なくとも１つの慣性測定ユニット（ＩＭＵ）読み取り値を少なくとも１つの中央サーバに送信して、少なくとも１つの代理人、少なくとも１つの搬送クライアント、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せの少なくとも１つの向きまたは少なくとも１つの方向を決定することができる。限定を目的としない例として、少なくとも１つのアプリケーションは、限定はしないが、少なくとも１つのモバイルアプリケーション、少なくとも１つの非モバイルアプリケーション、少なくとも１つのウェブサイト、少なくとも１つのプラグイン、またはそれらの組み合わせの少なくとも１つの形態であり得る。
【０４４２】
限定を目的としない例として、少なくとも１つのアプリケーションは、少なくとも１つの中央サーバ、少なくとも１つの外部サーバ、またはそれらの組合せ上で動作することができる。限定を目的としない例として、少なくとも１つのアプリケーションは、少なくとも１つの中央サーバ機能または少なくとも１つの外部サーバ機能を実行することができる。限定を目的としない例として、少なくとも１つのアプリケーションは、少なくとも１つの好ましい搬送サービス要求または少なくとも１つの好ましい搬送サービス提供を識別するために、少なくとも１つの中央サーバ機能または少なくとも１つの外部サーバ機能と少なくとも１つの同様の機能を実行することができる。限定を目的としない例として、少なくとも１つの代理人、少なくとも１つの搬送クライアント、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組み合わせによって使用される少なくとも１つの異なるアプリケーションが存在し得る。
【０４４３】
限定を目的としない例として、対応する搬送データが関連付けられた少なくとも１つの好ましい搬送サービス要求または対応する搬送データが関連付けられた少なくとも１つの好ましい搬送サービス提供を、少なくとも１つのアプリケーションに送信することができ、少なくとも１つのポップアップ、少なくとも１つのアイコン、少なくとも１つのビジュアル、少なくとも１つのシンボル、少なくとも１つのパターン、少なくとも１つのマーカ、少なくとも１つの通知、少なくとも１つの警告、少なくとも１つのメッセージ、少なくとも１つのショートメッセージサービス、少なくとも１つのマルチメディアメッセージングサービス、少なくとも１つのスマートメッセージングサービス、少なくとも１つの拡張メッセージサービス、またはそれらの組合せとして表示することができる。
【０４４４】
限定を目的としない例として、少なくとも１つのアプリケーションは、少なくとも１つの好ましい搬送サービス要求、少なくとも１つのフィルタリングされた搬送サービス要求、少なくとも１つの搬送サービス要求、少なくとも１つの好ましい搬送サービス提供、少なくとも１つのフィルタリングされた搬送サービス提供、少なくとも１つの搬送サービス提供、少またはそれらの組合せを確保または取得することができ、通信することができ、少なくとも１つの中央サーバ、少なくとも１つの外部サーバ、少なくとも１つのアプリケーション、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、少なくとも１つの代理人、少なくとも１つの搬送クライアント、またはそれらの組合せと直接的または間接的に通信することができる。
【０４４５】
限定を目的としない例として、少なくとも１つのアプリケーションは、少なくとも１つの好ましい搬送サービス要求、少なくとも１つのフィルタリングされた搬送サービス要求、少なくとも１つの好ましい搬送サービス提供、少なくとも１つのフィルタリングされた搬送サービス提供、またはそれらの組合せを確保または取得することができ、少なくとも１つの中央サーバを介して少なくとも１つの外部サーバまたは少なくとも１つのサービスプロバイダと間接的に通信することができる。限定を目的としない例として、少なくとも１つのアプリケーションは、少なくとも１つの好ましい搬送サービス要求、少なくとも１つのフィルタリングされた搬送サービス要求、少なくとも１つの好ましい搬送サービス提供、少なくとも１つのフィルタリングされた搬送サービス提供、またはそれらの組合せを確保または取得することができ、少なくとも１つの外部サーバ、少なくとも１つのサービスプロバイダ等と直接通信することができる。
【０４４６】
限定を目的としない例として、少なくとも１つのアプリケーションは、少なくとも１つのサービスプロバイダアプリケーション、少なくとも１つの商品サプライヤアプリケーション、少なくとも１つの自律車両の少なくとも１つのオーナまたは少なくとも１つのコントローラのアプリケーションの、少なくとも１つのフリートマネージャアプリケーション、少なくとも１つのロジスティクスプロバイダアプリケーション、少なくとも１つのロジスティクスサプライヤアプリケーション、少なくとも１つの代理人アプリケーション、少なくとも１つの搬送クライアントアプリケーション、少なくとも１つのマッププロバイダアプリケーション、少なくとも１つのサードパーティアプリケーション、またはそれらの組み合わせであり得る。限定を目的としない例として、少なくとも１つのマッププロバイダは、少なくとも１つの搬送クライアントまたは少なくとも１つの代理人が利用することができる少なくとも１つのアプリケーションを提供することができる。限定を目的としない例として、少なくとも１つのマッププロバイダは、少なくとも１つの搬送クライアントまたは少なくとも１つの代理人が利用することができる少なくとも１つの視覚的表現を少なくとも１つのアプリケーション上で提供することができる。
【０４４７】
限定を目的としない例として、少なくとも１つのアプリケーションは、任意で、少なくとも１つの好ましい搬送サービス要求または少なくとも１つの好ましい搬送サービス提供を分析または評価し、次いで、好ましくは、確保または取得するために、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つの代理人、少なくとも１つの搬送クライアント、少なくとも１つのマッププロバイダ、少なくとも１つのサードパーティ、またはそれらの組合せによってアクセス、制御、または遠隔操作され得る。
【０４４８】
限定を目的としない例として、少なくとも１つのアプリケーションは、少なくとも１つの搬送サービス要求と同じようにして、少なくとも１つの搬送サービス提供を管理または処理することができる。限定を目的としない例として、少なくとも１つのアプリケーションは、少なくとも１つの搬送サービス提供と同じようにして、少なくとも１つの搬送サービス要求を管理または処理することができる。限定を目的としない例として、少なくとも１つの搬送サービス要求または少なくとも１つの搬送サービス提供は、少なくとも１つのアプリケーション上でリアルタイムまたはほぼリアルタイムでフィルタリングすることができる。限定を目的としない例として、少なくとも１つの好ましい搬送サービス要求は、少なくとも１つのアプリケーション上で、少なくとも１つのフィルタリングされた搬送サービス要求からリアルタイムで識別することができる。限定を目的としない例として、少なくとも１つの好ましい搬送サービス提供は、少なくとも１つのアプリケーション上で、少なくとも１つのフィルタリングされた搬送サービス提供からリアルタイムまたはほぼリアルタイムで識別することができる。
【０４４９】
限定を目的としない例として、少なくとも１つの搬送サービス要求をフィルタリングする際に、少なくとも１つの代理人等の少なくとも１つのリアルタイムまたはほぼリアルタイムの地理的位置以外の少なくとも１つの異なる地理的位置を使用することができる。限定を目的としない例として、少なくとも１つの搬送サービス提供をフィルタリングする際に、少なくとも１つの搬送クライアント等の少なくとも１つのリアルタイムまたはほぼリアルタイムの地理的位置以外の少なくとも１つの異なる地理的位置を使用することができる。限定を目的としない例として、少なくとも１つのアプリケーションは、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ等に関連する少なくとも１つのＡＰＩを公開するか、またはそれらに関連する少なくとも１つのＡＰＩを介してアクセスすることができる。
【０４５０】
限定を目的としない例として、少なくとも１つの自律車両上に、または少なくとも１つの自律車両に関連付けられた、少なくとも１つのアプリケーションが存在し得る。限定を目的としない例として、少なくとも１つの自律車両上に、または少なくとも１つの自律車両に関連付けられた、少なくとも１つの異なるアプリケーションが存在し得る。限定を目的としない例として、１つの自律車両上に常駐することができる、または１つの自律車両に関連付けることができる、少なくとも１つの異なる機能を有する少なくとも１つのアプリケーションが存在し得る。限定を目的としない例として、１つの自律車両上に、または１つの自律車両に関連付けられた、２つ以上のアプリケーションが存在し得る。限定を目的としない例として、１つの自律車両上に、または１つの自律車両に関連付けられた、２つ以上の異なるアプリケーションが存在し得る。限定を目的としない例として、１つの自律車両上に、または１つの自律車両に関連付けられた、２つの異なるアプリケーションが存在し得、第１のアプリケーションは、車両メンテナンスを可能にするディーラシップアプリケーションであり、第２のアプリケーションは、少なくとも１つの中央サーバに統合された、搬送サービスを容易にするアプリケーションであり得る。限定を目的としない例として、少なくとも１つのアプリケーションを、少なくとも１つの自律車両に関連付けることができる。限定を目的としない例として、少なくとも１つのアプリケーションを、少なくとも１つの自律車両の少なくとも１つのフリートに関連付けることができる。
【０４５１】
以下は、様々な当事者によって使用される、少なくとも１つのアプリケーションの異なる例である：
【０４５２】
少なくとも１つの搬送クライアントは、少なくとも１つの端末を介して少なくとも１つのアプリケーションにアクセスすることができる。限定を目的としない例として、少なくとも１つの搬送クライアントは、少なくとも１つの好ましい搬送サービス提供を分析または評価し、次いで、好ましくは、確保または取得することができる。
【０４５３】
少なくとも１つの代理人は、少なくとも１つの端末を介して少なくとも１つのアプリケーションにアクセスすることができる。限定を目的としない例として、少なくとも１人の代理人は、少なくとも１つの好ましい搬送サービス要求を分析または評価し、次いで確保または取得することができる。
【０４５４】
少なくとも１つのマッププロバイダは、少なくとも１つのアプリケーションを介して少なくとも１つの視覚的表現を提供することができる。限定を目的としない例として、少なくとも１人の代理人は、少なくとも１つの好ましい搬送サービス要求を分析または評価し、次いで確保または取得することができる。限定を目的としない例として、少なくとも１つの搬送クライアントは、少なくとも１つの好ましい搬送サービス提供を分析または評価し、次いで、好ましくは、確保または取得することができる。
【０４５５】
「端末」
少なくとも１つの端末は、例えば、少なくとも１つの好ましい搬送サービス要求または少なくとも１つの好ましい搬送サービス提供を確保または取得するための少なくとも１つの操作または少なくとも１つの機能を容易にすることができる少なくとも１つのハードウェアであり得る。少なくとも１つの端末は、例えば、少なくとも１つの搬送クライアント、少なくとも１つの代理人、少なくとも１つのマッププロバイダ、少なくとも１つのサードパーティ、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組み合わせによって利用または操作することができる少なくとも１つのハードウェアであり得る。
【０４５６】
少なくとも１つの端末は、限定はしないが、例えば、少なくとも１つのアプリケーションの操作を容易にすることができる少なくとも１つのデバイスであり得る。少なくとも１つの端末は、例えば、少なくとも１つのリンクを介して、少なくとも１つの中央サーバ、少なくとも１つの外部サーバ、少なくとも１つのアプリケーション、またはそれらの組合せと通信することができる。少なくとも１つの端末は、限定はしないが、少なくとも１つのコンピュータプロセッサ、少なくとも１つのコンピュータ可読メモリ、少なくとも１つの入力ソース、少なくとも１つの地理的位置モジュール、少なくとも１つのディスプレイ、少なくとも１つのネットワークインターフェース、またはそれらの組合せを含み得る少なくとも１つの電子計算装置であり得る。少なくとも１つの端末は、ハードウェアおよび／またはソフトウェアを、単独で、または組み合わせて、包含することができる。
【０４５７】
少なくとも１つの端末は、例えば、少なくとも１つのアプリケーション、少なくとも１つの中央サーバ、少なくとも１つの外部サーバ、少なくとも１つの端末、少なくとも１つのリンク、またはそれらの組合せを結合または統合するために利用することができる少なくとも１つのスマートフォン等であり得る。少なくとも１つの端末は、限定はしないが、少なくとも１つのアプリケーションにアクセスするために使用されることができる。少なくとも１つのアプリケーションは、少なくとも１つの端末上で動作することができる。少なくとも１つのオペレーティングシステムは、少なくとも１つの端末上で実行することができる。少なくとも１つの端末は、限定はしないが、少なくとも１つのアプリケーションの少なくとも１つの表示機能、少なくとも１つの入力機能、少なくとも１つの操作、またはそれらの組合せを容易にすることができる。少なくとも１つのアプリケーションは、少なくとも１つの端末の少なくとも１つの地理的位置モジュールを使用して、限定はしないが、少なくとも１つの代理人、少なくとも１つの搬送クライアント、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、少なくとも１つの自律車両の少なくとも１つのオーナもしくは少なくとも１つのコントローラ、またはそれらの組合せの、少なくとも１つのリアルタイムまたはほぼリアルタイムの地理的位置を提供することができる。少なくとも１つの端末は、少なくとも１つのディスプレイまたは少なくとも１つのリモートディスプレイに関連付けることができる。
【０４５８】
限定を目的としない例として、少なくとも１つの端末は、限定はしないが、少なくとも１つのコンピュータ、少なくとも１つのスマートフォンデバイス、少なくとも１つのプラグインデバイス、少なくとも１つの携帯型計算装置、少なくとも１つのハンドヘルド計算装置、少なくとも１つのタブレット計算装置、少なくとも１つのラップトップ計算装置、少なくとも１つのウェアラブル計算装置、少なくとも１つのポータブル計算装置、少なくとも１つの固定計算装置、少なくとも１つの非固定計算装置、少なくとも１つの生理学的に組み込まれた計算装置、少なくとも１つの生物学的に組み込まれた計算装置、少なくとも１つの車載情報機器、少なくとも１つのインターネット・オブ・シングス（ＩｏＴ）デバイス、少なくとも１つの投影装置、少なくとも１つの車両に組み込まれた少なくとも１つの計算装置、少なくとも１つのヘッドアップディスプレイ、少なくとも１つの音声認識、少なくとも１つの音声制御、またはそれらの組み合わせであり得る。
【０４５９】
限定を目的としない例として、少なくとも１つの端末の少なくとも１つの慣性測定ユニット（ＩＭＵ）読み取り値を使用して、少なくとも１つの代理人、少なくとも１つの搬送クライアント、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、少なくとも１つの自律車両の少なくとも１つのオーナまたは少なくとも１つのコントローラ、またはそれらの組合せの少なくとも１つの向きまたは少なくとも１つの方向を判断することができる。限定を目的としない例として、少なくとも１つの端末の少なくとも１つの地理的位置モジュールは、限定はしないが、少なくとも１つのグローバル・ポジショニング・システム（ＧＰＳ）、少なくとも１つの衛星追跡、少なくとも１つのＲＦＩＤ追跡、少なくとも１つの電波探知、少なくとも１つのＷｉＦｉ測位システム、少なくとも１つのジオフェンス、移動通信のための少なくとも１つのグローバルシステム、少なくとも１つの携帯電話三角測量、少なくとも１つのインターネット追跡、またはそれらの組合せを含み得る。
【０４６０】
限定を目的としない例として、少なくとも１つのアプリケーション、少なくとも１つの中央サーバ、少なくとも１つの外部サーバ、少なくとも１つのリンク、またはそれらの組合せは、少なくとも１つのスマートフォン等の少なくとも１つの端末上で結合または統合することができる。限定を目的としない例として、少なくとも１つの端末は、少なくとも１つのアプリケーション、少なくとも１つのリンク、少なくとも１つの端末、少なくとも１つの中央サーバ、少なくとも１つの外部サーバ、少なくとも１つの自律車両、またはそれらの組合せと関連付けるかまたは通信するための少なくとも１つの物理的な接続を必要としない。
【０４６１】
限定を目的としない例として、少なくとも１つの中央サーバは、任意で、少なくとも１つの端末上に配置することができる。限定を目的としない例として、少なくとも１つの端末の少なくとも１つの入力ソースは、限定はしないが、少なくとも１つのタッチスクリーン、少なくとも１つのキーパッド、少なくとも１つのキーボード、少なくとも１つの音声制御による入力、またはそれらの組合せであり得る。限定を目的としない例として、少なくとも１つの視覚的表現は、少なくとも１つの端末の少なくとも１つのディスプレイを使用して、少なくとも１つのアプリケーション上に表示することができる。限定を目的としない例として、少なくとも１つの端末は、少なくとも１つの代理人、少なくとも１つの搬送クライアント、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せによって使用され得る少なくとも１つのスマートフォンであり得る。
【０４６２】
「リンク」
少なくとも１つのリンクは、例えば、少なくとも１つの好ましい搬送サービス要求または少なくとも１つの好ましい搬送サービス提供を確保または取得するための少なくとも１つの操作または少なくとも１つの機能を容易にすることができる、少なくとも１つのソフトウェアおよび／または少なくとも１つのハードウェアであり得る。少なくとも１つのリンクは、例えば、少なくとも１つの搬送クライアント、少なくとも１つの代理人、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組み合わせによって利用または操作することができる、少なくとも１つのソフトウェアおよび／または少なくとも１つのハードウェアであり得る。
【０４６３】
少なくとも１つのリンクは、例えば、少なくとも１つのソフトウェア機能、少なくとも１つのソフトウェア操作、少なくとも１つのソフトウェアコンポーネント、少なくとも１つのソフトウェアモジュール、またはそれらの組み合わせとの少なくとも１つの接続または少なくとも１つの関連付けであり得る。少なくとも１つのリンクは、少なくとも１つのソフトウェア機能または少なくとも１つのソフトウェア操作に接続することができるかまたは関連付けることができる。少なくとも１つのリンクは、少なくとも１つのソフトウェアモジュールに接続することができるかまたは関連付けることができる。少なくとも１つのリンクは、限定はしないが、少なくとも１つの電子通信ネットワークチャネルを含み得る。少なくとも１つのリンクは、例えば、情報またはデータの効率的な、迅速な、正確な、または同様の送信を可能にすることができる少なくとも１つの適切なリンクであり得る。少なくとも１つのリンクは、限定はしないが、少なくとも１つの中央サーバ、少なくとも１つの外部サーバ、少なくとも１つの端末、少なくとも１つのアプリケーション、少なくとも１つの自律車両、またはそれらの組合せの間の少なくとも１つの接続の少なくとも１つの組合せであり得る。好ましくは、限定はしないが、少なくとも１つの中央サーバ、少なくとも１つの外部サーバ、少なくとも１つの端末、少なくとも１つのアプリケーション、またはそれらの組合せの間の少なくとも１つのリンクは、インターネットを介して、好ましくは安全にすることができ、より好ましくは暗号化することができる。少なくとも１つのリンクの定義は、ハードウェアおよび／またはソフトウェアを、単独で、または組み合わせて、包含することができる。
【０４６４】
少なくとも１つのリンクは、対応する搬送データが関連付けられた少なくとも１つの搬送サービス要求を通信するために、少なくとも１つの代理人、少なくとも１つの搬送クライアント、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せによって利用され得る。少なくとも１つのリンクは、対応する搬送データが関連付けられた少なくとも１つの搬送サービス提供を通信するために、少なくとも１つの代理人、少なくとも１つの搬送クライアント、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せによって利用され得る。
【０４６５】
少なくとも１つのリンクは、少なくとも１つの搬送サービスを容易にするために、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、少なくとも１つの代理人、少なくとも１つの搬送クライアント、少なくとも１つのマッププロバイダ、少なくとも１つのサードパーティ、またはそれらの組合せによって利用され得る。
【０４６６】
少なくとも１つのリンクを利用して、限定はしないが、対応する搬送データが関連付けられた少なくとも１つの好ましい搬送サービス要求の全部または一部、対応する搬送データが関連付けられた少なくとも１つのフィルタリングされた搬送サービス要求の全部または一部、対応する搬送データが関連付けられた少なくとも１つの搬送サービス要求の全部または一部、対応する搬送データが関連付けられた少なくとも１つの好ましい搬送サービス提供の全部または一部、対応する搬送データが関連付けられた少なくとも１つのフィルタリングされた搬送サービス提供の全部または一部、対応する搬送データが関連付けられた少なくとも１つの搬送サービス提供の全部または一部、対応する搬送データが関連付けられた後続のまたは追加の複数のフィルタリングされた搬送サービス提供の全部または一部、対応する搬送データが関連付けられた後続のまたは追加の少なくとも１つの好ましい搬送サービス提供の全部または一部、少なくとも１つのサービス開始地理的位置、少なくとも１つのサービス終了地理的位置、少なくとも１つの代理人の少なくとも１つのリアルタイムまたはほぼリアルタイムの地理的位置の全部または一部、少なくとも１つの搬送クライアントの少なくとも１つのリアルタイムまたはほぼリアルタイムの地理的位置の全部または一部、少なくとも１つの代理人選好、少なくとも１つの搬送クライアント選好、少なくとも１つの確保または取得された好ましい搬送サービス要求、少なくとも１つの確保または取得された好ましい搬送サービス提供等を含む情報またはデータを通信することができる。
【０４６７】
少なくとも１つのリンクは、データまたは情報をリアルタイムまたはほぼリアルタイムで通信または提供することができ、最高の発展レベルまたは最新技術を指し得る。少なくとも１つのリンクは、リアルタイムまたはほぼリアルタイムで更新またはリフレッシュすることができ、最高の発展レベルまたは最新技術に更新またはリフレッシュされているものを指し得る。少なくとも１つのリンクは、少なくとも１つの機能をリアルタイムまたはほぼリアルタイムで実行することができ、最高の発展レベルまたは最新技術に更新またはリフレッシュされているものを指し得る。
【０４６８】
限定を目的としない例として、少なくとも１つのリンクは、少なくとも１つのソフトウェアインターフェースまたはＡＰＩの少なくとも１つの形態であり得る。限定を目的としない例として、少なくとも１つのリンクは、少なくとも１つのプロセス間通信であり得る。限定を目的としない例として、１つのソフトウェアアプリケーション上で、少なくとも１つのリンクを利用して、少なくとも１つのアプリケーション、少なくとも１つの端末、少なくとも１つの中央サーバ、少なくとも１つの外部サーバ、またはそれらの組合せに接続するか、またはそれらに関連付けることができる。限定を目的としない例として、少なくとも１つの中央サーバは、同じソフトウェアアプリケーション上で、少なくとも１つのアプリケーション、少なくとも１つの端末、少なくとも１つの中央サーバ、少なくとも１つの外部サーバ、またはそれらの組合せに接続するか、またはそれらと通信することができる。限定を目的としない例として、少なくとも１つのリンクを利用して、少なくとも１つのアプリケーション、少なくとも１つの端末、少なくとも１つの中央サーバ、少なくとも１つの外部サーバ、またはそれらの組合せに接続するか、またはそれらに関連付けて、少なくとも１つの好ましい搬送サービス提供、またはそれらの組合せを確保または取得することができる。限定を目的としない例として、少なくとも１つのリンクは、少なくとも１つのアプリケーション、少なくとも１つの端末、少なくとも１つの中央サーバ、少なくとも１つの外部サーバ、少なくとも１つの自律車両、またはそれらの組合せに接続するかまたはそれらと通信するための少なくとも１つの物理的な接続を必要としない。
【０４６９】
限定を目的としない例として、少なくとも１つのリンクは、限定はしないが、少なくとも１つのＷｉＦｉ接続、少なくとも１つの無線接続、少なくとも１つのイーサネット（登録商標）接続、少なくとも１つのＬＴＥ接続、少なくとも１つの３Ｇ接続、少なくとも１つの４Ｇ接続、少なくとも１つの５Ｇ接続、少なくとも１つの６Ｇ接続、少なくとも１つの７Ｇ接続、少なくとも１つの無線接続、少なくとも１つのＲＦＩＤ接続、少なくとも１つのブルートゥース（登録商標）接続、少なくとも１つのＢＬＥ接続、少なくとも１つのＰＡＮ接続、少なくとも１つのＬＡＮ接続、少なくとも１つのＭＡＮ接続、少なくとも１つのＷＡＮ接続、少なくとも１つのＷＬＡＮ接続、少なくとも１つのＧＳＭ（登録商標）接続、少なくとも１つのＧＰＲＳ接続、少なくとも１つのＵＭＴＳ接続、少なくとも１つのダイヤルアップ接続、少なくとも１つのブロードバンド接続、少なくとも１つの携帯接続、少なくとも１つのＤＳＬ接続、少なくとも１つのケーブル接続、少なくとも１つの有線接続、少なくとも１つの衛星接続、少なくとも１つのＩＳＤＮ接続、少なくとも１つの光ファイバ接続、少なくとも１つの赤外線接続、少なくとも１つのクラウドコンピューティングネットワーク接続等の少なくとも１つのクライアント−サーバネットワーク接続、情報を伝達することができる少なくとも１つの他の適切な方法、手段、ハードウェアおよび／またはソフトウェア、あるいはそれらの組合せ等の、任意の適切な接続であり得る。
【０４７０】
限定を目的としない例として、少なくとも１つのリンクは、限定はしないが、少なくとも１つのスマートフォンである少なくとも１つの端末上で結合または統合することができる、少なくとも１つの中央サーバ、少なくとも１つの外部サーバ、少なくとも１つの端末、少なくとも１つのアプリケーション、またはそれらの組合せの間の少なくとも１つの接続の少なくとも１つの組合せであり得る。限定を目的としない例として、少なくとも１つのアプリケーション、少なくとも１つの中央サーバ、少なくとも１つの外部サーバ、少なくとも１つのリンク、またはそれらの組合せは、少なくとも１つのスマートフォン等の少なくとも１つの端末上で結合または統合することができる。
【０４７１】
限定を目的としない例として、少なくとも１つのリンクは、限定はしないが、少なくとも１つの中央サーバ、少なくとも１つの外部サーバ、少なくとも１つの端末、少なくとも１つの自律車両、少なくとも１つのアプリケーション、少なくとも１つの自律車両に関連付けられた少なくとも１つのアプリケーション、またはそれらの組合せの間の少なくとも１つの接続の少なくとも１つの組合せであり得る。
【０４７２】
限定を目的としない例として、少なくとも１つのリンクは、搬送データが関連付けられた少なくとも１つの搬送サービス要求、搬送データが関連付けられた少なくとも１つのフィルタリングされた搬送サービス要求、搬送データが関連付けられた少なくとも１つの好ましい搬送サービス要求、搬送データが関連付けられた少なくとも１つの搬送サービス提供、搬送データが関連付けられた少なくとも１つのフィルタリングされた搬送サービス提供、搬送データが関連付けられた少なくとも１つの好ましい搬送サービス提供、またはそれらの組み合わせを、限定はしないが、少なくとも１つの中央サーバ、少なくとも１つの外部サーバ、少なくとも１つの端末、少なくとも１つの自律車両、少なくとも１つのアプリケーション、少なくとも１つの自律車両に関連付けられた少なくとも１つのアプリケーション、少なくとも１つのマッププロバイダ、少なくとも１つのサードパーティ、少なくとも１つの代理人、少なくとも１つの搬送クライアント、またはそれらの組合せと通信するために、少なくとも１つの代理人、少なくとも１つの搬送クライアント、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せによって利用され得る。
【０４７３】
限定を目的としない例として、少なくとも１つのリンクは、限定はしないが、少なくとも１つの中央サーバ、少なくとも１つの外部サーバ、少なくとも１つの端末、少なくとも１つの自律車両、少なくとも１つのアプリケーション、少なくとも１つの自律車両に関連付けられた少なくとも１つのアプリケーション、またはそれらの組合せの間の少なくとも１つの接続の少なくとも１つの組合せであり得る。限定を目的としない例として、少なくとも１つのリンクは、少なくとも１つの中央サーバを少なくとも１つの他の中央サーバに接続することができる。限定を目的としない例として、少なくとも１つのリンクは、少なくとも１つのマッププロバイダまたは少なくとも１つのサードパーティと間接的または直接的に通信するために、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せによって利用され得る。
【０４７４】
「中央サーバ」
少なくとも１つの中央サーバは、例えば少なくとも１つの好ましい搬送サービス要求または少なくとも１つの好ましい搬送サービス提供を確保または取得するための少なくとも１つの操作または少なくとも１つの機能を容易にすることができる、少なくとも１つのソフトウェアおよび／または少なくとも１つのハードウェアであり得る。少なくとも１つの中央サーバは、例えば、少なくとも１つの搬送クライアント、少なくとも１つの代理人、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せによって利用または操作され得る少なくとも１つのソフトウェアおよび／または少なくとも１つのハードウェアであり得る。少なくとも１つの中央サーバは、少なくとも１つのソフトウェアおよび／または少なくとも１つのハードウェア、例えば、少なくとも１つのスマートフォンアプリケーション、少なくとも１つのコンピュータアプリケーション、少なくとも１つのコンピュータプログラム、少なくとも１つのウェブサイト、少なくとも１つのウェブアプリケーション、少なくとも１つのクラウドアプリケーション、少なくとも１つのサービス等であり得る。
【０４７５】
少なくとも１つの中央サーバは、例えば、少なくとも１つの好ましい搬送サービス要求または少なくとも１つの好ましい搬送サービス提供を確保または取得するための少なくとも１つの操作または少なくとも１つの機能を容易にすることができる。少なくとも１つの中央サーバは、限定はしないが、少なくとも１つのコンピュータプロセッサ、少なくとも１つのコンピュータ可読メモリ、少なくとも１つのネットワークインターフェース、またはそれらの組合せを含み得る。少なくとも１つの中央サーバは、限定はしないが、少なくとも１つのコンピュータネットワークシステムであり得る。少なくとも１つの中央サーバは、好ましくは、ハードウェア及び／またはソフトウェアを、単独で、または組み合わせて、包含することができる。
【０４７６】
少なくとも１つの中央サーバは、限定はしないが、少なくとも１つの外部サーバ、少なくとも１つのリンク、少なくとも１つの商品サプライヤ、少なくとも１つの自律車両、少なくとも１つのアプリケーション、少なくとも１つの中央サーバ、少なくとも１つのサービスプロバイダ、少なくとも１つの代理人、少なくとも１つの搬送クライアント、またはそれらの組合せに関連付けることができる。少なくとも１つの中央サーバは、異なるハードウェア及び／またはソフトウェアを、単独で、または組み合わせて、包含することができる。少なくとも１つの中央サーバは、少なくとも１つのデータベースを含むか、または少なくとも１つのデータベースに接続することができる。少なくとも１つの中央サーバの少なくとも１つのコンピュータ可読メモリは、少なくとも１つの中央サーバが使用または接続することができる少なくとも１つのデータベースであり得るか、または少なくとも１つのデータベースを含み得る。少なくとも１つの中央サーバは、少なくとも１つのデータベース、少なくとも１つのリアルタイムデータベース、少なくとも１つのほぼリアルタイムのデータベース、少なくとも１つのデータベーストリガ、少なくとも１つのデータベーステーブル、少なくとも１つのデータベース行、少なくとも１つのデータベース列、少なくとも１つのデータベース結果セット、少なくとも１つのデータベースノード、少なくとも１つのデータベースエッジ、少なくとも１つのデータベースプロパティ、少なくとも１つのブロックチェーン、少なくとも１つのブロックチェーン技術、またはそれらの組合せからの任意の情報またはデータを格納し、取り出し、または利用することができる。少なくとも１つの中央サーバは、少なくとも１つのデータベース、少なくとも１つのスキームレスデータベース、少なくとも１つのグラフデータベース、少なくとも１つのリレーショナルデータベース、少なくとも１つの非リレーショナルデータベース、少なくとも１つの分散データベース、少なくとも１つの並列データベース等に任意の情報またはデータを格納するか、またはそれらから任意の情報またはデータを取り出すことができる。
【０４７７】
少なくとも１つの中央サーバは、少なくとも１つのリンクを介して、限定はしないが、少なくとも１つのアプリケーション、少なくとも１つの外部サーバ、少なくとも１つの中央サーバ、少なくとも１つの端末、またはそれらの組合せに接続するか、またはそれらと通信することができる。少なくとも１つの中央サーバは、限定はしないが、少なくとも１つのアプリケーション、少なくとも１つの外部サーバ、少なくとも１つの中央サーバ、またはそれらの組合せの間の情報またはデータの双方向の少なくとも１つのフローを制御することができる。少なくとも１つの中央サーバは、少なくとも１つの個々の地理的位置または少なくとも１つの追加の地理的位置にある少なくとも１つのサーバであり得る。少なくとも１つの中央サーバは、好ましくは、１つのインターネットロケーションに関連し得るが、そうである必要はない。
【０４７８】
少なくとも１つの中央サーバは、限定はしないが、対応する搬送データが関連付けられた少なくとも１つの好ましい搬送サービス要求の全部または一部、対応する搬送データが関連付けられた少なくとも１つのフィルタリングされた搬送サービス要求の全部または一部、対応する搬送データが関連付けられた少なくとも１つの搬送サービス要求の全部または一部、対応する搬送データが関連付けられた少なくとも１つの好ましい搬送サービス提供の全部または一部、対応する搬送データが関連付けられた少なくとも１つのフィルタリングされた搬送サービス提供の全部または一部、対応する搬送データが関連付けられた少なくとも１つの搬送サービス提供の全部または一部、対応する搬送データが関連付けられた後続のまたは追加の複数のフィルタリングされた搬送サービス提供の全部または一部、対応する搬送データが関連付けられた後続のまたは追加の少なくとも１つの好ましい搬送サービス提供の全部または一部、少なくとも１つのサービス開始地理的位置、少なくとも１つのサービス終了地理的位置、少なくとも１つの代理人の少なくとも１つのリアルタイムまたはほぼリアルタイムの地理的位置の全部または一部、少なくとも１つの搬送クライアントの少なくとも１つのリアルタイムまたはほぼリアルタイムの地理的位置の全部または一部、少なくとも１つの代理人選好、少なくとも１つの搬送クライアント選好、少なくとも１つの確保または取得された好ましい搬送サービス要求、少なくとも１つの確保または取得された好ましい搬送サービス提供等を含む情報またはデータを通信することができる。少なくとも１つの中央サーバは、情報またはデータの全部または一部を、少なくとも１つの中央サーバ、少なくとも１つの外部サーバ、少なくとも１つのアプリケーション、またはそれらの組合せと通信することができる。
【０４７９】
少なくとも１つの中央サーバは、限定はしないが、対応する搬送データが関連付けられた少なくとも１つの好ましい搬送サービス要求の全部または一部、対応する搬送データが関連付けられた少なくとも１つのフィルタリングされた搬送サービス要求の全部または一部、対応する搬送データが関連付けられた少なくとも１つの搬送サービス要求の全部または一部、対応する搬送データが関連付けられた少なくとも１つの好ましい搬送サービス提供の全部または一部、対応する搬送データが関連付けられた少なくとも１つのフィルタリングされた搬送サービス提供の全部または一部、対応する搬送データが関連付けられた少なくとも１つの搬送サービス提供の全部または一部、対応する搬送データが関連付けられた後続のまたは追加の複数のフィルタリングされた搬送サービス提供の全部または一部、対応する搬送データが関連付けられた後続のまたは追加の少なくとも１つの好ましい搬送サービス提供の全部または一部、少なくとも１つのサービス開始地理的位置、少なくとも１つのサービス終了地理的位置、少なくとも１つの代理人の少なくとも１つのリアルタイムまたはほぼリアルタイムの地理的位置の全部または一部、少なくとも１つの搬送クライアントの少なくとも１つのリアルタイムまたはほぼリアルタイムの地理的位置の全部または一部、少なくとも１つの代理人選好、少なくとも１つの搬送クライアント選好、少なくとも１つの確保または取得された好ましい搬送サービス要求、少なくとも１つの確保または取得された好ましい搬送サービス提供、またはそれらの組み合わせを、一緒にまたは別々にフィルタリングし識別することができる。
【０４８０】
少なくとも１つの中央サーバは、例えば、少なくとも１つの搬送サービス要求、少なくとも１つのフィルタリングされた搬送サービス要求、少なくとも１つの好ましい搬送サービス要求、少なくとも１つの搬送サービス提供、少なくとも１つのフィルタリングされた搬送サービス提供、少なくとも１つの好ましい搬送サービス提供、またはそれらの組み合わせを確保または取得するための少なくとも１つの操作または少なくとも１つの機能を容易にすることができる少なくとも１つのソフトウェアおよび／またはハードウェアであり得る。
【０４８１】
少なくとも１つの中央サーバは、少なくとも１つの好ましい搬送サービス要求、少なくとも１つのフィルタリングされた搬送サービス要求、少なくとも１つの搬送サービス要求、少なくとも１つの好ましい搬送サービス提供、少なくとも１つのフィルタリングされた搬送サービス提供、少なくとも１つの搬送サービス提供、またはそれらの組み合わせを確保または取得することができ、少なくとも１つの中央サーバ、少なくとも１つの外部サーバ、少なくとも１つのアプリケーション、少なくとも１つの端末、少なくとも１つの自律車両、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのサードパーティ、少なくとも１つのマッププロバイダ、少なくとも１つの搬送クライアント、少なくとも１つの代理人、またはそれらの組合せと直接または間接的に通信することができる。
【０４８２】
少なくとも１つの中央サーバは、少なくとも１つの異なるフォーマットで構成された少なくとも１つの搬送サービス要求を、少なくとも１つの一様なフォーマットに標準化または変換することができる。少なくとも１つの中央サーバは、少なくとも１つの異なるフォーマットで構成された少なくとも１つの搬送サービス提供を、少なくとも１つの一様なフォーマットに標準化または変換することができる。少なくとも１つの中央サーバは、好ましくは、少なくとも１つの安全なサーバであり得る。少なくとも１つの中央サーバは、市販のハードウェアおよび／またはソフトウェアを使用して安全にすることができる。さらに、少なくとも１つの中央サーバは、少なくとも１つのサーバに出入りする通信が暗号化されるように、暗号化ソフトウェアを含み得る。暗号化ハードウェアおよび／またはソフトウェアは市販されている。少なくとも１つの中央サーバは、リアルタイムまたはほぼリアルタイムで更新またはリフレッシュすることができ、最高レベDルの開発または最新技術に更新またはリフレッシュされているものを指し得る。少なくとも１つの中央サーバは、リアルタイムまたはほぼリアルタイムで少なくとも１つの機能を実行することができ、最高の発展レベルまたは最新技術に更新またはリフレッシュされているものを指し得る。少なくとも１つの中央サーバは、機械学習技術等を使用して、少なくとも１つの視覚的表現を改善することができる少なくとも１つのパターンを識別することができる。
【０４８３】
少なくとも１つの中央サーバは、少なくとも１つのデータベース、少なくとも１つのデータベーステーブル、少なくとも１つの結果セット等を使用して、少なくとも１つの搬送サービス要求または少なくとも１つの搬送サービス提供をフィルタリングすることができる。少なくとも１つの中央サーバは、少なくとも１つのデータベース、少なくとも１つのデータベーステーブル、少なくとも１つの結果セット等を使用して、少なくとも１つの好ましい搬送サービス要求または少なくとも１つの搬送サービス提供を識別することができる。
【０４８４】
少なくとも１つの中央サーバは、少なくとも１つの搬送サービス要求を、少なくとも１つの代理人選好、および、好ましくは、少なくとも１つの代理人の少なくとも１つのリアルタイムまたはほぼリアルタイムの地理的位置に関してフィルタリングし、少なくとも１つのフィルタリングされた搬送サービス要求を、限定はしないが、分類、フィルタリング、特徴付け、スクリーニング、選択、分離、識別、指定、区別、命名、番号付け、順序付け、体系化、タグ付け、ラベル付け、認識、配置、ブラケット付け、ランキング、整理、分類、隔離、分離、グループ化、比較、またはそれらの組合せの少なくとも１つを含むプロセスによって識別することができる。
【０４８５】
少なくとも１つの中央サーバは、少なくとも１つの搬送サービス提供を、少なくとも１つの搬送クライアント選好、および、好ましくは、少なくとも１つの搬送クライアントの少なくとも１つのリアルタイムまたはほぼリアルタイムの地理的位置に関してフィルタリングし、少なくとも１つのフィルタリングされた搬送サービス提供を、限定はしないが、分類、フィルタリング、特徴付け、スクリーニング、選択、分離、識別、指定、区別、命名、番号付け、順序付け、体系化、タグ付け、ラベル付け、認識、配置、ブラケット付け、ランキング、整理、分類、隔離、分離、グループ化、比較、またはそれらの組合せの少なくとも１つを含むプロセスによって識別することができる。
【０４８６】
少なくとも１つの中央サーバは、少なくとも１つの搬送サービス要求を、受信時にフィルタリング、分類等をすることができる。少なくとも１つの中央サーバは、少なくとも１つの搬送サービス提供を、受信時にフィルタリング、分類等をすることができる。少なくとも１つの中央サーバは、少なくとも１つの搬送サービス要求または少なくとも１つの搬送サービス提供を２回以上フィルタリング等することができる。少なくとも１つの中央サーバは、少なくとも１つの搬送サービス要求をフィルタリングする前に、任意の順序で、少なくとも１つの搬送サービス要求を、限定はしないが、受信、送信、格納、標準化、集約、またはそれらの組合せを行うことができる。少なくとも１つの中央サーバは、少なくとも１つの搬送サービス提供をフィルタリングする前に、少なくとも１つの搬送サービス提供を、任意の順序で、受信、送信、格納、標準化、集約、またはそれらの組合せを行うことができる。
【０４８７】
少なくとも１つの中央サーバは、少なくとも１つのフィルタリングされた搬送サービス要求または少なくとも１つの事前にフィルタリングされた搬送サービス要求から少なくとも１つの好ましい搬送サービス要求を識別することができる。少なくとも１つの中央サーバは、少なくとも１つのフィルタリングされた搬送サービス提供または少なくとも１つの事前にフィルタリングされた搬送サービス提供から少なくとも１つの好ましい搬送サービス提供を識別することができる。
【０４８８】
限定はしないが、少なくとも１つの分類アルゴリズム、少なくとも１つの選択アルゴリズム、少なくとも１つの検索アルゴリズム、少なくとも１つのマージアルゴリズム、少なくとも１つの最大関数、少なくとも１つの最小関数、少なくとも１つのグラフアルゴリズム、少なくとも１つのグラフ検索アルゴリズム、少なくとも１つのツリーアルゴリズム、少なくとも１つのツリー検索アルゴリズム、少なくとも１つの行列計算、少なくとも１つの行列アルゴリズム、少なくとも１つの比較、またはそれらの組合せを使用することによって、少なくとも１つの代理人選好に関連する少なくとも１つの好ましい搬送サービス要求を、少なくとも１つのフィルタされた搬送サービス要求から識別することができる。
【０４８９】
限定はしないが、少なくとも１つの分類アルゴリズム、少なくとも１つの選択アルゴリズム、少なくとも１つの検索アルゴリズム、少なくとも１つのマージアルゴリズム、少なくとも１つの最大関数、少なくとも１つの最小関数、少なくとも１つのグラフアルゴリズム、少なくとも１つのグラフ検索アルゴリズム、少なくとも１つのツリーアルゴリズム、少なくとも１つのツリー検索アルゴリズム、少なくとも１つの行列計算、少なくとも１つの行列アルゴリズム、少なくとも１つの比較、またはそれらの組合せを使用することによって、少なくとも１つの搬送クライアント選好に関連する少なくとも１つの好ましい搬送サービス提供を、少なくとも１つのフィルタリングされた搬送サービス要求から識別することができる。
【０４９０】
少なくとも１つの中央サーバは、少なくとも１つの好ましい搬送サービス要求を識別するために、好ましくは、少なくとも１つの代理人選好を使用して、少なくとも１つのフィルタリングされた搬送サービス要求をソート等することができる。少なくとも１つのフィルタリングされた搬送サービス要求は、好ましくは、少なくとも１つの代理人選好の少なくとも１つの加重平均に関連してソートすることができるが、ソートは、少なくとも１つの好ましい搬送サービス要求を識別するために必須ではない。少なくとも１つの中央サーバは、少なくとも１つの好ましい搬送サービス提供を識別するために、好ましくは、少なくとも１つの搬送クライアント選好を使用して、少なくとも１つのフィルタリングされた搬送サービス提供をソート等することができる。少なくとも１つのフィルタリングされた搬送サービス提供は、好ましくは、少なくとも１つの搬送クライアント選好の少なくとも１つの加重平均に関連してソートすることができるが、ソートは、少なくとも１つの好ましい搬送サービス提供を識別するために必須ではない。少なくとも１つの中央サーバは、少なくとも１つの好ましい搬送サービス要求または少なくとも１つの好ましい搬送サービス提供をそれぞれ識別するために、好ましくは、少なくとも１つのフィルタリングされた搬送サービス要求または少なくとも１つのフィルタリングされた搬送サービス提供を２回以上ソート等することができる。
【０４９１】
少なくとも１つの中央サーバは、好ましくは、少なくとも１つの代理人選好の少なくとも１つの加重平均に関連する少なくとも１つの順序で少なくとも１つのフィルタリングされた搬送サービス要求をソート等して、少なくとも１つの好ましい搬送サービス要求を識別することができる。少なくとも１つの中央サーバは、好ましくは、少なくとも１つの搬送クライアント選好の少なくとも１つの加重平均に関連する少なくとも１つの順序で、少なくとも１つのフィルタリングされた搬送サービス提供をソート等して、少なくとも１つの好ましい搬送サービス提供を識別することができる。
【０４９２】
少なくとも１つの中央サーバは、限定はしないが、少なくとも１つの搬送業界セグメントで活動する少なくとも１つのサービスプロバイダに関連する、少なくとも１つの搬送サービス要求、少なくとも１つのフィルタリングされた搬送サービス要求、少なくとも１つの好ましい搬送サービス要求、またはそれらの組合せを、処理するかまたは容易にすることができる。少なくとも１つの中央サーバは、限定はしないが、少なくとも１つの搬送業界セグメントで活動する少なくとも１つのサービスプロバイダに関連する、少なくとも１つの搬送サービス提供、少なくとも１つのフィルタリングされた搬送サービス提供、少なくとも１つの好ましい搬送サービス提供、またはそれらの組合せを、処理するかまたは容易にすることができる。少なくとも１つの中央サーバは、少なくとも１つのデフォルトの代理人選好、少なくとも１つのデフォルトの搬送クライアント選好、またはそれらの組合せを使用するか、または有することができる。
【０４９３】
少なくとも１つの搬送サービス要求が事前にフィルタリングされるかまたは事前に分類される場合、少なくとも１つの搬送サービス要求は、少なくとも１つのフィルタリングされた搬送サービス要求ととらえるかまたは呼ぶことができ、少なくとも１つの中央サーバは、少なくとも１つの好ましい搬送サービス要求を識別することができる。少なくとも１つの搬送サービス提供が事前にフィルタリングされるか、または事前に分類される場合、少なくとも１つの搬送サービス提供は、少なくとも１つのフィルタリングされた搬送サービス提供ととらえるかまたは呼ぶことができ、少なくとも１つの中央サーバは、少なくとも１つの好ましい搬送サービス提供を識別することができる。
【０４９４】
限定を目的としない例として、少なくとも１つの中央サーバの少なくとも１つのコンピュータ可読メモリは、限定はしないが、少なくとも１つのデータベース、少なくとも１つのデータベーステーブル、少なくとも１つのデータベース結果セット、少なくとも１つのクラウドストレージ、少なくとも１つのハードディスクドライブ、少なくとも１つのソリッドステートドライブ、少なくとも１つの光ディスクドライブ、少なくとも１つのフラッシュメモリ、少なくとも１つのランダムアクセスメモリ（ＲＡＭ）、少なくとも１つのテープ、またはそれらの組み合わせであり得る。
【０４９５】
限定を目的としない例として、少なくとも１つの中央サーバは、同じまたは少なくとも１つの異なる地理的位置に操作可能にリンクされた少なくとも１つの別個のサーバを含むことができる。限定を目的としない例として、少なくとも１つの中央サーバは、任意で、少なくとも１つの端末の一部であり得る。限定を目的としない例として、少なくとも１つの中央サーバは、任意で、少なくとも１つのアプリケーションの一部であり得る。限定を目的としない例として、少なくとも１つの中央サーバは、任意で、少なくとも１つの端末上に位置することができる。限定を目的としない例として、少なくとも１つのアプリケーションは、任意で、少なくとも１つの中央サーバ上で動作することができる。限定を目的としない例として、少なくとも１つの中央サーバまたは少なくとも１つの外部サーバの少なくとも１つの機能は、少なくとも１つのアプリケーションによって実行することができる。限定を目的としない例として、少なくとも１つのアプリケーションの少なくとも１つの機能は、少なくとも１つの中央サーバまたは少なくとも１つの外部サーバによって実行され得る。限定を目的としない例として、少なくとも１つの中央サーバの少なくとも１つの機能は、少なくとも１つの外部サーバによって実行することができる。限定を目的としない例として、少なくとも１つの中央サーバは、量子計算を含むか、または利用することができる。限定を目的としない例として、少なくとも１つの中央サーバは、少なくとも１つのニューラルネットワークを含むか、または利用することができる。限定を目的としない例として、少なくとも１つの中央サーバは、機械学習技術等を含むか、または利用することができる。限定を目的としない例として、少なくとも１つの中央サーバは、ロサンゼルスおよびニューヨークといった少なくとも１つの地理的位置にわたって分散させることができる。
【０４９６】
限定を目的としない例として、少なくとも１つの中央サーバは、少なくとも１つのサービスプロバイダ、少なくとも１つの自律車両の少なくとも１つのオーナまたは少なくとも１つのコントローラ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、またはそれらの組合せ内で、少なくとも１つの搬送サービス要求、少なくとも１つの搬送サービス提供、またはそれらの組合せを集約することができる。限定を目的としない例として、少なくとも１つの中央サーバは、少なくとも１つの個々の搬送業界セグメントに関連する少なくとも１つの個々のサービスプロバイダからの、少なくとも１つの搬送サービス要求、少なくとも１つのフィルタリングされた搬送サービス要求、少なくとも１つの好ましい搬送サービス要求、少なくとも１つの搬送サービス提供、少なくとも１つのフィルタリングされた搬送サービス提供、少なくとも１つの好ましい搬送サービス提供、またはそれらの組合せを処理することができか、または容易にすることができる。限定を目的としない例として、少なくとも１つの中央サーバは、少なくとも１つのアプリケーションに送信される少なくとも１つの視覚的表現をコンパイルすることができる。
【０４９７】
限定を目的としない例として、少なくとも１つの搬送サービス要求、少なくとも１つの搬送サービス提供、少なくとも１つの代理人の少なくとも１つのリアルタイムまたはほぼリアルタイムの地理的位置の全部または一部、少なくとも１つの搬送クライアントの少なくとも１つのリアルタイムまたはほぼリアルタイムの地理的位置の全部または一部、またはそれらの組合せを、少なくとも１つのリンクを介して少なくとも１つの外部サーバから少なくとも１つの中央サーバに送信することができる。限定を目的としない例として、少なくとも１つの搬送サービス要求、少なくとも１つの搬送サービス提供、少なくとも１つの搬送クライアントの少なくとも１つのリアルタイムまたはほぼリアルタイムの地理的位置の全部または一部、少なくとも１つの代理人の少なくとも１つのリアルタイムまたはほぼリアルタイムの地理的位置の全部または一部、またはそれらの組合せを、少なくとも１つのサービスプロバイダ、少なくとも１つの自律車両の少なくとも１つのオーナまたは少なくとも１つのコントローラ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、またはそれらの組合せから、少なくとも１つのリンクを介して少なくとも１つの中央サーバに送信することができる。
【０４９８】
限定を目的としない例として、少なくとも１つの搬送サービス要求は、少なくとも１つの外部サーバから送信される前に少なくとも１つの一様なフォーマットで構成することができ、標準化する必要がない。限定を目的としない例として、少なくとも１つの搬送サービス提供は、少なくとも１つの外部サーバから送信される前に少なくとも１つの一様なフォーマットで構成することができ、標準化する必要がない。
【０４９９】
限定を目的としない例として、少なくとも１つの中央サーバは、少なくとも１つの搬送クライアントのために、限定はしないが、対応する搬送データが関連付けられた少なくとも１つの搬送サービス提供を受信、標準化、集約、フィルタリング、および好ましくはソート等をし、少なくとも１つの好ましい搬送サービス提供を確保または取得するための機能を含む、本発明の少なくとも１つの機能を実行することができる。
【０５００】
限定を目的としない例として、少なくとも１つの中央サーバは、少なくとも１つの代理人および／または自律車両のために、限定はしないが、対応する搬送データが関連付けられた少なくとも１つの搬送サービス要求を受信、標準化、集約、フィルタリング、および好ましくはソートし、少なくとも１つの好ましい搬送サービス要求を確保または取得するための機能を含む、本発明の少なくとも１つの機能を実行することができる。
【０５０１】
限定を目的としない例として、少なくとも１つの搬送サービス要求をフィルタリングする際に、少なくとも１つの代理人の少なくとも１つのリアルタイムまたはほぼリアルタイムの地理的位置以外の少なくとも１つの異なる地理的位置を使用することができる。限定を目的としない例として、少なくとも１つの搬送サービス提供をフィルタリングする際に、少なくとも１つの搬送クライアントの少なくとも１つのリアルタイムまたはほぼリアルタイムの地理的位置以外の少なくとも１つの異なる地理的位置を使用することができる。
【０５０２】
限定を目的としない例として、少なくとも１つの搬送クライアント選好、好ましくは、少なくとも１つの搬送クライアントの少なくとも１つのリアルタイムまたはほぼリアルタイムの地理的位置、またはそれらの組合せを、少なくとも１つの搬送サービス提供をフィルタリングする前の任意の時点で少なくとも１つの中央サーバに送信することができる。限定を目的としない例として、少なくとも１つの代理人選好、好ましくは、少なくとも１つの代理人の少なくとも１つのリアルタイムまたはほぼリアルタイムの地理的位置、またはそれらの組合せを、少なくとも１つの搬送サービス要求をフィルタリングする前の任意の時点で少なくとも１つの中央サーバに送信することができる。
【０５０３】
限定を目的としない例として、少なくとも１つの中央サーバは、少なくとも１つの好ましい搬送サービス要求を識別するために少なくとも１つの加重平均を計算する際に、少なくとも１つの代理人選好に対して少なくとも１つの等しい重みまたは少なくとも１つの等しくない重みを使用することができる。限定を目的としない例として、少なくとも１つの中央サーバは、少なくとも１つの好ましい搬送サービス提供を識別するために少なくとも１つの加重平均を計算する際に、少なくとも１つの搬送クライアント選好に対して少なくとも１つの等しい重みまたは少なくとも１つの等しくない重みを使用することができる。
【０５０４】
限定を目的としない例として、少なくとも１つの中央サーバが少なくとも１つの搬送サービス要求または少なくとも１つの搬送サービス提供を受信した場合、少なくとも１つの中央サーバは、少なくとも１つの搬送サービス要求または少なくとも１つの搬送サービス提供を分類するかまたは事前にフィルタリングすることができる。限定を目的としない例として、少なくとも１つの中央サーバは、少なくとも１つの地理的エリアに関連する、少なくとも１つの事前にフィルタリングされた搬送サービス要求、または少なくとも１つの事前に分類された搬送サービス要求を取得または受信することができる。限定を目的としない例として、少なくとも１つの中央サーバは、少なくとも１つのサービスレベルに関連する、少なくとも１つの事前にフィルタリングされた搬送サービス要求、または少なくとも１つの事前に分類された搬送サービス要求を取得または受信することができる。限定を目的としない例として、少なくとも１つの中央サーバは、少なくとも１つの地理的エリアに関連する、少なくとも１つの事前にフィルタリングされた搬送サービス提供、または少なくとも１つの事前に分類された少なくとも１つの搬送サービス提供を取得または受信することができる。限定を目的としない例として、少なくとも１つの中央サーバは、少なくとも１つのサービスレベルに関連する、少なくとも１つの事前にフィルタリングされた搬送サービス提供、または少なくとも１つの事前に分類された少なくとも１つの搬送サービス提供を取得または受信することができる。限定を目的としない例として、少なくとも１つの搬送サービス要求または少なくとも１つの搬送サービス提供は、少なくとも１つの地理的エリアに基づいて、少なくとも１つの中央サーバ上で事前にフィルタリングするかまたは事前に分類することができる。限定を目的としない例として、少なくとも１つの搬送サービス要求または少なくとも１つの搬送サービス提供は、少なくとも１つのサービスレベルに基づいて、少なくとも１つの中央サーバ上で事前にフィルタリングするかまたは事前に分類することができる。
【０５０５】
限定を目的としない例として、少なくとも１つの中央サーバが搬送サービス提供の全部または一部または搬送サービス要求の全部または一部を受信した場合、少なくとも１つの中央サーバは、搬送サービス提供の全部または一部または搬送サービス要求の全部または一部を分類するかまたは事前にフィルタリングすることができる。限定を目的としない例として、少なくとも１つの中央サーバは、少なくとも１つの地理的エリアに関連する、少なくとも１つの事前にフィルタリングされた搬送サービス提供の全部または一部、または少なくとも１つの事前に分類された搬送サービス要求の全部または一部を取得または受信することができる。限定を目的としない例として、少なくとも１つの中央サーバは、少なくとも１つのサービスレベルに関連する、少なくとも１つの事前にフィルタリングされた搬送サービス要求の全部または一部、または少なくとも１つの事前に分類された搬送サービス提供の全部または一部を取得または受信することができる。限定を目的としない例として、搬送サービス要求の全部または一部または搬送サービス提供の全部または一部は、少なくとも１つの地理的エリアに基づいて、少なくとも１つの中央サーバ上で事前にフィルタリングするかまたは事前に分類することができる。限定を目的としない例として、搬送サービス要求の全部または一部または搬送サービス提供の全部または一部は、少なくとも１つのサービスレベルに基づいて、少なくとも１つの中央サーバ上で事前にフィルタリングするかまたは事前に分類することができる。
【０５０６】
限定を目的としない例として、少なくとも１つの搬送サービス要求は、少なくとも１つの外部サーバまたは少なくとも１つの中央サーバ上で事前にフィルタリングするかまたは事前に分類することができ、少なくとも１つの搬送サービス要求は少なくとも１つのフィルタリングされた搬送サービス要求になることができ、フィルタリングは少なくとも１つの中央サーバ上では必要とされない。限定を目的としない例として、少なくとも１つの搬送サービス要求が事前にフィルタリングされるかまたは事前に分類される場合、少なくとも１つの中央サーバは、少なくとも１つの搬送サービス要求をフィルタリングする必要がなく、少なくとも１つの好ましい搬送サービス要求を識別することができる。
【０５０７】
限定を目的としない例として、少なくとも１つの搬送サービス提供は、少なくとも１つの外部サーバまたは少なくとも１つの中央サーバ上で事前にフィルタリングするかまたは事前に分類することができ、少なくとも１つの搬送サービス提供は少なくとも１つのフィルタリングされた搬送サービス提供になることができ、フィルタリングは少なくとも１つの中央サーバ上では必要とされない。限定を目的としない例として、少なくとも１つの搬送サービス提供が事前にフィルタリングされるかまたは事前に分類される場合、少なくとも１つの中央サーバは、少なくとも１つの搬送サービス提供をフィルタリングする必要がなく、少なくとも１つの好ましい搬送サービス提供を識別することができる。
【０５０８】
限定を目的としない例として、少なくとも１つの搬送サービス要求は、事前にフィルタリングされたかまたは事前に分類された後に、少なくとも１つの中央サーバ上で、少なくとも１つの代理人選好に基づいてフィルタリングすることができる。限定を目的としない例として、少なくとも１つの外部サーバ上で事前にフィルタリングされたかまたは事前に分類された後に、少なくとも１つの中央サーバ上で、少なくとも１つの代理人選好に基づいて少なくとも１つの搬送サービス要求をフィルタリングすることができる。限定を目的としない例として、少なくとも１つの搬送サービス提供は、事前にフィルタリングされたかまたは事前に分類された後に、少なくとも１つの中央サーバ上で、少なくとも１つの搬送クライアント選好に基づいてフィルタリングすることができる。限定を目的としない例として、少なくとも１つの外部サーバ上で事前にフィルタリングされたかまたは事前に分類された後に、少なくとも１つの中央サーバ上で、少なくとも１つの搬送クライアント選好に基づいて少なくとも１つの搬送サービス提供をフィルタリングすることができる。
【０５０９】
限定を目的としない例として、少なくとも１つの中央サーバが、少なくとも１つの事前にフィルタリングされた搬送サービス要求を取得する場合、少なくとも１つの中央サーバは、少なくとも１つの事前にフィルタリングされた搬送サービス要求を少なくとも１つの代理人選好と比較して、少なくとも１つのフィルタリングされた搬送サービス要求を識別することができる。限定を目的としない例として、少なくとも１つの中央サーバが少なくとも１つの事前にフィルタリングされた搬送サービス提供を取得する場合、少なくとも１つの中央サーバは、少なくとも１つの事前にフィルタリングされた搬送サービス提供を少なくとも１つの搬送クライアント選好と比較して、少なくとも１つのフィルタリングされた搬送サービス提供を識別することができる。
【０５１０】
限定を目的としない例として、少なくとも１つの搬送サービス要求または少なくとも１つの搬送サービス提供が事前にフィルタリングされている場合、少なくとも１つの搬送サービス要求または少なくとも１つの搬送サービス提供はフィルタリングされない。限定を目的としない例として、少なくとも１つの事前にフィルタリングされた搬送サービス要求または少なくとも１つの前にフィルタリングされた搬送サービス提供は、それぞれ少なくとも１つのフィルタリングされた搬送サービス要求または少なくとも１つのフィルタリングされた搬送サービス提供ととらえるか、または呼ぶことができる。限定を目的としない例として、少なくとも１つの中央サーバは、少なくとも１つの搬送サービス要求または少なくとも１つの搬送サービス提供を少なくとも１回フィルタリングすることができる。限定を目的としない例として、少なくとも１つの中央サーバは、好ましくは、少なくとも１つの好ましい搬送サービス要求または少なくとも１つの搬送サービス提供を識別するために、少なくとも１つの搬送サービス要求または少なくとも１つの搬送サービス提供を少なくとも１回ソート等することができる。限定を目的としない例として、少なくとも１つの中央サーバは、少なくとも１つの価格設定選好、次いで少なくとも１つのサービスプロバイダ選好に基づいて、少なくとも１つの搬送サービス要求または少なくとも１つの搬送サービス提供を２回以上フィルタリングすることができる。限定を目的としない例として、少なくとも１つの搬送サービス要求または少なくとも１つの搬送サービス提供は、少なくとも１つの中央サーバ上で受信された後に、少なくとも１つの地理的位置によって分類することができる。
【０５１１】
限定を目的としない例として、少なくとも１つのフィルタリングされた搬送サービス要求は、好ましくは、少なくとも１つの好ましい搬送サービス要求を識別するために、少なくとも１つの代理人選好の少なくとも１つの加重平均に関連する少なくとも１つの昇順または降順にソートすることができる。限定を目的としない例として、少なくとも１つのフィルタリングされた搬送サービス提供は、好ましくは、少なくとも１つの好ましい搬送サービス提供を識別するために、少なくとも１つの搬送クライアント選好の少なくとも１つの加重平均に関連する少なくとも１つの昇順または降順にソートすることができる。
【０５１２】
限定を目的としない例として、少なくとも１つの代理人の少なくとも１つのリアルタイムまたはほぼリアルタイムの地理的位置が更新または変更された際に、対応する搬送データが関連付けられた少なくとも１つの好ましい搬送サービス要求、対応する搬送データが関連付けられた少なくとも１つのフィルタリングされた搬送サービス要求、またはそれらの組合せを、リアルタイムまたはほぼリアルタイムで識別または更新することができる。限定を目的としない例として、少なくとも１つの搬送クライアントの少なくとも１つのリアルタイムまたはほぼリアルタイムの地理的位置が更新または変更された際に、対応する搬送データが関連付けられた少なくとも１つの好ましい搬送サービス提供、対応する搬送データが関連付けられた少なくとも１つのフィルタリングされた搬送サービス提供、またはそれらの組合せを、リアルタイムまたはほぼリアルタイムで識別または更新することができる。
【０５１３】
限定を目的としない例として、交通情報が更新または変更された際に、対応する搬送データが関連付けられた少なくとも１つの好ましい搬送サービス要求、対応する搬送データが関連付けられた少なくとも１つの好ましい搬送サービス提供、対応する搬送データが関連付けられた少なくとも１つのフィルタリングされた搬送サービス要求、対応する搬送データが関連付けられた少なくとも１つのフィルタリングされた搬送サービス提供、少なくとも１つの搬送クライアント選好、少なくとも１つの代理人選好、少なくとも１つの確保または取得された好ましい搬送サービス要求、少なくとも１つの確保または取得された好ましい搬送サービス提供、またはそれらの組合せを、リアルタイムまたはほぼリアルタイムで識別または更新することができる。
【０５１４】
限定を目的としない例として、少なくとも１つの中央サーバは、少なくとも１つの好ましい搬送サービス要求、少なくとも１つのフィルタリングされた搬送サービス要求、またはそれらの組合せを確保または取得することができ、少なくとも１つの外部サーバまたは少なくとも１つのサービスプロバイダと直接通信することができる。限定を目的としない例として、少なくとも１つの中央サーバは、少なくとも１つの好ましい搬送サービス提供、少なくとも１つのフィルタリングされた搬送サービス提供、またはそれらの組み合わせを確保または取得することができ、少なくとも１つの外部サーバまたは少なくとも１つのサービスプロバイダと直接通信することができる。
【０５１５】
限定を目的としない例として、少なくとも１つの確保または取得された好ましい搬送サービス要求または少なくとも１つの確保または取得された好ましい搬送サービス提供は、限定はしないが、少なくとも１つのサービスプロバイダ、少なくとも１つの外部サーバ、少なくとも１つの商品サプライヤ、少なくとも１つのフリートマネージャ、少なくとも１つのロジスティクスプロバイダ、少なくとも１つのロジスティクスサプライヤ、少なくとも１つの代理人、少なくとも１つの搬送クライアント、少なくとも１つのマッププロバイダ、またはそれらの組合せに送信することができる。
【０５１６】
限定を目的としない例として、少なくとも１つの中央サーバ、少なくとも１つの外部サーバ、少なくとも１つのアプリケーション、少なくとも１つの端末、少なくとも１つのリンク、またはそれらの組合せは、結合または統合することができる。限定を目的としない例として、少なくとも１つの中央サーバは、少なくとも１つの搬送サービス要求と同じように少なくとも１つの搬送サービス提供を管理または処理することができる。限定を目的としない例として、少なくとも１つの中央サーバは、少なくとも１つの搬送サービス提供と同じように少なくとも１つの搬送サービス要求を管理または処理することができる。少なくとも１つの搬送サービス提供または少なくとも１つの搬送サービス要求は、少なくとも１つの中央サーバ、少なくとも１つの外部サーバ、少なくとも１つのアプリケーション、またはそれらの組合せ上で事前にフィルタリングするかまたは事前に分類することができる。
【０５１７】
限定を目的としない例として、少なくとも１つの中央サーバは、少なくとも１つのグラフデータベースを使用して、最も近接している可能性がある、少なくとも１つの好ましい搬送サービス要求、少なくとも１つの好ましい搬送サービス提供、またはそれらの組み合わせを識別することができる。限定を目的としない例として、少なくとも１つの中央サーバは、少なくとも１つのノードおよび／または少なくとも１つのエッジを有する少なくとも１つの有向グラフまたは少なくとも１つの無向グラフを利用して、少なくとも１つの搬送クライアント、少なくとも１つの好ましい搬送サービス要求、少なくとも１つの好ましい搬送サービス提供、またはそれらの組み合わせまでの最短移動時間内にある少なくとも１つの自律車両を識別することができる。
【０５１８】
「システム」
少なくとも１つのシステムは、限定はしないが、例えば、少なくとも１つの好ましい搬送サービス要求または少なくとも１つの好ましい搬送サービス提供を確保または取得することができる、本発明の要素の集合であり得る。少なくとも１つのシステムは、限定はしないが、本発明の要素の集合であってもよく、少なくとも１つの要素は、少なくとも１つの他の要素と関連付けられるか、または統合することができる。要素または個々の要素の集合は、同じ位置または異なる位置にあってもよい。少なくとも１つのシステムは、限定はしないが、少なくとも１つのコンピュータプログラム製品であり得る。
【０５１９】
限定を目的としない例として、本発明では、少なくとも１つの搬送クライアント、少なくとも１つのアプリケーション、少なくとも１つの代理人、少なくとも１つの端末、少なくとも１つのリンク、少なくとも１つの中央サーバ少なくとも１つの外部サーバ、少なくとも１つのサービスプロバイダ、少なくとも１つのサービスプロバイダ、少なくとも１つの商品サプライヤ、少なくとも１つのマッププロバイダ、少なくとも１つの自律車両、少なくとも１つの視覚的表現、少なくとも１つの動的マップ、少なくとも１つのヒートマップ、少なくとも１つのリアルタイムまたはほぼリアルタイムのヒートマップ、少なくとも１つの履歴ヒートマップ、少なくとも１つの予測ヒートマップ、少なくとも１つの代理人選好、少なくとも１つの搬送クライアント選好、搬送データ、少なくとも１つの搬送サービス要求、少なくとも１つのフィルタリングされた搬送サービス要求、少なくとも１つの好ましい搬送サービス要求、少なくとも１つの搬送サービス提供、少なくとも１つのフィルタリングされた搬送サービス提供、および少なくとも１つの好ましい搬送サービス提供は、すべて、少なくとも１つの類似の地理的位置にあっても、少なくとも１つの境界を越えた位置を含む少なくとも１つの離れた位置に広がっていても良い。
【０５２０】
少なくとも１つのシステムを使用して、少なくとも１つの搬送業界セグメントで活動する少なくとも１つのサービスプロバイダ等に関連する少なくとも１つの好ましい搬送サービス要求または少なくとも１つの好ましい搬送サービス提供を分析または評価し、好ましくは確保または取得することができる。少なくとも１つのシステムは、リアルタイムまたはほぼリアルタイムで更新またはリフレッシュすることができ、最高の発展レベルまたは最新技術に更新またはリフレッシュされているものを指し得る。少なくとも１つのシステムは、リアルタイムまたはほぼリアルタイムで少なくとも１つの機能を実行することができ、最高の発展レベルまたは最新技術に更新またはリフレッシュされているものを指し得る。
【０５２１】
「方法」
少なくとも１つの方法は、限定はしないが、例えば、少なくとも１つの好ましい搬送サービス要求または少なくとも１つの好ましい搬送サービス提供を確保または取得することができる、本発明の要素の集合であり得る。少なくとも１つの方法は、限定はしないが、本発明の要素の集合であってもよく、少なくとも１つの要素は、少なくとも１つの他の要素と関連付けられるか、または統合することができる。要素または個々の要素の集合は、同じ位置または異なる位置にあってもよい。少なくとも１つの方法は、限定はしないが、少なくとも１つのコンピュータプログラム製品であり得る。
【０５２２】
限定を目的としない例として、本発明では、少なくとも１つの搬送クライアント、少なくとも１つのアプリケーション、少なくとも１つの代理人、少なくとも１つの端末、少なくとも１つのリンク、少なくとも１つの中央サーバ、少なくとも１つの外部サーバ、少なくとも１つのサービスプロバイダ、少なくとも１つのサービスプロバイダ、少なくとも１つの商品サプライヤ、少なくとも１つのマッププロバイダ、少なくとも１つの自律車両、少なくとも１つの視覚的表現、少なくとも１つの動的マップ、少なくとも１つのヒートマップ、少なくとも１つのリアルタイムまたはほぼリアルタイムのヒートマップ、少なくとも１つの履歴ヒートマップ、少なくとも１つの予測ヒートマップ、少なくとも１つの代理人選好、少なくとも１つの搬送クライアント選好、搬送データ、少なくとも１つの搬送サービス要求、少なくとも１つのフィルタリングされた搬送サービス要求、少なくとも１つの好ましい搬送サービス要求、少なくとも１つの搬送サービス提供、少なくとも１つのフィルタリングされた搬送サービス提供、および少なくとも１つの好ましい搬送サービス提供は、すべて、少なくとも１つの類似の地理的位置にあっても、少なくとも１つの境界を越えた位置を含む少なくとも１つの離れた位置に広がっていても良い。
【０５２３】
少なくとも１つの方法を使用して、少なくとも１つの搬送業界セグメントで活動する少なくとも１つのサービスプロバイダ等に関連する少なくとも１つの好ましい搬送サービス要求または少なくとも１つの好ましい搬送サービス提供を分析または評価し、好ましくは確保または取得することができる。少なくとも１つの方法は、リアルタイムまたはほぼリアルタイムで更新またはリフレッシュすることができ、最高の発展レベルまたは最新技術に更新またはリフレッシュされているものを指し得る。少なくとも１つの方法は、リアルタイムまたはほぼリアルタイムで少なくとも１つの機能を実行することができ、最高の発展レベルまたは最新技術に更新またはリフレッシュされているものを指し得る。
【０５２４】
「外部サーバ」
少なくとも１つの外部サーバは、例えば、少なくとも１つの好ましい搬送サービス要求または少なくとも１つの好ましい搬送サービス提供を確保または取得するための少なくとも１つの操作または少なくとも１つの機能を容易にすることができる、少なくとも１つのソフトウェアおよび／または少なくとも１つのハードウェアであり得る。少なくとも１つの外部サーバは、例えば、少なくとも１つの搬送クライアント、少なくとも１つの代理人、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、少なくとも１つのマッププロバイダ、少なくとも１つのサードパーティ、またはそれらの組合せによって利用または操作され得る少なくとも１つのソフトウェアおよび／または少なくとも１つのハードウェアであり得る。少なくとも１つの外部サーバは、少なくとも１つのソフトウェアおよび／または少なくとも１つのハードウェア、例えば、少なくとも１つのコンピュータアプリケーション、少なくとも１つのコンピュータプログラム、少なくとも１つのＡＰＩ、少なくとも１つのスマートフォンアプリケーション、少なくとも１つのウェブサイト、少なくとも１つのウェブアプリケーション、少なくとも１つのスマートフォンアプリケーション、少なくとも１つのクラウドアプリケーション、少なくとも１つのサービス等であり得る。
【０５２５】
少なくとも１つの外部サーバは、限定はしないが、対応する搬送データが関連付けられた少なくとも１つの好ましい搬送サービス要求の全部または一部、対応する搬送データが関連付けられた少なくとも１つのフィルタリングされた搬送サービス要求の全部または一部、対応する搬送データが関連付けられた少なくとも１つの搬送サービス要求の全部または一部、対応する搬送データが関連付けられた少なくとも１つの好ましい搬送サービス提供の全部または一部、対応する搬送データが関連付けられた少なくとも１つのフィルタリングされた搬送サービス提供の全部または一部、対応する搬送データが関連付けられた少なくとも１つの搬送サービス提供の全部または一部、対応する搬送データが関連付けられた後続のまたは追加の複数のフィルタリングされた搬送サービス提供の全部または一部、対応する搬送データが関連付けられた後続のまたは追加の少なくとも１つの好ましい搬送サービス提供の全部または一部、少なくとも１つのサービス開始地理的位置、少なくとも１つのサービス終了地理的位置、少なくとも１つの代理人の少なくとも１つのリアルタイムまたはほぼリアルタイムの地理的位置の全部または一部、少なくとも１つの搬送クライアントの少なくとも１つのリアルタイムまたはほぼリアルタイムの地理的位置の全部または一部、少なくとも１つの代理人選好、少なくとも１つの搬送クライアント選好、少なくとも１つの確保または取得された好ましい搬送サービス要求、少なくとも１つの確保または取得された好ましい搬送サービス提供等を含む情報またはデータを通信することができる。少なくとも１つの外部サーバは、情報またはデータの全部または一部を、少なくとも１つの中央サーバ、少なくとも１つの外部サーバ、少なくとも１つのアプリケーション、またはそれらの組合せと通信することができる。
【０５２６】
少なくとも１つの外部サーバは、例えば、少なくとも１つの搬送サービス要求、少なくとも１つのフィルタリングされた搬送サービス要求、少なくとも１つの好ましい搬送サービス要求、少なくとも１つの搬送サービス提供、少なくとも１つのフィルタリングされた搬送サービス提供、少なくとも１つの好ましい搬送サービス提供、またはそれらの組み合わせを確保または取得するための少なくとも１つの操作または少なくとも１つの機能を容易にすることができる少なくとも１つのソフトウェアおよび／またはハードウェアであり得る。
【０５２７】
少なくとも１つの外部サーバは、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ等に関連する少なくとも１つのＡＰＩを公開するか、またはそれらに関連する少なくとも１つのＡＰＩを介してアクセスすることができる。
【０５２８】
少なくとも１つの搬送サービス要求または少なくとも１つの搬送サービス提供に関連する搬送データの全部または一部は、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つの自律車両の少なくとも１つのオーナまたは少なくとも１つのコントローラ、少なくとも１つのマッププロバイダ、少なくとも１つのサードパーティ、またはそれらの組合せに関連付けることができる少なくとも１つの外部サーバによって供給または提供され得る。少なくとも１つの自律車両に関連する搬送データの全部または一部は、対応する搬送データが関連付けられた少なくとも１つの搬送サービス要求、対応する搬送データが関連付けられた少なくとも１つの搬送サービス提供、またはそれらの組み合わせを有するかまたは提供することもできる少なくとも１つの外部サーバによって供給または提供され得る。少なくとも１つの自律車両に関連する搬送データの全部または一部は、対応する搬送データが関連付けられた少なくとも１つの搬送サービス要求、対応する搬送データが関連付けられた少なくとも１つの搬送サービス提供、またはそれらの組み合わせを有さないまたは提供しない少なくとも１つの外部サーバによって供給または提供され得る。少なくとも１つの自律車両、少なくとも１つの自律車両に関連する搬送データの全部または一部、またはそれらの組合せは、少なくとも１つのサードパーティによって供給または提供され得る。
【０５２９】
少なくとも１つの外部サーバは、限定はしないが、対応する搬送データが関連付けられた少なくとも１つの搬送サービス要求、対応する搬送データが関連付けられた少なくとも１つの搬送サービス提供、またはそれらの組合せの少なくとも１つのソースを含み得る。少なくとも１つの外部サーバは、例えば、少なくとも１つのリアルタイムまたはほぼリアルタイムの搬送サービス要求の少なくとも１つのソースであり得る。少なくとも１つの外部サーバは、例えば、少なくとも１つのリアルタイムまたはほぼリアルタイムの搬送サービス提供の少なくとも１つのソースであり得る。少なくとも１つの外部サーバは、限定はしないが、少なくとも１つのコンピュータネットワークシステムであり得る。少なくとも１つの外部サーバは、限定はしないが、少なくとも１つのコンピュータプロセッサ、少なくとも１つのコンピュータ可読メモリ、および少なくとも１つのネットワークインターフェースを含み得る。少なくとも１つの外部サーバは、好ましくは、ハードウェア及び／またはソフトウェアを、単独で、または組み合わせて、包含することができる。
【０５３０】
少なくとも１つの搬送サービス要求または少なくとも１つの搬送サービス提供に関連する搬送データの全部または一部は、少なくとも１つの中央サーバ、少なくとも１つの外部サーバ、少なくとも１つのアプリケーション、少なくとも１つの自律車両に関連付けることができる少なくとも１つのアプリケーション、少なくとも１つの端末、少なくとも１つの自律車両、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、少なくとも１つの搬送クライアント、少なくとも１つの代理人、またはそれらの組合せに送信するかまたはそれらと通信することができる。
【０５３１】
少なくとも１つの好ましい搬送サービス要求または少なくとも１つの好ましい搬送サービス提供を、少なくとも１つの中央サーバ、少なくとも１つのアプリケーション、少なくとも１つの外部サーバ、少なくとも１つの端末、少なくとも１つのリンク、またはそれらの組合せを介して、またはそれらによって確保または取得することができる。少なくとも１つの外部サーバは、少なくとも１つのデータポイントに基づいた少なくとも１つのデータベースを有するか、または少なくとも１つのデータベースに関連付けることができる。少なくとも１つの外部サーバは、少なくとも１つの搬送サービス要求、少なくとも１つの搬送サービス提供、またはそれらの組合せのための少なくとも１つのデータベースを有するか、またはそれらに関連付けることができる。少なくとも１つの外部サーバは、少なくとも１つの搬送クライアント選好、少なくとも１つの代理人選好、またはそれらの組み合わせに基づいた少なくとも１つのデータベースを有するか、または少なくとも１つのデータベースに関連付けることができる。少なくとも１つの外部サーバは、少なくとも１つの搬送業界セグメントのための少なくとも１つのデータベースを有するか、またはそれに関連付けることができる。少なくとも１つの外部サーバは、少なくとも１つの搬送業界セグメントを有するか、またはそれに関連付けることができる。
【０５３２】
少なくとも１つの外部サーバは、限定はしないが、少なくとも１つのリンクを介して、少なくとも１つの中央サーバ、少なくとも１つのアプリケーション、またはそれらの組み合わせに接続するか、またはそれらと通信することができる少なくとも１つのサーバであり得る。少なくとも１つの外部サーバは、少なくとも１つのリンクを介して、少なくとも１つの中央サーバまたは少なくとも１つのアプリケーションに、限定はしないが、搬送データが関連付けられた少なくとも１つの搬送サービス要求、搬送データが関連付けられた少なくとも１つの搬送サービス提供、またはそれらの組合せをリアルタイムまたはほぼリアルタイムで送信することができる。少なくとも１つの外部サーバは、異なるハードウェアおよび／またはソフトウェアを、単独で、または組み合わせて、包含することができる。少なくとも１つの外部サーバは、少なくとも１つのデータベースを含むか、または少なくとも１つのデータベースに接続することができる。少なくとも１つの外部サーバの少なくとも１つのコンピュータ可読メモリは、少なくとも１つの外部サーバが接続することができる少なくとも１つのデータベースであり得る。
【０５３３】
少なくとも１つの外部サーバは、限定はしないが、少なくとも１つの中央サーバ、少なくとも１つの外部サーバ、少なくとも１つのリンク、少なくとも１つの端末、少なくとも１つの商品サプライヤ、少なくとも１つの自律車両、少なくとも１つのアプリケーション、少なくとも１つのサービスプロバイダ、少なくとも１つの商品サプライヤサーバ、少なくとも１つのフリートマネージャサーバ、少なくとも１つの自律車両の少なくとも１つのオーナまたは少なくとも１つのコントローラのサーバ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、少なくとも１つの搬送クライアント、少なくとも１つの代理人、またはそれらの組合せを有するか、またはそれらに関連付けることができる。少なくとも１つの外部サーバは、任意で、少なくとも１つのサービスプロバイダサーバ、少なくとも１つの商品サプライヤサーバ、少なくとも１つのフリートマネージャサーバ、少なくとも１つの自律車両の少なくとも１つのオーナまたは少なくとも１つのコントローラのサーバ、少なくとも１つのロジスティクスプロバイダサーバ、少なくとも１つのロジスティクスサプライヤサーバ、少なくとも１つのマッププロバイダサーバ、少なくとも１つのサードパーティサーバ等ととらえるかまたは呼ぶことができる。
【０５３４】
少なくとも１つの外部サーバは、少なくとも１つの個々の地理的位置または少なくとも１つの追加の地理的位置にある少なくとも１つのサーバであり得る。少なくとも１つの外部サーバは、好ましくは、１つのインターネットロケーションに関連し得るが、そうである必要はない。好ましくは、少なくとも１つの外部サーバは、少なくとも１つの安全なサーバであり得る。少なくとも１つの外部サーバは、市販のハードウェアおよび／またはソフトウェアを使用して安全にすることができる。さらに、少なくとも１つの外部サーバは、少なくとも１つの外部サーバに出入りする通信が暗号化されるように、暗号化ソフトウェアを含み得る。暗号化ハードウェアおよび／またはソフトウェアは市販されている。
【０５３５】
少なくとも１つの外部サーバは、少なくとも１つのアプリケーションプログラムインターフェース（ＡＰＩ）等に関連付けることができる。少なくとも１つの外部サーバのアプリケーションプログラムインターフェース（ＡＰＩ）等を使用して、限定はしないが、少なくとも１つの中央サーバ、少なくとも１つの外部サーバ、少なくとも１つのアプリケーション、少なくとも１つの端末、少なくとも１つの搬送クライアント、少なくとも１つの代理人、少なくとも１つのマッププロバイダ、少なくとも１つのサードパーティ、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、またはそれらの組合せの間の通信を容易にすることができる。少なくとも１つの外部サーバは、少なくとも１つの搬送業界セグメントで活動する少なくとも１つのサービスプロバイダ等に関連する、搬送データが関連付けられた少なくとも１つの搬送サービス要求、搬送データが関連付けられた少なくとも１つの搬送サービス提供、またはそれらの組合せを提供することができる。少なくとも１つの外部サーバは、リアルタイムまたはほぼリアルタイムで更新またはリフレッシュすることができ、最高の発展レベルまたは最新技術に更新またはリフレッシュされているものを指し得る。少なくとも１つの外部サーバは、リアルタイムまたはほぼリアルタイムで少なくとも１つの機能を実行することができ、最高の発展レベルまたは最新技術に更新またはリフレッシュされているものを指し得る。
【０５３６】
限定を目的としない例として、対応する搬送データが関連付けられた少なくとも１つの搬送サービス要求、対応する搬送データが関連付けられた少なくとも１つの搬送サービス提供、またはそれらの組合せの少なくとも１つのソースである少なくとも１つの外部サーバは、少なくとも１つの個々のサービスプロバイダ、少なくとも１つの個々の商品サプライヤ、少なくとも１つの個々のフリートマネージャ、少なくとも１つの自律車両の少なくとも１つの個々のオーナまたは少なくとも１つの個々のコントローラ、少なくとも１つの個々のロジスティクスプロバイダ、少なくとも１つの個々のロジスティクスサプライヤ、少なくとも１つの個々のマッププロバイダ、少なくとも１つの個々のサードパーティ、少なくとも１つの個々の代理人、少なくとも１つの個々の搬送クライアント等に関連付けることができる。
【０５３７】
限定を目的としない例として、個々のサービスプロバイダ、個々のマッププロバイダ等は、少なくとも１つのデータポイントに基づいた少なくとも１つのデータベースを使用することができるかまたは有することができる少なくとも１つの外部サーバに関連付けることができる。限定を目的としない例として、個々のサービスプロバイダ、個々のマッププロバイダ等は、少なくとも１つの搬送サービス要求、少なくとも１つの搬送サービス提供、またはそれらの組合せのための少なくとも１つのデータベースを使用することができるかまたは有することができる、少なくとも１つの外部サーバに関連付けることができる。限定を目的としない例として、個々のサービスプロバイダ、個々のマッププロバイダ等は、少なくとも１つの搬送クライアント選好または少なくとも１つの代理人選好に基づいた少なくとも１つのデータベースを使用することができるかまたは有することができる少なくとも１つの外部サーバに関連付けることができる。限定を目的としない例として、個々のサービスプロバイダ、個々のマッププロバイダ等は、少なくとも１つの搬送業界セグメントのための少なくとも１つのデータベースを使用することができるかまたは有することができる少なくとも１つの外部サーバに関連付けることができる。限定を目的としない例として、個々のサービスプロバイダ、個々のマッププロバイダ等は、ライドヘイル業界セグメントという搬送業界セグメントに関連する少なくとも１つの外部サーバと、貨物搬送業界セグメントという搬送業界セグメントに関連する少なくとも１つの他の外部サーバとを使用することができるかまたは有することができる。限定を目的としない例として、個々のサービスプロバイダ、個々のマッププロバイダ等は、少なくとも１つの搬送サービス要求、少なくとも１つの搬送サービス提供、またはそれらの組合せのための少なくとも１つの外部サーバを使用することができるかまたは有することができる。
【０５３８】
限定を目的としない例として、少なくとも１つの外部サーバは、少なくとも１つの中央サーバ上で動作することができる。限定を目的としない例として、少なくとも１つの外部サーバは、同じまたは少なくとも１つの異なる地理的位置において操作可能にリンクされた少なくとも１つの別個のサーバを含み得る。限定を目的としない例として、少なくとも１つの外部サーバは、任意で、少なくとも１つのピアツーピアネットワークととらえるかまたは呼ぶことができる。限定を目的としない例として、少なくとも１つの外部サーバは、少なくとも１つの中央サーバまたは少なくとも１つのアプリケーションに、または少なくとも１つの中央サーバまたは少なくとも１つのアプリケーションで、事前に標準化することができる、少なくとも１つの搬送サービス要求、少なくとも１つの搬送サービス提供、またはそれらの組合せを送信することができる。限定を目的としない例として、少なくとも１つの外部サーバは、限定はしないが、少なくとも１つのリンクを介して、少なくとも１つのアプリケーション、少なくとも１つの中央サーバ、またはそれらの組合せに接続するかまたはそれらと通信することができる少なくとも１つのサーバであり得る。限定を目的としない例として、少なくとも１つの外部サーバの少なくとも１つの機能は、少なくとも１つの中央サーバによって実行することができる。
【０５３９】
限定を目的としない例として、少なくとも１つの搬送サービス要求は、少なくとも１つの中央サーバ、少なくとも１つの外部サーバ、少なくとも１つのアプリケーション、またはそれらの組合せ上で事前にフィルタリングしたかまたは事前に分類した後に、少なくとも１つの中央サーバ、少なくとも１つの外部サーバ、少なくとも１つのアプリケーション、またはそれらの組合せ上で、少なくとも１つの代理人選好に基づいてフィルタリングすることができる。限定を目的としない例として、少なくとも１つの搬送サービス提供は、少なくとも１つの中央サーバ、少なくとも１つの外部サーバ、少なくとも１つのアプリケーション、またはそれらの組合せ上で事前にフィルタリングしたかまたは事前に分類した後に、少なくとも１つの中央サーバ、少なくとも１つの外部サーバ、少なくとも１つのアプリケーション、またはそれらの組合せ上で、少なくとも１つの搬送クライアント選好に基づいてフィルタリングすることができる。
【０５４０】
限定を目的としない例として、少なくとも１つの外部サーバは、少なくとも１つの搬送サービス要求、少なくとも１つのフィルタリングされた搬送サービス要求、少なくとも１つの好ましい搬送サービス要求、少なくとも１つの搬送サービス提供、少なくとも１つのフィルタリングされた搬送サービス提供、少なくとも１つの好ましい搬送サービス提供、またはそれらの組合せを事前にフィルタリングするかまたは事前に分類することができる。限定を目的としない例として、少なくとも１つの外部サーバは、少なくとも１つの搬送サービス要求、少なくとも１つのフィルタリングされた搬送サービス要求、少なくとも１つの好ましい搬送サービス要求、少なくとも１つの搬送サービス提供、少なくとも１つのフィルタリングされた搬送サービス提供、少なくとも１つの好ましい搬送サービス提供、またはそれらの組合せを事前にフィルタリングするかまたは事前に分類することができ、少なくとも１つの中央サーバまたは少なくとも１つのアプリケーションは、フィルタリングする必要や好ましいと識別する必要がない。限定を目的としない例として、少なくとも１つの外部サーバは、少なくとも１つの地理的エリアに関連する、少なくとも１つの搬送サービス要求、少なくとも１つのフィルタリングされた搬送サービス要求、少なくとも１つの好ましい搬送サービス要求、少なくとも１つの搬送サービス提供、少なくとも１つのフィルタリングされた搬送サービス提供、少なくとも１つの好ましい搬送サービス提供、またはそれらの組合せを事前にフィルタリングするかまたは事前に分類することができる。限定を目的としない例として、少なくとも１つの外部サーバは、少なくとも１つのサービスレベル選好に関連する、少なくとも１つの搬送サービス要求、少なくとも１つのフィルタリングされた搬送サービス要求、少なくとも１つの好ましい搬送サービス要求、少なくとも１つの搬送サービス提供、少なくとも１つのフィルタリングされた搬送サービス提供、少なくとも１つの好ましい搬送サービス提供、またはそれらの組合せを事前にフィルタリングするかまたは事前に分類することができる。
【０５４１】
限定を目的としない例として、少なくとも１つの外部サーバは、限定はしないが、対応する搬送データが関連付けられた少なくとも１つの好ましい搬送サービス要求の全部または一部、対応する搬送データが関連付けられた少なくとも１つのフィルタリングされた搬送サービス要求の全部または一部、対応する搬送データが関連付けられた少なくとも１つの搬送サービス要求の全部または一部、対応する搬送データが関連付けられた少なくとも１つの好ましい搬送サービス提供の全部または一部、対応する搬送データが関連付けられた少なくとも１つのフィルタリングされた搬送サービス提供の全部または一部、対応する搬送データが関連付けられた少なくとも１つの搬送サービス提供の全部または一部、対応する搬送データが関連付けられた後続のまたは追加の複数のフィルタリングされた搬送サービス提供の全部または一部、対応する搬送データが関連付けられた後続のまたは追加の少なくとも１つの好ましい搬送サービス提供の全部または一部、少なくとも１つのサービス開始地理的位置、少なくとも１つのサービス終了地理的位置、少なくとも１つの代理人の少なくとも１つのリアルタイムまたはほぼリアルタイムの地理的位置の全部または一部、少なくとも１つの搬送クライアントの少なくとも１つのリアルタイムまたはほぼリアルタイムの地理的位置の全部または一部、少なくとも１つの代理人選好、少なくとも１つの搬送クライアント選好、少なくとも１つの確保または取得された好ましい搬送サービス要求、少なくとも１つの確保または取得された好ましい搬送サービス提供、またはそれらの組み合わせを、一緒にまたは別々にフィルタリングし識別することができる。
【０５４２】
限定を目的としない例として、少なくとも１つの中央サーバ、少なくとも１つの外部サーバ、少なくとも１つのアプリケーション、少なくとも１つの端末、少なくとも１つのリンク、またはそれらの組合せは、結合または統合することができる。限定を目的としない例として、少なくとも１つの外部サーバ、少なくとも１つの中央サーバ、少なくとも１つのアプリケーション、少なくとも１つの端末、少なくとも１つのリンク、またはそれらの組合せは、少なくとも１つのスマートフォン上で結合または統合することができる。限定を目的としない例として、少なくとも１つの外部サーバは、少なくとも１つの搬送サービス要求と同じようにまたは同様に少なくとも１つの搬送サービス提供を管理または処理することができる。限定を目的としない例として、少なくとも１つの外部サーバは、少なくとも１つの搬送サービス提供と同じようにまたは同様になくとも１つの搬送サービス要求を管理または処理することができる。
【０５４３】
限定を目的としない例として、少なくとも１つの外部サーバは、少なくとも１つの好ましい搬送サービス要求、少なくとも１つのフィルタリングされた搬送サービス要求、少なくとも１つの搬送サービス要求、少なくとも１つの好ましい搬送サービス提供、少なくとも１つのフィルタリングされた搬送サービス提供、少なくとも１つの搬送サービス提供、またはそれらの組み合わせを確保または取得することができ、少なくとも１つの中央サーバ、少なくとも１つの外部サーバ、少なくとも１つのアプリケーション、少なくとも１つの自律車両、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、少なくとも１つの代理人、少なくとも１つの搬送クライアント、またはそれらの組合せと直接または間接的に通信することができる。
【０５４４】
限定を目的としない例として、少なくとも１つの好ましい搬送サービス要求または少なくとも１つの好ましい搬送サービス提供を、少なくとも１つのアプリケーションを介して、少なくとも１つの中央サーバまたは少なくとも１つの外部サーバによって確保または取得することができる。限定を目的としない例として、少なくとも１つの好ましい搬送サービス要求または少なくとも１つの好ましい搬送サービス提供を、少なくとも１つのリンクを介して、少なくとも１つのアプリケーションと少なくとも１つの中央サーバとの間で、確保または取得し、送信することができる。限定を目的としない例として、少なくとも１つの好ましい搬送サービス要求または少なくとも１つの好ましい搬送サービス提供を、少なくとも１つのリンクを介して、少なくとも１つのアプリケーションと少なくとも１つの外部サーバとの間で、確保または取得し、送信することができる。限定を目的としない例として、少なくとも１つの好ましい搬送サービス要求または少なくとも１つの好ましい搬送サービス提供を、少なくとも１つのリンクを介して、少なくとも１つのアプリケーションと少なくとも１つの外部サーバとの間で、少なくとも１つの中央サーバを介して、確保または取得し、送信することができる。限定を目的としない例として、少なくとも１つの外部サーバは、２つの異なるエンティティに属する２つの中央サーバに接続するか、またはそれらと通信することができる。限定を目的としない例として、少なくとも１つの確保または取得された好ましい搬送サービス要求、少なくとも１つの確保または取得された好ましい搬送サービス提供、またはそれらの組み合わせは、少なくとも１つのリンクを介して、少なくとも１つのアプリケーションから少なくとも１つの外部サーバまたは少なくとも１つの中央サーバに送信することができる。
【０５４５】
「搬送データ」
搬送データは、例えば、少なくとも１つの好ましい搬送サービス要求または少なくとも１つの好ましい搬送サービス提供を確保または取得するための少なくとも１つの操作または少なくとも１つの機能を容易にするために使用することができる情報またはデータであり得る。搬送データは、例えば、少なくとも１つの代理人、少なくとも１つの搬送クライアント、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せによって利用または管理することができる情報またはデータであり得る。
【０５４６】
搬送データは、例えば、少なくとも１つの地理的位置から少なくとも１つの他の地理的位置への、限定はしないが、少なくとも１人の人、少なくとも１つの商品、少なくとも１つの物品、少なくとも１つの物、またはそれらの組合せを輸送するための少なくとも１つの要求または少なくとも１つの提供の、少なくとも１つの過去のメトリック、少なくとも１つの現在のメトリック、少なくとも１つの将来のメトリック、またはそれらの組合せに対応するデータまたは情報であり得る。
【０５４７】
少なくとも１つの代理人に関連する搬送データ、少なくとも１つの搬送サービス要求、少なくとも１つの代理人の少なくとも１つのリアルタイムまたはほぼリアルタイムの地理的位置、またはそれらの組合せは、少なくとも１つの外部サーバ、少なくとも１つの中央サーバ、少なくとも１つのアプリケーション等から供給または提供することができる。少なくとも１つの代理人に関連する搬送データ、少なくとも１つの搬送サービス要求、少なくとも１つの代理人の少なくとも１つのリアルタイムまたはほぼリアルタイムの地理的位置、またはそれらの組合せは、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、少なくとも１つの代理人等によって供給または提供することができる。
【０５４８】
少なくとも１つの搬送クライアントに関連する搬送データ、少なくとも１つの搬送サービス提供、少なくとも１つの搬送クライアントの少なくとも１つのリアルタイムまたはほぼリアルタイムの地理的位置、またはそれらの組合せは、少なくとも１つの外部サーバ、少なくとも１つの中央サーバ、少なくとも１つのアプリケーション等から供給または提供することができる。少なくとも１つの搬送クライアントに関連する搬送データ、少なくとも１つの搬送サービス提供、少なくとも１つの搬送クライアントの少なくとも１つのリアルタイムまたはほぼリアルタイムの地理的位置、またはそれらの組合せは、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、少なくとも１つの搬送クライアント等によって供給または提供することができる。
【０５４９】
少なくとも１つの代理人に関連する搬送データ、少なくとも１つの搬送サービス要求、少なくとも１つの代理人の少なくとも１つのリアルタムまたはほぼリアルタイムの地理的位置、またはそれらの組合せは、少なくとも１つの外部サーバ、少なくとも１つの中央サーバ、少なくとも１つのアプリケーション等によって生成することができる。少なくとも１つの代理人に関連する搬送データ、少なくとも１つの搬送サービス要求、少なくとも１つの代理人の少なくとも１つのリアルタムまたはほぼリアルタイムの地理的位置、またはそれらの組合せは、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、少なくとも１つの代理人等によって生成することができる。
【０５５０】
少なくとも１つの搬送クライアントに関連する搬送データ、少なくとも１つの搬送サービス提供、少なくとも１つの搬送クライアントの少なくとも１つのリアルタムまたはほぼリアルタイムの地理的位置、またはそれらの組合せは、少なくとも１つの外部サーバ、少なくとも１つの中央サーバ、少なくとも１つのアプリケーション等によって生成することができる。少なくとも１つの搬送クライアントに関連する搬送データ、少なくとも１つの搬送サービス提供、少なくとも１つの搬送クライアントの少なくとも１つのリアルタムまたはほぼリアルタイムの地理的位置、またはそれらの組合せは、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、少なくとも１つの搬送クライアント等によって生成することができる。
【０５５１】
搬送データは、少なくとも１つの代理人または少なくとも１つの搬送クライアントに関連する、少なくとも１つの技術、少なくとも１つのソフトウェア、少なくとも１つのハードウェア、またはそれらの組合せによって供給、提供、または生成することができる。少なくとも１つの搬送サービス要求または少なくとも１つの搬送サービス提供に関連する搬送データの全部または一部は、少なくとも１つの好ましい搬送サービス要求または少なくとも１つの好ましい搬送サービス提供を分析または評価し、次いで確保または取得するために、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、少なくとも１つのマッププロバイダ、少なくとも１つのサードパーティ、少なくとも１つの搬送クライアント、少なくとも１つの代理人、またはそれらの組合せによって使用され得る。
【０５５２】
搬送データは、限定はしないが、例えば、少なくとも１つのリンクを介して、少なくとも１つの外部サーバ、少なくとも１つの中央サーバ、少なくとも１つのアプリケーション、少なくとも１つの端末、またはそれらの組合せの間で送信することができる、少なくとも１つの搬送サービス要求、少なくとも１つのフィルタリングされた搬送サービス要求、少なくとも１つの好ましい搬送サービス要求、またはそれらの組合せに対応する任意のデータまたは情報であり得る。搬送データは、限定はしないが、例えば、少なくとも１つのリンクを介して、少なくとも１つの外部サーバ、少なくとも１つの中央サーバ、少なくとも１つのアプリケーション、少なくとも１つの端末、またはそれらの組合せの間で送信することができる、少なくとも１つの搬送サービス提供、少なくとも１つのフィルタリングされた搬送サービス提供、少なくとも１つの好ましい搬送サービス提供、またはそれらの組合せに対応する任意のデータまたは情報であり得る。搬送データは、例えば、少なくとも１つの搬送サービスを分析または評価し、次いで確保または取得するために、少なくとも１つの代理人、少なくとも１つの搬送クライアント、またはそれらの組み合わせによって使用され得る。
【０５５３】
搬送データは、例えば、少なくとも１つの外部サーバから、少なくとも１つの中央サーバ、少なくとも１つのアプリケーション、少なくとも１つの外部サーバ、またはそれらの組合せに送信することができる。少なくとも１つの外部サーバから取り出された搬送データは、例えば、少なくとも１つの中央サーバ、少なくとも１つのアプリケーション、少なくとも１つの外部サーバ、またはそれらの組合せ上にキャッシュすることができ、性能を向上させ、限定はしないが、少なくとも１つの中央サーバ制限、少なくとも１つの外部サーバ制限、少なくとも１つのサービスプロバイダ等の制限、少なくとも１つのリンク制限、および任意の関連するサービスプロバイダ等の制限を含む、少なくとも１つの関連する制限を一層多く回避することができる。
【０５５４】
搬送データは、少なくとも１つのデータベースに格納またはキャッシュすることができる。搬送データは、少なくとも１つのデータベーステーブルに格納またはキャッシュすることができる。搬送データはリアルタイムまたはほぼリアルタイムで更新またはリフレッシュすることができ、最高レベルの開発または最新技術に更新またはリフレッシュされているものを指し得る。搬送データは、少なくとも１つの搬送業界セグメントで活動する、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、少なくとも１つの搬送クライアント、少なくとも１つの代理人、またはそれらの組合せに関連する、少なくとも１つの好ましい搬送サービス要求、少なくとも１つのフィルタリングされた搬送サービス要求、少なくとも１つの搬送サービス要求、またはそれらの組み合わせに対応し得る。搬送データは、少なくとも１つの搬送業界セグメントで活動する、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、少なくとも１つの搬送クライアント、少なくとも１つの代理人、またはそれらの組合せに関連する、少なくとも１つの好ましい搬送サービス提供、少なくとも１つのフィルタリングされた搬送サービス提供、少なくとも１つの搬送サービス提供、またはそれらの組み合わせに対応し得る。
【０５５５】
搬送データの全部または一部は、限定はしないが、少なくとも１つの搬送サービス要求を少なくとも１つのフィルタリングされた搬送サービス要求にフィルタリングするために使用することができる、少なくとも１つの搬送サービス要求、少なくとも１つのフィルタリングされた搬送サービス要求、少なくとも１つの好ましい搬送サービス要求、またはそれらの組合せに関連する任意のデータまたは情報であり得る。搬送データの全部または一部は、限定はしないが、少なくとも１つの搬送サービス提供を少なくとも１つのフィルタリングされた搬送サービス提供にフィルタリングするために使用することができる、少なくとも１つの搬送サービス提供、少なくとも１つのフィルタリングされた搬送サービス提供、少なくとも１つの好ましい搬送サービス提供、またはそれらの組合せに関連する任意のデータまたは情報であり得る。
【０５５６】
搬送データの全部または一部は、限定はしないが、少なくとも１つのフィルタリングされた搬送サービス要求から少なくとも１つの好ましい搬送サービス要求を識別するために使用することができる、少なくとも１つの搬送サービス要求、少なくとも１つのフィルタリングされた搬送サービス要求、少なくとも１つの好ましい搬送サービス要求、またはそれらの組合せに関連する任意のデータまたは情報であり得る。搬送データの全部または一部は、限定はしないが、少なくとも１つのフィルタリングされた搬送サービス提供から少なくとも１つの好ましい搬送サービス提供を識別するために使用することができる、少なくとも１つの搬送サービス提供、少なくとも１つのフィルタリングされた搬送サービス提供、少なくとも１つの好ましい搬送サービス提供、またはそれらの組合せに関連する任意のデータまたは情報であり得る。
【０５５７】
搬送データの全部または一部は、限定はしないが、少なくとも１つの搬送サービス要求、少なくとも１つのフィルタリングされた搬送サービス要求、少なくとも１つの好ましい搬送サービス要求、少なくとも１つの搬送サービス提供、少なくとも１つのフィルタリングされた搬送サービス提供、少なくとも１つの好ましい搬送サービス提供、またはそれらの組合せに関連する、格納、集約、標準化、フィルタリング、好ましいと識別等することができる、任意のデータまたは情報であり得る。
【０５５８】
搬送データの全部または一部は、限定はしないが、少なくとも１つの搬送サービス要求、少なくとも１つのフィルタリングされた搬送サービス要求、少なくとも１つの好ましい搬送サービス要求、少なくとも１つの搬送サービス提供、少なくとも１つのフィルタリングされた搬送サービス提供、少なくとも１つの好ましい搬送サービス提供、またはそれらの組合せに関連する、事前にフィルタリングするかまたは事前に分類することができる、任意のデータまたは情報であり得る。少なくとも１つの搬送サービス要求、少なくとも１つのフィルタリングされた搬送サービス要求、少なくとも１つの好ましい搬送サービス要求、少なくとも１つの搬送サービス提供、少なくとも１つのフィルタリングされた搬送サービス提供、少なくとも１つの好ましい搬送サービス提供、またはそれらの組合せに関連する搬送データの全部または一部は、少なくとも１つの代理人または少なくとも１つの搬送クライアントの少なくとも１つのリアルタイムまたはほぼリアルタイムの地理的位置の全部または一部にそれぞれ基づいて事前にフィルタリングするかまたは事前に分類することができる。
【０５５９】
搬送データは、例えば、少なくとも１つの好ましい搬送サービス要求または少なくとも１つの好ましい搬送サービス提供を分析または評価し、次いで確保または取得するために、少なくとも１つの中央サーバ、少なくとも１つの外部サーバ、少なくとも１つのアプリケーション、少なくとも１つの代理人、少なくとも１つの搬送クライアント、またはそれらの組合せによって使用され得る。
【０５６０】
搬送データは、少なくとも１つの好ましい搬送サービス要求または少なくとも１つの好ましい搬送サービス提供を識別するために最適化することができる。搬送データは、限定はしないが、少なくとも１つの自律車両、少なくとも１つの自律車両センサ、少なくとも１つのセンサデータ、少なくとも１つのサードパーティプロバイダ、少なくとも１つのマッピングプロバイダ、少なくとも１つの遠隔サーバ、少なくとも１つの外部サーバ、少なくとも１つのサービスプロバイダ、少なくとも１つの搬送クライアント、少なくとも１つの代理人等から来得る最適化データを含み得る。搬送データは、例えば、限定はしないが、少なくとも１つの地理的エリアに関連する人口統計学データ、少なくとも１つの搬送サービス要求、少なくとも１つの搬送サービス提供、搬送データの全部または一部、少なくとも１つの自律車両に関連する搬送データの全部または一部、少なくとも１つの搬送クライアント、少なくとも１つの代理人、少なくとも１つの自律車両、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ等を含み得る。
【０５６１】
搬送データは、限定はしないが、少なくとも１つのフィルタリングされた搬送サービス要求または少なくとも１つのフィルタリングされた搬送サービス提供の少なくとも１つの統計変数を含み得る。搬送データは、限定はしないが、少なくとも１つの好ましい搬送サービス要求または少なくとも１つの好ましい搬送サービス提供の少なくとも１つの統計変数を含み得る。
【０５６２】
限定を目的としない例として、搬送データは、好ましくは、リアルタイムまたはほぼリアルタイムであり得、限定はしないが、少なくとも１つのサービス開始地理的位置、少なくとも１つのサービス終了地理的位置、価格設定情報、高価格設定情報、少なくとも１つの代理人選好、少なくとも１つの搬送クライアント選好、少なくとも１つの距離パラメータ、少なくとも１つの推定到着時間、少なくとも１つの目的地までの時間、少なくとも１つの搬送クライアント地理的位置、少なくとも１つの搬送クライアント評価、少なくとも１つの搬送クライアント格付け、少なくとも１つの搬送クライアント詳細、少なくとも１つの搬送サービス詳細、少なくとも１つの搬送サービスルート、少なくとも１つの好ましい搬送クライアント、少なくとも１つのセンサデータ、少なくとも１つの代理人地理的位置、少なくとも１つの代理人評価、少なくとも１つの代理人格付け、少なくとも１つの代理人詳細、少なくとも１つの自律車両地理的位置、少なくとも１つの自律車両評価、少なくとも１つの自律車両格付け、少なくとも１つの自律車両詳細、少なくとも１つの好ましい自律車両、少なくとも１つのルート計画選好、少なくとも１つの燃費選好、少なくとも１つのバッテリ寿命選好、少なくとも１つの車両容量選好、少なくとも１つの車両診断選好、少なくとも１つの搬送データ選好、少なくとも１つのサービスプロバイダ地理的位置、少なくとも１つのサービスプロバイダ評価、少なくとも１つのサービスプロバイダ格付け、少なくとも１つのサービスプロバイダ詳細、少なくとも１つの好ましいサービスプロバイダ、少なくとも１つの商品サプライヤ地理的位置、少なくとも１つの商品サプライヤ評価、少なくとも１つの商品サプライヤ格付け、少なくとも１つの商品サプライヤ詳細、少なくとも１つの好ましい商品サプライヤ、少なくとも１つの自律車両の少なくとも１つのオーナまたは少なくとも１つのコントローラの地理的位置、少なくとも１つの自律車両評価の少なくとも１つのオーナまたは少なくとも１つのコントローラ、少なくとも１つの自律車両格付けの少なくとも１つのオーナまたは少なくとも１つのコントローラ、少なくとも１つの自動車詳細の少なくとも１つのオーナまたは少なくとも１つのコントローラ、少なくとも１つの自律車両の少なくとも１つの好ましいオーナまたは少なくとも１つの好ましいコントローラ、少なくとも１つのフリートマネージャ地理的位置、少なくとも１つのフリートマネージャ評価、少なくとも１つのフリートマネージャ格付け、少なくとも１つのフリートマネージャ詳細、少なくとも１つの好ましいフリートマネージャ、少なくとも１つのロジスティクスプロバイダ地理的位置、少なくとも１つのロジスティクスプロバイダ評価、少なくとも１つのロジスティクスプロバイダ格付け、少なくとも１つのロジスティクスプロバイダ詳細、少なくとも１つの好ましいロジスティクスプロバイダ、少なくとも１つのロジスティクスサプライヤ地理的位置、少なくとも１つのロジスティクスサプライヤ評価、少なくとも１つのロジスティクスサプライヤ格付け、少なくとも１つのロジスティクスサプライヤ詳細、少なくとも１つの好ましいロジスティクスサプライヤ、少なくとも１つの搬送業界セグメント詳細、少なくとも１つの好ましい搬送業界セグメント、少なくとも１つの商品詳細、少なくとも１つのアイテム詳細、少なくとも１つのタイプの車両詳細、少なくとも１つの車両詳細、少なくとも１つの統計変数の少なくとも１つの測定値、少なくとも１つのサービスレベル詳細、少なくとも１つの燃料消費、少なくとも１つのバッテリレベル、少なくとも１つの車両診断、少なくとも１つの車両容量、またはそれらの組合せを含み得る。
【０５６３】
限定を目的としない例として、搬送データの全部または一部は、結合または統合することができる、少なくとも１つのアプリケーション、少なくとも１つの端末、少なくとも１つの中央サーバ、少なくとも１つの外部サーバ、少なくとも１つのリンク、またはそれらの組合せと通信することができる。限定を目的としない例として、搬送データは、例えば、少なくとも１つの好ましい車両タイプ、少なくとも１つの好ましい車両サービス、またはそれらの組合せを識別するために利用することができる、少なくとも１つの車両詳細または少なくとも１つの自律車両詳細を含み得る。限定を目的としない例として、少なくとも１つの搬送サービス提供または少なくとも１つの搬送サービス要求に関連する搬送データは、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ等に関連する少なくとも１つの外部サーバによって供給または提供され得る。
【０５６４】
限定を目的としない例として、搬送データは、少なくとも１つの中央サーバ、少なくとも１つのアプリケーション、少なくとも１つの外部サーバ、少なくとも１つの端末、またはそれらの組合せから生成または提供され得る。限定を目的としない例として、少なくとも１つの統計変数に関連する搬送データを使用して、少なくとも１つのヒートマップをコンパイルすることができる。限定を目的としない例として、少なくとも１つの統計変数に関連する搬送データは、搬送サービス利用可能性、価格設定、高価格設定、搬送サービス要求密度、フィルタリングされた搬送サービス要求密度、好ましい搬送サービス要求密度、搬送サービス提供密度、フィルタリングされた搬送サービス提供密度、好ましい搬送サービス提供密度、サービスレベル密度、少なくとも１つの搬送サービス距離、少なくとも１つの推定到着時間、好ましい搬送クライアント密度、好ましい商品サプライヤ密度、少なくとも１つの好ましい搬送業界セグメント、搬送業界セグメント密度、代理人密度、搬送クライアント密度、サービスプロバイダ密度、商品サプライヤ密度、またはそれらの組合せのうちの少なくとも１つの測定値を含み得る。
【０５６５】
限定を目的としない例として、少なくとも１つの搬送サービス提供または少なくとも１つの搬送サービス要求に関連する搬送データの全部または一部は、ルート計画および、少なくとも１つの好ましい搬送サービス提供または少なくとも１つの好ましい搬送サービス要求の識別に利用される、少なくとも１つのサードパーティマッププロバイダによって提供され得る最適化データを含み得る。限定を目的としない例として、搬送データは、少なくとも１つの搬送クライアントに属する少なくとも１つのデバイスまたは少なくとも１つの端末の少なくとも１つのバッテリレベルに関連し得る。限定を目的としない例として、搬送データは、限定はしないが、マイルストーン、賞金、インセンティブ、完了したライド（ｒｉｄｅ）の回数、金銭的収益、財務情報、またはスケジューリング情報を含み得る。
【０５６６】
限定を目的としない例として、少なくとも１つの自律車両に関連する少なくとも１つのセンサデータは、少なくとも１つの他の自律車両、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、少なくとも１つの搬送クライアント、少なくとも１つの代理人、またはそれらの組合せに通信され得る。限定を目的としない例として、少なくとも１つのセンサデータを使用して、少なくとも１つの自律車両の少なくとも１つの状態を通信することができる。限定を目的としない例として、少なくとも１つの自律車両の少なくとも１つのリアルタイムまたはほぼリアルタイムの地理的位置は、少なくとも１つのセンサデータに基づくか、または関連することができる。限定を目的としない例として、少なくとも１つの自律車両の少なくとも１つのリアルタイムまたはほぼリアルタイムの地理的位置等の、少なくとも１つの自律車両に関連する搬送データは、少なくとも１つの外部サーバによって供給または提供され得る。限定を目的としない例として、少なくとも１つの自律車両によって供給または提供される搬送データの全部または一部は、少なくとも１つのセンサ、少なくとも１つのトランシーバ、少なくとも１つの受信機、少なくとも１つのインターフェース、少なくとも１つのアプリケーション、少なくとも１つの端末等の、少なくとも１つの様々なタイプの入力から供給することができる。
【０５６７】
「搬送サービス要求」
少なくとも１つの搬送サービス要求は、例えば、限定はしないが、少なくとも１つの搬送クライアントまたは少なくとも１つのエンティティからの、少なくとも１人の人、少なくとも１つの商品、少なくとも１つの物品、少なくとも１つの物、またはそれらの組合せの少なくとも１つの地理的位置から少なくとも１つの他の地理的位置への搬送のための少なくとも１つの要求であり得る。例えば、少なくとも１つのサービス開始地理的位置、少なくとも１つのサービス終了地理的位置、またはそれらの組み合わせが、少なくとも１つのアプリケーション、少なくとも１つの中央サーバ、または少なくとも１つの外部サーバに入力または提供されると、少なくとも１つの搬送クライアントに関連する少なくとも１つの搬送サービス要求を生成することができる。少なくとも１つの搬送サービス要求が検討された場合、対応する搬送データが関連付けられた少なくとも１つの搬送サービス要求も検討することができる。
【０５６８】
対応する搬送データが関連付けられた少なくとも１つの搬送サービス要求は、限定はしないが、少なくとも１つの外部サーバ、少なくとも１つのサービスプロバイダ、少なくとも１つの商品サプライヤ、少なくとも１つのフリートマネージャ、少なくとも１つのマッププロバイダ、少なくとも１つのサードパーティ等から供給または提供することができる。少なくとも１つの搬送サービス要求は、少なくとも１つのコンピュータ可読メモリおよび／または少なくとも１つの中央サーバの少なくとも１つのデータベースに格納またはキャッシュすることができる。少なくとも１つの搬送サービス要求は、少なくとも１つの搬送業界セグメントに関連し得る。少なくとも１つの搬送サービス要求は、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、少なくとも１つのマッププロバイダ、少なくとも１つのサードパーティ、少なくとも１つの代理人、少なくとも１つの搬送クライアント、またはそれらの組み合わせに関連し得る。
【０５６９】
少なくとも１つの搬送サービス要求の全部または一部は、対応する搬送データを有するか、または対応する搬送データに関連付けることができる。少なくとも１つの搬送サービス要求の全部または一部は、少なくとも１つのデータベースに格納することができる固有の搬送データを有することができるか、またはそれに関連付けることができる。少なくとも１つの搬送サービス要求の全部または一部は、確保または取得される少なくとも１つの好ましい搬送サービス要求をフィルタリングして識別するために使用することができる、関連する搬送データに関連付けるか、または本質的に関連する搬送データを有し得る。
【０５７０】
少なくとも１つの搬送サービス要求は、リアルタイムまたはほぼリアルタイムで更新またはリフレッシュすることができ、最高の発展レベルまたは最新技術に更新またはリフレッシュされているものを指し得る。少なくとも１つの搬送サービス要求は、少なくとも１つの中央サーバ、少なくとも１つの外部サーバ、少なくとも１つのアプリケーション、またはそれらの組合せ上で事前にフィルタリングするかまたは事前に分類することができる。少なくとも１つの搬送サービス要求は、少なくとも１つの代理人選好に関連する、少なくとも１つのフィルタリングされた搬送サービス要求、少なくとも１つの好ましい搬送サービス要求、またはそれらの組合せであり得る。少なくとも１つの搬送サービス要求は、少なくとも１つの代理人、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ少なくとも１つのマッププロバイダ、少なくとも１つのサードパーティ等によって入力または提供された少なくとも１つの代理人選好に基づいて、少なくとも１つのフィルタリングされた搬送サービス要求、少なくとも１つの好ましい搬送サービス要求、またはそれらの組合せになり得る。少なくとも１つの搬送サービス要求は、１回または２回以上フィルタリングすることができる。
【０５７１】
限定を目的としない例として、少なくとも１つの搬送サービス要求は、少なくとも１つのライドヘイルサービス要求、少なくとも１つのライドシェアサービス要求、少なくとも１つのカーシェアサービス要求、少なくとも１つのピアツーピア搬送サービス要求、少なくとも１つの輸送サービス要求、少なくとも１つの人物配達サービス要求、少なくとも１つのタクシーサービス要求、少なくとも１つのシャトルサービス要求、少なくとも１つの商品配達サービス要求、少なくとも１つのアイテム配達サービス要求、少なくとも１つの医療サービスおよび医療配達要求、少なくとも１つの食品配達サービス要求、少なくとも１つの宅配便配達サービス要求、少なくとも１つの貨物配達サービス要求、少なくとも１つの動物配達サービス要求、少なくとも１つの配達サービス要求、またはそれらの組合せであり得る。
【０５７２】
限定を目的としない例として、少なくとも１つの搬送サービス要求は、少なくとも１つのフィルタリングされた搬送サービス要求または少なくとも１つの好ましい搬送サービス要求ととらえるか、または呼ぶことができる。限定を目的としない例として、少なくとも１つの搬送サービス要求は、少なくとも１つの代理人、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せのための、またはそれらを基準とした場合の、少なくとも１つのフィルタリングされた搬送サービス要求または少なくとも１つの好ましい搬送サービス要求と識別するか、または呼ぶことができる。限定を目的としない例として、少なくとも１つの搬送サービス要求は、少なくとも１つのウェイポイントを含み得る。限定を目的としない例として、少なくとも１つの搬送サービス要求は、少なくとも１つのウェイポイントを含むことができ、少なくとも１つの搬送クライアントは、少なくとも１つの搬送サービスのためにピックアップされる少なくとも１つの指定されたエリアまで歩くことができる。限定を目的としない例として、少なくとも１つの搬送サービス要求が確保または取得された場合、その少なくとも１つの確保または取得された搬送サービス要求を、少なくとも１つの好ましい搬送サービス要求と呼ぶか、または識別することができる。
【０５７３】
限定を目的としない例として、少なくとも１つの搬送サービス要求を事前にスケジュールすることができる。限定を目的としない例として、搬送される少なくとも１つの物は、限定はしないが、鍵や書類のような、少なくとも１つの個人のアイテムを含み得る。限定を目的としない例として、少なくとも１つの搬送サービス要求は、特別な要求情報を含み得る。限定を目的としない例として、少なくとも１つの搬送サービス要求は、少なくとも１つのコンピュータ可読メモリおよび／または少なくとも１つのアプリケーションの少なくとも１つのデータベースに格納またはキャッシュすることができる。限定を目的としない例として、少なくとも１つの搬送サービス要求は、少なくとも１つの個々の搬送業界セグメントに関連し得る。限定を目的としない例として、少なくとも１つの搬送サービス要求は、少なくとも１つの個々のサービスプロバイダ、少なくとも１つの個々のマッププロバイダ、少なくとも１つの個々のサードパーティ、少なくとも１つの個々の商品サプライヤ、少なくとも１つの個々のフリートマネージャ等に関連し得る。限定を目的としない例として、少なくとも１つの搬送サービス要求は、少なくとも１つの事前にフィルタリングされた搬送サービス要求であり得る。限定を目的としない例として、複数の搬送サービス要求は、１つの搬送サービス要求であり得る。限定を目的としない例として、少なくとも１つの搬送サービス要求は、少なくとも１つの地理的位置に基づいて、少なくとも１つの中央サーバ上で事前にフィルタリングするかまたは事前に分類することができる。
【０５７４】
「フィルタリングされた搬送サービス要求」
少なくとも１つのフィルタリングされた搬送サービス要求は、例えば、限定はしないが、少なくとも１つの代理人選好、少なくとも１つの代理人の少なくとも１つのリアルタイムまたはほぼリアルタイムの地理的位置、またはそれらの組合せでフィルタリングすることができる少なくとも１つの搬送サービス要求であり得る。少なくとも１つのフィルタリングされた搬送サービス要求が検討された場合、対応する搬送データが関連付けられた少なくとも１つのフィルタリングされた搬送サービス要求も検討することができる。
【０５７５】
少なくとも１つのフィルタリングされた搬送サービス要求は、少なくとも１つのコンピュータ可読メモリおよび／または少なくとも１つの中央サーバの少なくとも１つのデータベースに格納またはキャッシュすることができる。少なくとも１つの代理人選好が更新、修正、追加、削除、および／またはリフレッシュされた場合、少なくとも１つのフィルタリングされた搬送サービス要求の少なくとも１つの新しいセットを生成することができる。少なくとも１つのフィルタリングされた搬送サービス要求は、少なくとも１つの搬送業界セグメントに関連し得る。少なくとも１つのフィルタリングされた搬送サービス要求は、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、少なくとも１つのマッププロバイダ、少なくとも１つのサードパーティ、少なくとも１つの代理人、少なくとも１つの搬送クライアント、またはそれらの組合せに関連し得る。
【０５７６】
少なくとも１つのフィルタリングされた搬送サービス要求の全部または一部は、対応する搬送データを有するか、または対応する搬送データに関連付けることができる。少なくとも１つのフィルタリングされた搬送サービス要求の全部または一部は、少なくとも１つのデータベースに格納することができる固有の搬送データを有するか、またはそれに関連付けることができる。少なくとも１つのフィルタリングされた搬送サービス要求の全部または一部は、確保または取得される少なくとも１つの好ましい搬送サービス要求を識別するために使用することができる、関連する搬送データに関連付けるか、または本質的に関連付けられた搬送データを有することができる。
【０５７７】
少なくとも１つのフィルタリングされた搬送サービス要求は、リアルタイムまたはほぼリアルタイムで更新またはリフレッシュすることができ、最高の発展レベルまたは最新技術に更新またはリフレッシュされているものを指し得る。少なくとも１つのフィルタリングされた搬送サービス要求は、少なくとも１つの中央サーバ、少なくとも１つの外部サーバ、少なくとも１つのアプリケーション、またはそれらの組み合わせ上で事前にフィルタリングするかまたは事前に分類することができる。少なくとも１つのフィルタリングされた搬送サービス要求は２回以上フィルタリングすることができる。少なくとも１つのフィルタリングされた搬送サービス要求は、少なくとも１つの代理人選好に適合するかまたはそれらを満たす少なくとも１つの搬送サービス要求であり得る。少なくとも１つのフィルタリングされた搬送サービス要求は、少なくとも１つの代理人、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ等によって入力または提供される少なくとも１つの代理人選好に基づいて、少なくとも１つの好ましい搬送サービス要求になり得る。
【０５７８】
限定を目的としない例として、少なくとも１つのフィルタリングされた搬送サービス要求を、少なくとも１つのアプリケーション上に表示することができる。限定を目的としない例として、少なくとも１つの視覚的表現の少なくとも１つの地理的マップ上に、少なくとも１つのフィルタリングされた搬送サービス要求を表示することができる。限定を目的としない例として、少なくとも１つのフィルタリングされた搬送サービス要求は、少なくとも１つの個々の搬送業界セグメントに関連し得る。限定を目的としない例として、少なくとも１つのフィルタリングされた搬送サービス要求は、少なくとも１つの個々のサービスプロバイダ、少なくとも１つの個々のマッププロバイダ、少なくとも１つの個々のサードパーティ、少なくとも１つの個々の商品サプライヤ、少なくとも１つの個々のフリートマネージャ等に関連し得る。限定を目的としない例として、少なくとも１つの代理人が少なくとも１つのフィルタリングされた搬送サービス要求を確保または取得した場合、その少なくとも１つの確保または取得されたフィルタリングされた搬送サービス要求を、少なくとも１つの好ましい搬送サービス要求と呼ぶか、または識別することができる。限定を目的としない例として、少なくとも１つのフィルタリングされた搬送サービス要求は、少なくとも１つの事前にフィルタリングされた搬送サービス要求であり得る。限定を目的としない例として、少なくとも１つのフィルタリングされた搬送サービス要求は、少なくとも１つの搬送サービス要求ととらえるか、または呼ぶことができる。限定を目的としない例として、複数のフィルタリングされた搬送サービス要求は、１つのフィルタリングされた搬送サービス要求であり得る。
【０５７９】
「好ましい搬送サービス要求」
少なくとも１つの好ましい搬送サービス要求は、例えば、少なくとも１つの地理的位置から、少なくとも１つのフィルタリングされた搬送サービス要求から識別することができる少なくとも１つの他の地理的位置まで、限定はしないが、少なくとも１人の人、少なくとも１つの商品、少なくとも１つの物、少なくとも１つの物品、またはそれらの組合せを輸送するための少なくとも１つの要求であり得る。少なくとも１つの好ましい搬送サービス要求は、例えば、限定はしないが、好ましいと識別された少なくとも１つの中央サーバ、少なくとも１つの代理人、少なくとも１つのアプリケーション、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せを含む少なくとも１つの要求であり得る。少なくとも１つの好ましい搬送サービス要求が検討された場合、対応する搬送データが関連付けられた少なくとも１つの好ましい搬送サービス要求も検討することができる。
【０５８０】
少なくとも１つの好ましい搬送サービス要求は、少なくとも１つのコンピュータ可読メモリおよび／または少なくとも１つの中央サーバの少なくとも１つのデータベースに格納またはキャッシュすることができる。少なくとも１つの好ましい搬送サービス要求は、例えば、最初は、少なくとも１つの外部サーバ、少なくとも１つのサービスプロバイダ、少なくとも１つの商品サプライヤ、少なくとも１つのフリートマネージャ、少なくとも１つのマッププロバイダ、少なくとも１つのサードパーティ等によって供給または提供され得る。少なくとも１つの好ましい搬送サービス要求は、少なくとも１つの代理人選好に適合するかまたはそれらを満たす、少なくとも１つの搬送サービス要求または少なくとも１つのフィルタリングされた搬送サービス要求であり得る。少なくとも１つのフィルタリングされた搬送サービス要求は、少なくとも１つの代理人、少なくとも１つのアプリケーション、少なくとも１つの自律車両の少なくとも１つのオーナまたは少なくとも１つのコントローラ、少なくとも１つの自律車両、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せによって好ましいと識別することができ、次いで、少なくとも１つのフィルタリングされた搬送サービス要求は、少なくとも１つの好ましい搬送サービス要求になることができる。
【０５８１】
少なくとも１つの好ましい搬送サービス要求は、少なくとも１つの代理人の少なくとも１つのリアルタイムまたはほぼリアルタイムの地理的位置が変更または更新された場合に、リアルタイムまたはほぼリアルタイムで更新または変更することができる。少なくとも１つの好ましい搬送サービス要求は、少なくとも１つの搬送業界セグメントに関連し得る。少なくとも１つの好ましい搬送サービス要求は、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せに関連し得る。少なくとも１つの好ましい搬送サービス要求は、リアルタイムまたはほぼリアルタイムで更新またはリフレッシュすることができ、最高の発展レベルまたは最新技術に更新またはリフレッシュされているものを指し得る。少なくとも１つの好ましい搬送サービス要求は、少なくとも１つの代理人選好の少なくとも１つの最も高い加重平均によって好ましいと識別することができる。少なくとも１つの代理人選好が更新、修正、追加、除去、および／またはリフレッシュされた場合、少なくとも１つの好ましい搬送サービス要求の少なくとも１つの新しいセットを生成または識別することができる。
【０５８２】
少なくとも１つの搬送サービス要求は、少なくとも１つの代理人選好を使用して、少なくとも１つのフィルタリングされた搬送サービス要求の少なくとも１つのセットを作成することによって、リアルタイムまたはほぼリアルタイムでフィルタリングすることができる。少なくとも１つのフィルタリングされた搬送サービス要求は、好ましくは、少なくとも１つの好ましい搬送サービス要求を識別するために、少なくとも１つの代理人選好の少なくとも１つの加重平均に関して、リアルタイムまたはほぼリアルタイムでソートすることができる。
【０５８３】
限定を目的としない例として、少なくとも１つの好ましい搬送サービス要求は、交通情報が変更または更新された場合にリアルタイムまたはほぼリアルタイムで更新することができる。限定を目的としない例として、少なくとも１つの好ましい搬送サービス要求を識別するために、少なくとも１つの搬送サービス要求をフィルタリングする際に、少なくとも１つの代理人等の少なくとも１つのリアルタイムまたはほぼリアルタイムの地理的位置以外の少なくとも１つの異なる地理的位置を使用することができる。限定を目的としない例として、少なくとも１つのアプリケーションは、少なくとも１つの好ましい搬送サービス要求を確保または取得することができる。限定を目的としない例として、少なくとも１つの好ましい搬送サービス要求は、少なくとも１つの個々のサービスプロバイダ、少なくとも１つの個々のマッププロバイダ、少なくとも１つの個々のサードパーティ、少なくとも１つの個々の商品サプライヤ、少なくとも１つの個々のフリートマネージャ等に関連し得る。
【０５８４】
限定を目的としない例として、少なくとも１つの好ましい搬送サービス要求は、少なくとも１つの視覚的表現上に表示される少なくとも１つのフィルタリングされた搬送サービス要求から視覚的に識別可能であり得る。限定を目的としない例として、少なくとも１つの好ましい搬送サービス要求は、少なくとも１つの視覚的表現の少なくとも１つの地理的マップ上に表示することができる。限定を目的としない例として、少なくとも１つの好ましい搬送サービス要求は、少なくとも１つのアプリケーション上に表示することができる。限定を目的としない例として、少なくとも１つの搬送サービス要求は、少なくとも１つの個々の搬送業界セグメントに関連し得る。限定を目的としない例として、少なくとも１つの中央サーバ、少なくとも１つのアプリケーション、少なくとも１つの代理人、またはそれらの組み合わせは、少なくとも１つの代理人のために、またはそれを基準に、少なくとも１つの好ましい搬送サービス要求を確保または取得することができる。限定を目的としない例として、少なくとも１つの好ましい搬送サービス要求は、少なくとも１つの中央サーバ、少なくとも１つの外部サーバ、少なくとも１つのアプリケーション、またはそれらの組合せ上で事前にフィルタリングするかまたは事前に分類することができる。
【０５８５】
限定を目的としない例として、少なくとも１つの好ましい搬送サービス要求は、少なくとも１つの代理人選好の少なくとも１つの最も高い加重平均を有する少なくとも１つのフィルタリングされた搬送サービス要求から識別することができる。限定を目的としない例として、少なくとも１つの代理人選好は、少なくとも１つの好ましい搬送サービス要求を識別するために少なくとも１つの加重平均を使用する際に、少なくとも１つの等しい重みまたは少なくとも１つの等しくない重みを有し得る。限定を目的としない例として、少なくとも１つの好ましい搬送サービス要求は、少なくとも１つの搬送サービス要求または少なくとも１つのフィルタリングされた搬送サービス要求ととらえるかまたは呼ぶことができる。限定を目的としない例として、２つ以上の好ましい搬送サービス要求を同時に確保または取得することができる。
【０５８６】
「搬送サービス提供」
少なくとも１つの輸送サービス提供は、例えば、限定はしないが、少なくとも１人の人、少なくとも１つの商品、少なくとも１つの物品、少なくとも１つの物、またはそれらの組合せの少なくとも１つの地理的位置から少なくとも１つの他の地理的位置への搬送のための、少なくとも１つの代理人、少なくとも１つの自律車両、少なくとも１つのサービスプロバイダ等からの少なくとも１つの提供であり得る。例えば、少なくとも１つのサービス開始地理的位置、少なくとも１つのサービス終了地理的位置、価格設定情報、またはそれらの組み合わせが分かった時点で、少なくとも１つの代理人または少なくとも１つの自律車両に関連する少なくとも１つの搬送サービス提供を生成することができる。少なくとも１つの搬送サービス提供が検討された場合、対応する搬送データが関連付けられた少なくとも１つの搬送サービス提供も検討することができる。
【０５８７】
対応する搬送データが関連付けられた少なくとも１つの搬送サービス提供は、限定はしないが、少なくとも１つの外部サーバ、少なくとも１つのサービスプロバイダ、少なくとも１つの商品サプライヤ、少なくとも１つのフリートマネージャ、少なくとも１つのマッププロバイダ、少なくとも１つのサードパーティ等から供給または提供することができる。少なくとも１つの搬送サービス提供は、少なくとも１つのコンピュータ可読メモリおよび／または少なくとも１つの中央サーバの少なくとも１つのデータベースに格納またはキャッシュすることができる。少なくとも１つの搬送サービス提供は、少なくとも１つの搬送業界セグメントに関連し得る。少なくとも１つの搬送サービス提供は、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、少なくとも１つのマッププロバイダ、少なくとも１つのサードパーティ、少なくとも１つの代理人、少なくとも１つの搬送クライアント、またはそれらの組み合わせに関連し得る。
【０５８８】
少なくとも１つの搬送サービス提供の全部または一部は、対応する搬送データを有するか、または対応する搬送データに関連付けることができる。少なくとも１つの搬送サービス提供の全部または一部は、少なくとも１つのデータベースに格納することができる固有の搬送データを有することができるか、またはそれに関連付けることができる。少なくとも１つの搬送サービス提供の全部または一部は、確保または取得される少なくとも１つの好ましい搬送サービス提供をフィルタリングして識別するために使用することができる、関連する搬送データに関連付けるか、または本質的に関連する搬送データを有し得る。
【０５８９】
少なくとも１つの搬送サービス提供は、リアルタイムまたはほぼリアルタイムで更新またはリフレッシュすることができ、最高の発展レベルまたは最新技術に更新またはリフレッシュされているものを指し得る。少なくとも１つの搬送サービス提供は、少なくとも１つの中央サーバ、少なくとも１つの外部サーバ、少なくとも１つのアプリケーション、またはそれらの組合せ上で事前にフィルタリングするかまたは事前に分類することができる。少なくとも１つの搬送サービス提供は、少なくとも１つの搬送クライアント選好に関連する、少なくとも１つのフィルタリングされた搬送サービス提供、少なくとも１つの好ましい搬送サービス提供、またはそれらの組合せであり得る。少なくとも１つの搬送サービス提供は、少なくとも１つの搬送クライアントによって入力または提供された少なくとも１つの搬送クライアント選好に基づいて、少なくとも１つのフィルタリングされた搬送サービス提供、少なくとも１つの好ましい搬送サービス提供、またはそれらの組合せになり得る。少なくとも１つの搬送サービス提供は、１回または２回以上フィルタリングすることができる。
【０５９０】
限定を目的としない例として、少なくとも１つの搬送サービス提供は、少なくとも１つのライドヘイルサービス提供、少なくとも１つのライドシェアサービス提供、少なくとも１つのカーシェアサービス提供、少なくとも１つのピアツーピア搬送サービス提供、少なくとも１つの輸送サービス提供、少なくとも１つの人物配達サービス提供、少なくとも１つのタクシーサービス提供、少なくとも１つのシャトルサービス提供、少なくとも１つの商品配達サービス提供、少なくとも１つのアイテム配達サービス提供、少なくとも１つの医療サービスおよび医療配達提供、少なくとも１つの食品配達サービス提供、少なくとも１つの宅配便配達サービス提供、少なくとも１つの貨物配達サービス提供、少なくとも１つの動物配達サービス提供、少なくとも１つの配達サービス提供、またはそれらの組合せであり得る。
【０５９１】
限定を目的としない例として、少なくとも１つの搬送サービス提供は、少なくとも１つのフィルタリングされた搬送サービス提供または少なくとも１つの好ましい搬送サービス提供ととらえるか、または呼ぶことができる。限定を目的としない例として、少なくとも１つの搬送サービス提供は、少なくとも１つの搬送クライアントのための、またはそれを基準とした場合の、少なくとも１つのフィルタリングされた搬送サービス提供または少なくとも１つの好ましい搬送サービス提供と識別するか、または呼ぶことができる。限定を目的としない例として、少なくとも１つの搬送サービス提供は、少なくとも１つのウェイポイントを含み得る。限定を目的としない例として、少なくとも１つの搬送サービス提供は、少なくとも１つのウェイポイントを含むことができ、少なくとも１つの搬送クライアントは、少なくとも１つの搬送サービスのためにピックアップされる少なくとも１つの指定されたエリアまで歩くことができる。限定を目的としない例として、少なくとも１つの搬送サービス提供が確保または取得された場合、その少なくとも１つの確保または取得された搬送サービス提供を、少なくとも１つの好ましい搬送サービス提供と呼ぶか、または識別することができる。
【０５９２】
限定を目的としない例として、少なくとも１つの搬送サービス提供を事前にスケジュールすることができる。限定を目的としない例として、搬送される少なくとも１つの物は、限定はしないが、衣類や財布のような、少なくとも１つの個人のアイテムを含み得る。限定を目的としない例として、少なくとも１つの搬送サービス提供は、特別な提供情報を含み得る。限定を目的としない例として、少なくとも１つの搬送サービス提供は、少なくとも１つの個々の搬送業界セグメントに関連し得る。限定を目的としない例として、少なくとも１つの搬送サービス提供は、少なくとも１つの個々のサービスプロバイダ、少なくとも１つの個々のマッププロバイダ、少なくとも１つの個々のサードパーティ、少なくとも１つの個々の商品サプライヤ、少なくとも１つの個々のフリートマネージャ等に関連し得る。限定を目的としない例として、少なくとも１つの搬送サービス提供は、少なくとも１つの事前にフィルタリングされた搬送サービス提供であり得る。限定を目的としない例として、複数の搬送サービス提供は、１つの搬送サービス提供であり得る。限定を目的としない例として、少なくとも１つの搬送サービス提供は、少なくとも１つの地理的位置に基づいて、少なくとも１つの中央サーバ上で事前にフィルタリングするかまたは事前に分類することができる。
【０５９３】
「フィルタリングされた搬送サービス提供」
少なくとも１つのフィルタリングされた搬送サービス提供は、例えば、限定はしないが、少なくとも１つの搬送クライアント選好、少なくとも１つの搬送クライアントの少なくとも１つのリアルタイムまたはほぼリアルタイムの地理的位置、またはそれらの組合せでフィルタリングすることができる少なくとも１つの搬送サービス提供であり得る。少なくとも１つのフィルタリングされた搬送サービス提供が検討された場合、対応する搬送データが関連付けられた少なくとも１つのフィルタリングされた搬送サービス提供も検討することができる。
【０５９４】
少なくとも１つのフィルタリングされた搬送サービス提供は、少なくとも１つのコンピュータ可読メモリおよび／または少なくとも１つの中央サーバの少なくとも１つのデータベースに格納またはキャッシュすることができる。少なくとも１つの搬送クライアント選好が更新、修正、追加、削除、および／またはリフレッシュされた場合、少なくとも１つのフィルタリングされた搬送サービス提供の少なくとも１つの新しいセットを生成することができる。少なくとも１つのフィルタリングされた搬送サービス提供は、少なくとも１つの搬送業界セグメントに関連し得る。少なくとも１つのフィルタリングされた搬送サービス提供は、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、少なくとも１つのマッププロバイダ、少なくとも１つのサードパーティ、少なくとも１つの代理人、少なくとも１つの搬送クライアント、またはそれらの組合せに関連し得る。
【０５９５】
少なくとも１つのフィルタリングされた搬送サービス提供の全部または一部は、対応する搬送データを有するか、または対応する搬送データに関連付けることができる。少なくとも１つのフィルタリングされた搬送サービス提供の全部または一部は、少なくとも１つのデータベースに格納することができる固有の搬送データを有するか、またはそれに関連付けることができる。少なくとも１つのフィルタリングされた搬送サービス提供の全部または一部は、確保または取得される少なくとも１つの好ましい搬送サービス提供を識別するために使用することができる、関連する搬送データに関連付けるか、または本質的に関連付けられた搬送データを有することができる。
【０５９６】
少なくとも１つのフィルタリングされた搬送サービス提供は、リアルタイムまたはほぼリアルタイムで更新またはリフレッシュすることができ、最高の発展レベルまたは最新技術に更新またはリフレッシュされているものを指し得る。少なくとも１つのフィルタリングされた搬送サービス提供は、少なくとも１つの中央サーバ、少なくとも１つの外部サーバ、少なくとも１つのアプリケーション、またはそれらの組み合わせ上で事前にフィルタリングするかまたは事前に分類することができる。少なくとも１つのフィルタリングされた搬送サービス提供は２回以上フィルタリングすることができる。少なくとも１つのフィルタリングされた搬送サービス提供は、少なくとも１つの搬送クライアント選好に適合するかまたはそれらを満たす少なくとも１つの搬送サービス提供であり得る。少なくとも１つのフィルタリングされた搬送サービス提供は、少なくとも１つの搬送クライアント等によって入力または提供される少なくとも１つの搬送クライアント選好に基づいて、少なくとも１つの好ましい搬送サービス提供になり得る。
【０５９７】
限定を目的としない例として、少なくとも１つのフィルタリングされた搬送サービス提供を、少なくとも１つのアプリケーション上に表示することができる。限定を目的としない例として、少なくとも１つの視覚的表現の少なくとも１つの地理的マップ上に、少なくとも１つのフィルタリングされた搬送サービス提供を表示することができる。限定を目的としない例として、少なくとも１つのフィルタリングされた搬送サービス提供は、少なくとも１つの個々の搬送業界セグメントに関連し得る。限定を目的としない例として、少なくとも１つのフィルタリングされた搬送サービス提供は、少なくとも１つの個々のサービスプロバイダ、少なくとも１つの個々のマッププロバイダ、少なくとも１つの個々のサードパーティ、少なくとも１つの個々の商品サプライヤ、少なくとも１つの個々のフリートマネージャ等に関連し得る。限定を目的としない例として、少なくとも１つの搬送クライアントが少なくとも１つのフィルタリングされた搬送サービス提供を確保または取得した場合、その少なくとも１つの確保または取得されたフィルタリングされた搬送サービス提供を、少なくとも１つの好ましい搬送サービス提供と呼ぶか、または識別することができる。限定を目的としない例として、少なくとも１つのフィルタリングされた搬送サービス提供は、少なくとも１つの事前にフィルタリングされた搬送サービス提供であり得る。限定を目的としない例として、少なくとも１つのフィルタリングされた搬送サービス提供は、少なくとも１つの搬送サービス提供ととらえるか、または呼ぶことができる。限定を目的としない例として、複数のフィルタリングされた搬送サービス提供は、１つのフィルタリングされた搬送サービス提供であり得る。
【０５９８】
「好ましい搬送サービス提供」
少なくとも１つの好ましい搬送サービス提供は、例えば、少なくとも１つの地理的位置から、少なくとも１つのフィルタリングされた搬送サービス提供から識別することができる少なくとも１つの他の地理的位置まで、限定はしないが、少なくとも１人の人、少なくとも１つの商品、少なくとも１つの物、少なくとも１つの物品、またはそれらの組合せを輸送するための少なくとも１つの提供であり得る。少なくとも１つの好ましい搬送サービス提供は、例えば、限定はしないが、好ましいと識別された少なくとも１つの搬送クライアント、少なくとも１つの中央サーバ、少なくとも１つのアプリケーション、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せを含む少なくとも１つの提供であり得る。少なくとも１つの好ましい搬送サービス提供が検討された場合、対応する搬送データが関連付けられた少なくとも１つの好ましい搬送サービス提供も検討することができる。
【０５９９】
少なくとも１つの好ましい搬送サービス提供は、少なくとも１つのコンピュータ可読メモリおよび／または少なくとも１つの中央サーバの少なくとも１つのデータベースに格納またはキャッシュすることができる。少なくとも１つの好ましい搬送サービス提供は、例えば、最初は、少なくとも１つの外部サーバ、少なくとも１つのサービスプロバイダ、少なくとも１つの商品サプライヤ、少なくとも１つのフリートマネージャ、少なくとも１つのマッププロバイダ、少なくとも１つのサードパーティ等によって供給または提供され得る。少なくとも１つの好ましい搬送サービス提供は、少なくとも１つの搬送クライアント選好に適合するかまたはそれらを満たすことができる、少なくとも１つの搬送サービス提供または少なくとも１つのフィルタリングされた搬送サービス提供であり得る。少なくとも１つのフィルタリングされた搬送サービス提供は、少なくとも１つの搬送クライアント、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せによって好ましいと識別することができ、次いで、好ましくは、少なくとも１つのフィルタリングされた搬送サービス提供は、少なくとも１つの好ましい搬送サービス提供になることができる。
【０６００】
少なくとも１つの好ましい搬送サービス提供は、少なくとも１つの搬送クライアントの少なくとも１つのリアルタイムまたはほぼリアルタイムの地理的位置が変更または更新された場合に、リアルタイムまたはほぼリアルタイムで更新または変更することができる。少なくとも１つの好ましい搬送サービス提供は、少なくとも１つの搬送業界セグメントに関連し得る。少なくとも１つの好ましい搬送サービス提供は、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せに関連し得る。少なくとも１つの好ましい搬送サービス提供は、リアルタイムまたはほぼリアルタイムで更新またはリフレッシュすることができ、最高の発展レベルまたは最新技術に更新またはリフレッシュされているものを指し得る。少なくとも１つの好ましい搬送サービス提供は、少なくとも１つの搬送クライアント選好の少なくとも１つの最も高い加重平均によって好ましいと識別することができる。少なくとも１つの搬送クライアント選好が更新、修正、追加、除去、および／またはリフレッシュされた場合、少なくとも１つの好ましい搬送サービス提供の少なくとも１つの新しいセットを生成または識別することができる。
【０６０１】
少なくとも１つの搬送サービス提供は、少なくとも１つの搬送クライアント選好を使用して、少なくとも１つのフィルタリングされた搬送サービス提供の少なくとも１つのセットを作成することによって、リアルタイムまたはほぼリアルタイムでフィルタリングすることができる。少なくとも１つのフィルタリングされた搬送サービス提供は、好ましくは、少なくとも１つの好ましい搬送サービス提供を識別するために、少なくとも１つの搬送クライアント選好の少なくとも１つの加重平均に関して、リアルタイムまたはほぼリアルタイムでソートすることができる。
【０６０２】
限定を目的としない例として、少なくとも１つの好ましい搬送サービス提供は、交通情報が変更または更新された場合にリアルタイムまたはほぼリアルタイムで更新することができる。限定を目的としない例として、少なくとも１つの好ましい搬送サービス提供を識別するために、少なくとも１つの搬送サービス提供をフィルタリングする際に、少なくとも１つの代理人等の少なくとも１つのリアルタイムまたはほぼリアルタイムの地理的位置以外の少なくとも１つの異なる地理的位置を使用することができる。限定を目的としない例として、少なくとも１つのアプリケーションは、少なくとも１つの好ましい搬送サービス提供を確保または取得することができる。限定を目的としない例として、少なくとも１つの好ましい搬送サービス提供は、少なくとも１つの視覚的表現上に表示される少なくとも１つのフィルタリングされた搬送サービス提供から視覚的に識別可能であり得る。限定を目的としない例として、少なくとも１つの好ましい搬送サービス提供は、少なくとも１つの個々の搬送業界セグメントに関連し得る。限定を目的としない例として、少なくとも１つの好ましい搬送サービス提供は、少なくとも１つの個々のサービスプロバイダ、少なくとも１つの個々のマッププロバイダ、少なくとも１つの個々のサードパーティ、少なくとも１つの個々の商品サプライヤ、少なくとも１つの個々のフリートマネージャ等に関連し得る。
【０６０３】
限定を目的としない例として、少なくとも１つの好ましい搬送サービス提供は、少なくとも１つの搬送クライアント選好の少なくとも１つの最も高い加重平均を有する少なくとも１つのフィルタリングされた搬送サービス提供から識別することができる。限定を目的としない例として、少なくとも１つの搬送クライアント選好は、少なくとも１つの好ましい搬送サービス提供を識別するために少なくとも１つの加重平均を使用する際に、少なくとも１つの等しい重みまたは少なくとも１つの等しくない重みを有し得る。限定を目的としない例として、少なくとも１つの好ましい搬送サービス提供は、少なくとも１つの搬送サービス提供または少なくとも１つのフィルタリングされた搬送サービス提供ととらえるかまたは呼ぶことができる。限定を目的としない例として、少なくとも１つの個々の好ましい輸送サービス提供のために、２つ以上の代理人または２つ以上の自律車両を確保または取得することができる。
【０６０４】
限定を目的としない例として、少なくとも１つの好ましい搬送サービス提供は、少なくとも１つの視覚的表現の少なくとも１つの地理的マップ上に表示することができる。限定を目的としない例として、少なくとも１つの好ましい搬送サービス提供は、少なくとも１つのアプリケーション上に表示することができる。限定を目的としない例として、少なくとも１つの中央サーバ、少なくとも１つのアプリケーション、少なくとも１つの搬送クライアント、またはそれらの組み合わせは、少なくとも１つの搬送クライアントのために、またはそれを基準に、少なくとも１つの好ましい搬送サービス提供を確保または取得することができる。限定を目的としない例として、少なくとも１つの好ましい搬送サービス提供は、少なくとも１つの中央サーバ、少なくとも１つの外部サーバ、少なくとも１つのアプリケーション、またはそれらの組合せ上で事前にフィルタリングするかまたは事前に分類することができる。
【０６０５】
限定を目的としない例として、少なくとも１つのサービスレベル選好は、少なくとも１つの高級車、少なくとも１つの環境にやさしい車、少なくとも１つのドライバレス車両等を識別するために、少なくとも１つの搬送クライアントによって使用され得る。限定を目的としない例として、少なくとも１つのサービスレベル選好は、少なくとも１つのより古い車両よりも少なくとも１つのより新しい車両を識別するために利用することができる。
【０６０６】
「代理人選好」
少なくとも１つの代理人選好は、例えば、少なくとも１つの好ましい搬送サービス要求を確保または取得するための少なくとも１つの操作または少なくとも１つの機能を容易にするために使用することができる少なくとも１つのルールまたは少なくとも１つのパラメータであり得る。少なくとも１つの代理人選好は、例えば、少なくとも１つの代理人、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組み合わせによって利用または操作することができる、少なくとも１つのルールまたは少なくとも１つのパラメータであり得る。少なくとも１つの代理人選好は、少なくとも１つの好ましい搬送サービス要求をフィルタリングおよび／または識別する少なくとも１つのプロセス中に使用または利用することができる任意のルールまたはパラメータであり得る。
【０６０７】
少なくとも１つの代理人選好は、搬送データの全部または一部、少なくとも１つの搬送サービス要求、またはそれらの組合せを最適化することができる少なくとも１つのルールまたは少なくとも１つのパラメータであり得る。少なくとも１つの代理人選好は、少なくとも１つの好ましい搬送サービス要求に直接または間接的に関連し得る。少なくとも１つの代理人選好は、少なくとも１つの代理人を、少なくとも１つの好ましい搬送サービス要求、少なくとも１つの搬送クライアント、またはそれらの組合せのために、またはそれらと、マッチングさせるために使用することができる、少なくとも１つの特徴または少なくとも１つの様々な特徴に関連付けることができるか、またはそれらを有することができる。少なくとも１つの代理人選好は、少なくとも１つのルールベースのシステム、少なくとも１つのルールベースの方法、またはそれらの組み合わせで実装される少なくとも１つのルールであり得る。
【０６０８】
少なくとも１つの代理人選好は、例えば、少なくとも１つの代理人のために、またはそれを基準に、少なくとも１つの好ましい搬送サービス要求を識別し、好ましくは確保または取得するために、少なくとも１つの代理人、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せによって使用され得る。少なくとも１つの代理人選好または少なくとも１つの代理人選好の少なくとも１つのセットを使用して、少なくとも１つの好ましい搬送サービス要求のフィルタリング、好ましいと識別、確保または取得、またはそれらの組合せを行うことができる。
【０６０９】
少なくとも１つの代理人選好は、少なくとも１つの代理人、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せによって改良またはカスタマイズすることができる。少なくとも１つの代理人選好は、少なくとも１つの中央サーバ、少なくとも１つの外部サーバ、少なくとも１つのアプリケーション、またはそれらの組み合わせ上に固定されるか、または組み込まれ得る。少なくとも１つの代理人選好を編集不可能にすることができる。少なくとも１つの代理人選好は、少なくとも１つの数字または少なくとも１つの数であり得る。
【０６１０】
少なくとも１つの代理人選好は、少なくとも１つのツール、例えば、少なくとも１つの好ましい搬送サービス要求、少なくとも１つのフィルタリングされた搬送サービス要求、少なくとも１つの搬送サービス要求、またはそれらの組合せをフィルタリングし、識別し、確保または取得し、またはそれらの組合せを行うための、少なくとも１つのルールまたは少なくとも１つのパラメータであり得る。
【０６１１】
少なくとも１つの代理人選好を使用して、少なくとも１つの好ましい搬送サービス要求、少なくとも１つのフィルタリングされた搬送サービス要求、少なくとも１つの搬送サービス要求、またはそれらの組合せを、少なくとも１つの代理人とともに、または少なくとも１つの代理人のためにマッチングさせるか、またはそれらで満たすことができる。少なくとも１つの代理人選好を使用して、少なくとも１つの好ましい搬送サービス要求、少なくとも１つのフィルタリングされた搬送サービス要求、少なくとも１つの搬送サービス要求、またはそれらの組合せのために、またはそれらを、少なくとも１つの代理人とマッチングさせるか、またはそれらで満たすことができる。少なくとも１つの代理人選好を使用して、少なくとも１つの好ましい搬送サービス要求、少なくとも１つのフィルタリングされた搬送サービス要求、少なくとも１つの搬送サービス要求、またはそれらの組合せを、少なくとも１つの代理人とマッチングさせるか、またはそれらで満たすことができる。少なくとも１つの代理人選好は、例えば、少なくとも１つの好ましい搬送サービス要求を識別し、好ましくは確保または取得するために、少なくとも１つの代理人、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組み合わせによって利用され得る。
【０６１２】
少なくとも１つの代理人選好は、限定はしないが、リアルタイムまたはほぼリアルタイムで少なくとも１つの搬送サービス要求をフィルタリングおよび／または好ましくはソートして少なくとも１つの好ましい搬送サービス要求を識別するために、例えば少なくとも１つの代理人、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せによって選択または提供される少なくとも１つのオプションを含み得る。少なくとも１つの代理人選好は、例えば、少なくとも１つの好ましい搬送サービス要求をフィルタリングして識別し、次いで、好ましいと識別することができる少なくとも１つの代理人、少なくとも１つの代理人に関連する搬送データの全部または一部、またはそれらの組合せをフィルタリングして識別し、好ましくは一緒に確保または取得するために使用することができる。少なくとも１つの代理人選好は、少なくとも１つの好ましい搬送サービス要求、少なくとも１つのフィルタリングされた搬送サービス要求、少なくとも１つの搬送サービス要求、またはそれらの組合せをフィルタリングして識別するために使用することができる選好の少なくとも１つのセットまたはパラメータの少なくとも１つのセットを有するかまたはそれらに関連付けることができる。
【０６１３】
少なくとも１つの代理人選好を使用して、少なくとも１つの好ましい搬送サービス要求と少なくとも１つの代理人との間の少なくとも１つのマッチングを確保または取得する前に、任意の順序で少なくとも１つの搬送サービス要求をフィルタリングすることができる。少なくとも１つの代理人選好を使用して、少なくとも１つの好ましい搬送サービス要求と少なくとも１つの代理人との間の少なくとも１つのマッチングを確保または取得する前に、任意の順序で少なくとも１つの好ましい搬送サービス要求を識別することができる。
【０６１４】
少なくとも１つの代理人選好は、限定はしないが、少なくとも１つの中央サーバ、少なくとも１つの外部サーバ、少なくとも１つのアプリケーション、少なくとも１つの端末、またはそれらの組合せ上で事前に設定することができる。少なくとも１つの代理人選好は、少なくとも１つの搬送サービス要求をフィルタリング等するために、包括的または排他的のいずれかであり得る。少なくとも１つの好ましい搬送サービス要求を識別するために少なくとも１つの加重平均を計算する際、少なくとも１つの個々の代理人選好は、少なくとも１つの等しい重みまたは少なくとも１つの等しくない重みを有し得る。少なくとも１つのフィルタリングされた搬送サービス要求は、好ましくは、少なくとも１つの好ましい搬送サービス要求を識別するために、少なくとも１つの代理人選好の少なくとも１つの加重平均に関連する少なくとも１つの順序にリアルタイムまたはほぼリアルタイムでソートすることができる。
【０６１５】
少なくとも１つの代理人、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せは、任意で、少なくとも１つの等しい重みまたは少なくとも１つの等しくない重みを有するように、少なくとも１つの代理人選好のための少なくとも１つの重みを選択することができる。少なくとも１つの代理人、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せは、任意で、少なくとも１つの好ましい搬送サービス要求をフィルタリングし、識別し、確保または取得し、またはそれらの組合せを行うために、少なくとも１つの代理人選好のための少なくとも１つの重みを選択することができる。
【０６１６】
少なくとも１つの代理人選好を使用して、少なくとも１つの搬送サービス要求を少なくとも１つのフィルタリングされた搬送サービス要求にフィルタリングすることができる。少なくとも１つの代理人選好を使用して、少なくとも１つのフィルタリングされた搬送サービス要求から少なくとも１つの好ましい搬送サービス要求を識別することができる。少なくとも１つの代理人選好を使用して、少なくとも１つの代理人に関連する搬送データの全部または一部をフィルタリングすることができる。
【０６１７】
少なくとも１つの代理人選好は、限定はしないが、少なくとも１つの中央サーバ、少なくとも１つのアプリケーション、少なくとも１つの外部サーバ、少なくとも１つの端末、またはそれらの組合せに格納またはキャッシュすることができる。少なくとも１つの代理人選好は、限定はしないが、少なくとも１つの中央サーバ、少なくとも１つの外部サーバ、少なくとも１つの端末、少なくとも１つのアプリケーション、またはそれらの組合せに格納またはキャッシュするか、あるいは送信することができる。少なくとも１つの代理人選好は、少なくとも１つの中央サーバ、少なくとも１つの外部サーバ、少なくとも１つのアプリケーション、またはそれらの組み合わせから遠隔の場所にあり得る少なくとも１つのサーバに保存するか、または少なくとも１つのサーバから読み出すことができる。少なくとも１つの代理人選好は、少なくとも１つのデータベースに格納またはキャッシュすることができる。少なくとも１つの代理人選好は、少なくとも１つの好ましい搬送サービス要求、少なくとも１つのフィルタリングされた搬送サービス要求、少なくとも１つの搬送サービス要求、またはそれらの組合せをフィルタリングし識別するために、少なくとも１つのデータベースにおいて使用することができる。
【０６１８】
少なくとも１つの代理人、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せは、少なくとも１つの代理人選好を使用して、少なくとも１つの好ましい搬送サービス要求、少なくとも１つのフィルタリングされた搬送サービス要求、少なくとも１つの搬送サービス要求、またはそれらの組合せをフィルタリングして識別することができる。
【０６１９】
少なくとも１つの代理人は、少なくとも１つの好ましい搬送サービス要求を識別し、好ましくは確保または取得するために使用することができる少なくとも１つのアプリケーション、少なくとも１つの中央サーバ、少なくとも１つの外部サーバ、またはそれらの組合せに、少なくとも１つの代理人選好を入力または提供することができる。少なくとも１つの代理人、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せは、少なくとも１つの代理人のために、またはそれを基準に、少なくとも１つの好ましい搬送サービス要求を識別し、好ましくは確保または取得するために使用することができる少なくとも１つのアプリケーション、少なくとも１つの中央サーバ、または少なくとも１つの外部サーバに、少なくとも１つの代理人選好を入力または提供することができる。
【０６２０】
少なくとも１つの代理人、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せは、少なくとも１つの代理人選好を使用して、少なくとも１つの自律車両、少なくとも１つの代理人、またはそれらの組合せを管理、制御、または操作することができる。
【０６２１】
少なくとも１つの代理人選好は、リアルタイムまたはほぼリアルタイムで更新またはリフレッシュすることができ、最高の発展レベルまたは最新技術に更新またはリフレッシュされているものを指し得る。少なくとも１つの代理人選好を使用して、最高の発展レベルまたは最新技術に更新またはリフレッシュされる少なくとも１つの機能をリアルタイムまたはほぼリアルタイムで実行することができる。少なくとも１つの代理人選好は更新または変更することができ、限定はしないが、少なくとも１つのフィルタリングされた搬送サービス要求、少なくとも１つの好ましい搬送サービス要求、またはそれらの組合せを含む少なくとも１つの新しいまたは異なるセットを識別することができる。
【０６２２】
少なくとも１つの中央サーバ、少なくとも１つのアプリケーション、少なくとも１つの外部サーバ、またはそれらの組合せは、例えば、少なくとも１つの代理人のために、少なくとも１つの代理人選好基準を満たさないか、または適合しない少なくとも１つの搬送サービス要求をフィルタリングにより除去するか、隠すか、または取り除くことができる。少なくとも１つの代理人選好を少なくとも１つの代理人の少なくとも１つのリアルタイムまたはほぼリアルタイムの地理的位置または少なくとも１つの異なる地理的位置とともに使用して、少なくとも１つの搬送サービス要求を少なくとも１つのフィルタリングされた搬送サービス要求にフィルタリングすることができる。
【０６２３】
少なくとも１つの代理人選好を使用して、少なくとも１つのフィルタリングされた搬送サービス要求または少なくとも１つの事前にフィルタリングされた搬送サービス要求から少なくとも１つの好ましい搬送サービス要求を識別することができる。少なくとも１つの代理人選好は、少なくとも１つの搬送業界セグメントで活動する、少なくとも１つの代理人、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せによって使用され得る。
【０６２４】
少なくとも１つの代理人選好は、少なくとも１つのルート計画情報を利用することができる少なくとも１つのルールまたは少なくとも１つのパラメータであり得る。少なくとも１つの代理人選好は、少なくとも１つの搬送サービス要求、搬送データの全部または一部、少なくとも１つの自律車両に関連する搬送データの全部または一部、少なくとも１つの搬送クライアント、少なくとも１つの代理人、少なくとも１つの自律車両、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せに関連して経時的に学習することができる。少なくとも１つの代理人選好は、機械学習技術および／または量子計算等を利用することができる少なくとも１つの予測選好であり得る。
【０６２５】
少なくとも１つのサービスレベル選好を使用して、例えば、少なくとも１つの車両タイプ、少なくとも１つのサービスタイプ、少なくとも１つの車両詳細、少なくとも１つの自律車両詳細等を識別することができる。少なくとも１つの代理人選好は、少なくとも１つの地域または少なくとも１つの国の少なくとも１つの文化的特徴を有するか、またはそれに関連付けることができる。少なくとも１つの代理人選好は、少なくとも１つの車両、少なくとも１つの自律車両、少なくとも１つの代理人、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せに関連する少なくとも１つの容量レベルを管理または監視するために利用することができる少なくとも１つの容量選好であり得る。
【０６２６】
限定を目的としない例として、少なくとも１つの代理人選好は、限定はしないが、少なくとも１つの価格設定選好、少なくとも１つの高価格設定選好、少なくとも１つの地理的位置選好、少なくとも１つの距離選好、少なくとも１つのルート選好、少なくとも１つのサービス所要時間選好、少なくとも１つのサービス開始地理的位置選好、少なくとも１つのサービス終了地理的位置選好、少なくとも１つの時間選好、少なくとも１つの予測選好、少なくとも１つの過去の選好、少なくとも１つの効率選好、少なくとも１つのイベント包含選好、少なくとも１つのイベント除外選好、少なくとも１つの交通ベースの選好、少なくとも１つの道路条件選好、少なくとも１つの気象条件選好、少なくとも１つの搬送サービス所要時間選好、少なくとも１つの搬送サービス要求密度選好、少なくとも１つの搬送クライアント密度選好、少なくとも１つの搬送クライアント詳細選好、少なくとも１つの搬送クライアント格付け選好、少なくとも１つの代理人密度選好、少なくとも１つのサービスプロバイダ包含選好、少なくとも１つのサービスプロバイダ除外選好、少なくとも１つのサービスプロバイダ密度選好、少なくとも１つのサービスレベル選好、少なくとも１つの商品サプライヤ包含選好、少なくとも１つの商品サプライヤ除外選好、少なくとも１つの商品サプライヤ密度選好、少なくとも１つの商品詳細選好、少なくとも１つの搬送業界セグメント選好、少なくとも１つの貨物選好、少なくとも１つのウェイポイント選好、少なくとも１つの配達サービス選好、またはそれらの組合せであり得る。
【０６２７】
限定を目的としない例として、少なくとも１つの代理人選好は、限定はしないが、少なくとも１つの価格設定選好、少なくとも１つの高価格設定選好、少なくとも１つの地理的位置選好、少なくとも１つの距離選好、少なくとも１つのルート選好、少なくとも１つのサービス所要時間選好、少なくとも１つのサービス開始地理的位置選好、少なくとも１つのサービス終了地理的位置選好、少なくとも１つの時間選好、少なくとも１つの予測選好、少なくとも１つの過去の選好、少なくとも１つの効率選好、少なくとも１つのセンサ選好、少なくとも１つのイベント選好、少なくとも１つの交通ベースの選好、少なくとも１つの道路条件選好、少なくとも１つの気象条件選好、少なくとも１つの輸送選好、少なくとも１つのルート計画選好、少なくとも１つの燃費選好、少なくとも１つのバッテリ寿命選好、少なくとも１つの車両容量選好、少なくとも１つの車両診断選好、少なくとも１つの搬送データ選好、少なくとも１つの搬送サービス所要時間選好、少なくとも１つの搬送サービス要求密度選好、少なくとも１つの搬送クライアント密度選好、少なくとも１つの搬送クライアント詳細選好、少なくとも１つの搬送クライアント格付け選好、少なくとも１つの代理人密度選好、少なくとも１つの自律車両密度選好、少なくとも１つのサービスプロバイダ選好、少なくとも１つのサービスプロバイダ密度選好、少なくとも１つのサービスレベル選好、少なくとも１つの商品サプライヤ選好、少なくとも１つの商品サプライヤ密度選好、少なくとも１つの自律車両の少なくとも１つのオーナまたは少なくとも１つのコントローラ選好、少なくとも１つの自律車両の少なくとも１つのオーナまたは少なくとも１つのコントローラ密度選好、少なくとも１つのフリートマネージャ選好、少なくとも１つのフリートマネージャ密度選好、少なくとも１つのフリートマネージャ密度選好、少なくとも１つのロジスティクスプロバイダ選好、少なくとも１つのロジスティクスプロバイダ密度選好、少なくとも１つのロジスティクスサプライヤ選好、少なくとも１つのロジスティクスサプライヤ密度選好、少なくとも１つの商品詳細選好、少なくとも１つの搬送業界セグメント選好、少なくとも１つの貨物選好、少なくとも１つのウェイポイント選好、少なくとも１つの配達サービス選好、少なくとも１つの最も古い未処理要求選好、またはそれらの組合せであり得る。
【０６２８】
限定を目的としない例として、少なくとも１つの効率選好が選択された場合、少なくとも１つの代理人は、少なくとも１つの追加の搬送サービスを実行し、より多くの稼ぎを得るために、同じレストランの少なくとも１つの追加の食品配達サービス要求を受諾することができる。限定を目的としない例として、少なくとも１つの価格選好が選択された場合、好ましくは、少なくとも１つの設定された最低価格よりも高い価格の少なくとも１つの搬送サービス要求を、少なくとも１つの好ましい搬送サービス要求として識別することができる。限定を目的としない例として、距離選好が選択された場合、好ましくは、選択された距離内の少なくとも１つの搬送サービス要求を、少なくとも１つの好ましい搬送サービス要求として識別することができる。限定を目的としない例として、少なくとも１つの商品詳細選好は、脆弱な少なくとも１つのアイテムを含み得る。限定を目的としない例として、少なくとも１つの商品詳細選好が選択された場合、好ましくは、少なくとも１つの冷蔵庫または少なくとも１つのミラーを送達する能力等、少なくとも１つの代理人が配達することができる少なくとも１つの商品の少なくとも１つの特定のタイプおよび／または量を搬送する少なくとも１つの搬送サービス要求を、少なくとも１つの好ましい搬送サービス要求として識別することができる。限定を目的としない例として、少なくとも１つの貨物選好が選択された場合、好ましくは、少なくとも１つの生体有害物質または少なくとも１つの可燃性物質を配達する少なくとも１つの搬送サービス要求等、少なくとも１人の代理人が配達することができる貨物を搬送する少なくとも１つの搬送サービス要求を、少なくとも１つの好ましい搬送サービス要求として識別することができる。
【０６２９】
限定を目的としない例として、少なくとも１つの代理人選好は、少なくとも１つのアプリケーションと少なくとも１つの外部サーバとの間の少なくとも１つのリンクを介して、少なくとも１つのアプリケーションと少なくとも１つの外部サーバとの間で、または少なくとも１つのアプリケーションから少なくとも１つの外部サーバに、送信することができる。
【０６３０】
限定を目的としない例として、少なくとも１つの代理人選好は、少なくとも１つのデータベース、少なくとも１つのデータベースクエリ、少なくとも１つのデータベーステーブル、少なくとも１つのデータベース結果セット等に関連付けることができる。限定を目的としない例として、少なくとも１つのデータベースクエリは、少なくとも１つの代理人選好を含むか、またはそれに関連付けることができる。限定を目的としない例として、少なくとも１つの代理人選好は、別の少なくとも１つの代理人選好に関連し得るか、または関連付けることができる。限定を目的としない例として、少なくとも１つの代理人選好を使用して、データベースからデータを取り出すことができる。限定を目的としない例として、少なくとも１つの代理人選好は、少なくとも１つの中央サーバの少なくとも１つの内部部分であり得る。限定を目的としない例として、少なくとも１つの代理人選好は、少なくとも１つのＳＱＬパラメータ、少なくとも１つの変数等に関連する少なくとも１つの形式または少なくとも１つのフォーマットであり得る。限定を目的としない例として、複数の代理人選好は、少なくとも１つの代理人のために、またはそれを基準に、少なくとも１つの好ましい搬送サービス要求をフィルタリングおよび／または識別する少なくとも１つのプロセス中に、複数回使用することができる。限定を目的としない例として、少なくとも１つの代理人選好は、少なくとも１つの条件文、少なくとも１つの条件式、少なくとも１つの条件構成等とともに、またはそれらの中で使用することができる。限定を目的としない例として、少なくとも１つの代理人選好を、少なくとも１つの条件に基づいて少なくとも１つの制御フローを変更するために使用することができる。
【０６３１】
限定を目的としない例として、少なくとも１つの代理人選好は、少なくとも１つの好ましい搬送サービス要求、少なくとも１つのフィルタリングされた搬送サービス要求、少なくとも１つの搬送サービス要求、またはそれらの組合せをフィルタリングし識別するために使用することができる、少なくとも１つの異なる選好のセットまたは少なくとも１つの異なるパラメータのセットを有するか、またはそれらに関連付けることができる。限定を目的としない例として、少なくとも１つの中央サーバが、少なくとも１つの好ましい搬送サービス要求、少なくとも１つのフィルタリングされた搬送サービス要求、少なくとも１つの搬送サービス要求、またはそれらの組合せをフィルタリングおよび／または識別する際、いくつかの代理人選好は、他の代理人選好よりも関連性が高いことがある。限定を目的としない例として、少なくとも１つの代理人選好は、少なくとも１つの食品配達業界セグメントにおける少なくとも１つの搬送サービス要求をフィルタリングするために使用することができ、少なくとも１つの異なる代理人選好は、少なくとも１つのライドヘイル業界セグメントにおける少なくとも１つの搬送サービス要求をフィルタリングするために使用することができる。
【０６３２】
限定を目的としない例として、少なくとも１つの搬送サービス要求が、フィルタリングされるか、または好ましいと識別される少なくとも１つのプロセスを経るときはいつでも、少なくとも１つの代理人は、同じ少なくとも１つのプロセスまたは同様の少なくとも１つのプロセスを経ることができる。限定を目的としない例として、少なくとも１つの代理人選好は、少なくとも１つの代理人を基準に、または少なくとも１つの代理人のために、少なくとも１つのセンサデータを使用して、少なくとも１つの好ましい搬送サービス要求を分析または評価し、好ましくは確保または取得することができる。限定を目的としない例として、少なくとも１つの代理人選好は、少なくとも１つのセンサデータを使用して、少なくとも１つの自律車両が少なくとも１つの搬送サービスを実行するのに十分なバッテリを有するかどうかを識別することができる。
【０６３３】
限定を目的としない例として、少なくとも１つの輸送選好は、少なくとも１つの搬送サービス選好を識別することができる少なくとも１つのパラメータまたは少なくとも１つのルールであり得る。限定を目的としない例として、少なくとも１つの輸送選好は、障碍者支援を必要とする少なくとも１つの搬送サービス要求を識別することができる。限定を目的としない例として、少なくとも１つの輸送選好は、少なくとも１つの高級車両を必要とする少なくとも１つの搬送サービス要求を識別することができる。限定を目的としない例として、少なくとも１つの効率選好は、車両利用を最適化することができる少なくとも１つのパラメータまたは少なくとも１つのルールであり得る。限定を目的としない例として、少なくとも１つの代理人選好は、少なくとも１つのデータベーステーブルに格納またはキャッシュすることができる。限定を目的としない例として、少なくとも１つの代理人選好は、少なくとも１つの中央サーバ、少なくとも１つの外部サーバ、少なくとも１つのアプリケーション、またはそれらの組合せに接続することができる、または関連付けることができる、少なくとも１つのデータベースに格納またはキャッシュすることができる。
【０６３４】
限定を目的としない例として、少なくとも１つの予測選好は、少なくとも１つの搬送サービス要求、少なくとも１つの代理人に関連する搬送データの全部または一部、少なくとも１つの搬送クライアント、少なくとも１つの代理人、少なくとも１つの自律車両、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せに関連する少なくとも１つのパターンに基づいて、経時的に識別または学習することができる。
【０６３５】
限定を目的としない例として、少なくとも１つの時間選好は、少なくとも１日のうちの少なくとも１つの時間、少なくとも１週間のうちの少なくとも１つの時間、少なくとも１ヶ月のうちの少なくとも１つの時間、少なくとも１年のうちの少なくとも１つの時間、またはそれらの組合せの間の、少なくとも１つの時間範囲、少なくとも１つのピックアップ時間、少なくとも１つのドロップオフ時間、少なくとも１つの事前にスケジュールされた時間等に関連し得る。限定を目的としない例として、少なくとも１つの搬送クライアント詳細選好は、少なくとも１つの搬送クライアント、少なくとも１つのアプリケーション、少なくとも１つの中央サーバ、少なくとも１つの外部サーバ、少なくとも１つのサードパーティ、少なくとも１つのマッププロバイダ、またはそれらの組合せによって提供される少なくとも１つのルート選好であり得る。限定を目的としない例として、少なくとも１つのルート計画選好は、有料道路を回避することができる少なくとも１つのルートを識別することができる。限定を目的としない例として、少なくとも１つのルート計画選好は、少なくとも１つの好ましい搬送サービス要求を識別するのを補助することができる少なくとも１つの最適なナビゲーションルートを識別することができる。
【０６３６】
限定を目的としない例として、少なくとも１つのルート選好を利用して、少なくとも１つの過去のルート、少なくとも１つの特定のルート、少なくとも１つの好ましいルート、少なくとも１つのエリア、少なくとも１つの特定の場所、少なくとも１つの価格情報等を識別することができる。限定を目的としない例として、少なくとも１つのルート選好は、平日の午後５時ごろに第５州間幹線道路上の交通渋滞を回避するために、経時的に学習することができる。限定を目的としない例として、少なくとも１つのルート選好は、少なくとも１つの搬送クライアントまたは少なくとも１つの搬送サービスの少なくとも１つの受取人が選好する、少なくとも１つの道路、少なくとも１つの通り、少なくとも１つの高速道路、少なくとも１つの近隣等を回避することであり得る。
【０６３７】
限定を目的としない例として、少なくとも１つの代理人、少なくとも１つの自律車両、少なくとも１つのサービスプロバイダ、少なくとも１つの商品サプライヤ等が提供または実行することができる、異なるサービスレベルの少なくとも１つの選択を可能にするために、少なくとも１つのサービスレベル選好を、少なくとも１つのアイコンまたは少なくとも１つのビジュアルとして、前述の少なくとも１つの視覚的表現を用いて、または前述の少なくとも１つの視覚的表現上に、表示することができる。
【０６３８】
限定を目的としない例として、少なくとも１つのサービスレベル選好を、少なくとも１つの視覚的表現上に、または少なくとも１つの視覚的表現とともに表示して、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、少なくとも１つの代理人、少なくとも１つの自律車両、少なくとも１つの輸送クライアント等が提供または受けることができる異なるサービスレベルを識別することができる。限定を目的としない例として、少なくとも１つのサービスレベル選好を、少なくとも１つの視覚的表現とともに、または少なくとも１つの視覚的表現上に、少なくとも１つのアイコンとして表示して、少なくとも１つの代理人、少なくとも１つの自律車両、少なくとも１つの搬送クライアント、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、少なくとも１つのマッププロバイダ、少なくとも１つのサードパーティ等が提供または受けることができる異なるサービスレベルの少なくとも１つの選択を可能にすることができる。
【０６３９】
限定を目的としない例として、少なくとも１つのサービスレベル選好を少なくとも１つの動的マップ上に表示して、少なくとも１つの代理人、少なくとも１つの自律車両、少なくとも１つの搬送クライアント、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、少なくとも１つのマッププロバイダ、少なくとも１つのサードパーティ等が提供または受けることができる、異なるサービスレベルを識別することができる。限定を目的としない例として、少なくとも１つの代理人、少なくとも１つの自律車両、少なくとも１つの輸送クライアント、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、少なくとも１つのマッププロバイダ、少なくとも１つのサードパーティ、またはそれらの組合せを、少なくとも１つのサービスレベル選好を表示することができる少なくとも１つの動的マップ上に、または少なくとも１つの動的マップとともに表示することができ、少なくとも１つの移動型アイコンまたは一時アイコンによって表すことができる。
【０６４０】
限定を目的としない例として、少なくとも１つのイベント包含選好は、格付けが５つの星のうちの４つの少なくとも１つの目的地を、少なくとも１つの代理人等のために、またはそれらを基準に、識別することができる。限定を目的としない例として、少なくとも１つのイベント包含選好は、少なくとも１つのイベント、またはそのイベントまたはエリアの中または近くに現在良好に配置されている可能性がある少なくとも１つの代理人、少なくとも１つのサービスプロバイダ等に最適であり得る少なくとも１つのエリアを識別することができるが、そのイベントまたはエリアからさらに離れた他の代理人、サービスプロバイダ等には最適ではない場合がある。
【０６４１】
限定を目的としない例として、少なくとも１つの代理人選好は、少なくとも１つの商品サプライヤが少なくとも１つの現在のまたは少なくとも１つの将来の搬送サービス要求を遅延または延期することを可能にすることができる少なくとも１つの商品サプライヤ選好であり得る。限定を目的としない例として、少なくとも１つの搬送クライアント選好または少なくとも１つの搬送サービスの少なくとも１つの受取人の少なくとも１つの選好を、少なくとも１つの代理人選好と比較して、少なくとも１つのマッチングを識別し、好ましくは、少なくとも１つの代理人のために、またはそれを基準に、少なくとも１つの好ましい搬送サービス要求を確保または取得することができる。
【０６４２】
限定を目的としない例として、少なくとも１つの代理人選好は、少なくとも１つの代理人と少なくとも１つの好ましい搬送サービス要求との間の少なくとも１つのマッチングに影響を及ぼし得る少なくとも１つの文化的特徴を有するか、またはそれに関連し得る。限定を目的としない例として、少なくとも１つの代理人選好は、対応する搬送データが関連付けられた少なくとも１つの搬送サービス要求の全部または一部に影響を及ぼし得る少なくとも１つの文化的特徴を有するか、またはそれに関連し得る。限定を目的としない例として、アメリカ人は、カナダ人と比較して、より短い推定到着時間の少なくとも１つの代理人選好を好む。
【０６４３】
限定を目的としない例として、少なくとも１つの容量選好は、少なくとも１つの車両または少なくとも１つの自律車両内の乗客または商品の最大数を識別することができる。限定を目的としない例として、少なくとも１つの搬送クライアントは、少なくとも１つの選好を利用して、少なくとも１つの搬送クライアントが少なくとも１つの自律車両または少なくとも１つの代理人を好むかどうかを指定することができる。限定を目的としない例として、少なくとも１つの代理人選好は、少なくとも相乗り選好であり得る。限定を目的としない例として、少なくとも１つの代理人選好を使用して、少なくとも１つのサービス終了地理的位置への少なくとも１つの搬送サービスに相乗りすることができる少なくとも１つの搬送クライアントまたは少なくとも１つの搬送クライアントの少なくとも１つのグループを識別することができる。限定を目的としない例として、少なくとも１つの代理人選好は、例えば、少なくとも１つの車両が障碍者に優しいものである等の、安全性に関連し得る。
【０６４４】
限定を目的としない例として、少なくとも１つの配信サービス選好は、合計移動時間に１０分を超える時間が追加されうる配達を除外することであり得る。限定を目的としない例として、少なくとも１つの配達サービス選好は、少なくとも１つの商品、少なくとも１つのアイテム等の少なくとも１つの寸法を指定することができる。限定を目的としない例として、少なくとも１つの配達サービス選好を使用して、少なくとも１つの商品配達、少なくとも１つのアイテム配達等に関連する少なくとも１つの特定の特徴を有する少なくとも１つの代理人または少なくとも１つの車両を識別することができる。限定を目的としない例として、少なくとも１つの配達サービス選好を使用して、少なくとも１つの事前にスケジュールされた搬送サービス要求または少なくとも１つの事前にスケジュールされた搬送クライアント等を識別することができる。
【０６４５】
限定を目的としない例として、少なくとも１つの車両診断選好は、少なくとも１つの車両を道路から離すこと、または少なくとも１つの車両の保守が予定されている場合には、別の搬送サービス要求を確保または取得しないことであり得る。限定を目的としない例として、少なくとも１つの車両診断選好は、少なくとも１つの車両を道路から離すこと、または少なくとも１つの車両に関連する少なくとも１つの基準が満たされた場合に、別の搬送サービス要求を確保または取得しないことであり得る。限定を目的としない例として、少なくとも１つの車両診断選好は、少なくとも１つの車両または少なくとも１つの自律車両上の少なくとも１つのセンサデータに関連し得る。
【０６４６】
限定を目的としない例として、少なくとも１つの中央サーバまたは少なくとも１つのアプリケーションは、第２の代理人選好を使用または適用することができ、少なくとも１つのプロセスは、任意で、少なくとも１つの追加のレベルのフィルタリングと呼ぶか、または見なすことができる。限定を目的としない例として、少なくとも１つの中央サーバまたは少なくとも１つのアプリケーションは、まず、少なくとも１つの代理人選好に基づいて搬送サービス要求をフィルタリングし、次いで、少なくとも１つの異なる代理人選好に基づいて搬送サービス要求の少なくとも１つのサブセットをフィルタリングする２ステッププロセスを使用して、搬送サービス要求をフィルタリングすることができる。
【０６４７】
限定を目的としない例として、少なくとも１つの代理人選好は、少なくとも１つの外部サーバに送信またはアップロードすることができる。限定を目的としない例として、少なくとも１つの代理人選好は、少なくとも１つの外部サーバ、少なくとも１つの中央サーバ、少なくとも１つのアプリケーション、またはそれらの組み合わせ上で、またはそれらにおいて、搬送サービス要求を事前にフィルタリングするために利用することができる。
【０６４８】
限定を目的としない例として、少なくとも１つの個々の代理人選好が少なくとも１つの等しくない重みを有する場合、少なくとも１つの価格設定選好は７０％の重みを有し、少なくとも１つの距離選好は３０％の重みを有することができ、これらの重みは、少なくとも１つの好ましい搬送サービス要求を識別するために、どの少なくとも１つのフィルタリングされた搬送サービス要求が最も高い加重平均を有するかを判断する際に使用することができる。
【０６４９】
限定を目的としない例として、少なくとも１つの代理人選好は、少なくとも１つの個々の搬送業界セグメントに使用することができる。限定を目的としない例として、少なくとも１つの代理人選好は、少なくとも１つの個々のサービスプロバイダ、少なくとも１つのマッププロバイダ等に使用することができる。限定を目的としない例として、少なくとも１つの代理人は、少なくとも１つの地理的位置選好を使用することによって、少なくとも１つの所与のエリアで働く少なくとも１つの代理人選好を指定することができる。限定を目的としない例として、少なくとも１人の代理人は、少なくとも１つの地理的位置選好を使用することによって、６マイルの範囲で働く少なくとも１つの代理人選好を指定することができる。
【０６５０】
限定を目的としない例として、少なくとも１つの代理人選好は、少なくとも１つのアプリケーションに入力または提供されると、少なくとも１つのアプリケーション、少なくとも１つの中央サーバの少なくとも１つのコンピュータ可読メモリ、またはそれらの組合せに格納またはキャッシュすることができ、少なくとも１つの代理人選好は、少なくとも１つの代理人によって少なくとも１つのアプリケーションに再び入力または提供されない。限定を目的としない例として、少なくとも１つの代理人選好は、少なくとも１つの中央サーバの少なくとも１つのコンピュータ可読メモリに格納またはキャッシュすることができ、少なくとも１つの代理人選好は、少なくとも１つのアプリケーションから少なくとも１つの中央サーバに再び送信されない。限定を目的としない例として、少なくとも１つの代理人選好、少なくとも１つの代理人の少なくとも１つのリアルタイムまたはほぼリアルタイムの地理的位置、またはそれらの組合せを、少なくとも１つのアプリケーションから少なくとも１つの中央サーバに、少なくとも１つの搬送サービス要求をフィルタリングする等の前の任意の時間に送信することができる。
【０６５１】
限定を目的としない例として、少なくとも１つの代理人選好は、少なくとも１つの搬送クライアント選好と同じまたは類似のものであり得る。限定を目的としない例として、少なくとも１つの代理人選好は、少なくとも１つの搬送クライアント選好と同じまたは同様の論理を有することができる。
【０６５２】
「搬送クライアント選好」
少なくとも１つの搬送クライアント選好は、例えば、少なくとも１つの好ましい搬送サービス提供を確保または取得するための少なくとも１つの操作または少なくとも１つの機能を容易にするために使用することができる少なくとも１つのルールまたは少なくとも１つのパラメータであり得る。少なくとも１つの搬送クライアント選好は、例えば、少なくとも１つの搬送クライアント、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組み合わせによって利用または操作することができる、少なくとも１つのルールまたは少なくとも１つのパラメータであり得る。少なくとも１つの搬送クライアント選好は、少なくとも１つの好ましい搬送サービス提供をフィルタリングおよび／または識別する少なくとも１つのプロセス中に使用または利用することができる任意のルールまたはパラメータであり得る。
【０６５３】
少なくとも１つの搬送クライアント選好は、搬送データの全部または一部、少なくとも１つの搬送サービス提供、またはそれらの組合せを最適化することができる少なくとも１つのルールまたは少なくとも１つのパラメータであり得る。少なくとも１つの搬送クライアント選好は、少なくとも１つの好ましい搬送サービス提供に直接または間接的に関連し得る。少なくとも１つの搬送クライアント選好は、少なくとも１つの搬送クライアントを、少なくとも１つの好ましい搬送サービス提供、少なくとも１つの代理人、少なくとも１つの自律車両、またはそれらの組合せのために、またはそれらと、マッチングさせるために使用することができる、少なくとも１つの特徴または少なくとも１つの様々な特徴に関連付けることができるか、またはそれらを有することができる。少なくとも１つの搬送クライアント選好は、少なくとも１つのルールベースのシステム、少なくとも１つのルールベースの方法、またはそれらの組み合わせで実装される少なくとも１つのルールであり得る。
【０６５４】
少なくとも１つの搬送クライアント選好は、例えば、少なくとも１つの搬送クライアントのために、またはそれを基準に、少なくとも１つの好ましい搬送サービス提供を識別し、好ましくは確保または取得するために、少なくとも１つの搬送クライアント、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せによって使用され得る。少なくとも１つの搬送クライアント選好または少なくとも１つの搬送クライアント選好の少なくとも１つのセットを使用して、少なくとも１つの好ましい搬送サービス提供のフィルタリング、好ましいと識別、確保または取得、またはそれらの組合せを行うことができる。
【０６５５】
少なくとも１つの搬送クライアント選好は、少なくとも１つの搬送クライアント、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せによって改良またはカスタマイズすることができる。少なくとも１つの搬送クライアント選好は、少なくとも１つの中央サーバ、少なくとも１つの外部サーバ、少なくとも１つのアプリケーション、またはそれらの組み合わせ上に固定されるか、または組み込まれ得る。少なくとも１つの搬送クライアント選好を編集不可能にすることができる。少なくとも１つの搬送クライアント選好は、少なくとも１つの数字または少なくとも１つの数であり得る。
【０６５６】
少なくとも１つの搬送クライアント選好は、少なくとも１つのツール、例えば、少なくとも１つの好ましい搬送サービス提供、少なくとも１つのフィルタリングされた搬送サービス提供、少なくとも１つの搬送サービス提供、またはそれらの組合せをフィルタリングし、識別し、確保または取得し、またはそれらの組合せを行うための、少なくとも１つのルールまたは少なくとも１つのパラメータであり得る。
【０６５７】
少なくとも１つの搬送クライアント選好を使用して、少なくとも１つの好ましい搬送サービス提供、少なくとも１つのフィルタリングされた搬送サービス提供、少なくとも１つの搬送サービス提供、またはそれらの組合せを、少なくとも１つの搬送クライアントとともに、または少なくとも１つの搬送クライアントのためにマッチングさせるか、またはそれらで満たすことができる。少なくとも１つの搬送クライアント選好を使用して、少なくとも１つの好ましい搬送サービス提供、少なくとも１つのフィルタリングされた搬送サービス提供、少なくとも１つの搬送サービス提供、またはそれらの組合せのために、またはそれらを、少なくとも１つの搬送クライアントとマッチングさせるか、またはそれらで満たすことができる。少なくとも１つの搬送クライアント選好を使用して、少なくとも１つの好ましい搬送サービス提供、少なくとも１つのフィルタリングされた搬送サービス提供、少なくとも１つの搬送サービス提供、またはそれらの組合せを、少なくとも１つの搬送クライアントとマッチングさせるか、またはそれらで満たすことができる。少なくとも１つの搬送クライアント選好は、例えば、少なくとも１つの好ましい搬送サービス提供を識別し、好ましくは確保または取得するために、少なくとも１つの搬送クライアント、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組み合わせによって利用され得る。
【０６５８】
少なくとも１つの搬送クライアント選好は、限定はしないが、リアルタイムまたはほぼリアルタイムで少なくとも１つの搬送サービス提供をフィルタリングおよび／または好ましくはソートして少なくとも１つの好ましい搬送サービス提供を識別するために、例えば少なくとも１つの搬送クライアント、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せによって選択または提供される少なくとも１つのオプションを含み得る。少なくとも１つの搬送クライアント選好は、例えば、少なくとも１つの好ましい搬送サービス提供をフィルタリングして識別し、次いで、好ましいと識別することができる少なくとも１つの搬送クライアント、少なくとも１つの搬送クライアントに関連する搬送データの全部または一部、またはそれらの組合せをフィルタリングして識別し、好ましくは一緒に確保または取得するために使用することができる。少なくとも１つの搬送クライアント選好は、少なくとも１つの好ましい搬送サービス提供、少なくとも１つのフィルタリングされた搬送サービス提供、少なくとも１つの搬送サービス提供、またはそれらの組合せをフィルタリングして識別するために使用することができる選好の少なくとも１つのセットまたはパラメータの少なくとも１つのセットを有するかまたはそれらに関連付けることができる。
【０６５９】
少なくとも１つの搬送クライアント選好を使用して、少なくとも１つの好ましい搬送サービス提供と少なくとも１つの搬送クライアントとの間の少なくとも１つのマッチングを確保または取得する前に、任意の順序で少なくとも１つの搬送サービス提供をフィルタリングすることができる。少なくとも１つの搬送クライアント選好を使用して、少なくとも１つの好ましい搬送サービス提供と少なくとも１つの搬送クライアントとの間の少なくとも１つのマッチングを確保または取得する前に、任意の順序で少なくとも１つの好ましい搬送サービス提供を識別することができる。
【０６６０】
少なくとも１つの搬送クライアント選好は、限定はしないが、少なくとも１つの中央サーバ、少なくとも１つの外部サーバ、少なくとも１つのアプリケーション、少なくとも１つの端末、またはそれらの組合せ上で事前に設定することができる。少なくとも１つの搬送クライアント選好は、少なくとも１つの搬送サービス提供をフィルタリング等するために、包括的または排他的のいずれかであり得る。少なくとも１つの好ましい搬送サービス提供を識別するために少なくとも１つの加重平均を計算する際、少なくとも１つの個々の搬送クライアント選好は、少なくとも１つの等しい重みまたは少なくとも１つの等しくない重みを有し得る。少なくとも１つのフィルタリングされた搬送サービス提供は、好ましくは、少なくとも１つの好ましい搬送サービス提供を識別するために、少なくとも１つの搬送クライアント選好の少なくとも１つの加重平均に関連する少なくとも１つの順序にリアルタイムまたはほぼリアルタイムでソートすることができる。
【０６６１】
少なくとも１つの搬送クライアント、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せは、任意で、少なくとも１つの等しい重みまたは少なくとも１つの等しくない重みを有するように、少なくとも１つの搬送クライアント選好のための少なくとも１つの重みを選択することができる。少なくとも１つの搬送クライアント、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せは、任意で、少なくとも１つの好ましい搬送サービス提供をフィルタリングし、識別し、確保または取得し、またはそれらの組合せを行うために、少なくとも１つの搬送クライアント選好のための少なくとも１つの重みを選択することができる。
【０６６２】
少なくとも１つの搬送クライアント選好を使用して、少なくとも１つの搬送サービス提供を少なくとも１つのフィルタリングされた搬送サービス提供にフィルタリングすることができる。少なくとも１つの搬送クライアント選好を使用して、少なくとも１つのフィルタリングされた搬送サービス提供から少なくとも１つの好ましい搬送サービス提供を識別することができる。少なくとも１つの搬送クライアント選好を使用して、少なくとも１つの搬送クライアントに関連する搬送データの全部または一部をフィルタリングすることができる。
【０６６３】
少なくとも１つの搬送クライアント選好は、限定はしないが、少なくとも１つの中央サーバ、少なくとも１つのアプリケーション、少なくとも１つの外部サーバ、少なくとも１つの端末、またはそれらの組合せに格納またはキャッシュすることができる。少なくとも１つの搬送クライアント選好は、限定はしないが、少なくとも１つの中央サーバ、少なくとも１つの外部サーバ、少なくとも１つの端末、少なくとも１つのアプリケーション、またはそれらの組合せに格納またはキャッシュするか、あるいは送信することができる。少なくとも１つの搬送クライアント選好は、少なくとも１つの中央サーバ、少なくとも１つの外部サーバ、少なくとも１つのアプリケーション、またはそれらの組み合わせから遠隔の場所にあり得る少なくとも１つのサーバに保存するか、または少なくとも１つのサーバから読み出すことができる。少なくとも１つの搬送クライアント選好は、少なくとも１つのデータベースに格納またはキャッシュすることができる。少なくとも１つの搬送クライアント選好は、少なくとも１つの好ましい搬送サービス提供、少なくとも１つのフィルタリングされた搬送サービス提供、少なくとも１つの搬送サービス提供、またはそれらの組合せをフィルタリングし識別するために、少なくとも１つのデータベースにおいて使用することができる。
【０６６４】
少なくとも１つの搬送クライアント、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、少なくとも１つのマッププロバイダ、少なくとも１つのサードパーティ、またはそれらの組合せは、少なくとも１つの搬送クライアント選好を使用して、少なくとも１つの好ましい搬送サービス提供、少なくとも１つのフィルタリングされた搬送サービス提供、少なくとも１つの搬送サービス提供、またはそれらの組合せをフィルタリングして識別することができる。
【０６６５】
少なくとも１つの搬送クライアントは、少なくとも１つの好ましい搬送サービス提供を識別し、好ましくは確保または取得するために使用することができる少なくとも１つのアプリケーション、少なくとも１つの中央サーバ、少なくとも１つの外部サーバ、またはそれらの組合せに、少なくとも１つの搬送クライアント選好を入力または提供することができる。少なくとも１つの搬送クライアント、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せは、少なくとも１つの搬送クライアントのために、またはそれを基準に、少なくとも１つの好ましい搬送サービス提供を識別し、好ましくは確保または取得するために使用することができる少なくとも１つのアプリケーション、少なくとも１つの中央サーバ、または少なくとも１つの外部サーバに、少なくとも１つの搬送クライアント選好を入力または提供することができる。
【０６６６】
少なくとも１つの搬送クライアント選好は、リアルタイムまたはほぼリアルタイムで更新またはリフレッシュすることができ、最高の発展レベルまたは最新技術に更新またはリフレッシュされているものを指し得る。少なくとも１つの搬送クライアント選好を使用して、最高の発展レベルまたは最新技術に更新またはリフレッシュされる少なくとも１つの機能をリアルタイムまたはほぼリアルタイムで実行することができる。少なくとも１つの搬送クライアント選好は更新または変更することができ、限定はしないが、少なくとも１つのフィルタリングされた搬送サービス提供、少なくとも１つの好ましい搬送サービス提供、またはそれらの組合せを含む少なくとも１つの新しいまたは異なるセットを識別することができる。
【０６６７】
少なくとも１つの中央サーバ、少なくとも１つのアプリケーション、少なくとも１つの外部サーバ、またはそれらの組合せは、例えば、少なくとも１つの搬送クライアントのために、少なくとも１つの搬送クライアント選好基準を満たさないか、または適合しない少なくとも１つの搬送サービス提供をフィルタリングにより除去するか、隠すか、または取り除くことができる。少なくとも１つの搬送クライアント選好を少なくとも１つの搬送クライアントの少なくとも１つのリアルタイムまたはほぼリアルタイムの地理的位置または少なくとも１つの異なる地理的位置とともに使用して、少なくとも１つの搬送サービス提供を少なくとも１つのフィルタリングされた搬送サービス提供にフィルタリングすることができる。
【０６６８】
少なくとも１つの搬送クライアント選好を使用して、少なくとも１つのフィルタリングされた搬送サービス提供または少なくとも１つの事前にフィルタリングされた搬送サービス提供から少なくとも１つの好ましい搬送サービス提供を識別することができる。少なくとも１つの搬送クライアント選好は、少なくとも１つの搬送業界セグメントで活動する、少なくとも１つの搬送クライアント、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せによって使用され得る。
【０６６９】
少なくとも１つの搬送クライアント選好は、少なくとも１つのルート計画情報を利用することができる少なくとも１つのルールまたは少なくとも１つのパラメータであり得る。少なくとも１つの搬送クライアント選好は、少なくとも１つの搬送サービス提供、搬送データの全部または一部、少なくとも１つの自律車両に関連する搬送データの全部または一部、少なくとも１つの搬送クライアント、少なくとも１つの代理人、少なくとも１つの自律車両、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せに関連して経時的に学習することができる。少なくとも１つの搬送クライアント選好は、機械学習技術および／または量子計算等を利用することができる少なくとも１つの予測選好であり得る。
【０６７０】
少なくとも１つのサービスレベル選好を使用して、例えば、少なくとも１つの車両タイプ、少なくとも１つのサービスタイプ、少なくとも１つの車両詳細、少なくとも１つの自律車両詳細等を識別することができる。少なくとも１つの搬送クライアント選好は、少なくとも１つの地域または少なくとも１つの国の少なくとも１つの文化的特徴を有するか、またはそれに関連付けることができる。少なくとも１つの搬送クライアント選好は、少なくとも１つの車両、少なくとも１つの自律車両、少なくとも１つの搬送クライアント、少なくとも１つの代理人、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せに関連する少なくとも１つの容量レベルを管理または監視するために利用することができる少なくとも１つの容量選好であり得る。
【０６７１】
限定を目的としない例として、少なくとも１つの搬送クライアント選好は、限定はしないが、少なくとも１つの価格設定選好、少なくとも１つの高価格設定選好、少なくとも１つの地理的位置選好、少なくとも１つの距離選好、少なくとも１つのルート選好、少なくとも１つのサービス所要時間選好、少なくとも１つのサービス開始地理的位置選好、少なくとも１つのサービス終了地理的位置選好、少なくとも１つの時間選好、少なくとも１つの予測選好、少なくとも１つの過去の選好、少なくとも１つの効率選好、少なくとも１つのイベント包含選好、少なくとも１つのイベント除外選好、少なくとも１つの交通ベースの選好、少なくとも１つの道路条件選好、少なくとも１つの気象条件選好、少なくとも１つの搬送サービス所要時間選好、少なくとも１つの搬送サービス提供密度選好、少なくとも１つの代理人詳細選好、少なくとも１つの代理人格付け選好、少なくとも１つの代理人密度選好、少なくとも１つの搬送クライアント密度選好、少なくとも１つのサービスプロバイダ包含選好、少なくとも１つのサービスプロバイダ除外選好、少なくとも１つのサービスプロバイダ密度選好、少なくとも１つのサービスレベル選好、少なくとも１つの商品サプライヤ包含選好、少なくとも１つの商品サプライヤ除外選好、少なくとも１つの商品サプライヤ密度選好、少なくとも１つの商品詳細選好、少なくとも１つの搬送業界セグメント選好、少なくとも１つの貨物選好、少なくとも１つのウェイポイント選好、少なくとも１つの配達サービス選好、またはそれらの組合せを含み得る。
【０６７２】
限定を目的としない例として、少なくとも１つの搬送クライアント選好は、限定はしないが、少なくとも１つの価格設定選好、少なくとも１つの高価格設定選好、少なくとも１つの地理的位置選好、少なくとも１つの距離選好、少なくとも１つのルート選好、少なくとも１つのサービス所要時間選好、少なくとも１つのサービス開始地理的位置選好、少なくとも１つのサービス終了地理的位置選好、少なくとも１つの時間選好、少なくとも１つの予測選好、少なくとも１つの過去の選好、少なくとも１つの効率選好、少なくとも１つのセンサ選好、少なくとも１つのイベント選好、少なくとも１つの交通ベースの選好、少なくとも１つの道路条件選好、少なくとも１つの気象条件選好、少なくとも１つの輸送選好、少なくとも１つのルート計画選好、少なくとも１つの燃費選好、少なくとも１つのバッテリ寿命選好、少なくとも１つの車両容量選好、少なくとも１つの車両診断選好、少なくとも１つの搬送データ選好、少なくとも１つの搬送サービス所要時間選好、少なくとも１つの搬送サービス提供密度選好、少なくとも１つの搬送クライアント密度選好、少なくとも１つの搬送クライアント詳細選好、少なくとも１つの搬送クライアント格付け選好、少なくとも１つの代理人密度選好、少なくとも１つの自律車両密度選好、少なくとも１つのサービスプロバイダ選好、少なくとも１つのサービスプロバイダ密度選好、少なくとも１つのサービスレベル選好、少なくとも１つの商品サプライヤ選好、少なくとも１つの商品サプライヤ密度選好、少なくとも１つの自律車両の少なくとも１つのオーナまたは少なくとも１つのコントローラ選好、少なくとも１つの自律車両の少なくとも１つのオーナまたは少なくとも１つのコントローラ密度選好、少なくとも１つのフリートマネージャ選好、少なくとも１つのフリートマネージャ密度選好、少なくとも１つのフリートマネージャ密度選好、少なくとも１つのロジスティクスプロバイダ選好、少なくとも１つのロジスティクスプロバイダ密度選好、少なくとも１つのロジスティクスサプライヤ選好、少なくとも１つのロジスティクスサプライヤ密度選好、少なくとも１つの商品詳細選好、少なくとも１つの搬送業界セグメント選好、少なくとも１つの貨物選好、少なくとも１つのウェイポイント選好、少なくとも１つの配達サービス選好、少なくとも１つの最も古い未処理提供選好、またはそれらの組合せを含み得る。
【０６７３】
限定を目的としない例として、少なくとも１つの搬送クライアント選好として少なくとも１つの価格選好が選択された場合、好ましくは、高価格設定でない少なくとも１つの搬送サービス提供を、少なくとも１つの好ましい搬送サービス提供として識別することができる。限定を目的としない例として、少なくとも１つのサービスレベル選好が選択された場合、好ましくは、「ホワイトグローブサービス」や高級サービスといった少なくとも１つのより高品質のサービスの少なくとも１つの搬送サービス提供を、少なくとも１つの好ましい搬送サービス提供として識別することができる。限定を目的としない例として、少なくとも１つの価格選好が選択された場合、好ましくは、少なくとも１つの設定された最高価格よりも低い価格が設定されている少なくとも１つの搬送サービス提供を、少なくとも１つの搬送クライアントのための少なくとも１つの好ましい搬送サービス提供として識別することができる。
【０６７４】
限定を目的としない例として、少なくとも１つの代理人格付け選好が選択された場合、好ましくは、設定された最低格付け以上に格付けされている少なくとも１つの代理人からの少なくとも１つの搬送サービス提供を、少なくとも１つの好ましい搬送サービス提供として識別することができる。限定を目的としない例として、少なくとも１つの個々の搬送クライアント選好が少なくとも１つの等しくない重みを有する場合、少なくとも１つの価格設定選好は９０％の重みを有し、少なくとも１つのサービスプロバイダ包含選好は１０％の重みを有することができ、これらの重みは、少なくとも１つの好ましい搬送サービス提供を識別するために、どの少なくとも１つのフィルタリングされた搬送サービス提供が少なくとも１つの最も高い加重平均を有するかを判断する際に使用することができる。限定を目的としない例として、少なくとも１つの追加の搬送クライアント選好が、少なくとも１つの第１の搬送クライアント選好に追加された場合、少なくとも１つの搬送クライアント選好の少なくとも１つの重みは、合計１００％になる。
【０６７５】
限定を目的としない例として、少なくとも１つの搬送クライアント選好は、少なくとも１つのアプリケーションと少なくとも１つの外部サーバとの間の少なくとも１つのリンクを介して、少なくとも１つのアプリケーションと少なくとも１つの外部サーバとの間で、または少なくとも１つのアプリケーションから少なくとも１つの外部サーバに、送信することができる。
【０６７６】
限定を目的としない例として、少なくとも１つの搬送クライアント選好は、少なくとも１つのデータベース、少なくとも１つのデータベースクエリ、少なくとも１つのデータベーステーブル、少なくとも１つのデータベース結果セット等に関連付けることができる。限定を目的としない例として、少なくとも１つのデータベースクエリは、少なくとも１つの搬送クライアント選好を含むか、またはそれに関連付けることができる。限定を目的としない例として、少なくとも１つの搬送クライアント選好は、別の少なくとも１つの搬送クライアント選好に関連し得るか、または関連付けることができる。限定を目的としない例として、少なくとも１つの搬送クライアント選好を使用して、データベースからデータを取り出すことができる。限定を目的としない例として、少なくとも１つの搬送クライアント選好は、少なくとも１つの中央サーバの少なくとも１つの内部部分であり得る。限定を目的としない例として、少なくとも１つの搬送クライアント選好は、少なくとも１つのＳＱＬパラメータ、少なくとも１つの変数等に関連する少なくとも１つの形式または少なくとも１つのフォーマットであり得る。限定を目的としない例として、複数の搬送クライアント選好は、少なくとも１つの搬送クライアントのために、またはそれを基準に、少なくとも１つの好ましい搬送サービス提供をフィルタリングおよび／または識別する少なくとも１つのプロセス中に、複数回使用することができる。限定を目的としない例として、少なくとも１つの搬送クライアント選好は、少なくとも１つの条件文、少なくとも１つの条件式、少なくとも１つの条件構成等とともに、またはそれらの中で使用することができる。限定を目的としない例として、少なくとも１つの搬送クライアント選好を、少なくとも１つの条件に基づいて少なくとも１つの制御フローを変更するために使用することができる。
【０６７７】
限定を目的としない例として、少なくとも１つの搬送クライアント選好は、少なくとも１つの好ましい搬送サービス提供、少なくとも１つのフィルタリングされた搬送サービス提供、少なくとも１つの搬送サービス提供、またはそれらの組合せをフィルタリングし識別するために使用することができる、少なくとも１つの異なる選好のセットまたは少なくとも１つの異なるパラメータのセットを有するか、またはそれらに関連付けることができる。限定を目的としない例として、少なくとも１つの中央サーバが、少なくとも１つの好ましい搬送サービス提供、少なくとも１つのフィルタリングされた搬送サービス提供、少なくとも１つの搬送サービス提供、またはそれらの組合せをフィルタリングおよび／または識別する際、いくつかの搬送クライアント選好は、他の搬送クライアント選好よりも関連性が高いことがある。限定を目的としない例として、少なくとも１つの搬送クライアント選好は、少なくとも１つの食品配達業界セグメントにおける少なくとも１つの搬送サービス提供をフィルタリングするために使用することができ、少なくとも１つの異なる搬送クライアント選好は、少なくとも１つのライドヘイル業界セグメントにおける少なくとも１つの搬送サービス提供をフィルタリングするために使用することができる。
【０６７８】
限定を目的としない例として、少なくとも１つの搬送サービス提供が、フィルタリングされるか、または好ましいと識別される少なくとも１つのプロセスを経るときはいつでも、少なくとも１つの搬送クライアントは、同じ少なくとも１つのプロセスまたは同様の少なくとも１つのプロセスを経ることができる。限定を目的としない例として、少なくとも１つの搬送クライアント選好は、少なくとも１つの搬送クライアントを基準に、または少なくとも１つの搬送クライアントのために、少なくとも１つの車両からの少なくとも１つのセンサデータを使用して、少なくとも１つの好ましい搬送サービス提供を分析または評価し、好ましくは確保または取得することができる。限定を目的としない例として、少なくとも１つの搬送クライアント選好は、少なくとも１つのセンサデータを使用して、少なくとも１つの自律車両が少なくとも１つの搬送サービスを実行するのに十分なバッテリを有するかどうかを識別することができる。
【０６７９】
限定を目的としない例として、少なくとも１つの輸送選好は、少なくとも１つの搬送サービス選好を識別することができる少なくとも１つのパラメータまたは少なくとも１つのルールであり得る。限定を目的としない例として、少なくとも１つの輸送選好は、障碍者支援を必要とする少なくとも１つの搬送サービス提供を識別することができる。限定を目的としない例として、少なくとも１つの輸送選好は、少なくとも１つの高級車両を必要とする少なくとも１つの搬送サービス提供を識別することができる。限定を目的としない例として、少なくとも１つの効率選好は、車両利用を最適化することができる少なくとも１つのパラメータまたは少なくとも１つのルールであり得る。限定を目的としない例として、少なくとも１つの搬送クライアント選好は、少なくとも１つのデータベーステーブルに格納またはキャッシュすることができる。限定を目的としない例として、少なくとも１つの搬送クライアント選好は、少なくとも１つの中央サーバ、少なくとも１つの外部サーバ、少なくとも１つのアプリケーション、またはそれらの組合せに接続することができる、または関連付けることができる、少なくとも１つのデータベースに格納またはキャッシュすることができる。
【０６８０】
限定を目的としない例として、少なくとも１つの予測選好は、少なくとも１つの搬送サービス提供、少なくとも１つの搬送クライアントに関連する搬送データの全部または一部、少なくとも１つの搬送クライアント、少なくとも１つの代理人、少なくとも１つの自律車両、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、またはそれらの組合せに関連する少なくとも１つのパターンに基づいて、経時的に識別または学習することができる。
【０６８１】
限定を目的としない例として、少なくとも１つの時間選好は、少なくとも１日のうちの少なくとも１つの時間、少なくとも１週間のうちの少なくとも１つの時間、少なくとも１ヶ月のうちの少なくとも１つの時間、少なくとも１年のうちの少なくとも１つの時間、またはそれらの組合せの間の、少なくとも１つの時間範囲、少なくとも１つのピックアップ時間、少なくとも１つのドロップオフ時間、少なくとも１つの事前にスケジュールされた時間等に関連し得る。限定を目的としない例として、少なくとも１つの搬送クライアント詳細選好は、少なくとも１つの搬送クライアント、少なくとも１つのアプリケーション、少なくとも１つの中央サーバ、少なくとも１つの外部サーバ、少なくとも１つのサードパーティ、少なくとも１つのマッププロバイダ、またはそれらの組合せによって提供される少なくとも１つのルート選好であり得る。限定を目的としない例として、少なくとも１つのルート計画選好は、有料道路を回避することができる少なくとも１つのルートを識別することができる。限定を目的としない例として、少なくとも１つのルート計画選好は、少なくとも１つの好ましい搬送サービス提供を識別するのを補助することができる少なくとも１つの最適なナビゲーションルートを識別することができる。
【０６８２】
限定を目的としない例として、少なくとも１つのルート選好を利用して、少なくとも１つの過去のルート、少なくとも１つの特定のルート、少なくとも１つの好ましいルート、少なくとも１つのエリア、少なくとも１つの特定の場所、少なくとも１つの価格情報等を識別することができる。限定を目的としない例として、少なくとも１つのルート選好は、平日の午後５時ごろに第５州間幹線道路上の交通渋滞を回避するために、経時的に学習することができる。限定を目的としない例として、少なくとも１つのルート選好は、少なくとも１つの搬送クライアントまたは少なくとも１つの搬送サービスの少なくとも１つの受取人が選好する、少なくとも１つの道路、少なくとも１つの通り、少なくとも１つの高速道路、少なくとも１つの近隣等を回避することであり得る。
【０６８３】
限定を目的としない例として、少なくとも１つの代理人、少なくとも１つの自律車両、少なくとも１つのサービスプロバイダ、少なくとも１つの商品サプライヤ等が提供または実行することができる、異なるサービスレベルの少なくとも１つの選択を可能にするために、少なくとも１つのサービスレベル選好を、少なくとも１つのアイコンまたは少なくとも１つのビジュアルとして、前述の少なくとも１つの視覚的表現を用いて、または前述の少なくとも１つの視覚的表現上に、表示することができる。
【０６８４】
限定を目的としない例として、少なくとも１つのサービスレベル選好を、少なくとも１つの視覚的表現上に、または少なくとも１つの視覚的表現とともに表示して、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのマッププロバイダ、少なくとも１つのサードパーティ、少なくとも１つの代理人、少なくとも１つの自律車両、少なくとも１つの輸送クライアント等が提供または受けることができる異なるサービスレベルを識別することができる。限定を目的としない例として、少なくとも１つのサービスレベル選好を、少なくとも１つの視覚的表現とともに、または少なくとも１つの視覚的表現上に、少なくとも１つのアイコンとして表示して、少なくとも１つの代理人、少なくとも１つの自律車両、少なくとも１つの搬送クライアント、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、少なくとも１つのマッププロバイダ、少なくとも１つのサードパーティ等が提供または受けることができる異なるサービスレベルの少なくとも１つの選択を可能にすることができる。
【０６８５】
限定を目的としない例として、少なくとも１つのサービスレベル選好を少なくとも１つの動的マップ上に表示して、少なくとも１つの代理人、少なくとも１つの自律車両、少なくとも１つの搬送クライアント、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、少なくとも１つのマッププロバイダ、少なくとも１つのサードパーティ等が提供または受けることができる、異なるサービスレベルを識別することができる。限定を目的としない例として、少なくとも１つの代理人、少なくとも１つの自律車両、少なくとも１つの輸送クライアント、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、少なくとも１つのマッププロバイダ、少なくとも１つのサードパーティ、またはそれらの組合せを、少なくとも１つのサービスレベル選好を表示することができる少なくとも１つの動的マップ上に、または少なくとも１つの動的マップとともに表示することができ、少なくとも１つの移動型アイコンまたは一時アイコンによって表すことができる。
【０６８６】
限定を目的としない例として、少なくとも１つの搬送クライアント選好は、少なくとも１つの商品サプライヤが少なくとも１つの現在のまたは少なくとも１つの将来の搬送サービス提供を急ぐかまたは促進することを可能にすることができる少なくとも１つの商品サプライヤ選好であり得る。限定を目的としない例として、少なくとも１つの搬送クライアント選好または少なくとも１つの搬送サービスの少なくとも１つの受取人の少なくとも１つの選好を、少なくとも１つの代理人選好と比較して、少なくとも１つのマッチングを識別し、好ましくは、少なくとも１つの搬送クライアントのために、またはそれを基準に、少なくとも１つの好ましい搬送サービス提供を確保または取得することができる。
【０６８７】
限定を目的としない例として、少なくとも１つの搬送クライアント選好は、少なくとも１つの搬送クライアントと少なくとも１つの好ましい搬送サービス提供との間の少なくとも１つのマッチングに影響を及ぼし得る少なくとも１つの文化的特徴を有するか、またはそれに関連し得る。限定を目的としない例として、少なくとも１つの搬送クライアント選好は、対応する搬送データが関連付けられた少なくとも１つの搬送サービス提供の全部または一部に影響を及ぼし得る少なくとも１つの文化的特徴を有するか、またはそれに関連し得る。限定を目的としない例として、アメリカ人は、カナダ人と比較して、より短い推定到着時間の少なくとも１つの搬送クライアント選好を好む。
【０６８８】
限定を目的としない例として、少なくとも１つの容量選好は、少なくとも１つの車両または少なくとも１つの自律車両内の乗客または商品の最大数を識別することができる。限定を目的としない例として、少なくとも１つの搬送クライアントは、少なくとも１つの選好を利用して、少なくとも１つの搬送クライアントが少なくとも１つの自律車両または少なくとも１つの代理人を好むかどうかを指定することができる。限定を目的としない例として、少なくとも１つの搬送クライアント選好は、少なくとも相乗り選好であり得る。限定を目的としない例として、少なくとも１つの搬送クライアント選好を使用して、少なくとも１つのサービス終了地理的位置への少なくとも１つの搬送サービスに相乗りすることができる少なくとも１つの搬送クライアントまたは少なくとも１つの搬送クライアントの少なくとも１つのグループを識別することができる。限定を目的としない例として、少なくとも１つの搬送クライアント選好は、例えば、少なくとも１つの車両が障碍者に優しいものである等の、安全性に関連し得る。
【０６８９】
限定を目的としない例として、少なくとも１つの配信サービス選好は、合計移動時間に１０分を超える時間が追加されうる配達を除外することであり得る。限定を目的としない例として、少なくとも１つの配達サービス選好は、少なくとも１つの商品、少なくとも１つのアイテム等の少なくとも１つの寸法を指定することができる。限定を目的としない例として、少なくとも１つの配達サービス選好を使用して、少なくとも１つの商品配達、少なくとも１つのアイテム配達等に関連する少なくとも１つの特定の特徴を有する少なくとも１つの代理人または少なくとも１つの車両を識別することができる。限定を目的としない例として、少なくとも１つの配達サービス選好を使用して、少なくとも１つの事前にスケジュールされた搬送サービス提供または少なくとも１つの事前にスケジュールされた代理人等を識別することができる。
【０６９０】
限定を目的としない例として、少なくとも１つの中央サーバまたは少なくとも１つのアプリケーションは、第２の搬送クライアント選好を使用または適用することができ、少なくとも１つのプロセスは、任意で、少なくとも１つの追加のレベルのフィルタリングと呼ぶか、または見なすことができる。限定を目的としない例として、少なくとも１つの中央サーバまたは少なくとも１つのアプリケーションは、まず、少なくとも１つの搬送クライアント選好に基づいて搬送サービス提供をフィルタリングし、次いで、少なくとも１つの異なる搬送クライアント選好に基づいて搬送サービス提供の少なくとも１つのサブセットをフィルタリングする２ステッププロセスを使用して、搬送サービス提供をフィルタリングすることができる。
【０６９１】
限定を目的としない例として、少なくとも１つの搬送クライアント選好は、少なくとも１つの外部サーバに送信またはアップロードすることができる。限定を目的としない例として、少なくとも１つの搬送クライアント選好は、少なくとも１つの外部サーバ、少なくとも１つの中央サーバ、少なくとも１つのアプリケーション、またはそれらの組み合わせ上で、またはそれらにおいて、搬送サービス提供を事前にフィルタリングするために利用することができる。限定を目的としない例として、少なくとも１つの搬送クライアント選好は、少なくとも１つの個々の搬送業界セグメントに使用することができる。限定を目的としない例として、少なくとも１つの搬送クライアント選好は、少なくとも１つの個々のサービスプロバイダ、少なくとも１つのマッププロバイダ等に使用することができる。
【０６９２】
限定を目的としない例として、少なくとも１つの搬送クライアント選好は、少なくとも１つのアプリケーションに入力または提供されると、少なくとも１つのアプリケーション、少なくとも１つの中央サーバの少なくとも１つのコンピュータ可読メモリ、またはそれらの組合せに格納またはキャッシュすることができ、少なくとも１つの搬送クライアント選好は、少なくとも１つの搬送クライアントによって少なくとも１つのアプリケーションに再び入力または提供されない。限定を目的としない例として、少なくとも１つの搬送クライアント選好は、少なくとも１つの中央サーバの少なくとも１つのコンピュータ可読メモリに格納またはキャッシュすることができ、少なくとも１つの搬送クライアント選好は、少なくとも１つのアプリケーションから少なくとも１つの中央サーバに再び送信されない。限定を目的としない例として、少なくとも１つの搬送クライアント選好、少なくとも１つの搬送クライアントの少なくとも１つのリアルタイムまたはほぼリアルタイムの地理的位置、またはそれらの組合せを、少なくとも１つのアプリケーションから少なくとも１つの中央サーバに、少なくとも１つの搬送サービス提供をフィルタリングする等の前の任意の時間に送信することができる。
【０６９３】
限定を目的としない例として、少なくとも１つの搬送クライアント選好は、少なくとも１つの代理人選好と同じまたは類似のものであり得る。限定を目的としない例として、少なくとも１つの搬送クライアント選好は、少なくとも１つの代理人選好と同じまたは同様の論理を有することができる。
【０６９４】
「少なくとも１つの搬送クライアント、代理人、自律車両、サービスプロバイダ、または商品サプライヤの地理的位置」
少なくとも１つの搬送クライアントの少なくとも１つの地理的位置は、限定はしないが、いかなる時点においても少なくとも１つの搬送クライアントがいる可能性がある少なくとも１つの地理的位置、少なくとも１つの座標、少なくとも１つの位置、または少なくとも１つの場所であり得る。少なくとも１つの搬送クライアント、少なくとも１つの代理人、少なくとも１つの自律車両、少なくとも１つのサービスプロバイダ、少なくとも１つの商品サプライヤ、またはそれらの組み合わせの少なくとも１つの地理的位置は、例えば、リアルタイム、ほぼリアルタイム、静的、または非リアルタイムであり得る。
【０６９５】
任意の個々の人物、機械、エンティティ、またはそれらの組合せの少なくとも１つの地理的位置は、少なくとも１つの小数点表記または十進表記の少なくとも１つの経度および少なくとも１つの緯度に関連するか、またはそれらを有し得る。任意の個々の人物、機械、エンティティ、またはそれらの組み合わせの少なくとも１つの地理的位置は、少なくとも１つのデータベースにおいて、少なくとも１つの小数点表記または十進表記の少なくとも１つの経度および少なくとも１つの緯度に関連するか、またはそれらを有することができる。任意の個々の人物、機械、エンティティ、またはそれらの組み合わせの少なくとも１つの地理的位置は、少なくとも１つの異なる小数点表記または十進表記で、少なくとも１つの経度および少なくとも１つの緯度に関連するか、またはそれらを有することができる。任意の個々の人物、機械、エンティティ、またはそれらの組み合わせの少なくとも１つの地理的位置は、少なくとも１つのデータベースにおいて、少なくとも１つの異なる小数点表記または十進表記の少なくとも１つの経度および少なくとも１つの緯度に関連するか、またはそれらを有することができる。
【０６９６】
少なくとも１つの代理人、少なくとも１つの自律車両、少なくとも１つの搬送クライアント、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、またはそれらの組合せの少なくとも１つの地理的位置は、好ましくは少なくとも１つの一様なフォーマットで標準化することができる、少なくとも１つの可変精度を有するか、または利用することができる。少なくとも１つの地理的位置を符号化する多くの異なるシステムや方法が存在するため、少なくとも１つの可変精度が、少なくとも１つの地理的位置を標準化するために好ましいことがある。少なくとも１つの搬送クライアントの少なくとも１つのリアルタイムまたはほぼリアルタイムの地理的位置を符号化する多くの異なるシステムや方法が存在するため、少なくとも１つの可変精度が、少なくとも１つの数字または少なくとも１つの小数を標準化するために好ましいことがある。
【０６９７】
少なくとも１つの代理人の少なくとも１つの地理的位置は、限定はしないが、少なくとも１つの代理人が任意の所与の時点においている可能性がある、少なくとも１つの地理的位置、少なくとも１つの座標、少なくとも１つの位置、または少なくとも１つの場所であり得る。少なくとも１つの自律車両の少なくとも１つの地理的位置は、限定はしないが、少なくとも１つの自律車両が任意の所与の時点においている可能性がある、少なくとも１つの地理的位置、少なくとも１つの座標、少なくとも１つの位置、または少なくとも１つの場所であり得る。少なくとも１つのサービスプロバイダの少なくとも１つの地理的位置は、限定はしないが、少なくとも１つのサービスプロバイダが任意の所与の時点においている可能性がある、少なくとも１つの地理的位置、少なくとも１つの座標、少なくとも１つの位置、または少なくとも１つの場所であり得る。少なくとも１つの商品サプライヤの少なくとも１つの地理的位置は、限定はしないが、少なくとも１つの商品サプライヤが任意の所与の時点においている可能性がある、少なくとも１つの地理的位置、少なくとも１つの座標、少なくとも１つの位置、または少なくとも１つの場所であり得る。
【０６９８】
少なくとも１つの搬送クライアント、少なくとも１つの代理人、少なくとも１つの自律車両、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、少なくとも１つのサードパーティ、少なくとも１つのマッププロバイダ、またはそれらの組合せの少なくとも１つの地理的位置は、例えば、少なくとも１つの視覚的表現上に表示することができる。
【０６９９】
任意の個々の人物、機械、エンティティ、またはそれらの組合せの少なくとも１つの地理的位置は、リアルタイムまたはほぼリアルタイムで更新またはリフレッシュすることができ、最高の発展レベルまたは最新技術に更新またはリフレッシュされているものを指し得る。任意の個々の人物、機械、エンティティ、またはそれらの組合せの少なくとも１つの地理的位置を使用して、最高の発展レベルまたは最新技術に更新またはリフレッシュされる少なくとも１つの機能をリアルタイムまたはほぼリアルタイムで実行することができる。少なくとも１つの地理的位置は、限定はしないが、少なくとも１つの中央サーバ、少なくとも１つの外部サーバ、少なくとも１つのアプリケーション、少なくとも１つの視覚的表現、またはそれらの組合せ上で事前に設定することができる。少なくとも１つの搬送クライアント、少なくとも１つの代理人、少なくとも１つの自律車両、少なくとも１つのサービスプロバイダ、少なくとも１つの商品サプライヤ、またはそれらの組合せの少なくとも１つの地理的位置は、少なくとも１つの搬送業界セグメントで活動する少なくとも１つのサービスプロバイダに関連し得る。
【０７００】
任意の個々の人物、機械、エンティティ、またはそれらの組合せの少なくとも１つの地理的位置が検討された場合、少なくとも１つの代理人、少なくとも１つの自律車両、少なくとも１つの搬送クライアント、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、少なくとも１つのサードパーティ、少なくとも１つのマッププロバイダ等の少なくとも１つの地理的位置も検討することができる。
【０７０１】
限定を目的としない例として、少なくとも１つの搬送クライアント、少なくとも１つの代理人、少なくとも１つの自律車両、少なくとも１つのサービスプロバイダ、および／または少なくとも１つの商品サプライヤの少なくとも１つの地理的位置を、それぞれの密度選好のために使用することができる。限定を目的としない例として、少なくとも１つの搬送クライアント、少なくとも１つの代理人、少なくとも１つの自律車両、少なくとも１つのサービスプロバイダ、少なくとも１つの商品サプライヤ、またはそれらの組み合わせの少なくとも１つの地理的位置を、少なくとも１つのダイナミックマップに使用することができる。限定を目的としない例として、少なくとも１つの運搬クライアント、少なくとも１つの代理人、少なくとも１つの自律車両、少なくとも１つのサービスプロバイダ、少なくとも１つの商品サプライヤ、またはそれらの組合せの少なくとも１つの地理的位置を、少なくとも１つのヒートマップに使用することができる。限定を目的としない例として、少なくとも１つの搬送クライアント、少なくとも１つの代理人、少なくとも１つの自律車両、少なくとも１つのサービスプロバイダ、少なくとも１つの商品サプライヤ、またはそれらの組合せの少なくとも１つの地理的位置は、少なくとも１つの個々の搬送業界セグメントで活動する少なくとも１つの個々のサービスプロバイダに関連し得る。
【０７０２】
限定を目的としない例として、少なくとも１つの搬送クライアント、少なくとも１つの代理人、少なくとも１つの自律車両、少なくとも１つのサービスプロバイダ、少なくとも１つの商品サプライヤ、またはそれらの組み合わせの少なくとも１つの地理的位置は、静的または非リアルタイムであり得る。限定を目的としない例として、少なくとも１つの商品サプライヤの少なくとも１つの地理的位置は、少なくとも１つの実在する地理的位置に関連し得るため、静的または非リアルタイムであり得る。
【０７０３】
限定を目的としない例として、任意の個々の人物、機械、エンティティ、またはそれらの組み合わせの少なくとも１つの地理的位置は、３つの外部サーバから供給または提供され得、少なくとも１つの類似の小数点表記または十進表記を有するように標準化することができる少なくとも１つの異なる小数点表記または十進表記を有する少なくとも１つのデータベーステーブルにおいて、少なくとも１つの経度および少なくとも１つの緯度に関連付けられ得るか、またはそれらを有し得る。限定を目的としない例として、少なくとも１つの代理人、少なくとも１つの自律車両、少なくとも１つの搬送クライアント、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、少なくとも１つのサードパーティ、少なくとも１つのマッププロバイダ、またはそれらの組合せの少なくとも１つの地理的位置は、好ましくは少なくとも１つの一様なフォーマットで標準化することができる少なくとも１つの可変精度を有するか、または少なくとも１つの可変精度と関連付けることができる。
【０７０４】
限定を目的としない例として、少なくとも１つの個々の人物、少なくとも１つの個々の機械、少なくとも１つの個々のエンティティ、少なくとも１つの代理人、少なくとも１つの自律車両、少なくとも１つの搬送クライアント、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、少なくとも１つのサードパーティ、少なくとも１つのマッププロバイダ、またはそれらの組合せの少なくとも１つの地理的位置は、少なくとも１つの小数点表記または十進表記を有する少なくとも１つのデータベーステーブル内の少なくとも１つの経度および少なくとも１つの緯度を有するか、またはそれらに関連付けることができる。限定を目的としない例として、少なくとも１つの個々の人物、少なくとも１つの個々の機械、少なくとも１つの個々のエンティティ、少なくとも１つの代理人、少なくとも１つの自律車両、少なくとも１つの搬送クライアント、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、少なくとも１つのサードパーティ、少なくとも１つのマッププロバイダ、またはそれらの組合せの少なくとも１つの地理的位置は、少なくとも１つの異なる小数点表記または十進表記を有する少なくとも１つのデータベーステーブル内の少なくとも１つの経度および少なくとも１つの緯度を有するか、またはそれらに関連付けることができる。
【０７０５】
限定を目的としない例として、少なくとも１つの代理人、少なくとも１つの自律車両、少なくとも１つの搬送クライアント、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、少なくとも１つのサードパーティ、少なくとも１つのマッププロバイダ、またはそれらの組合せの少なくとも１つの地理的位置を符号化するための多くの異なるシステムや方法が存在するため、少なくとも１つの数字または少なくとも１つの小数を標準化するためには、少なくとも１つの可変精度が好ましい。
【０７０６】
「サービス開始地理的配置」
少なくとも１つのサービス開始地理的位置は、限定はしないが、例えば、少なくとも１つの搬送クライアントまたは少なくとも１つのエンティティによって要求される、少なくとも１つの搬送サービスが開始または要求される少なくとも１つの地理的位置であり得る。少なくとも１つのサービス開始地理的位置は、少なくとも１つのウェイポイントを利用する場合、少なくとも１つの搬送サービスの前および／または最中に修正することができる。少なくとも１つのサービス開始地理的位置は、少なくとも１つの搬送クライアントの少なくとも１つのリアルタイムまたはほぼリアルタイムの地理的位置である必要はない。少なくとも１つのサービス開始地理的位置は、リアルタイムまたはほぼリアルタイムで更新またはリフレッシュすることができ、最高の発展レベルまたは最新技術に更新またはリフレッシュされているものを指し得る。少なくとも１つのサービス開始地理的位置を使用して、最高の発展レベルまたは最新技術に更新またはリフレッシュされる少なくとも１つの機能をリアルタイムまたはほぼリアルタイムで実行することができる。少なくとも１つのサービス開始地理的位置は、限定はしないが、少なくとも１つの中央サーバ、少なくとも１つの外部サーバ、少なくとも１つのアプリケーション、またはそれらの組合せ上で事前に設定するかまたは事前に決定することができる。少なくとも１つのサービス開始地理的位置は、少なくとも１つの搬送サービス要求または少なくとも１つの搬送サービス提供に関連付けることができる。
【０７０７】
限定を目的としない例として、少なくとも１つの搬送クライアントは、少なくとも１つのサービス開始地理的位置を少なくとも１つのアプリケーションに入力または提供することができる。限定を目的としない例として、少なくとも１つの搬送クライアントは、少なくとも１つのサービス開始地理的位置を少なくとも１つのアプリケーションに入力または提供して、少なくとも１つの搬送サービス提供、少なくとも１つのフィルタリングされた搬送サービス提供、少なくとも１つの好ましい搬送サービス提供、またはそれらの組合せを見つけることができる。限定を目的としない例として、少なくとも１つのサービス開始地理的位置は、静的または非リアルタイムであり得る。限定を目的としない例として、少なくとも１つの代理人または少なくとも１つの自律車両は、少なくとも１つのサービス開始地理的位置で少なくとも１つの搬送クライアントをピックアップすることができる。
【０７０８】
限定を目的としない例として、少なくとも１つのサービス開始地理的位置は、少なくとも１つのウェイポイントを有するか、またはそれに関連付けることができる。限定を目的としない例として、少なくとも１つのサービス開始地理的位置は、少なくとも１つの搬送クライアントが少なくとも１つのサービス開始地理的位置に移動することができる少なくとも１つのウェイポイントを有するか、またはそれに関連付けることができる。限定を目的としない例として、少なくとも１つの搬送クライアントは、１つのサービス開始地理的位置からパブリックバスに乗り、次いで第２のサービス開始地理的位置で少なくとも１つの自律車両によってピックアップしてもらうことができる、少なくとも１つのウェイポイントを含む２つまたは複数のサービス開始地理的位置を有するか、または使用することができる。
【０７０９】
限定を目的としない例として、少なくとも１つのサービス開始地理的位置は、少なくとも１つの将来のサービス開始地理的位置であり得る。限定を目的としない例として、少なくとも１つのサービス開始地理的位置を、少なくとも１つの自律車両のために、またはそれを基準に、使用して、少なくとも１つの搬送サービス提供を作成することができる。限定を目的としない例として、少なくとも１つのサービス開始地理的位置は動的であり得る。限定を目的としない例として、少なくとも１つのサービス開始地理的位置を緯度および経度に関連付けることができる。
【０７１０】
「サービス終了地理的位置」
少なくとも１つのサービス終了地理的位置は、限定はしないが、例えば、少なくとも１つの搬送クライアントまたは少なくとも１つのエンティティによって要求される、少なくとも１つの搬送サービスが終了する少なくとも１つの地理的位置であり得る。少なくとも１つのサービス終了地理的位置は、少なくとも１つの搬送サービスの前および／またはその間に修正することができる。少なくとも１つのサービス終了地理的位置は、少なくとも１つのウェイポイントを含み得る。少なくとも１つのサービス終了地理的位置は、リアルタイムまたはほぼリアルタイムで更新またはリフレッシュすることができ、最高の発展レベルまたは最新技術に更新またはリフレッシュされているものを指し得る。少なくとも１つのサービス終了地理的位置を使用して、最高の発展レベルまたは最新技術に更新またはリフレッシュされる少なくとも１つの機能をリアルタイムまたはほぼリアルタイムで実行することができる。少なくとも１つのサービス終了地理的位置は、限定はしないが、少なくとも１つの中央サーバ、少なくとも１つの外部サーバ、少なくとも１つのアプリケーション、またはそれらの組合せ上で事前に設定するかまたは事前に決定することができる。少なくとも１つのサービス終了地理的位置は、少なくとも１つの搬送サービス要求または少なくとも１つの搬送サービス提供に関連付けることができる。
【０７１１】
限定を目的としない例として、少なくとも１つの搬送クライアントは、少なくとも１つのサービス終了地理的位置を少なくとも１つのアプリケーションに入力または提供することができる。限定を目的としない例として、少なくとも１つの搬送クライアントは、少なくとも１つのサービス終了地理的位置を少なくとも１つのアプリケーションに入力または提供して、少なくとも１つの搬送サービス提供、少なくとも１つのフィルタリングされた搬送サービス提供、少なくとも１つの好ましい搬送サービス提供、またはそれらの組合せを見つけることができる。限定を目的としない例として、少なくとも１つのサービス終了地理的位置は、静的または非リアルタイムであり得る。限定を目的としない例として、少なくとも１つの代理人または少なくとも１つの自律車両は、少なくとも１つのサービス終了地理的位置において、少なくとも１つの搬送クライアントを降ろすことができる。
【０７１２】
限定を目的としない例として、少なくとも１つのサービス終了地理的位置は、少なくとも１つの搬送クライアントが、少なくとも１つのサービス終了地理的位置かで降ろされる前にコーヒーショップで停止することができる、少なくとも１つのウェイポイントを有するか、または少なくとも１つのウェイポイントに関連付けることができる。限定を目的としない例として、少なくとも１つのサービス終了地理的位置は、少なくとも１つの将来のサービス終了地理的位置であり得る。限定を目的としない例として、少なくとも１つのサービス終了地理的位置を、少なくとも１つの自律車のために、またはそれを基準に、使用して、少なくとも１つの搬送サービス提供を作成することができる。限定を目的としない例として、少なくとも１つのサービス終了地理的位置は、動的であり得る。限定を目的としない例として、少なくとも１つのサービス終了地理的位置を緯度および経度に関連付けることができる。
【０７１３】
「搬送業界セグメント」
搬送業界は、例えば、少なくとも１つの地理的位置から少なくとも１つの他の地理的位置への誰かまたは何かの輸送によって分類される業界であり得る。搬送業界は、例えば、リアルタイムまたはほぼリアルタイムの少なくとも１つの地理的位置から少なくとも１つの他の地理的位置への誰かまたは何かの輸送によって分類される業界であり得る。少なくとも１つの搬送業界セグメントは、例えば、異なる限定特性によって分類される、搬送業界全体のより小さい部分であり得る。少なくとも１つの搬送業界セグメントは、リアルタイムまたはほぼリアルタイムで更新またはリフレッシュすることができ、最高の発展レベルまたは最新技術に更新またはリフレッシュされているものを指し得る。
【０７１４】
少なくとも１つのサービスプロバイダ、少なくとも１つの自律車両の少なくとも１つのオーナまたは少なくとも１つのコントローラ、少なくとも１つの商品サプライヤ、少なくとも１つのフリートマネージャ、少なくとも１つのロジスティクスプロバイダ、少なくとも１つのロジスティクスサプライヤ、少なくとも１つの自律車両、少なくとも１つのサードパーティ、少なくとも１つのマッププロバイダ、またはそれらの組合せは、少なくとも１つの搬送業界セグメントで活動することができる。少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのサードパーティ、少なくとも１つのマッププロバイダ、またはそれらの組合せは、少なくとも１つの搬送業界セグメント内において少なくとも１つの自律車両または少なくとも１つの代理人を管理、制御、操作等することができる。少なくとも１つの搬送サービス要求または少なくとも１つの搬送サービス提供は、少なくとも１つの搬送業界セグメントに関連付けることができる。
【０７１５】
限定を目的としない例として、少なくとも１つの搬送業界セグメントは、限定はしないが、少なくとも１つのライドヘイル業界セグメント、少なくとも１つのライドシェア業界セグメント、少なくとも１つのカーシェア業界セグメント、少なくとも１つのピアツーピア搬送業界セグメント、少なくとも１つの人物搬送業界セグメント、少なくとも１つのタクシー業界セグメント、少なくとも１つのアイテム搬送業界セグメント、少なくとも１つの商品搬送業界セグメント、少なくとも１つの貨物搬送業界セグメント、少なくとも１つの医療サービスおよび医療配達業界セグメント、少なくとも１つの食品配達業界セグメント、少なくとも１つの宅配便業界セグメント、少なくとも１つの動物配達業界セグメント、少なくとも１つの搬送業界セグメント、またはそれらの組合せであり得る。
【０７１６】
限定を目的としない例として、少なくとも１つの個々のサービスプロバイダ等は、少なくとも１つの個々の搬送業界セグメントで活動することができる。限定を目的としない例として、本発明は、少なくとも１つの搬送クライアントが、ライドヘイル業界セグメントにおいて家までの送迎を受け、少なくとも１つの同様のサービスプロバイダから大体同時に家に配達される食品を注文することを可能にすることができる。
【０７１７】
＜例＞
例１：好ましい要素およびそれらの好ましい相互作用の概要
開示された本発明の、全てではないが幾つかの態様及び実施形態の、全てではないが幾つかの要素のこの概要は、特に図面及びその説明に記載されているような、少なくとも１つの搬送業界セグメントにおける、本発明の少なくとも１つの例示的なシステムの幾つかの好ましい限定を目的としない態様および本発明の少なくとも１つのシステムの少なくとも１つの例示的な使用方法に関連する。これらの要素の全てが本発明において使用される必要はなく、他の要素が含まれてもよく、またはいくつかの要素が除外されてもよく、これらの要素のいずれも有さない発明も、本発明の一部であり得る。参照数字は、図中のものを指す。以下の要素は、図１〜図１４に示されている要素である。
【０７１８】
少なくとも１つの搬送クライアント１は、限定はしないが、少なくとも１つの好ましい搬送サービス提供１８を分析または評価し、次いで、好ましくは、確保または取得することができる、少なくとも１人の人、少なくとも１つのロボット、少なくとも１つの機械、またはそれらの組合せであり得る。少なくとも１つの搬送クライアント１は、必ずしも少なくとも１つのサービスの少なくとも１つの消費者である必要はない。少なくとも１つの搬送クライアント１は、少なくとも１つの搬送サービスを受けることができる。少なくとも１つの搬送クライアント１は、少なくとも１つの好ましい搬送サービス提供１８を識別するために使用される少なくとも１つの搬送クライアント選好４を入力または提供することができる。
【０７１９】
少なくとも１つの代理人２は、限定はしないが、少なくとも１つの好ましい搬送サービス要求１５を分析または評価し、次いで、好ましくは、確保または取得することができる、少なくとも１人の人、少なくとも１つのロボット、少なくとも１つの機械、またはそれらの組み合わせであり得る。少なくとも１つの代理人２は、限定はしないが、少なくとも１人の人、少なくとも１つの商品、少なくとも１つの物、少なくとも１つの物品、少なくとも１つのアイテム、少なくとも１つの搬送クライアント１、またはこれらの組み合わせに少なくとも１つの搬送サービスを提供するか、またはそれらの少なくとも１つの搬送サービスを実行することができる。少なくとも１つの代理人２は、少なくとも１つの好ましい搬送サービス要求１５を識別するために使用される少なくとも１つの代理人選好１３を入力または提供することができる。少なくとも１つの代理人２は、少なくとも１つの搬送業界セグメントで活動する少なくとも１つのサービスプロバイダ５に関連する少なくとも１つの搬送サービスを提供または実行することができる。
【０７２０】
少なくとも１つの代理人選好３は、限定はしないが、少なくとも１つの搬送サービス要求１３をフィルタリングし、好ましくは少なくとも１つの好ましい搬送サービス要求１５を識別するために使用することができる、少なくとも１つの代理人２によって選択または提供される少なくとも１つのオプションであり得る。少なくとも１つの代理人選好３は、少なくとも１つの中央サーバ９、少なくとも１つの外部サーバ１０、少なくとも１つのアプリケーション６、またはそれらの組合せに格納またはキャッシュすることができる。少なくとも１つの代理人選好３は、少なくとも１つの搬送サービス要求１３をフィルタリングするために包括的または排他的であり得る。
【０７２１】
少なくとも１つの搬送クライアント選好４は、限定はしないが、少なくとも１つの搬送サービス提供１６をフィルタリングし、好ましくは少なくとも１つの好ましい搬送サービス提供１８を識別するために使用することができる、少なくとも１つの搬送クライアント１によって選択または提供される少なくとも１つのオプションであり得る。少なくとも１つの搬送クライアント選好４は、少なくとも１つの中央サーバ９、少なくとも１つの外部サーバ１０、少なくとも１つのアプリケーション６、またはそれらの組合せに格納またはキャッシュすることができる。少なくとも１つの搬送クライアント選好４は、少なくとも１つの搬送サービス提供１６のフィルタリングのために包括的または排他的であり得る。
【０７２２】
少なくとも１つのサービスプロバイダ５は、例えば、限定はしないが、少なくとも１つの代理人２、少なくとも１つの自律車両、少なくとも１つの商品サプライヤ、またはそれらの組合せを雇用するかまたはそれらと契約することができる少なくとも１つのエンティティまたは少なくとも１つの業界であり得る。少なくとも１つのサービスプロバイダ５は、限定はしないが、少なくとも１つの代理人２、少なくとも１つの自律車両、少なくとも１つの商品サプライヤ、少なくとも１つの搬送クライアント１、またはそれらの組合せの間の少なくとも１つの搬送サービスを容易にすることができる。少なくとも１つのサービスプロバイダ５は、少なくとも１つの搬送業界セグメントで活動することができる。
【０７２３】
少なくとも１つのアプリケーション６は、限定はしないが、少なくとも１つの端末７を介してアクセス可能なソフトウェアであり得る。少なくとも１つのアプリケーション６は、限定はしないが、少なくとも１つのヒートマップ１２、少なくとも１つの動的マップ１１、またはそれらの組み合わせを含む少なくとも１つの視覚的表現を表示することができる。少なくとも１つのアプリケーション６は、例えば、少なくとも１つの好ましい搬送サービス要求１５または少なくとも１つの好ましい搬送サービス提供１８の分析、評価、確保または取得に使用することができる。少なくとも１つのアプリケーション６は、限定はしないが、少なくとも１つの好ましい搬送サービス要求１５または少なくとも１つの好ましい搬送サービス提供１８を表示することができる。少なくとも１つの代理人２は、少なくとも１つの代理人選好３を少なくとも１つのアプリケーション６に入力または提供することができる。少なくとも１つの搬送クライアント１は、少なくとも１つの搬送クライアント選好４を少なくとも１つのアプリケーション６に入力または提供することができる。
【０７２４】
少なくとも１つの端末７は、限定はしないが、少なくとも１つの電子計算装置であり得る。少なくとも１つの端末７は、限定はしないが、少なくとも１つのコンピュータプロセッサ、少なくとも１つのコンピュータ可読メモリ、少なくとも１つの入力ソース、少なくとも１つの地理的位置モジュール、少なくとも１つのディスプレイ、少なくとも１つのネットワークインターフェース、またはそれらの組合せを含み得る。少なくとも１つの端末７は、少なくとも１つのリンク８を介して通信することができ得る。少なくとも１つの端末７を使用して、少なくとも１つのアプリケーション６にアクセスすることができる。少なくとも１つの端末７は、ハードウェア及び／またはソフトウェアを、単独で、または組み合わせて、包含することができる。
【０７２５】
少なくとも１つのリンク８は、限定はしないが、少なくとも１つのソフトウェア機能、少なくとも１つのソフトウェア動作、少なくとも１つのソフトウェアコンポーネント、少なくとも１つのソフトウェアモジュール、またはそれらの組み合わせとの少なくとも１つの接続または少なくとも１つの関連付けであり得る。少なくとも１つのリンク８は、限定はしないが、少なくとも１つの電子通信ネットワークチャンネルであり得る。少なくとも１つのリンク８は、限定はしないが、少なくとも１つの中央サーバ９、少なくとも１つの外部サーバ１０、少なくとも１つの端末７、少なくとも１つのアプリケーション６、またはそれらの組合せの間の接続の少なくとも１つの組合せであり得る。少なくとも１つのリンク８は、ハードウェア及び／またはソフトウェアを、単独で、または組み合わせて、包含することができる。
【０７２６】
少なくとも１つの中央サーバ９は、限定はしないが、少なくとも１つの搬送サービス要求１３の受信、送信、格納、標準化、集約およびフィルタリング、および少なくとも１つの代理人２のための少なくとも１つの好ましい搬送サービス要求１５の識別を含む、本発明の少なくとも１つの操作を実行することができる。少なくとも１つの中央サーバ９は、限定はしないが、少なくとも１つの搬送サービス提供１６の受信、送信、格納、標準化、集約およびフィルタリング、および少なくとも１つの搬送クライアント１のための少なくとも１つの好ましい搬送サービス提供１８の識別を含む、本発明の少なくとも１つの操作を実行することができる。少なくとも１つの中央サーバ９は、限定はしないが、少なくとも１つのコンピュータプロセッサ、少なくとも１つのコンピュータ可読メモリ、少なくとも１つのネットワークインターフェース、またはそれらの組合せを含み得る。少なくとも１つの中央サーバ９は、少なくとも１つのリンク８を介して、限定はしないが、少なくとも１つの外部サーバ１０、少なくとも１つのアプリケーション６、少なくとも１つの端末７、またはこれらの組合せに接続するかまたはそれらと通信することができる。少なくとも１つの中央サーバ９は、少なくとも１つのデータベースを含むか、または少なくとも１つのデータベースに接続することができる。少なくとも１つの中央サーバ９は、ハードウェア及び／またはソフトウェアを、単独で、または組み合わせて、包含することができる。
【０７２７】
少なくとも１つの外部サーバ１０は、限定はしないが、対応する搬送データが関連付けられた少なくとも１つの搬送サービス要求１３、対応する搬送データが関連付けられた少なくとも１つの搬送サービス提供１６、またはそれらの組合せの少なくとも１つのソースであり得る。少なくとも１つの外部サーバ１０は、限定はしないが、少なくとも１つのコンピュータプロセッサ、少なくとも１つのコンピュータ可読メモリ、少なくとも１つのネットワークインターフェース、またはそれらの組合せを含み得る。少なくとも１つの外部サーバ１０は、少なくとも１つのリンク８を介して、少なくとも１つの中央サーバ９、少なくとも１つのアプリケーション６、少なくとも１つの端末７、またはそれらの組合せに接続するか、またはそれらと通信することができる。少なくとも１つの外部サーバ１０は、少なくとも１つのデータベースを含むか、または少なくとも１つのデータベースに接続することができる。少なくとも１つの外部サーバ１０は、ハードウェア及び／またはソフトウェアを、単独で、または組み合わせて、包含することができる。
【０７２８】
少なくとも１つの動的マップ１１は、例えば、限定はしないが、少なくとも１つの区別可能な商品サプライヤ、少なくとも１つの区別可能なサービスプロバイダ５、少なくとも１つの区別可能な代理人２、少なくとも１つの区別可能な自律車両、少なくとも１つの区別可能な搬送クライアント１、またはそれらの組合せを表示することができる少なくとも１つの地理的マップであり得る。少なくとも１つの商品サプライヤ、少なくとも１つのサービスプロバイダ５、少なくとも１つの代理人２、少なくとも１つの自律車両、少なくとも１つの搬送クライアント１、またはそれらの組合せは、少なくとも１つの移動型アイコンまたは少なくとも１つの動的アイコンとして少なくとも１つの地理的マップ上に表示することができる。少なくとも１つの動的マップ１１は、少なくとも１つの好ましい搬送サービス要求１５を分析または評価し、次いで、好ましくは、確保または取得するために、少なくとも１つの代理人２によって使用され得る。少なくとも１つの動的マップ１１は、少なくとも１つの好ましい搬送サービス提供１８を分析または評価し、次いで、好ましくは、確保または取得するために、少なくとも１つの搬送クライアント１によって使用され得る。限定はしないが、少なくとも１つの商品サプライヤ、少なくとも１つのサービスプロバイダ５、少なくとも１つの搬送クライアント１、少なくとも１つの代理人２、少なくとも１つの自律車両、またはそれらの組合せの少なくとも１つの地理的位置は、リアルタイムまたはほぼリアルタイムで更新、変更、またはリフレッシュすることができ、任意で、それぞれの利用可能性状態を反映することができる。少なくとも１つの動的マップ１１は、限定はしないが、少なくとも１つの視点、少なくとも１つの基準点、少なくとも１つの関心点、またはそれらの組合せから見ることができる。
【０７２９】
少なくとも１つのヒートマップ１２は、限定はしないが、少なくとも１つの統計変数の少なくとも１つの測定値が少なくとも１つの地理的エリアにわたってどのように変化し得るか、または少なくとも１つの地理的エリア内での少なくとも１つの変動レベルを、視覚的に表示することができる。少なくとも１つのヒートマップ１２は、例えば、少なくとも１つの地理的マップ上に表示されている少なくとも１つの統計変数の少なくとも１つの測定値に比例して、少なくとも１つのエリアが陰影付けまたは模様付けされている少なくとも１つの地理的マップであり得る。少なくとも１つのヒートマップ１２は、少なくとも１つの好ましい搬送サービス要求１５を分析または評価し、次いで、好ましくは、確保または取得するために、少なくとも１つの代理人２によって使用され得る。少なくとも１つのヒートマップ１２は、少なくとも１つの好ましい搬送サービス提供１８を分析または評価し、次いで、好ましくは、確保または取得するために、少なくとも１つの搬送クライアント１によって使用され得る。少なくとも１つのヒートマップ１２は、限定はしないが、少なくとも１つの視点、少なくとも１つの基準点、少なくとも１つの関心点、またはそれらの組合せから見ることができる。
【０７３０】
少なくとも１つの搬送サービス要求１３は、例えば、少なくとも１つの地理的位置から少なくとも１つの他の地理的位置までの、限定はしないが、少なくとも１人の人、少なくとも１つの商品、少なくとも１つの物品、少なくとも１つのアイテム、少なくとも１つの搬送クライアント１、またはこれらの組み合わせの輸送の、少なくとも１つの要求であり得る。少なくとも１つの搬送サービス要求１３は、限定はしないが、少なくとも１つの搬送クライアント１からの少なくとも１つの要求であり得る。少なくとも１つの搬送サービス要求１３は、少なくとも１つの外部サーバ１０から供給または提供され得る。少なくとも１つの搬送サービス要求１３は、少なくとも１つのサービスプロバイダ５によって供給または提供され得る。少なくとも１つの搬送サービス要求１３は、リアルタイムまたはほぼリアルタイムで更新することができる。
【０７３１】
少なくとも１つのフィルタリングされた搬送サービス要求１４は、例えば、限定はしないが、少なくとも１つの代理人選好３、少なくとも１つの代理人２の少なくとも１つのリアルタイムまたはほぼリアルタイムの地理的位置、またはそれらの組合せを使用することによってフィルタリングすることができる少なくとも１つの搬送サービス要求１３であり得る。少なくとも１つのフィルタリングされた搬送サービス要求１６は、リアルタイムまたはほぼリアルタイムで更新することができる。
【０７３２】
少なくとも１つの好ましい搬送サービス要求１５は、例えば、限定はしないが、少なくとも１つの代理人２、少なくとも１つの中央サーバ９、少なくとも１つのアプリケーション６、またはそれらの組合せによって、好ましいと識別することができる少なくとも１つのフィルタリングされた搬送サービス要求１４であり得る。少なくとも１つの好ましい搬送サービス要求１５は、例えば、少なくとも１つの代理人選好３を使用することによって、好ましいと識別することができる。少なくとも１つの好ましい搬送サービス要求１５は、リアルタイムまたはほぼリアルタイムで更新することができる。
【０７３３】
少なくとも１つの輸送サービス提供１６は、例えば、少なくとも１つの地理的位置から少なくとも１つの他の地理的位置までの、限定はしないが、少なくとも１人の人、少なくとも１つの商品、少なくとも１つの物品、少なくとも１つの物、少なくとも１つのアイテム、またはそれらの組合せによる輸送の少なくとも１つの提供であり得る。少なくとも１つの搬送サービス提供１６は、限定はしないが、少なくとも１つの代理人２、少なくとも１つのサービスプロバイダ５、少なくとも１つの自律車両、またはそれらの組合せによる少なくとも１つの提供であり得る。少なくとも１つの搬送サービス提供１６は、少なくとも１つの外部サーバ１０から供給または提供することができる。少なくとも１つの搬送サービス提供１６は、少なくとも１つのサービスプロバイダ５によって供給または提供され得る。少なくとも１つの搬送サービス提供１６は、リアルタイムまたはほぼリアルタイムで更新することができる。
【０７３４】
少なくとも１つのフィルタリングされた搬送サービス提供１７は、例えば、限定はしないが、少なくとも１つの搬送クライアント選好４、少なくとも１つの搬送クライアント１の少なくとも１つのリアルタイムまたはほぼリアルタイムの地理的位置、またはそれらの組み合わせを使用することによってフィルタリングすることができる少なくとも１つの搬送サービス提供１６であり得る。少なくとも１つのフィルタリングされた搬送サービス提供１７は、リアルタイムまたはほぼリアルタイムで更新することができる。
【０７３５】
少なくとも１つの好ましい搬送サービス提供１８は、例えば、限定はしないが、少なくとも１つの搬送クライアント１、少なくとも１つの中央サーバ９、少なくとも１つのアプリケーション６、またはそれらの組合せによって好ましいと識別することができる少なくとも１つのフィルタリングされた搬送サービス提供１７であり得る。少なくとも１つの好ましい搬送サービス提供１８は、例えば少なくとも１つの搬送クライアント選好４を使用することによって、好ましいと識別することができる。少なくとも１つの好ましい搬送サービス提供１８は、リアルタイムまたはほぼリアルタイムで更新することができる。
【０７３６】
例２：
この例は、特に図面およびその説明に記載されるように、少なくとも１つの代理人が利益を得ることができる、本発明の例示的なシステムのいくつかの好ましい限定を目的としない態様、および本発明のシステムの例示的な使用方法を規定するものである。参照数字は、図中のものを指す。以下は、好ましいが必須ではない順序の、例示的な方法のステップである。通常は、本発明の非限定的かつ例示的なシステムについては図１、図２、図４、図５及び図１４を参照し、本発明の方法については図３および図９を参照されたい。
【０７３７】
ステップ１：少なくとも１つの搬送サービス要求を、少なくとも１つのリンクを介して、少なくとも１つの外部サーバから少なくとも１つの中央サーバにリアルタイムまたはほぼリアルタイムで連続的に送信することができる。
ステップ２：少なくとも１つの中央サーバ上に少なくとも１回、少なくとも１つの搬送サービス要求の格納、標準化、集約、またはそれらの組合せを行うことができる。
ステップ３：少なくとも１つの代理人は、少なくとも１つのアプリケーションにアクセスするために少なくとも１つの端末を使用することができる。
ステップ４：少なくとも１人の代理人は認証を受けることができる。
ステップ５：少なくとも１つの代理人は、少なくとも１つのアプリケーションに少なくとも１つの代理人選好を入力または提供することができる。
ステップ６：少なくとも１つの代理人選好、および、好ましくは、少なくとも１つの代理人の少なくとも１つのリアルタイムまたはほぼリアルタイムの地理的位置を、少なくとも１つのリンクを介して少なくとも１つのアプリケーションから少なくとも１つの中央サーバに送信することができる。
ステップ７：少なくとも１つの中央サーバによって、少なくとも１つの代理人選好、および、好ましくは、少なくとも１つの代理人の少なくとも１つのリアルタイムまたはほぼリアルタイムの地理的位置を使用して、少なくとも１つの搬送サービス要求を少なくとも１つのフィルタリングされた搬送サービス要求にフィルタリングすることができる。
ステップ８：少なくとも１つのフィルタリングされた搬送サービス要求は、好ましくは、少なくとも１つの好ましい搬送サービス要求を識別するために、少なくとも１つの代理人選好の少なくとも１つの加重平均に関連する少なくとも１つの順序でソートすることができる。
ステップ９：少なくとも１つの好ましい搬送サービス要求は、少なくとも１つの中央サーバによって、少なくとも１つのフィルタリングされた搬送サービス要求から、最も高い加重平均を有する少なくとも１つのフィルタリングされた搬送サービス要求として識別することができる。
ステップ１０：少なくとも１つのフィルタリングされた搬送サービス要求および少なくとも１つの好ましい搬送サービス要求を、少なくとも１つのリンクを介して、少なくとも１つの中央サーバから少なくとも１つのアプリケーションに送信することができる。
ステップ１１：少なくとも１つのアプリケーションは、例えば、少なくとも１つの地理的マップを、対応する搬送データを有する少なくとも１つのフィルタリングされた搬送サービス要求、および、好ましくは、対応する搬送データを有する少なくとも１つの好ましい搬送サービス要求と組み合わせることによって、少なくとも１つの動的マップをコンパイルすることができ、次いで、好ましくは、少なくとも１つの動的マップを、少なくとも１つのアプリケーション上に表示し、リアルタイムまたはほぼリアルタイムで更新することができる。
ステップ１２：少なくとも１つの好ましい搬送サービス要求を、少なくとも１つのフィルタリングされた搬送サービス要求と一緒に、少なくとも１つの視覚的に区別可能なアイコンとして少なくとも１つの動的マップ上に表示することができる。
ステップ１３：少なくとも１つの代理人は、少なくとも１つの動的マップを分析または評価することができる。
ステップ１４：少なくとも１つの動的マップの分析または評価の後、少なくとも１つの代理人は、少なくとも１つの好ましい搬送サービス要求を確保または取得することができる。
ステップ１５：少なくとも１人の代理人は、少なくとも１つの搬送サービスを実行することができる。
【０７３８】
この限定を目的としない例は、任意の商品またはサービスの搬送に適用することができるが、以下は、ライドヘイル業界セグメントにおける限定を目的としない例である。この限定を目的としない例では、代理人２はドライバであり得、搬送クライアント１は搬送サービスの乗客であり得、搬送サービス要求１３はライドサービス要求であり得る。中央サーバ９は、少なくとも１つのリンク８を介して、リアルタイムまたはほぼリアルタイムで、好ましくは２つ以上の外部サーバ１０から搬送サービス要求１３を連続的に受信することができ、リアルタイムまたはほぼリアルタイムで、搬送サービス要求１３を格納、標準化、集約およびフィルタリングすることができる。中央サーバ９は、好ましくは、フィルタリングされた搬送サービス要求１４をリアルタイムまたはほぼリアルタイムでソートするか、または別の技法を使用して、好ましい搬送サービス要求１５を識別することができる。代理人２が端末７にダウンロードされたアプリケーション６を有していない状況では、代理人２は、例えば、アプリケーション６をダウンロードすることができ、好みで／必要に応じて、代理人２プロファイルを作成するために任意でアカウントを登録することができる。代理人２は、端末７を使用してアプリケーション６にアクセスし、例えば、ライドヘイル業界セグメントの知識を得ることができる。代理人２がライドヘイル業界セグメントにおいてライドを提供したい場合、例えば、代理人２は、好ましくは、アプリケーション６にログインし、認証を受けることができる。
【０７３９】
アプリケーション６にログインすると、代理人２は、例えば、代理人選好３をアプリケーション６に入力または提供することができるようになる。この限定を目的としない例では、代理人２は、２つの代理人選好３、すなわち価格設定選好およびサービス継続時間選好を入力または提供することができる。価格設定の選好は、例えば、個々の搬送サービス要求１３当たり２０ドルを超える収入の選好とすることができる。サービス継続時間選好は、例えば、１５分より短い搬送サービスの選好とすることができる。
【０７４０】
好ましくは、これらの２つの代理人選好３は、代理人２が、代理人２により一層期待されている可能性がある好ましい搬送サービス要求１５およびフィルタリングされた搬送サービス要求１４を有する動的マップ１１を分析または評価することを可能にすることができる。例えば、中央サーバ９は、代理人２の２つの代理人選好３に適合しないか、またはそれを満たさない搬送サービス要求１３を除外することができる。代理人選好３の利点は、搬送サービスを提供する際に、限定はしないが、より高い収益性、より高い効率、より適切な搬送サービス要求１３、またはそれらの組み合わせ等の基準を代理人２が一層多く満たすことを可能にできることであり得る。この例における２つの代理人選好３、および、好ましくは、代理人２のリアルタイムまたはほぼリアルタイムの地理的位置を、少なくとも１つのリンク８を介してアプリケーション６から中央サーバ９に送信することができる。
【０７４１】
中央サーバ９は、例えば、２つの代理人選好３、および、好ましくは、代理人２のリアルタイムまたはほぼリアルタイムの地理的位置と比較することによって、搬送サービス要求１３をフィルタリングされた搬送サービス要求１４にフィルタリングすることができる。指定された２つの代理人選好３に適合する搬送サービス要求１３は、フィルタリングされた搬送サービス要求１４として識別することができる。指定された２つの代理人選好３に適合しない搬送サービス要求１３は、フィルタリングされた搬送サービス要求１４ではないものとして破棄または無視することができる。フィルタリングされた搬送サービス要求１４は、好ましい搬送サービス要求１５を識別するために、好ましくは、例えば、２つの代理人選好３の加重平均によってソートすることができる。代理人選好３には、加重平均を計算する際には、限定はしないが、５０％の等しい重みを与えることができる。代理人２によって選択された代理人選好３には、任意で、例えば、限定はしないが、それぞれ６０％および４０％の等しくない重みを与えることができる。代理人２は、任意で、代理人選好３が等しい又は等しくない重みを有するように選択することができる。
【０７４２】
好ましくは、最も高い加重平均を有するフィルタリングされた搬送サービス要求１４は、好ましい搬送サービス要求１５として識別することができる。例えば、中央サーバ９は、好ましくは、価格設定選好およびサービス継続時間選好の最も高い加重平均を使用することによって、フィルタリングされた搬送サービス要求１４から好ましい搬送サービス要求１５を識別することができる。好ましくは、追加の搬送サービス要求１３は、中央サーバ９によって受信され、連続的にフィルタリングされて、追加のフィルタリングされた搬送サービス要求１４になり得る。好ましくは、追加のフィルタリングされた搬送サービス要求１４は、中央サーバ９によって、好ましい搬送サービス要求１５に分類することができる。
【０７４３】
対応する搬送データを有するフィルタリングされた搬送サービス要求１４及び対応する搬送データを有する好ましい搬送サービス要求１５は、少なくとも１つのリンク８を介して、中央サーバ９からアプリケーション６に送信することができる。次いで、アプリケーション６は、代理人２の選好に基づいて、フィルタリングされた搬送サービス要求１４および好ましい搬送サービス要求１５の動的マップ１１をコンパイルすることができる。動的マップ１１は、代理人２のリアルタイムまたはほぼリアルタイムの地理的位置に関連する地理的マップを、フィルタリングされた搬送サービス要求１４および好ましい搬送サービス要求１５と組み合わせることによって、アプリケーション６上でコンパイルすることができる。フィルタリングされた搬送サービス要求１４および好ましい搬送サービス要求１５は、その中に含まれる対応する地理的位置に関連して動的マップ１１上に配置することができる。
【０７４４】
好ましい搬送サービス要求１５は、フィルタリングされた搬送サービス要求１４と比較して視覚的に区別可能なアイコンとして動的マップ１１上に表示することができる。動的マップ１１は、好ましくは、更新されたフィルタリングされた搬送サービス要求１４および好ましい搬送サービス要求１５を用いて、リアルタイムまたはほぼリアルタイムで連続的にリフレッシュすることができる。
【０７４５】
次いで、代理人２は、好ましくは、フィルタリングされた搬送サービス要求１４または好ましい搬送サービス要求１５を確保または取得する前に、動的マップ１１を視覚的に分析または評価することができる。例えば、別のフィルタリングされた搬送サービス要求１４または別の好ましい搬送サービス要求１５を見つけるために、代理人２は、代理人選好３を更新することができる。この限定を目的としない例では、代理人２は、中央サーバ９によって識別される好ましい搬送サービス要求１５を選択して確保または取得する。次いで、代理人２は、好ましくは、搬送サービスを実行することができる。少なくとも１つのアプリケーション６、少なくとも１つの中央サーバ９、少なくとも１つの外部サーバ１０、少なくとも１つの端末７、少なくとも１つのリンク８、またはそれらの組み合わせは、結合または統合することができる。代理人２は、少なくとも１つのアプリケーション６、少なくとも１つの中央サーバ９、少なくとも１つの外部サーバ１０、少なくとも１つのリンク８、またはそれらの組合せと統合または関連付けることができる少なくとも１つの端末７上に少なくとも１つの動的マップ１１を表示することができる少なくとも１つの視覚的表現を利用することができる。
【０７４６】
例３：
この例は、特に図面およびその説明に記載されるように、少なくとも１つの搬送クライアントが利益を得ることができる、本発明の例示的なシステムのいくつかの好ましい限定を目的としない態様、および本発明のシステムの例示的な使用方法を規定するものである。参照数字は、図中のものを指す。以下は、好ましいが必須ではない順序の、例示的な方法のステップである。通常は、本発明の非限定的かつ例示的なシステムについては図６、図７、図１２、図１３および図１４を参照し、本発明の方法については図８および図１０を参照されたい。
【０７４７】
ステップ１：少なくとも１つの搬送クライアントは、少なくとも１つの端末を使用して少なくとも１つのアプリケーションにアクセスすることができる。
ステップ２：少なくとも１つの搬送クライアントは、認証を受けることができる。
ステップ３：少なくとも１つの搬送クライアントは、少なくとも１つのサービス開始地理的位置および少なくとも１つのサービス終了地理的位置を少なくとも１つのアプリケーションに入力または提供することができる。
ステップ４：少なくとも１つのサービス開始地理的位置および少なくとも１つのサービス終了地理的位置を、少なくとも１つのリンクを介して少なくとも１つのアプリケーションから少なくとも１つの中央サーバに送信することができる。
ステップ５：少なくとも１つのサービス開始地理的位置および少なくとも１つのサービス終了地理的位置を、少なくとも１つのリンクを介して少なくとも１つの中央サーバから少なくとも１つの外部サーバに送信することができる。
ステップ６：少なくとも１つのリンクを介して、少なくとも１つの外部サーバから少なくとも１つの中央サーバに、リアルタイムまたはほぼリアルタイムで連続的に少なくとも１つの搬送サービス提供を送信することができる。
ステップ７：少なくとも１つの中央サーバ上で、少なくとも１回、少なくとも１つの搬送サービス提供の格納、標準化、集約、またはそれらの組合せを行うことができる。
ステップ８：少なくとも１つの搬送クライアントは、少なくとも１つのアプリケーションに少なくとも１つの搬送クライアント選好を入力または提供することができる。
ステップ９：少なくとも１つの搬送クライアント選好、および、好ましくは、少なくとも１つの搬送クライアントの少なくとも１つのリアルタイムまたはほぼリアルタイムの地理的位置を、少なくとも１つのリンクを介して少なくとも１つのアプリケーションから少なくとも１つの中央サーバに送信することができる。
ステップ１０：少なくとも１つの搬送サービス提供は、少なくとも１つの中央サーバによって、少なくとも１つの搬送クライアント選好、および、好ましくは、少なくとも１つの搬送クライアントの少なくとも１つのリアルタイムまたはほぼリアルタイムの地理的位置を使用して、少なくとも１つのフィルタリングされた搬送サービス提供にフィルタリングすることができる。
ステップ１１：少なくとも１つのフィルタリングされた搬送サービス提供を、少なくとも１つのリンクを介して、少なくとも１つの中央サーバから少なくとも１つのアプリケーションに送信することができる。
ステップ１２：少なくとも１つのアプリケーションは、例えば、少なくとも１つの地理的マップを少なくとも１つのフィルタリングされた搬送サービス提供に関連する搬送データと組み合わせることによって、少なくとも１つのヒートマップをコンパイルすることができ、次いで、好ましくは、少なくとも１つのヒートマップを少なくとも１つのアプリケーション上に表示し、リアルタイムまたはほぼリアルタイムで更新することができる。
ステップ１３：少なくとも１つの搬送クライアントは、少なくとも１つのヒートマップを分析または評価することができる。
ステップ１４：少なくとも１つのヒートマップの分析又は評価の後、少なくとも１つの搬送クライアントは、少なくとも１つの好ましい搬送サービス提供を確保又は取得することができる。
ステップ１５：少なくとも１つの搬送クライアントは、少なくとも１つの搬送サービスを受けることができる。
【０７４８】
この限定を目的としない例は、任意の商品またはサービスの搬送に適用することができるが、以下は、ライドヘイル業界セグメントにおける限定を目的としない例である。この限定を目的としない例では、搬送クライアント１は搬送サービスの乗客であり得、代理人２はドライバであり得、好ましい搬送サービス提供１８はライドサービス提供であり得る。中央サーバ９は、少なくとも１つのリンク８を介して、リアルタイムまたはほぼリアルタイムで、好ましくは２つ以上の外部サーバ１０から搬送サービス提供１６を連続的に受信することができ、リアルタイムまたはほぼリアルタイムで、搬送サービス提供１６を格納、標準化および集約することができる。中央サーバ９は、好ましくは、フィルタリングされた搬送サービス提供１７をリアルタイムまたはほぼリアルタイムでソートするか、または別の技法を使用して、好ましい搬送サービス提供１８を識別することができる。搬送クライアント１は、端末７を使用してアプリケーション６にアクセスし、搬送サービス提供１６の現在の価格といった、ライドヘイル業界セグメントの知識を得ることができる。搬送クライアント１がライドヘイル業界セグメントにおいてライドを受けたい場合、例えば、搬送クライアント１は、好ましくは、アプリケーション６にログインし、認証を受けることができる。
【０７４９】
アプリケーション６にログインすると、搬送クライアント１は、例えば、サービス開始地理的位置、サービス終了地理的位置、および搬送クライアント選好４をアプリケーション６に入力または提供することができるようになる。この限定を目的としない例では、搬送クライアント１は、１つの搬送クライアント選好４、すなわち価格設定選好を入力または提供することができる。価格設定選好は、例えば、搬送サービスの費用に対する通常の価格設定の２倍未満の高価格設定の選好とすることができる。
【０７５０】
好ましくは、この搬送クライアント選好４は、搬送クライアント１が、搬送クライアント１により一層期待されている可能性があるフィルタリングされた搬送サービス提供１７を有するヒートマップ１２を分析または評価することを可能にすることができる。例えば、中央サーバ９は、搬送クライアント１のために、搬送クライアント選好４に適合しないか、またはそれを満たさない搬送サービス提供１６を除外することができる。搬送クライアント選好４の利点は、限定はしないが、より低い価格設定、より短い待ち時間、目的地までのより短い時間、より適切な搬送サービス提供１６、またはそれらの組合せといった搬送サービスを受ける上での搬送クライアント１の基準を搬送クライアント１がより良好に満たされることを可能にすることであり得る。この例における搬送クライアント選好４、および、好ましくは、搬送クライアント１のリアルタイムまたはほぼリアルタイムの地理的位置を、少なくとも１つのリンク８を介して中央サーバ９に送信することができる。
【０７５１】
中央サーバ９は、例えば、搬送クライアント選好４、および、好ましくは、搬送クライアント１のリアルタイムまたはほぼリアルタイムの地理的位置と比較することによって、搬送サービス提供１６をフィルタリングされた搬送サービス提供１７にフィルタリングすることができる。指定された２つの搬送クライアント選好４に適合する搬送サービス提供１６は、フィルタリングされた搬送サービス提供１７として識別することができる。指定された２つの搬送クライアント選好４に適合しない搬送サービス提供１６は、フィルタリングされた搬送サービス提供１７でないとして破棄または無視することができる。好ましくは、追加の搬送サービス提供１６は、中央サーバ９によって受信され、連続的に追加のフィルタリングされた搬送サービス提供１７にフィルタリングされ得る。
【０７５２】
対応する搬送データが関連付けられたフィルタリングされた搬送サービス提供１７は、少なくとも１つのリンク８を介して中央サーバ９からアプリケーション６に送信することができる。アプリケーション６は、次いで、例えばフィルタリングされた搬送サービス提供１７の高価格設定メトリックを区別可能な色の陰影としてヒートマップ１２上に表示する、ヒートマップ１２をコンパイルすることができる。ヒートマップ１２は、搬送クライアント１のリアルタイムまたはほぼリアルタイムの地理的位置に関連する地理的マップを、例えば、フィルタリングされた搬送サービス提供１７の高価格設定メトリックに関連する搬送データと組み合わせることによって、アプリケーション６上でコンパイルすることができる。フィルタリングされた搬送サービス提供１７の高価格設定メトリックに関連する搬送データは、それに含まれる対応する地理的位置に関連してヒートマップ１２上に配置することができる。ヒートマップ１２は、好ましくは、フィルタリングされた搬送サービス提供１７の高価格設定メトリックに関連する更新された搬送データを用いて、リアルタイムまたはほぼリアルタイムで連続的にリフレッシュすることができる。
【０７５３】
次いで、搬送クライアント１は、好ましくは、フィルタリングされた搬送サービス提供１７または好ましい搬送サービス提供１８を確保または取得する前に、ヒートマップ１２を視覚的に分析または評価することができる。
【０７５４】
この限定を目的としない例では、サービスプロバイダ５＃１および＃２は、搬送クライアント１のリアルタイムまたはほぼリアルタイムの地理的位置で１．５倍の高価格設定を表示することができる。サービスプロバイダ５＃３は、例えば、搬送クライアント１のリアルタイムまたはほぼリアルタイムの地理的位置で２倍の高価格設定と、搬送クライアント１のリアルタイムまたはほぼリアルタイムの地理的位置から東に１００ヤードの位置で１．８倍の高価格設定を表示することができる。例えば、搬送クライアント１は、ヒートマップ１２を分析または評価して、搬送クライアント１のリアルタイムまたはほぼリアルタイムの地理的位置から北にたった２００フィートの位置ではサービスプロバイダ５＃１には高価格設定がないことを見つけることができる。
【０７５５】
ここからは、この限定を目的としない例では、搬送クライアント１は、サービスプロバイダ５＃１から高価格設定でない好ましい搬送サービス提供１８を確保または取得するために、北に２００フィート歩くことを選択する。搬送クライアント１は、サービスプロバイダ５  ＃１から搬送サービスを受けることができる。
【０７５６】
少なくとも１つのアプリケーション６、少なくとも１つの中央サーバ９、少なくとも１つの外部サーバ１０、少なくとも１つの端末７、少なくとも１つのリンク８、またはそれらの組み合わせは、結合または統合することができる。搬送クライアント１は、少なくとも１つのアプリケーション６、少なくとも１つの中央サーバ９、少なくとも１つの外部サーバ１０、少なくとも１つのリンク８、またはそれらの組合せと統合または関連付けることができる少なくとも１つの端末７上に少なくとも１つのヒートマップ１２を表示することができる少なくとも１つの視覚的表現を利用することができる。
【０７５７】
例４：
この例は、特に図面およびその説明に記載されるように、少なくとも１つの搬送クライアントが利益を得ることができる、本発明の例示的なシステムのいくつかの好ましい限定を目的としない態様、および本発明のシステムの例示的な使用方法を規定するものである。以下は、少なくとも１つの動的マップが少なくとも１つの搬送クライアントによって使用される限定を目的としない例である。参照数字は、図中のものを指す。以下は、好ましいが必須ではない順序の、例示的な方法のステップである。通常は、本発明の非限定的かつ例示的なシステムおよび方法の両方について、図１１および図１４を参照されたい。
【０７５８】
この限定を目的としない例は、搬送サービス提供１６がどのようにしてフィルタリングされた搬送サービス提供１７になり、次いで好ましい搬送サービス提供１８になることができるかを示すことができる。この限定を目的としない例では、搬送クライアント１は乗客であり得、代理人２はドライバであり得、好ましい搬送サービス提供１８はライドサービス提供であり得る。この限定を目的としない例では、搬送クライアント１は、動的マップ１１を使用して、好ましい搬送サービス提供１８を確保または取得することができる。
【０７５９】
中央サーバ９は、搬送サービス提供１６を、外部サーバ１０から、リアルタイムまたはほぼリアルタイムで連続的または繰り返し受信することができる。中央サーバ９は、任意の順序で、搬送サービス提供１６の格納、標準化、集約、またはそれらの組合せを行うことができる。搬送クライアント１は、２つの搬送クライアント選好４、搬送クライアント１のリアルタイムまたはほぼリアルタイムの地理的位置、またはそれらの組合せを中央サーバ９に入力または提供することができる。
【０７６０】
中央サーバ９は、搬送サービス提供１６を、搬送クライアント１のリアルタイムまたはほぼリアルタイムの地理的位置と比較し、選択されたサービスプロバイダ５に関連付けられていない搬送サービス提供１６を破棄または無視することができる。サービスプロバイダ包含選好に適合するかまたはそれを満たす搬送サービス提供１６のサブセットを、フィルタリングされた搬送サービス提供１７として識別することができる。
【０７６１】
この限定を目的としない特定の例では、搬送クライアント１によって、サービスプロバイダ包含選好に４０％の重みを与え、Ａ社およびＢ社のみを含むようにサービスプロバイダ包含選好を設定することができる。Ａ社およびＢ社に関連付けられたフィルタリングされた搬送サービス提供１７には、中央サーバ９によって、１０点満点中１０点のスコアを割り当てられることができる。Ａ社およびＢ社に関連付けられていないフィルタリングされた搬送サービス提供１７には、中央サーバ９によって、１０点満点中０点のスコアを割り当てることができる。
【０７６２】
搬送クライアント１によって、価格設定選好に６０％の重みを与え、費用が２０ドル未満のフィルタリングされた搬送サービス提供１７を含むように価格設定選好を設定することができる。費用が２０．００ドルを超えるフィルタリングされた搬送サービス提供１７には、中央サーバ９によって、１０点満点中０点のスコアを割り当てられることができる。費用が１０．００〜２０．００ドルのフィルタリングされた搬送サービス提供１７には、中央サーバ９によって、１０点満点中５点のスコアを割り当てることができる。費用が１０．００ドル未満のフィルタリングされた搬送サービス提供１７には、中央サーバ９によって、１０点満点中１０点のスコアを割り当てることができる。
【０７６３】
例えば、Ａ社に関連付けられ費用が１５．００ドルである、フィルタリングされた搬送サービス提供１７は、中央サーバ９によって、サービスプロバイダ包含選好および価格設定選好に基づいて、加重平均が（１０の４０％）と（５の６０％）を足し合わせて７であるものと計算または判断することができる。フィルタリングされた搬送サービス提供１７は、好ましくは、この場合は７という加重平均に関連する降順にソートすることができ、より低い加重平均を有する他のフィルタリングされた搬送サービス提供１７と比較して、好ましい搬送サービス提供１８であると識別することができる。
【０７６４】
搬送クライアント１は、動的マップ１１を分析または評価し、次いで、Ａ社に関連し費用が＄１５．００である好ましい搬送サービス提供１８を確保または取得することができる。搬送クライアント１は、Ａ社が提供する搬送サービスを受けることができる。
【０７６５】
少なくとも１つのアプリケーション６、少なくとも１つの中央サーバ９、少なくとも１つの外部サーバ１０、少なくとも１つの端末７、少なくとも１つのリンク８、またはそれらの組み合わせは、結合または統合することができる。搬送クライアント１は、少なくとも１つのアプリケーション６、少なくとも１つの中央サーバ９、少なくとも１つの外部サーバ１０、少なくとも１つのリンク８、またはそれらの組み合わせと統合するかまたは関連付けることができる少なくとも１つの端末７上に少なくとも１つの動的マップ１１を表示することができる少なくとも１つの視覚的表現を利用することができる。
【０７６６】
例５：
この例は、特に図面およびその説明に記載されるように、少なくとも１つの代理人が利益を得ることができる、本発明の例示的なシステムのいくつかの好ましい限定を目的としない態様、および本発明のシステムの例示的な使用方法を規定するものである。以下は、少なくとも１つの代理人が少なくとも１つの代理人選好を使用して少なくとも１つの好ましい搬送サービス要求を識別し確保または取得することができる、限定を目的としない例である。参照数字は、図中のものを指す。以下は、好ましいが必須ではない順序の、例示的な方法のステップである。通常は、本発明の非限定的かつ例示的なシステムおよび方法の両方について、図９および図１４を参照されたい。
【０７６７】
この限定を目的としない例は、搬送サービス要求１３がどのようにしてフィルタリングされた搬送サービス要求１４になり、次いで好ましい搬送サービス要求１５になることができるかを示すことができる。この限定を目的としない例は、任意の商品またはサービスの搬送に適用することができるが、以下は、貨物配達業界セグメントにおける限定を目的としない例である。この限定を目的としない例では、搬送クライアント１は生体有害物質を注文する会社であり得、代理人２はトラックドライバであり得、好ましい搬送サービス要求１５は貨物配達サービス要求であり得る。
【０７６８】
中央サーバ９は、外部サーバ１０から、搬送サービス要求１３を、リアルタイムまたはほぼリアルタイムで連続的にまたは繰り返し受信することができ、市名に従って搬送サービス要求１３を事前に分類することができる。中央サーバ９は、任意の順序で、搬送サービス要求１３の格納、標準化、集約、またはそれらの組合せを行うことができる。代理人２は、１つの代理人選好３、代理人２のリアルタイムまたはほぼリアルタイムの地理的位置、またはそれらの組み合わせを、中央サーバ９に入力または提供することができる。
【０７６９】
中央サーバ９は、予め分類された搬送サービス要求１３を代理人２のリアルタイムまたはほぼリアルタイムの地理的位置と比較し、代理人２の市以外の異なる市にある搬送サービス要求１３を破棄または無視することができる。代理人２の市内の搬送サービス要求１３のサブセットであって、貨物選好にも適合するか、またはそれも満たすサブセットは、フィルタリングされた搬送サービス要求１４として識別することができる。
【０７７０】
この限定を目的としない特定の例では、貨物選好に１００％の重みを与え、生体有害物質の搬送に関連する搬送サービス要求１３のみを含むように貨物選好を設定することができる。生体有害物質の搬送に関連するフィルタリングされた搬送サービス要求１４には、中央サーバ９によって、１０点満点中１０点のスコアを割り当てることができる。生体有害物質の搬送に関連しないフィルタリングされた搬送サービス要求１４には、中央サーバ９によって、１０点満点中０点のスコアを割り当てることができる。
【０７７１】
例えば、生体有害物質の搬送に関連する貨物配達業界セグメントにおけるフィルタリングされた搬送サービス要求１４は、中央サーバ９によって、貨物選好に基づいて、加重平均が（１０の１００％）、すなわち１０であるものと計算または判断することができる。最大関数を利用して、より低い加重平均を有する他のフィルタリングされた搬送サービス要求１４と比較して最も高い加重平均を有するフィルタリングされた搬送サービス要求１４が好ましい搬送サービス要求１５であると識別することができる。代理人２は、好ましい搬送サービス要求１５を確保または取得することができる。
【０７７２】
少なくとも１つのアプリケーション６、少なくとも１つの中央サーバ９、少なくとも１つの外部サーバ１０、少なくとも１つの端末７、少なくとも１つのリンク８、またはそれらの組み合わせは、結合または統合することができる。
【０７７３】
例６：
この例は、特に図面およびその説明に記載されるように、少なくとも１つの搬送クライアントが利益を得ることができる、本発明の例示的なシステムのいくつかの好ましい限定を目的としない態様、および本発明のシステムの例示的な使用方法を規定するものである。以下は、少なくとも１つの搬送クライアントが少なくとも１つの搬送クライアント選好を使用して少なくとも１つの好ましい搬送サービス提供を識別し確保または取得することができる、限定を目的としない例である。参照数字は、図中のものを指す。以下は、好ましいが必須ではない順序の、例示的な方法のステップである。通常は、本発明の非限定的かつ例示的なシステムおよび方法の両方について、図１０および図１４を参照されたい。
【０７７４】
この限定を目的としない例は、搬送サービス提供１６がどのようにしてフィルタリングされた搬送サービス提供１７になり、次いで好ましい搬送サービス提供１８になることができるかを示すことができる。この限定を目的としない例は、任意の商品またはサービスの搬送に適用することができるが、以下は、食品配達業界セグメントにおける限定を目的としない例である。この限定を目的としない例では、搬送クライアント１は食品を注文することができる人であり得、代理人２はドライバであり得、好ましい搬送サービス提供１８は食品配達サービス提供であり得る。
【０７７５】
中央サーバ９は、外部サーバ１０から、搬送サービス提供１６を、リアルタイムまたはほぼリアルタイムで連続的にまたは繰り返し受信することができ、郵便番号に従って搬送サービス提供１６を事前に分類することができる。中央サーバ９は、任意の順序で、搬送サービス提供１６の格納、標準化、集約、またはそれらの組合せを行うことができる。搬送クライアント１は、１つの搬送クライアント選好４、搬送クライアント１のリアルタイムまたはほぼリアルタイムの地理的位置、またはそれらの組み合わせを、中央サーバ９に入力または提供することができる。
【０７７６】
中央サーバ９は、予め分類された搬送サービス提供１６を搬送クライアント１のリアルタイムまたはほぼリアルタイムの地理的位置と比較し、搬送クライアント１の郵便番号エリア以外の異なる郵便番号エリアにある搬送サービス提供１６を破棄または無視することができる。搬送クライアント１の郵便番号エリア内の搬送サービス提供１６のサブセットであって、推定到着時間選好にも適合するか、またはそれも満たすサブセットは、フィルタリングされた搬送サービス提供１７として識別することができる。
【０７７７】
この限定を目的としない特定の例では、推定到着時間選好には、１００％の重みを与えられることができ、搬送クライアント１によって２０分未満に設定することができる。推定到着時間が２０分を超えるフィルタリングされた搬送サービス提供１７には、中央サーバ９によって、１０点満点中１０点のスコアを割り当てることができる。推定到着時間が２０分以下のフィルタリングされた搬送サービス提供１７には、中央サーバ９によって、１分当たり０．５点のスコアを割り当てることができる。例えば、推定到着時間が１４分のフィルタリングされた搬送サービス提供１７には、１０点満点中７点のスコアを割り当てることができ、推定到着時間が６分のフィルタリングされた搬送サービス提供１７には、１０点満点中３点のスコアを割り当てることができる。
【０７７８】
例えば、食品配達業界セグメントにおける、推定到着時間が４分のフィルタリングされた搬送サービス提供１７は、中央サーバ９によって、推定到着時間選好に基づいて、加重平均が（２の１００％）、すなわち２であるものと計算または判断することができる。最小関数を利用して、より高い加重平均を有する他のフィルタリングされた搬送サービス提供１７と比較して最も低い加重平均を有するフィルタリングされた搬送サービス提供１７が好ましい搬送サービス提供１８であると識別することができる。搬送クライアント１は、好ましい搬送サービス提供１８を確保または取得することができる。
【０７７９】
少なくとも１つのアプリケーション６、少なくとも１つの中央サーバ９、少なくとも１つの外部サーバ１０、少なくとも１つの端末７、少なくとも１つのリンク８、またはそれらの組み合わせは、結合または統合することができる。
【０７８０】
本出願および文献目録および添付書類において言及されている、特許文献および科学論文を含むすべての出版物は、個々の出版物を参照により別々に組み込んだのと同じ程度に、すべての目的のためにその全体が参照により組み込まれる。
【０７８１】
すべての見出しおよびタイトルは、読者の便宜のためのものであり、指定されない限り、見出しに続くテキストの意味を限定するために使用されるべきではない。また、単数形で示されている場合には、複数形も含まれ、複数形で示されている場合には、単数形も含まれる。
【図１】
2020530174.tif 000003
【図２】
2020530174.tif 000004
【図３】
2020530174.tif 000005
【図４】
2020530174.tif 000006
【図５】
2020530174.tif 000007
【図６】
2020530174.tif 000008
【図７】
2020530174.tif 000009
【図８】
2020530174.tif 000010
【図９】
2020530174.tif 000011
【図１０】
2020530174.tif 000012
【図１１】
2020530174.tif 000013
【図１２】
2020530174.tif 000014
【図１３】
2020530174.tif 000015
【図１４】
2020530174.tif 000016
【国際調査報告】
2020530174.tif 000017